(57)【要約】【課題】イベント情報等の店舗情報を提供する装置において、グループ店での集客の向上に利用したいという店舗の要望に応えることができるようにする。【解決手段】ポイント管理装置は、会員が操作した操作端末から受信した登録要求Ａに含まれる会員カードＩＤから特定される店舗（Ａ店）がグループに属する場合には、当該グループに属する他のグループ店（Ｂ店）を認識可能なグループ店情報を提供し（Ｄ１１２）、当該会員カードＩＤから特定される店舗及び／又は他のグループ店のイベント情報の提供を希望するか否かの確認を受け付ける。またポイント管理装置は、統合元の会員カードＩＤに対応する店舗と統合対象の会員カードＩＤに対応する店舗とが同一グループ店である場合に限って、両会員カードＩＤに対応するポイント数を合算する。【選択図】図４
2008113840.tif 000002
【特許請求の範囲】
【請求項１】
各店舗において店舗会員として会員登録した会員に対して発行された記録媒体に記録されている当該会員を個々に識別可能な会員識別情報に対応付けて、該会員が所有するポイント数を管理するポイント管理手段と、
前記会員が操作する操作端末から前記店舗を特定可能な店舗特定情報を含む店舗情報要求を受信したことに基づいて、該受信した店舗情報要求に含まれる店舗特定情報から特定される店舗に関する店舗情報を前記操作端末に対して提供する店舗情報提供手段と、を有するポイント管理装置であって、
複数の店舗が属するグループを設定するグループ設定手段と、
当該ポイント管理装置に登録された店舗を個々に識別可能な店舗識別情報を管理すると共に、該店舗が前記グループに属するときには、該グループを個々に識別可能なグループ識別情報を対応付けて管理する店舗管理手段と、
前記操作端末から前記店舗情報要求を受信したことに基づいて、前記店舗管理手段において該受信した店舗情報要求に含まれる店舗特定情報から特定される店舗の店舗識別情報に前記グループ識別情報が対応付けられているか否かを判定する第１の判定を行うと共に、前記操作端末から前記会員識別情報を受信したことに基づいて、前記店舗管理手段において該受信した会員識別情報である統合元会員識別情報に対応する店舗の店舗識別情報に前記グループ識別情報が対応付けられているか否かを判定する第２の判定を行うグループ識別情報判定手段と、
前記第１の判定により前記グループ識別情報が対応付けられていると判定されたことを条件として、前記店舗管理手段において当該グループ識別情報に対応付けられている他の店舗識別情報の店舗を認識可能なグループ店情報を前記操作端末に対して提供するグループ店情報提供手段と、
前記第２の判定により前記グループ識別情報が対応付けられていると判定されたことを条件として、前記統合元会員識別情報に統合を希望する他の会員識別情報である統合対象会員識別情報の入力を受け付けるための統合受付ページを前記操作端末に対して送信する統合受付ページ送信手段と、
前記操作端末から前記統合受付ページにて入力された統合対象会員識別情報を受信したことに基づいて、該受信した統合対象会員識別情報に対応する店舗の店舗識別情報が、前記統合元会員識別情報に対応する店舗のグループに属する同一グループ店の店舗識別情報であるか否かを判定する同一グループ店判定手段と、
該同一グループ店判定手段により同一グループ店の店舗識別情報であると判定されたことを条件として、前記統合元会員識別情報と前記統合対象会員識別情報とを対応付けるための会員識別情報対応付け処理を行う会員識別情報対応付け処理手段と、
前記会員識別情報対応付け処理により対応付けられた各会員識別情報に対応するポイント数を合算するポイント合算手段と、
該ポイント合算手段により合算された合算ポイント数を前記会員が所定のサービスを享受するために使用させるための処理を行うポイント使用処理手段と、をさらに有することを特徴とするポイント管理装置。
【請求項２】
請求項１に記載したポイント管理装置であって、
前記操作端末から前記会員識別情報を含む情報公開要求を受信したことに基づいて、該受信した会員識別情報であるログイン会員識別情報に対応付けられている会員識別情報が有るか否かを判定する同一会員判定手段と、
該同一会員判定手段により無いと判定されたことを条件として、前記ログイン会員識別情報に対応するポイント数を少なくとも含む当該会員専用の会員専用ページを前記操作端末に対して送信し、前記同一会員判定手段により有ると判定されたことを条件として、前記ポイント合算手段により合算された合算ポイント数を少なくとも含む前記会員専用ページを前記操作端末に対して送信する会員専用ページ送信手段と、をさらに有することを特徴とするポイント管理装置。
【請求項３】
請求項１又は２に記載したポイント管理装置であって、
前記操作端末から、前記店舗情報要求として、前記会員の電子メールアドレスと、前記店舗特定情報として店舗を特定可能な前記会員識別情報とを受信したことに基づいて、該受信した電子メールアドレスと会員識別情報とを対応付けて管理する会員管理手段をさらに有し、
前記グループ店情報提供手段は、前記第１の判定により前記グループ識別情報が対応付けられていると判定されたことを条件として、当該グループ識別情報に対応付けられている他の店舗識別情報の店舗の店舗情報の提供を希望するか否かを確認する確認情報を前記グループ店情報として前記操作端末に対して提供し、
前記会員管理手段は、該操作端末から、前記店舗情報の提供を希望する店舗を特定可能な情報を含む返信情報を受信したことに基づいて、該受信した返信情報から特定される店舗の店舗識別情報を前記会員識別情報に対応付けて管理し、
前記店舗情報提供手段は、該会員管理手段で会員識別情報に対応付けて管理している店舗識別情報の店舗の店舗情報を含む電子メールを当該会員識別情報に対応付けて管理している電子メールアドレスに対して送信することを特徴とするポイント管理装置。
【請求項４】
請求項１〜３のいずれか１つに記載したポイント管理装置であって、
前記店舗管理手段は、前記店舗識別情報に対応付けて、当該店舗識別情報の店舗の所在地が属する地域を個々に識別可能な地域識別情報を管理し、
前記グループ店情報提供手段は、前記店舗管理手段において前記受信した店舗情報要求に含まれる店舗特定情報から特定される店舗の店舗識別情報に対応付けて管理している地域識別情報と同一の地域識別情報に対応付けられている他の店舗識別情報の店舗を認識可能な前記グループ店情報を前記操作端末に対して提供することを特徴とするポイント管理装置。
【請求項５】
請求項１〜３のいずれか１つに記載したポイント管理装置であって、
前記店舗管理手段は、前記店舗識別情報に対応付けて、当該店舗識別情報の店舗の所在地を特定可能な情報を管理し、
前記グループ店情報提供手段は、前記店舗管理手段において前記グループ識別情報に対応付けられている他の店舗識別情報の店舗を、前記受信した店舗情報要求に含まれる店舗特定情報から特定される店舗の所在地から近い場所に所在する順で認識可能な前記グループ店情報を前記操作端末に対して提供することを特徴とするポイント管理装置。
【発明の詳細な説明】
【技術分野】
【０００１】
本発明は、各店舗において会員登録した会員を個々に識別可能な会員識別情報に対応付けて、該会員が所有するポイント数を管理するポイント管理装置に関する。
【背景技術】
【０００２】
従来より、特許文献１に示すように、所定の地域毎に、各地域に属する店舗の店舗名と当該店舗に関する店舗情報（例えばイベント情報等）とを対応付けて記憶しておき、ユーザーが操作する携帯端末装置から、該ユーザーが選択した地域の情報を受信したことに基づいて、当該地域に属する店舗を選択可能に返信し、ユーザーが選択した店舗の店舗情報を返信する遊技場情報配信装置が知られている。
【０００３】
【特許文献１】特開２００２−８９０号公報（図６，図９，図１０）
【発明の開示】
【発明が解決しようとする課題】
【０００４】
しかしながら、前記遊技場情報配信装置では、ユーザーが選択した店舗の店舗情報を該ユーザーに認識させることはできるが、該店舗がグループ店である場合に、当該グループに属する他の店舗の存在をユーザーに認識させることができないため、前記遊技場情報配信装置をグループ店での集客の向上に利用したいという店舗の要望に応えることができなかった。
【０００５】
本発明は、このような背景のもとになされたものであり、その目的は、店舗情報を提供する装置において、グループ店での集客の向上に利用したいという店舗の要望に応えることができるようにすることにある。
【課題を解決するための手段】
【０００６】
本発明は、前記課題を解決するために、次のような手段を採る。なお後述する発明を実施するための最良の形態の説明及び図面で使用した符号を参考のために括弧書きで付記するが、本発明の構成要素は該付記したものには限定されない。
【０００７】
まず請求項１に係る発明は、各店舗（遊技場）において店舗会員として会員登録した会員に対して発行された記録媒体（会員カード）に記録されている当該会員を個々に識別可能な会員識別情報（会員カードＩＤ）に対応付けて、該会員が所有するポイント数を管理するポイント管理手段（ポイント会員情報ＤＢ）と、前記会員が操作する操作端末（ＰＣ６，携帯電話７，カードユニット２０，キオスク端末３０）から前記店舗を特定可能な店舗特定情報（会員カードＩＤ）を含む店舗情報要求（登録要求Ａ）を受信したことに基づいて、該受信した店舗情報要求に含まれる店舗特定情報から特定される店舗に関する店舗情報（イベント情報）を前記操作端末に対して提供する店舗情報提供手段（制御部５２）と、を有するポイント管理装置（５０）であって、複数の店舗が属するグループを設定するグループ設定手段（ディスプレイ５４及び入力装置５５）と、当該ポイント管理装置に登録された店舗を個々に識別可能な店舗識別情報（店舗ＩＤ）を管理すると共に、該店舗が前記グループに属するときには、該グループを個々に識別可能なグループ識別情報（グループ名）を対応付けて管理する店舗管理手段（グループＤＢ，店舗ＤＢ）と、前記操作端末から前記店舗情報要求を受信したことに基づいて、前記店舗管理手段において該受信した店舗情報要求に含まれる店舗特定情報から特定される店舗の店舗識別情報に前記グループ識別情報が対応付けられているか否かを判定する第１の判定を行うと共に、前記操作端末から前記会員識別情報を受信したことに基づいて、前記店舗管理手段において該受信した会員識別情報である統合元会員識別情報に対応する店舗の店舗識別情報に前記グループ識別情報が対応付けられているか否かを判定する第２の判定を行うグループ識別情報判定手段（制御部５２）と、前記第１の判定により前記グループ識別情報が対応付けられていると判定されたことを条件として、前記店舗管理手段において当該グループ識別情報に対応付けられている他の店舗識別情報の店舗を認識可能なグループ店情報を前記操作端末に対して提供するグループ店情報提供手段（制御部５２）と、前記第２の判定により前記グループ識別情報が対応付けられていると判定されたことを条件として、前記統合元会員識別情報に統合を希望する他の会員識別情報である統合対象会員識別情報の入力を受け付けるための統合受付ページを前記操作端末に対して送信する統合受付ページ送信手段（制御部５２）と、前記操作端末から前記統合受付ページにて入力された統合対象会員識別情報を受信したことに基づいて、該受信した統合対象会員識別情報に対応する店舗の店舗識別情報が、前記統合元会員識別情報に対応する店舗のグループに属する同一グループ店の店舗識別情報であるか否かを判定する同一グループ店判定手段（制御部５２）と、該同一グループ店判定手段により同一グループ店の店舗識別情報であると判定されたことを条件として、前記統合元会員識別情報と前記統合対象会員識別情報とを対応付けるための会員識別情報対応付け処理を行う会員識別情報対応付け処理手段（制御部５２）と、前記会員識別情報対応付け処理により対応付けられた各会員識別情報に対応するポイント数を合算するポイント合算手段（制御部５２）と、該ポイント合算手段により合算された合算ポイント数を前記会員が所定のサービスを享受するために使用させるための処理を行うポイント使用処理手段（制御部５２）と、をさらに有することを特徴とするポイント管理装置である。
【０００８】
また請求項２に係る発明は、請求項１に記載したポイント管理装置（５０）であって、前記操作端末（ＰＣ６，携帯電話７，カードユニット２０，キオスク端末３０）から前記会員識別情報（会員カードＩＤ）を含む情報公開要求（ログイン要求）を受信したことに基づいて、該受信した会員識別情報であるログイン会員識別情報（ログインＩＤ）に対応付けられている会員識別情報が有るか否かを判定する同一会員判定手段（制御部５２）と、該同一会員判定手段により無いと判定されたことを条件として、前記ログイン会員識別情報に対応するポイント数を少なくとも含む当該会員専用の会員専用ページを前記操作端末に対して送信し、前記同一会員判定手段により有ると判定されたことを条件として、前記ポイント合算手段（制御部５２）により合算された合算ポイント数を少なくとも含む前記会員専用ページを前記操作端末に対して送信する会員専用ページ送信手段（制御部５２）と、をさらに有することを特徴とするポイント管理装置である。
【０００９】
また請求項３に係る発明は、請求項１又は２に記載したポイント管理装置（５０）であって、前記操作端末（ＰＣ６，携帯電話７，カードユニット２０，キオスク端末３０）から、前記店舗情報要求（登録要求Ａ及びＢ）として、前記会員の電子メールアドレスと、前記店舗特定情報として店舗を特定可能な前記会員識別情報（会員カードＩＤ）とを受信したことに基づいて、該受信した電子メールアドレスと会員識別情報とを対応付けて管理する会員管理手段（ポイント会員情報ＤＢ）をさらに有し、前記グループ店情報提供手段（制御部５２）は、前記第１の判定により前記グループ識別情報（グループ名）が対応付けられていると判定されたことを条件として、当該グループ識別情報に対応付けられている他の店舗識別情報（店舗ＩＤ）の店舗の店舗情報（イベント情報）の提供を希望するか否かを確認する確認情報を前記グループ店情報として前記操作端末に対して提供し、前記会員管理手段は、該操作端末から、前記店舗情報の提供を希望する店舗を特定可能な情報を含む返信情報（登録要求Ｂ）を受信したことに基づいて、該受信した返信情報から特定される店舗の店舗識別情報を前記会員識別情報に対応付けて管理し、前記店舗情報提供手段（制御部５２）は、該会員管理手段で会員識別情報に対応付けて管理している店舗識別情報の店舗の店舗情報を含む電子メールを当該会員識別情報に対応付けて管理している電子メールアドレスに対して送信することを特徴とするポイント管理装置である。
【００１０】
また請求項４に係る発明は、請求項１〜３のいずれか１つに記載したポイント管理装置（５０）であって、前記店舗管理手段（グループＤＢ，店舗ＤＢ）は、前記店舗識別情報（店舗ＩＤ）に対応付けて、当該店舗識別情報の店舗の所在地が属する地域を個々に識別可能な地域識別情報（地域名）を管理し、前記グループ店情報提供手段（制御部５２）は、前記店舗管理手段において前記受信した店舗情報要求（登録要求Ａ）に含まれる店舗特定情報（会員カードＩＤ）から特定される店舗の店舗識別情報に対応付けて管理している地域識別情報と同一の地域識別情報に対応付けられている他の店舗識別情報の店舗を認識可能な前記グループ店情報を前記操作端末（ＰＣ６，携帯電話７，カードユニット２０，キオスク端末３０）に対して提供することを特徴とするポイント管理装置である。
【００１１】
さらに請求項５に係る発明は、請求項１〜３のいずれか１つに記載したポイント管理装置（５０）であって、前記店舗管理手段（グループＤＢ，店舗ＤＢ）は、前記店舗識別情報（店舗ＩＤ）に対応付けて、当該店舗識別情報の店舗の所在地を特定可能な情報（郵便番号）を管理し、前記グループ店情報提供手段（制御部５２）は、前記店舗管理手段において前記グループ識別情報（グループ名）に対応付けられている他の店舗識別情報の店舗を、前記受信した店舗情報要求（登録要求Ａ）に含まれる店舗特定情報（会員カードＩＤ）から特定される店舗の所在地から近い場所に所在する順で認識可能な前記グループ店情報を前記操作端末（ＰＣ６，携帯電話７，カードユニット２０，キオスク端末３０）に対して提供することを特徴とするポイント管理装置である。
【発明の効果】
【００１２】
まず請求項１に係るポイント管理装置によれば、会員が操作する操作端末から受信した店舗情報要求に含まれる店舗特定情報から特定される店舗がグループに属する場合には、グループ店情報が操作端末に対して提供されるので、当該グループに属する他のグループ店の存在を会員に認識させることができ、ポイント管理装置をグループ店での集客の向上に利用したいという店舗の要望に応えることができる。またグループ設定手段によりグループ設定されている同一グループ店に限ってポイント数が合算され、該合算されたポイント数を会員が使用することができるようになるので、該ポイント数の合算を、グループ店での集客の向上に利用することができる。
【００１３】
また請求項２に係るポイント管理装置によれば、受信した情報公開要求に含まれる会員識別情報が、対応付けられている会員識別情報のいずれであっても、当該会員専用の会員専用ページが送信されるので、会員の利便性を向上できる。
【００１４】
また請求項３に係るポイント管理装置によれば、会員が会員登録した店舗のグループに属する他のグループ店のうち、該会員が希望する店舗の店舗情報を含む電子メールが、該会員の電子メールアドレスに対して送信されるので、会員の利便性が向上する。
【００１５】
また請求項４に係るポイント管理装置によれば、グループに属する店舗が多い場合であっても、会員が操作する操作端末から受信した店舗情報要求に含まれる店舗特定情報から特定される店舗と同一地域に所在するグループ店を認識可能なグループ店情報が操作端末に対して提供されるので、会員の利便性が向上する。
【００１６】
さらに請求項５に係るポイント管理装置によれば、グループに属する店舗が多い場合であっても、会員が操作する操作端末から受信した店舗情報要求に含まれる店舗特定情報から特定される店舗の所在地から近い場所に所在する順にグループ店を認識可能なグループ店情報が操作端末に対して提供されるので、会員の利便性が向上する。
【発明を実施するための最良の形態】
【００１７】
以下、本発明の実施の形態を、図面を参照して説明する。本発明に係るポイント管理装置５０は、図１に示すように、各店舗（遊技場）において会員登録した会員に対して発行された記録媒体（会員カード）の記録情報を含む登録要求を、該会員が操作する操作端末（ＰＣ６，携帯電話７，カードユニット２０，キオスク端末３０）から受信して、該登録要求に含まれる記録媒体の記録情報から特定される当該会員を個々に識別可能な会員識別情報（会員カードＩＤ）をポイント会員として登録するものであり、特に前記記録媒体に磁気的又は電気的に記録されている、前記会員識別情報を特定可能な第１会員特定情報を含む第１登録要求を、前記操作端末である店舗端末（カードユニット２０，キオスク端末３０）から受信したことに基づいて、該受信した第１登録要求に含まれる第１会員特定情報から特定される会員識別情報を登録すると共に、また前記記録媒体に目視可能に記録されている、前記会員識別情報を特定可能な第２会員特定情報を含む第２登録要求を、前記操作端末である情報端末（ＰＣ６，携帯電話７）から受信したことに基づいて、該受信した第２登録要求に含まれる第２会員特定情報から特定される会員識別情報を登録することを特徴とする。またポイント管理装置５０は、該登録した会員識別情報に対応付けて、当該会員識別情報の会員が所有するポイント数を管理するものである。
【００１８】
またポイント管理装置５０は、前記操作端末から、店舗を特定可能な店舗特定情報（会員カードＩＤ）を含む店舗情報要求（登録要求Ａ）を受信したことに基づいて、該受信した店舗情報要求に含まれる店舗特定情報から特定される店舗に関する店舗情報（イベント情報）を操作端末に対して提供するものであり、特に図４のＤ１１２又はＤ１１４，及び図１０のＤ２１３又はＤ２１６に示すように、当該店舗が予め設定されたグループに属する場合には、該グループに属する他の店舗（グループ店）を認識可能なグループ店情報を操作端末に対して提供することを特徴とする。
【００１９】
またポイント管理装置５０は、複数の前記会員識別情報を対応付けるための会員識別情報対応付け処理と、該会員識別情報対応付け処理により対応付けられた各会員識別情報に対応するポイント数を合算するポイント合算処理とを、会員統合処理として行うと共に、該合算された合算ポイント数を前記会員が所定のサービスを享受するために使用させるための処理を行うものであり、特に各会員識別情報に対応する店舗が同一グループ店である場合に限って、前記会員識別情報対応付け処理を行うことを特徴とする。
【００２０】
さらにポイント管理装置５０は、既に登録されている既登録会員識別情報が記録された記録媒体に代えて新たな記録媒体の再発行が行われた場合に、当該既登録会員識別情報に対応付けられたポイント数と当該新たな記録媒体に記録された新会員識別情報とを対応付ける引き継ぎ処理を行うものであり、特に前記操作端末から、既登録会員識別情報と共に新会員識別情報を含む引き継ぎ要求を受信したことに基づいて、前記引き継ぎ処理を行うことを特徴とする。
【００２１】
このポイント管理装置５０及び該ポイント管理装置５０を含むポイント管理システム１には、図１〜図４７に示す第１実施形態と、図４８〜図５５に示すように、第１実施形態とは会員統合処理及び引き継ぎ処理が異なる第２実施形態とが含まれる。ここで会員統合処理に関し、第１実施形態では、統合対象となる会員カードＩＤのすべてが既にポイント会員として登録されていることを条件として会員統合処理が行われ、第２実施形態では、統合対象となる会員カードＩＤのいずれかが既にポイント会員として登録されていることを条件として会員統合処理が行われる。また引き継ぎ処理に関し、第１実施形態では、引き継ぎ先の新会員カードＩＤがポイント会員として登録されていないことを条件として引き継ぎ処理が行われ、第２実施形態では、引き継ぎ先の新会員カードＩＤがポイント会員として登録されているか否かに拘わらず引き継ぎ処理が行われる。
【００２２】
以下においては、まず第１実施形態に係るポイント管理装置５０を含むポイント管理システム１について説明し、次に第２実施形態に係るポイント管理装置５０を含むポイント管理システム１について、第１実施形態と異なる点のみを説明し、最後に変形例について説明する。
【００２３】
なお、以下においては、図１に示すように、店舗が遊技場であり、該店舗での取引処理が玉貸処理である例について説明する。ここで遊技場には、複数の第１遊技場（遊技場Ａ，遊技場Ｂ，…），及び複数の第２遊技場（遊技場Ｘ，遊技場Ｙ，…）が含まれ、これら各遊技場は、各遊技場（店舗）を個々に識別可能な店舗識別情報である店舗ＩＤにより識別される。ここでの店舗ＩＤは、各遊技場に割り当てられたアルファベットであり、例えば遊技場Ａ（「Ａ店」とも称する。）であれば「Ａ」，遊技場Ｘ（「Ｘ店」とも称する。）であれば「Ｘ」である。なお第１遊技場及び第２遊技場の数は特に限定されない。
【００２４】
また、以下においては、リーダ／ライタを「Ｒ／Ｗ」，データベースを「ＤＢ」，ステップを「Ｓ」と略記する。さらに、以下においては、後述する図２３（ａ）に示すポイント会員情報ＤＢにおいて、会員カードＩＤ，暗証番号，及び属性情報（少なくとも性別及び生年月日）がポイント会員として登録されていることを「既登録（又は登録済）」と称し、それらが登録されていないことを「未登録」と称する。
【００２５】
［１．第１実施形態に係るポイント管理装置５０を含むポイント管理システム１］
まず、図１〜図４４を参照して、第１実施形態に係るポイント管理装置５０を含むポイント管理システム１の構成について説明する。このポイント管理システム１は、図１に示すように、第１遊技場（Ａ，Ｂ，…）においてパチンコ機１０に対応して設けられるカードユニット２０と、第１遊技場に設置されるキオスク端末３０と、第１遊技場に設置され、カードユニット２０と通信可能なシステム管理装置４０と、カードユニット２０及びシステム管理装置４０と通信可能な第１会員管理装置１００と、第２遊技場（Ｘ，Ｙ，…）においてパチンコ機１０に対応して設けられるカードユニット２０と、第２遊技場に設置されるキオスク端末３０と、第２遊技場に設置され、カードユニット２０と通信可能なシステム管理装置４０と、遊技場外のカード会社に設置され、各第１遊技場のシステム管理装置４０及び各第２遊技場のシステム管理装置４０と転送装置７０を介して通信可能なポイント管理装置５０と、からなる。
【００２６】
このポイント管理装置５０は、会員が所持している情報端末であるＰＣ（パーソナルコンピュータ）６及び携帯電話７，並びに遊技場に設置される店舗端末であるカードユニット２０及びキオスク端末３０と、インターネットを介して通信可能である。この情報端末及び店舗端末は、会員（即ち記録媒体である会員カードの所有者）が操作可能な操作端末でもある。またポイント管理装置５０は、会員カードエンコード機構に設置されるエンコード情報管理装置６０とも通信可能である。なお第２遊技場内には、カードユニット２０と通信可能な第２会員管理装置２００が設置されている。
【００２７】
ポイント管理システム１を運営するカード会社は、遊技に使用可能な遊技用有価価値の大きさを特定可能な有価価値特定情報（第１会員カードＩＤ，カード残額，第２会員カードＩＤ，カード残額）が記録された記録媒体（第１会員カード４，第２会員カード５）を管理する機関である。該ポイント管理システム１の運営機関であるカード会社は、当該カード会社が運営する会員管理システム（第１システム）の会員として第１遊技場（Ａ，Ｂ，…）において会員登録した第１会員遊技者に対して発行され、該カード会社において当該第１会員遊技者を個々に特定するための第１会員遊技者特定情報（第１会員ＩＤ）と、前記有価価値特定情報（第１会員カードＩＤ，カード残額）とが記録された第１記録媒体（第１会員カード４）、及び、該ポイント管理システム１とは異なる運営機関（他社）により運営される他の会員管理システム（第２システム）の会員として第２遊技場において会員登録した第２会員遊技者に対して発行され、該他の会員管理システムの運営機関において当該第２会員遊技者を個々に特定するための他システム会員遊技者特定情報（他システム会員ＩＤ）と、前記ポイント管理システム１の運営機関において当該第２記録媒体（第２会員カード５）を個々に識別するための情報であると共に、前記有価価値特定情報である第２記録媒体識別情報（第２会員カードＩＤ，カード残額）とが記録された第２記録媒体を管理するポイント管理システム１を運営する機関である。
【００２８】
ここで、第１遊技場に設置されるカードユニット２０，キオスク端末３０，システム管理装置４０，及び第１会員管理装置１００と、第２遊技場に設置されるカードユニット２０，キオスク端末３０，及びシステム管理装置４０と、管理センタに設置される転送装置７０と、カード会社に設置されるポイント管理装置５０と、会員カードエンコード機構に設置されるエンコード情報管理装置６０は、ポイント管理システム１及び会員管理システム（第１システム）を運営する運営機関であるカード会社が設置・管理するものである。一方、第２遊技場に設置される第２会員管理装置２００は、ポイント管理システム１とは異なる会員管理システム（第２システム）を運営する運営機関である他社（図示外）が設置・管理するものである。
【００２９】
このポイント管理システム１では、図１及び図８に示すように、紙幣２，硬貨３，第１会員カード４，第２会員カード５，ＰＣ６，及び携帯電話７が使用される。以下においては、第１会員カード４と第２会員カード５とを区別しない場合には、単に「会員カード」と総称する。
【００３０】
紙幣２は貨幣の一例であって、ここでは図８（ｂ）に示すように、１０００円紙幣，２０００円紙幣，５０００円紙幣，及び１００００円紙幣の４種類が使用される。硬貨３も貨幣の一例であって、ここでは５００円硬貨，及び１００円硬貨の２種類が使用される。ただしカードユニット２０において会員カードが受け付けられているとき（即ち後述する入金処理が行われるとき）には、すべての金種の貨幣を使用できるが、カードユニット２０において会員カードが受け付けられていないとき（即ち後述するビジタ玉貸処理が行われるとき）には、１０００円紙幣，５００円硬貨，及び１００円硬貨のみを使用できる。
【００３１】
第１会員カード４は記録媒体の一例であって、図２（ａ）に示すように、店舗（ここでは遊技場）での取引処理（ここでは玉貸処理）に使用可能なものであり、当該記録媒体を個々に識別可能な記録媒体識別情報（第１会員カードＩＤ）が記録されたものである。また記録媒体である第１会員カード４は、各店舗（ここでは第１遊技場）において店舗会員として会員登録した会員に対して発行され、当該会員を個々に識別可能な会員識別情報（第１会員カードＩＤ）を特定可能な第１会員特定情報（第１会員カードＩＤ及び第１会員ＩＤ）が磁気的又は電気的に記録されると共に、前記会員識別情報を特定可能な第２会員特定情報（第１会員カードＩＤ及び第１会員ＩＤ）が目視可能に記録されたものである。さらに第１会員カード４は第１記録媒体の一例でもあって、ポイント管理システム１と同一の運営機関（ここではカード会社）により運営される会員管理システム（ここでは第１システム）の会員として第１遊技場（Ａ，Ｂ，…）において会員登録した第１会員遊技者に対して発行され、該ポイント管理システム１の運営機関において当該第１会員遊技者を個々に特定するための第１会員遊技者特定情報（第１会員ＩＤ）と、遊技機での遊技に使用可能な遊技用有価価値の大きさ（ここではカード残額）を特定可能な有価価値特定情報（ここでは第１会員カードＩＤ，カード残額）とが記録されたものである。
【００３２】
この第１会員カード４は、長方形状を呈するプラスチック製の薄板において、表面に形成された表示領域４ａで、第２会員特定情報である第１会員カードＩＤ及び第１会員ＩＤを目視可能に記録（ここでは印字）しており、内部に搭載されたＩＣチップ４ｂで、第１会員特定情報である第１会員カードＩＤ及び第１会員ＩＤとカード残額とを電気的に記録しており、上部に形成された磁気ストライプ４ｃで、第１会員特定情報である第１会員ＩＤを磁気的に記録している、ＩＣ／磁気ハイブリッドカードである。
【００３３】
ここで第１会員ＩＤは、後述する図２４（ａ）等に示すように、カード会社が運営する会員管理システム（第１システム）を導入している第１遊技場に対して発行されたことを示す数字（ここでは１００番台の３桁の数字）と、該第１遊技場において会員登録した第１会員遊技者を個々に識別するための数字（ここではユニークな５桁の数字）の組み合わせからなるＩＤである。第１遊技場及びカード会社では、この第１会員ＩＤによって第１会員遊技者を個々に特定可能である。
【００３４】
また第１会員カードＩＤは、当該第１会員カード４を発行した第１遊技場の前記店舗ＩＤ（Ａ，Ｂ，…）と、該第１遊技場において会員登録した第１会員遊技者を個々に識別するための数字（ここではユニークな５桁の数字）の組み合わせからなるＩＤである。即ち第１会員カードＩＤの所定箇所（ここでは先頭の１文字）には、当該第１会員カード４を発行した店舗の店舗ＩＤが含まれるので、該第１会員カードＩＤは、店舗を特定可能な情報である。この第１会員カードＩＤは、ポイント管理システム１の運営機関であるカード会社において、当該第１記録媒体（第１会員カード４）及び当該第１記録媒体を所持する会員を個々に識別するための情報として作用する。また第１会員カードＩＤは、システム管理装置４０の残額管理ＤＢ（図１３（ａ））において、遊技用有価価値の大きさであるカード残額と対応付けて管理されるため、遊技用有価価値の大きさを特定可能な有価価値特定情報として作用する。
【００３５】
これら第１会員カードＩＤと第１会員ＩＤは、図２４（ａ）のエンコード情報ＤＢに示すように、ポイント管理装置５０において１対１に対応付けて管理されており、カード会社においては、第１会員ＩＤから第１会員カードＩＤを特定可能である。即ち第１会員カードＩＤ及び第１会員ＩＤは、会員識別情報である第１会員カードＩＤを特定可能な第１会員特定情報及び第２会員特定情報であり、情報端末であるＰＣ６又は携帯電話７においては、第２会員特定情報として表示領域４ａに記録されている第１会員カードＩＤが入力され、店舗端末であるカードユニット２０においては、第１会員特定情報としてＩＣチップ４ｂに記録されている第１会員カードＩＤが読み取られ、また第２会員特定情報として表示領域４ａに記録されている第１会員カードＩＤが入力され、店舗端末であるキオスク端末３０においては、第１会員特定情報として磁気ストライプ４ｃに記録されている第１会員ＩＤが読み取られる。
【００３６】
なお第１会員カード４に記録されているカード残額は、遊技に使用可能な遊技用有価価値の大きさであり、該カード残額自体を特定可能な有価価値特定情報でもある。即ち第１会員カード４に記憶されている上記第１会員カードＩＤ，及びカード残額は、いずれも有価価値特定情報である。
【００３７】
この第１会員カード４は、以下のようにして発行される。まず第１会員管理装置１００において、遊技者が希望する暗証番号と、該遊技者の属性情報（ここでは氏名，住所，性別，生年月日，及び電子メールアドレス）が受け付けられて会員登録が行われると、カード会社から第１遊技場に納入されている第１会員カード４のうちの１枚から、当該第１会員カード４に予め記録されている第１会員ＩＤが読み取られ、該読み取った第１会員ＩＤと前記受け付けられた暗証番号及び属性情報が、後述する図１３（ｂ）に示す第１会員情報ＤＢに対応付けて記憶されると共に、ポイント管理装置５０に対して送信されて、該第１会員カード４が遊技者に対して発行される。なおポイント管理装置５０に対して送信された暗証番号は、第１会員ＩＤ及び第１会員カードＩＤと対応付けて、後述する図２４（ａ）に示すエンコード情報ＤＢで記憶されるが、属性情報（氏名，住所，性別，生年月日，及び電子メールアドレス）は、特に使用されずに破棄される。
【００３８】
なお会員が第１会員カード４を紛失したり破損したりして、該第１会員カード４（旧会員カード）に代えて新たな第１会員カード４（新会員カード）の再発行が行われる場合には、まず遊技場の店員が、第１会員管理装置１００の第１会員情報ＤＢ（図１３（ｂ））を検索して、該会員の属性情報に対応する旧会員カードの第１会員ＩＤを特定し、該特定した第１会員ＩＤをカード会社に対して送信する。次に該第１会員ＩＤを受信したカード会社のオペレータは、ポイント管理装置５０のエンコード情報ＤＢ（図２４（ａ））を検索して、該第１会員ＩＤに対応する旧会員カードの第１会員カードＩＤを特定し、該特定した第１会員カードＩＤを遊技場に対して返信する。そして該第１会員カードＩＤを受信した遊技場の店員は、該第１会員カードＩＤを記載した紙片を会員に手渡す。この紙片に記載された旧会員カードの第１会員カードＩＤは、後述する図１０のＤ２２１に示すように、会員がカードユニット２０又はキオスク端末３０から引き継ぎ要求を送信する際に、該カードユニット２０又はキオスク端末３０において入力される。
【００３９】
第２会員カード５も記録媒体の一例であって、図２（ｂ）に示すように、店舗（ここでは遊技場）での取引処理（ここでは玉貸処理）に使用可能なものであり、当該記録媒体を個々に識別可能な記録媒体識別情報（第２会員カードＩＤ）が記録されたものである。また記録媒体である第２会員カード５は、各店舗（ここでは第２遊技場）において店舗会員として会員登録した会員に対して発行され、当該会員を個々に識別可能な会員識別情報（第２会員カードＩＤ）を特定可能な第１会員特定情報（第２会員カードＩＤ及び他システム会員ＩＤ）が磁気的又は電気的に記録されると共に、前記会員識別情報を特定可能な第２会員特定情報（第２会員カードＩＤ及び他システム会員ＩＤ）が目視可能に記録されたものである。さらに第２会員カード５は第２記録媒体の一例であって、ポイント管理システム１とは異なる運営機関（ここでは他社）により運営される他の会員管理システム（第２システム）の会員として第２遊技場（遊技場Ｘ，Ｙ，…）において会員登録した第２会員遊技者に対して発行され、該他の会員管理システムの運営機関において当該第２会員遊技者を個々に特定するための他システム会員遊技者特定情報（他システム会員ＩＤ）と、ポイント管理システム１の運営機関において当該第２記録媒体を個々に識別するための情報であると共に、前記有価価値特定情報である第２記録媒体識別情報（第２会員カードＩＤ，カード残額）とが記録されたものである。
【００４０】
この第２会員カード５は、長方形状を呈するプラスチック製の薄板において、表面に形成された表示領域５ａで、第２会員特定情報である第２会員カードＩＤ及び他システム会員ＩＤを目視可能に記録しており、内部に搭載されたＩＣチップ５ｂで、第１会員特定情報である第２会員カードＩＤ及び他システム会員ＩＤとカード残額とを電気的に記録しており、上部に形成された磁気ストライプ５ｃで、第１会員特定情報である他システム会員ＩＤを磁気的に記録している、ＩＣ／磁気ハイブリッドカードである。
【００４１】
ここで他システム会員ＩＤは、後述する図２４（ａ）等に示すように、カード会社とは異なる他社が運営する会員管理システム（第２システム）を導入している第２遊技場に対して発行されたことを示す数字（ここでは２００番台の３桁の数字）と、該第２遊技場において会員登録した第２会員遊技者を個々に識別するための数字（ここではユニークな５桁の数字）の組み合わせからなるＩＤである。第２遊技場及び前記他社では、この他システム会員ＩＤによって第２会員遊技者を個々に特定可能である。
【００４２】
また第２会員カードＩＤは、当該第２会員カード５を発行した第２遊技場の前記店舗ＩＤ（Ｘ，Ｙ，…）と、該第２遊技場において会員登録した第２会員遊技者を個々に識別するための数字（ここではユニークな５桁の数字）の組み合わせからなるＩＤである。即ち第２会員カードＩＤの所定箇所（ここでは先頭の１文字）には、当該第２会員カード５を発行した店舗の店舗ＩＤが含まれるので、該第２会員カードＩＤは、店舗を特定可能な情報である。この第２会員カードＩＤは、ポイント管理システム１の運営機関であるカード会社において、当該第２記録媒体（第２会員カード５）及び当該第２記録媒体を所持する会員を個々に識別するための情報として作用する。また第２会員カードＩＤは、システム管理装置４０の残額管理ＤＢ（図１３（ａ））において、遊技用有価価値の大きさであるカード残額と対応付けて管理されるため、遊技用有価価値の大きさを特定可能な有価価値特定情報として作用する。
【００４３】
これら第２会員カードＩＤと他システム会員ＩＤは、図２４（ａ）のエンコード情報ＤＢに示すように、ポイント管理装置５０において１対１に対応付けて管理されており、カード会社においては、他システム会員ＩＤから第２会員カードＩＤを特定可能である。即ち第２会員カードＩＤ及び他システム会員ＩＤは、会員識別情報である第２会員カードＩＤを特定可能な第１会員特定情報及び第２会員特定情報であり、情報端末であるＰＣ６又は携帯電話７においては、第２会員特定情報として表示領域５ａに記録されている第２会員カードＩＤ及び他システム会員ＩＤの下４桁が入力され、店舗端末であるカードユニット２０においては、第１会員特定情報としてＩＣチップ５ｂに記録されている第２会員カードＩＤが読み取られ、また第２会員特定情報として表示領域５ａに記録されている第２会員カードＩＤ及び他システム会員ＩＤの下４桁が入力され、店舗端末であるキオスク端末３０においては、第１会員特定情報として磁気ストライプ５ｃに記録されている他システム会員ＩＤが読み取られる。
【００４４】
なお第２会員カード５に記録されているカード残額は、遊技に使用可能な遊技用有価価値の大きさであり、該カード残額自体を特定可能な有価価値特定情報でもある。即ち第２会員カード５に記憶されている上記第２会員カードＩＤ，及びカード残額は、いずれも有価価値特定情報であることから、これら第２会員カードＩＤ及びカード残額の両方の情報を以て、前記第２記録媒体識別情報としても良い。
【００４５】
この第２会員カード５は、以下のようにして発行される。まず第２会員管理装置２００において、遊技者の属性情報（ここでは暗証番号，氏名，住所，性別，生年月日，及び電子メールアドレス）が受け付けられて会員登録が行われると、カード会社から第２遊技場に納入されている第２会員カード５のうちの１枚から、当該第２会員カード５に予め記録されている他システム会員ＩＤが読み取られ、該読み取った他システム会員ＩＤと前記受け付けられた属性情報が、後述する図１３（ｃ）に示す第２会員情報ＤＢに対応付けて記憶されて、該第２会員カード５が遊技者に対して発行される。
【００４６】
なお会員が第２会員カード５を紛失したり破損したりして、該第２会員カード５（旧会員カード）に代えて新たな第２会員カード５（新会員カード）の再発行が行われる場合には、まず遊技場の店員が、第２会員管理装置２００の第２会員情報ＤＢ（図１３（ｃ））を検索して、該会員の属性情報に対応する旧会員カードの他システム会員ＩＤを特定し、該特定した他システム会員ＩＤをカード会社に対して送信する。次に該他システム会員ＩＤを受信したカード会社のオペレータは、ポイント管理装置５０のエンコード情報ＤＢ（図２４（ａ））を検索して、該他システム会員ＩＤに対応する旧会員カードの第２会員カードＩＤを特定し、該特定した第２会員カードＩＤを遊技場に対して返信する。そして該第２会員カードＩＤを受信した遊技場の店員は、該第２会員カードＩＤを記載した紙片を会員に手渡す。この紙片に記載された旧会員カードの第２会員カードＩＤは、後述する図１０のＤ２２１に示すように、会員がカードユニット２０又はキオスク端末３０から引き継ぎ要求を送信する際に、該カードユニット２０又はキオスク端末３０において入力される。
【００４７】
以上に説明したように、第１会員特定情報は、会員カードに磁気的又は電気的に記録されたものであり、第２会員特定情報は、会員カードに目視可能に記録されたものである。これら第１会員特定情報及び第２会員特定情報は、情報の記録の仕方で区別されるものであり、その情報自体は同じものであっても良い。なお、以下においては、第１会員カードＩＤと第２会員カードＩＤとを区別しない場合には、単に「会員カードＩＤ」と総称し、第１会員ＩＤと他システム会員ＩＤとを区別しない場合には、単に「会員ＩＤ」と総称する。
【００４８】
図１に戻り、ＰＣ６，携帯電話７は、会員が操作する操作端末及び会員が所持する情報端末の一例であって、電子メール送受信機能及びインターネット接続機能等を備える一般的なものである。
【００４９】
ここで図３〜図５を参照して、ＰＣ６，携帯電話７から、インターネットを介して、ポイント管理装置５０に対して送信される、各種の要求や情報について説明する。この図３〜図５に示す各画面は、ポイント管理装置５０から配信されてきて、当該ＰＣ６，携帯電話７のディスプレイで表示される画面である。
【００５０】
具体的には、まず図３のＤ１０１に示すように、各店舗に掲示されているポイント会員の登録に関するポスターを見た当該店舗の会員が、ＰＣ６又は携帯電話７に備えられる図示しない操作キーを操作して、Ｄ１０２に示すように、該ポスターに掲載されている電子メールアドレス宛に電子メール（ここではタイトルや内容を入力していない、いわゆる空メール）を送信すると、該電子メールが、インターネットを介して、ポイント管理装置５０に対して送信され、該ポイント管理装置５０から当該ＰＣ６又は携帯電話７に対して、初期画面アクセス用のＵＲＬを含む電子メールが返信される。
【００５１】
この電子メールを受信したＰＣ６又は携帯電話７では、Ｄ１０３に示すように、該電子メールの内容がディスプレイに表示される。このＤ１０３で、会員が操作キーを操作して、表示されているＵＲＬをクリックすると、初期画面アクセス要求が、インターネットを介して、ポイント管理装置５０に対して送信され、該ポイント管理装置５０から当該ＰＣ６又は携帯電話７に対して、Ｄ１０４に示す初期画面が配信されて、ディスプレイに表示される。このＤ１０４では、メニューを選択するためのボタンとして、「新規登録」ボタン，「会員」ボタン，「お知らせ」ボタン，及び「サイト案内」ボタンが表示される。
【００５２】
このＤ１０４で、会員が操作キーを操作して、「お知らせ」ボタンを操作すると、該操作が行われた旨が、インターネットを介して、ポイント管理装置５０に対して送信され、該ポイント管理装置５０から当該ＰＣ６又は携帯電話７に対して、ポイント管理システム１を運営するカード会社からのお知らせを示すお知らせ画面（図示外）が配信されて、ディスプレイに表示される。またＤ１０４で、会員が操作キーを操作して、「サイト案内」ボタンを操作すると、該操作が行われた旨が、インターネットを介して、ポイント管理装置５０に対して送信され、該ポイント管理装置５０から当該ＰＣ６又は携帯電話７に対して、サイト案内画面（図示外）が配信されて、ディスプレイに表示される。このサイト案内画面からは、利用規約，プライバシー・ポリシー，よくある質問，又は問い合わせ先の各々の画面にアクセスするためのＵＲＬがリンクされており、該ＵＲＬをクリックすると、ポイント管理装置５０から当該ＰＣ６又は携帯電話７に対して、リンク先の画面が配信されて、ディスプレイに表示される。
【００５３】
またＤ１０４で、会員が操作キーを操作して、「新規登録」ボタンを操作すると、該操作が行われた旨が、インターネットを介して、ポイント管理装置５０に対して送信され、該ポイント管理装置５０から当該ＰＣ６又は携帯電話７に対して、図４のＤ１１０に示す画面が配信されて、ディスプレイに表示される。このＤ１１０では、ポイント会員として登録する会員カードの種類を選択するためのボタンとして、「第１会員カード」ボタン，及び「第２会員カード」ボタンが表示される。
【００５４】
このＤ１１０で、第１会員カード４を所有している会員が操作キーを操作して、「第１会員カード」ボタンを操作すると、該操作が行われた旨が、インターネットを介して、ポイント管理装置５０に対して送信され、該ポイント管理装置５０から当該ＰＣ６又は携帯電話７に対して、Ｄ１１１に示す画面が配信されて、ディスプレイに表示される。このＤ１１１では、登録する第１会員カード４について、第１会員カードＩＤ，及び初期暗証番号の入力欄が表示される。ここで初期暗証番号とは、第１会員カード４の発行時（即ち店舗での会員登録時）に登録されて、後述する図１３（ｂ）に示す第１会員情報ＤＢで記憶されている暗証番号である。
【００５５】
このＤ１１１で、第１会員カード４を所有している会員が操作キーを操作して、当該第１会員カード４の表示領域４ａに表示されている第２会員特定情報である第１会員カードＩＤと、初期暗証番号とを入力して「登録」ボタンを操作すると、該入力された第１会員カードＩＤが一時的に記憶されると共に、第２会員特定情報である当該第１会員カードＩＤ，及び入力された初期暗証番号を含む第２登録要求Ａが、インターネットを介して、ポイント管理装置５０に対して送信され、該ポイント管理装置５０から当該ＰＣ６又は携帯電話７に対して、Ｄ１１２に示す画面が配信されて、ディスプレイに表示される。
【００５６】
このＤ１１２では、前記記憶している第１会員カードＩＤが表示されると共に、登録を希望する暗証番号（初期暗証番号と異なっていても良い），及び属性情報である生年月日と性別の入力欄が表示され、かつＤ１０２で送信した空メールの送信元である電子メールアドレスが表示される。
【００５７】
またＤ１１２では、前記記憶している第１会員カードＩＤから特定される店舗（ここではＡ店）がグループに属する（即ち当該店舗の店舗ＩＤが図２４（ｂ）に示すグループＤＢで登録されている）場合には、当該店舗の店舗名と、該グループ（ここでは◎◎グループ）に属する他のグループ店であって当該店舗と同一地域（例えば東京都）に所在する店舗（ここではＢ店）の店舗名とが、店舗情報（ここではイベント情報を含む電子メール）の提供を希望する店舗の選択を受け付けるために表示される。なお図示しないが、前記記憶している第１会員カードＩＤから特定される店舗がグループに属さない（即ち当該店舗の店舗ＩＤが図２４（ｃ）に示す店舗ＤＢで登録されている）場合には、当該店舗の店舗名のみが、店舗情報の提供を希望する店舗の選択を受け付けるために表示される。
【００５８】
一方、前記Ｄ１１０で、第２会員カード５を所有している会員が操作キーを操作して、「第２会員カード」ボタンを操作すると、該操作が行われた旨が、インターネットを介して、ポイント管理装置５０に対して送信され、該ポイント管理装置５０から当該ＰＣ６又は携帯電話７に対して、Ｄ１１３に示す画面が配信されて、ディスプレイに表示される。このＤ１１３では、登録する第２会員カード５について、第２会員カードＩＤ，及び他システム会員ＩＤの下４桁の入力欄が表示される。ここで他システム会員ＩＤの全桁ではなく下４桁の入力を求めるのは、全桁の入力は会員にとって大変であると共に却って入力を間違える可能性が高くなる一方、下４桁が偶然に一致する確率はかなり低いため、照合する桁数としては充分だからである。
【００５９】
このＤ１１３で、第２会員カード５を所有している会員が操作キーを操作して、当該第２会員カード５の表示領域５ａに表示されている第２会員特定情報である第２会員カードＩＤ及び他システム会員ＩＤの下４桁を入力して「登録」ボタンを操作すると、該入力された第２会員カードＩＤが一時的に記憶されると共に、第２会員特定情報である当該第２会員カードＩＤ，及び入力された他システム会員ＩＤの下４桁を含む第２登録要求Ａが、インターネットを介して、ポイント管理装置５０に対して送信され、該ポイント管理装置５０から当該ＰＣ６又は携帯電話７に対して、Ｄ１１４に示す画面が配信されて、ディスプレイに表示される。
【００６０】
このＤ１１４では、前記記憶している第２会員カードＩＤが表示されると共に、登録を希望する暗証番号（第２会員カード５の発行時に登録された暗証番号と異なっていても良い），及び属性情報である生年月日と性別の入力欄が表示され、かつＤ１０２で送信した空メールの送信元である電子メールアドレスが表示される。
【００６１】
またＤ１１４では、前記記憶している第２会員カードＩＤから特定される店舗（ここではＸ店）がグループに属する（即ち当該店舗の店舗ＩＤが図２４（ｂ）に示すグループＤＢで登録されている）場合には、当該店舗の店舗名と、該グループ（ここでは◎◎グループ）に属する他のグループ店であって当該店舗と同一地域（例えば神奈川県）に所在する店舗（ここではＣ店）の店舗名とが、店舗情報（ここではイベント情報を含む電子メール）の提供を希望する店舗の選択を受け付けるために表示される。なお図示しないが、前記記憶している第２会員カードＩＤから特定される店舗がグループに属さない（即ち当該店舗の店舗ＩＤが図２４（ｃ）に示す店舗ＤＢで登録されている）場合には、当該店舗の店舗名のみが、店舗情報の提供を希望する店舗の選択を受け付けるために表示される。
【００６２】
これらＤ１１２又はＤ１１４で、会員が操作キーを操作して、登録を希望する暗証番号と、属性情報である生年月日と性別とを入力し、かつ表示されている店舗名のうち、店舗情報の提供を希望する店舗名に対応するチェックボックスをチェックして、「登録」ボタンを操作すると、表示されている会員カードＩＤ（即ち第２会員特定情報である第１会員カードＩＤ又は第２会員カードＩＤ）と、入力された暗証番号及び属性情報と、表示されている電子メールアドレスと、チェックされたチェックボックスに対応する店舗の店舗ＩＤ（即ち店舗情報の提供を希望する店舗の店舗ＩＤ）とを含む第２登録要求Ｂが、インターネットを介して、ポイント管理装置５０に対して送信される。ここで第２登録要求Ｂは、店舗情報の提供を希望する店舗を特定可能な情報（店舗ＩＤ）を含む返信情報でもある。
【００６３】
以下においては、前記第２登録要求Ａと当該第２登録要求Ｂとを併せたものを、単に「第２登録要求」と称する。ここで第２登録要求は、店舗を特定可能な店舗特定情報（ここでは第１会員カードＩＤ又は第２会員カードＩＤ）を含む店舗情報要求であり、また会員の電子メールアドレスと、店舗特定情報として会員識別情報（ここでは第１会員カードＩＤ又は第２会員カードＩＤ）を含む店舗情報要求である。
【００６４】
このＰＣ６又は携帯電話７から送信される第２登録要求Ａ，Ｂには、会員が会員カード（第１会員カード４又は第２会員カード５）を目視して入力した第２会員特定情報が含まれる。また第２登録要求Ｂに含まれる属性情報は、氏名等のような、個人を特定可能な個人情報ではなく、個人を特定できない属性情報とされており、ここでは性別及び生年月日である。このように、個人を特定できない属性情報のみの登録を求めることにより、個人情報の登録を好まない会員がポイント会員として登録する際の抵抗感を少なくすることができると共に、後述するアンケートやイベント情報をポイント管理装置５０から通知する際に、通知対象（ターゲット）となるポイント会員を有効に抽出することができる。
【００６５】
図３に戻り、前記Ｄ１０４で、会員が操作キーを操作して、「会員」ボタンを操作すると、該操作が行われた旨が、インターネットを介して、ポイント管理装置５０に対して送信され、該ポイント管理装置５０から当該ＰＣ６又は携帯電話７に対して、Ｄ１５０に示すログイン画面が配信されて、ディスプレイに表示される。このＤ１５０では、ポイント会員として登録済の会員カードについて、該登録済の会員カードＩＤ，及び暗証番号の入力欄が表示される。
【００６６】
このＤ１５０で、ポイント会員が操作キーを操作して、ポイント会員として登録済の会員カードの表示領域に表示されている該登録済の会員カードＩＤ，及び登録済の暗証番号を入力して「ログイン」ボタンを操作すると、該入力された会員カードＩＤ及び暗証番号が一時的に記憶されると共に、該会員カードＩＤ及び暗証番号を含むログイン要求が、インターネットを介して、ポイント管理装置５０に対して送信される。ここでログイン要求は、後述する情報公開要求の一部であり、また確認要求でもある。このログイン要求に含まれる会員カードＩＤ（以下「ログインＩＤ」と称する。）は、後述する図２３（ａ）に示すポイント会員情報ＤＢにおいて、ポイント会員として対応付けて登録されているいずれの会員カードＩＤであっても良い。具体的には、○○太郎氏であれば、Ａ００００１又はＸ００００３のいずれの会員カードＩＤであっても、ログインすることができる。
【００６７】
なおＰＣ６又は携帯電話７において、Ｄ１５０に示すログイン画面に会員カードＩＤ及び暗証番号が入力された状態で、該ログイン画面のＵＲＬをブックマーク（お気に入り）に登録しておくと、該入力された会員カードＩＤ及び暗証番号がクッキーに記憶される。そして該登録されているブックマークを選択すると、クッキーに記憶されている会員カードＩＤ及び暗証番号が入力された状態でＤ１５０のログイン画面が表示され、「ログイン」ボタンを操作すると、該ログイン画面に表示されている会員カードＩＤ（即ちログインＩＤ）及び暗証番号を含むログイン要求が、インターネットを介して、ポイント管理装置５０に対して送信される。
【００６８】
前記ログイン要求を受信したポイント管理装置５０からは、当該ＰＣ６，携帯電話７に対して、Ｄ１５１に示す会員専用ページが配信されて、ディスプレイに表示される。このＤ１５１では、ログインＩＤ，及び後述する図２３（ａ）に示すポイント会員情報ＤＢで該ログインＩＤに対応付けられているポイントが表示されると共に、「ポイント使用」ボタン，「登録情報の更新」ボタン，「グループ店一覧」ボタン，「統合登録」ボタン，及び「カードの引き継ぎ」ボタンが表示され、かつグループ店追加情報表示領域，アンケート表示領域，イベント情報表示領域，及び当選情報表示領域が表示される。ここで各表示領域の表示内容については、図３６及び図４４を参照して後述する。
【００６９】
このＤ１５１で、ポイント会員が操作キーを操作して、「ポイント使用」ボタンを操作するとポイント使用要求が、また「登録情報の更新」ボタンを操作すると登録情報の更新要求が、また「グループ店一覧」ボタンを操作するとグループ店一覧要求が、それぞれインターネットを介して、ポイント管理装置５０に対して送信される。これらの要求に応じてポイント管理装置５０から送信されてきて表示される内容については、図４０〜４３を参照して後述する。
【００７０】
またＤ１５１で、ポイント会員が操作キーを操作して、「統合登録」ボタンを操作すると、統合登録処理要求が、インターネットを介して、ポイント管理装置５０に対して送信され、該ポイント管理装置５０から当該ＰＣ６又は携帯電話７に対して、図５のＤ１６０〜Ｄ１６１に示す統合受付ページが配信されて一時的に記憶され、まずＤ１６０の統合受付ページがディスプレイに表示される。
【００７１】
このＤ１６０では、前記ログインＩＤから特定される店舗ＩＤの店舗が属するグループのグループ名が表示されると共に、該グループのグループ店のうち、前記ログインＩＤから特定される店舗ＩＤの店舗と当該ログインＩＤに対応付けて登録されている他の既登録会員カードＩＤから特定される店舗ＩＤの店舗（以下「統合済店舗」と称する。）が、「既にポイントを統合している店舗」として表示され、かつ当該ログインＩＤに対応付けて登録されていない店舗（以下「未統合店舗」と称する。）が、「ポイント統合可能なその他の店舗」として表示され、さらに該未統合店舗についての統合を受け付けるための「統合」ボタンが表示される。これにより、ポイント会員は、統合が完了している統合済店舗と、統合が完了していない未統合店舗とを一見して把握可能であるため、統合を行う際の判断材料となる。なおログインＩＤに対応付けてすべてのグループ店の会員カードＩＤが登録されている場合には、未統合店舗及び「統合」ボタンは表示されず、「統合できる店舗はすべて統合済です」というメッセージが表示される。
【００７２】
具体的には、後述する図２３（ａ）に示すポイント会員情報ＤＢにおいて、○○太郎氏について、Ａ００００１の会員カードＩＤとＸ００００３の会員カードＩＤとが対応付けて登録されており、後述する図２４（ｂ）に示すグループＤＢにおいて、◎◎グループとして、Ａ店，Ｂ店，Ｃ店，及びＸ店が登録されている状況において、図３のＤ１５０に示すログイン画面でログインＩＤとしてＡ００００１が入力されてログインされ、かつ同Ｄ１５１に示す会員専用ページで「統合登録」ボタンが操作された場合には、図５のＤ１６０に示すように、統合済店舗としてＡ店及びＸ店が表示され、かつ未統合店舗としてＢ店及びＣ店が表示される。
【００７３】
このＤ１６０で、ポイント会員が操作キーを操作して、「統合」ボタンを操作すると、前記一時的に記憶しているＤ１６１の統合受付ページがディスプレイに表示される。このＤ１６１では、前記未統合店舗の各々について、ポイント会員として登録済の会員カードＩＤ，及び暗証番号の入力欄が表示される。このＤ１６１で、会員が操作キーを操作して、一又は複数の未統合店舗について、ポイント会員として登録済の会員カードの表示領域に表示されている該登録済の会員カードＩＤ（ここではＢ００７７７），及び暗証番号を入力して「統合」ボタンを操作すると、該入力された会員カードＩＤ及び暗証番号と共に、会員カードＩＤが入力された未統合店舗（ここではＢ店）の店舗ＩＤを含む統合ＩＤ情報が、インターネットを介して、ポイント管理装置５０に対して送信される。ここで統合ＩＤ情報に含まれる店舗ＩＤは、統合受付ページにて選択された同一グループ店（即ち未統合店舗）を特定可能な選択情報である。
【００７４】
該統合ＩＤ情報を受信したポイント管理装置５０において、後述する会員統合処理（即ち会員識別情報対応付け処理及びポイント合算処理）が行われると、該ポイント管理装置５０から当該ＰＣ６又は携帯電話７に対して、Ｄ１６２に示す統合登録完了画面が配信されて、ディスプレイに表示される。このＤ１６２では、統合登録が完了した旨，及び統合後のポイントが表示される。
【００７５】
この第１実施形態では、前述の如く、統合対象となる会員カードＩＤのすべてが既にポイント会員として登録されている既登録会員カードＩＤであることを条件として会員統合処理が行われ、ＰＣ６，携帯電話７からは、複数の既登録会員カードＩＤの各々を特定可能な複数の会員特定情報（ここでは当該既登録会員カードＩＤそのもの）を含む会員統合要求が、インターネットを介して、ポイント管理装置５０に対して送信される。本例では、図３のＤ１５０に示す画面で入力された既登録会員カードＩＤ（即ちログインＩＤ）及び登録済の暗証番号を含むログイン要求と、図５のＤ１６１に示す画面で入力された既登録会員カードＩＤ及び登録済の暗証番号，並びに未統合店舗の店舗ＩＤを含む統合ＩＤ情報とを合わせたものが、会員統合要求である。このＰＣ６，携帯電話７から送信される会員統合要求に含まれる会員特定情報は、会員が表示領域を目視して入力した第２会員特定情報である。なお会員統合要求は、複数の記録媒体識別情報である会員カードＩＤを含む合算要求でもある。
【００７６】
図３に戻り、前記Ｄ１５１で、ポイント会員が操作キーを操作して、「カードの引き継ぎ」ボタンを操作すると、引き継ぎ処理要求が、インターネットを介して、ポイント管理装置５０に対して送信され、該ポイント管理装置５０から当該ＰＣ６又は携帯電話７に対して、図５のＤ１７０に示す引き継ぎ画面が配信されて、ディスプレイに表示される。
【００７７】
このＤ１７０では、前記記憶しているログインＩＤが、ポイントの引き継ぎ元である既登録の旧会員カードＩＤ（即ち紛失又は破損した会員カードである旧会員カードに記録されている会員カードＩＤ）として表示され、かつ前記記憶している登録済の暗証番号が表示されると共に、ポイントの引き継ぎ先である未登録の新会員カードＩＤ（即ち再発行された新会員カードに記録されている会員カードＩＤ），及び初期暗証番号の入力欄が表示される。
【００７８】
このＤ１７０で、ポイント会員が操作キーを操作して、新会員カードの表示領域に表示されている新会員カードＩＤと、初期暗証番号とを入力して「引き継ぎ」ボタンを操作すると、該Ｄ１７０で表示及び入力された内容（即ち登録済の旧会員カードＩＤ及び登録済の暗証番号と、未登録の新会員カードＩＤ及び初期暗証番号）を含む引き継ぎ要求が、インターネットを介して、ポイント管理装置５０に対して送信される。即ちＰＣ６，携帯電話７からは、既登録会員識別情報である旧会員カードＩＤ（以下「引き継ぎ元ＩＤ」とも称する。）と共に新会員識別情報である新会員カードＩＤ（以下「引き継ぎ先ＩＤ」とも称する。）を含む引き継ぎ要求が、インターネットを介して、ポイント管理装置５０に対して送信される。
【００７９】
図１に戻り、前記パチンコ機１０は遊技機の一例であって、カードユニット２０に対応して設けられ、遊技媒体であるパチンコ玉を遊技領域に打ち込むことにより遊技を行うものであり、ここでは対応するカードユニット２０との間でパチンコ玉の貸与に関する信号のやり取りが行われて玉貸処理（後述するビジタ玉貸処理及び会員カード玉貸処理）が行われる、いわゆるＣＲ式のパチンコ機である。このパチンコ機１０は、遊技場内に配置された遊技島（図示外）において該パチンコ機１０の機種等に従って設置されている。
【００８０】
このパチンコ機１０は、図８（ａ）に示すように、その前面に遊技領域，上皿，下皿，及び発射ハンドル等を備えると共に、残度数表示器１４，玉貸ボタン１５，及びカード返却ボタン１６を備え、図６及び図７に示すように、その内部に遊技制御基板１１，払出制御基板１２，及び玉払出装置１３等を備えており、これらの各構成要素は図６及び図７に示すように接続されている。
【００８１】
遊技制御基板１１は、パチンコ機１０における遊技状態を制御するものである。払出制御基板１２は、カードユニット２０の後述する玉貸通信部２１ｂと通信可能に接続され、パチンコ機１０とカードユニット２０との間における通信を司るものである。これにより、玉貸処理が行われる場合に、パチンコ機１０とカードユニット２０との間でパチンコ玉の貸出に関する信号のやり取りが行われる。また払出制御基板１２は、玉払出装置１３と接続され、該玉払出装置１３を制御するものである。さらに払出制御基板１２は、残度数表示器１４，玉貸ボタン１５，及びカード返却ボタン１６とも接続されている。玉払出装置１３は、玉貸処理が行われて遊技者に貸し出されたパチンコ玉や、遊技の結果として遊技者に付与されるパチンコ玉（いわゆる賞球）を払い出すものである。
【００８２】
残度数表示器１４は、カードユニット２０のカードＲ／Ｗ２５にて受け付けている会員カード（第１遊技場では第１会員カード４，第２遊技場では第２会員カード５）に記録されているカード残額に相当する残度数を表示するための表示器である。ここで残度数は、カード残額が所定の比率で変換されたもの（例えば１００円＝１度数）である。この残度数表示器１４では、玉貸通信部２１ｂから残度数を示す度数表示信号が入力されることにより、残度数が表示される。
【００８３】
玉貸ボタン１５は、カードユニット２０のカードＲ／Ｗ２５にて受け付けている前記会員カードに記録されているカード残額を使用するための玉貸操作を受け付けるボタンである。この玉貸ボタン１５が操作されたことにより、玉貸通信部２１ｂに貸出入力信号が入力され、該入力の検出によってカードユニット２０のユニット制御部２２が、玉貸ボタン１５が操作された旨を認識する。
【００８４】
カード返却ボタン１６は、カードユニット２０のカードＲ／Ｗ２５にて受け付けている前記会員カードを遊技用装置外部に排出するための排出操作を受け付けるものである。このカード返却ボタン１６が操作されたことにより、玉貸通信部２１ｂに返却入力信号が入力され、該入力の検出によってカードユニット２０のユニット制御部２２が、カード返却ボタン１６が操作された旨を認識し、カードＲ／Ｗ制御部２６の制御により、カードＲ／Ｗ２５にて受け付けている会員カードの排出制御が行われ、該会員カードがカード挿入口２５ａから排出されて遊技者に返却される。
【００８５】
このパチンコ機１０において、玉払出装置１３から払い出されたパチンコ玉は、上皿に供給され、発射ハンドルの操作により遊技領域の内部に打ち込まれて、遊技が行われる。そして該打ち込まれたパチンコ玉が、遊技領域に形成された入賞口に入賞すると、払出制御基板１２から発せられる払出信号に基づいて、賞球として玉払出装置１３からパチンコ玉が払い出されて、上皿又は下皿に供給される。また、このパチンコ機１０からは、打ち込まれたパチンコ玉が始動入賞口に入賞した旨を示すスタート信号や、大当りが発生した旨を示す大当り信号等の遊技情報が出力される。
【００８６】
以下、ポイント管理システム１の各構成要素について説明する。
【００８７】
まず、図６〜図８を参照して、第１遊技場に設置される各装置（カードユニット２０，キオスク端末３０，システム管理装置４０，及び第１会員管理装置１００）と、第２遊技場に設置される各装置（カードユニット２０，キオスク端末３０，システム管理装置４０，及び第２会員管理装置２００）について説明する。
【００８８】
図６に示す第１遊技場において、カードユニット２０は、ハブ（図示外），中継器（図示外），及び通信ケーブル等を介して、システム管理装置４０及び第１会員管理装置１００と双方向のデータ通信可能に接続されており、各接続機器にはそれぞれローカルＩＰアドレスが付与されてローカルエリアネットワーク（ＬＡＮ）が形成されている。また、前記システム管理装置４０と第１会員管理装置１００とは、個別の通信ケーブルを介して、比較的高速のデータ通信を実施可能に接続されている。
【００８９】
また図７に示す第２遊技場において、カードユニット２０は、ハブ（図示外），中継器（図示外），及び通信ケーブル等を介して、システム管理装置４０及び第２会員管理装置２００と双方向のデータ通信可能に接続されており、各接続機器にはそれぞれローカルＩＰアドレスが付与されてローカルエリアネットワーク（ＬＡＮ）が形成されている。
【００９０】
また第１遊技場及び第２遊技場に設置されるシステム管理装置４０は、通信回線（ここでは専用線）を介して、管理センタに設置された転送装置７０と双方向のデータ通信を実施できるように接続されていて、管理センタでは、該転送装置７０によって、各第１遊技場の第１会員カード４による売上や、システム管理装置４０及びカードユニット２０のエラー状況等を把握できるようになっている。
【００９１】
次に、第１遊技場に設置されるカードユニット２０について説明する。このカードユニット２０は遊技用装置の一例であって、図１及び図８（ａ）に示すように、遊技場においてパチンコ機１０に対応して（ここではパチンコ機１０の左側に隣接して）設けられ、後述する玉貸処理（ビジタ玉貸処理，会員カード玉貸処理）を行うものである。またカードユニット２０は、会員が操作する操作端末及び店舗内に設置される店舗端末の一例である。このカードユニット２０は、装置ＩＤにより、該カードユニット２０を個々に識別可能とされている。
【００９２】
このカードユニット２０は、縦長の箱型の形状を呈するものであり、図８（ａ）に示すように、その前面に紙幣挿入口２３ａ，硬貨挿入口２４ａ，硬貨返却ボタン２４ｂ，タッチパネル式のディスプレイ２７，硬貨返却口２４ｆ，及びカード挿入口２５ａ等を備え、図８（ｂ）に示すように、その内部に紙幣識別機２３，ユニット制御部２２，会員管理装置用通信部２１ａ，玉貸通信部２１ｂ，硬貨識別機２４，カードＲ／Ｗ２５，及びカードＲ／Ｗ制御部２６等を備えており、これらの各構成要素は図６に示すように接続されている。
【００９３】
会員管理装置用通信部２１ａは、ハブ（図示外），中継器（図示外），及び通信ケーブル等を介して、第１会員管理装置１００の後述するユニット用通信部１０１ａと通信可能に接続されており、カードユニット２０と第１会員管理装置１００との間における通信を司るものである。このカードユニット２０から中継器に対して、カードＲ／Ｗ２５により読み取った第１会員ＩＤが送信され、該第１会員ＩＤと対応付けて、パチンコ機１０から該中継器に対して送信された遊技情報（大当り信号，スタート信号等）が第１会員管理装置１００に対して送信されることで、後述する図１３（ｂ）に示すように、第１会員管理装置１００において、第１会員ＩＤに対応付けて、各第１会員遊技者の大当り回数やスタート回数等の遊技情報を管理することができる。玉貸通信部２１ｂは、前述の如く、パチンコ機１０の払出制御基板１２と接続されている。
【００９４】
ユニット制御部２２は、ＣＰＵ，ＲＡＭ，ＲＯＭ，ＥＥＰＲＯＭ等を備えており、ＲＯＭ（あるいはＥＥＰＲＯＭ）に記憶されている処理プログラムがＲＡＭを作業領域としてＣＰＵで実行されることにより、カードユニット２０に備えられる各構成要素の動作を制御して各種の処理を行うものであるが、その機能については後述する。なおＥＥＰＲＯＭには、前記装置ＩＤが記憶されている。
【００９５】
紙幣識別機２３は貨幣受付手段の一例であって、貨幣を受け付けるものであり、ここでは図８（ｂ）に示すように、カードＲ／Ｗ２５が第１会員カード４を受け付けていない状態，及びカードＲ／Ｗ２５で受け付けている第１会員カード４に記録されているカード残額が零である状態（即ちここでは会員カード玉貸可能状態ではない状態）で、紙幣挿入口２３ａから挿入され搬送されてきた紙幣２を受け付けて、該受け付けた紙幣２が前記４種類の紙幣のうちのいずれの紙幣であるかを識別する（いずれの紙幣でもなければ正規の紙幣ではないと識別する）識別機である。
【００９６】
この識別により、受付けた紙幣が正規の紙幣２（１０００円紙幣、２０００円紙幣、５０００円紙幣、１００００円紙幣）であれば、識別結果（識別された紙幣２に応じた入金金額）をユニット制御部２２に出力する。なお識別が完了した正規の紙幣２は、紙幣通路２３ｂを通じてカードユニット２０の背面から外部に排出され、遊技島に設けられた紙幣搬送機構（図示外）により搬送されて、金庫（図示外）に回収される。なお、正規の紙幣ではないと識別した場合には、受け付けた紙幣２を紙幣挿入口２３ａから返却する。
【００９７】
硬貨識別機２４も貨幣受付手段の一例であって、貨幣を受け付けるものであり、ここでは図８（ｂ）に示すように、カードＲ／Ｗ２５が第１会員カード４を受け付けていない状態，及びカードＲ／Ｗ２５で受け付けている第１会員カード４に記録されているカード残額が零である状態（即ちここでは会員カード玉貸可能状態ではない状態）で、硬貨挿入口２４ａから投入され、硬貨通路２４ｂを通じて搬送された硬貨３を受け付けて、該受け付けた硬貨３が前記２種類の硬貨のうちのいずれの硬貨であるかを識別する（いずれの硬貨でもなければ正規の硬貨ではないと識別する）識別機である。
【００９８】
この識別により、受付けた硬貨が正規の硬貨３（１００円硬貨，５００円硬貨）であれば、識別結果（識別された硬貨３に応じた入金金額）をユニット制御部２２に出力する。なお識別が完了した正規の硬貨３は、硬貨通路２４ｃを通じてカードユニット２０の背面から外部に排出され、遊技島に設けられた硬貨搬送機構（図示外）により搬送されて、金庫（図示外）に回収される。硬貨返却ボタン２４ｅは、硬貨通路２４ｂや硬貨識別機２４において詰まった硬貨３の返却操作を受け付けるためのボタンであり、遊技者により硬貨返却ボタン２４ｅが操作されると、該詰まった硬貨３が硬貨通路２４ｄを通じて硬貨返却口２４ｆに戻る。なお、正規の硬貨ではないと識別した場合には、受け付けた硬貨３を硬貨通路２４ｄを通じて硬貨返却口２４ｆから返却する。
【００９９】
カードＲ／Ｗ２５は記録媒体受付手段の一例であって、記録媒体（ここでは自店で発行された第１会員カード４）を受け付けて、該受け付けた記録媒体に記録されている第１会員特定情報を読み取るものであり、ここでは図８（ｂ）に示すように、カード挿入口２５ａから挿入された第１会員カード４を受け付けて、該第１会員カード４のＩＣチップ４ｂに記録されている第１会員特定情報である第１会員カードＩＤ，第１会員ＩＤ，及びカード残額を読み取ると共に、会員カード玉貸処理が行われたことに基づいて、該会員カード玉貸処理に使用された使用金額を減算した後のカード残額を第１会員カード４に記録する（書き込む）ものである。このカードＲ／Ｗ２５は、前記第１会員カード４に対応したＩＣチップＲ／Ｗを備えている。
【０１００】
カードＲ／Ｗ制御部２６は、カードＲ／Ｗ２５が受け付けた第１会員カード４とのデータ送受を行う通信部や、カードＲ／Ｗ２５の制御を行うコントローラ等を備えている。このカードＲ／Ｗ制御部２６は、図６に示すように、ユニット制御部２２に接続されており、該ユニット制御部２２との各種データの送受が実施可能とされている。
【０１０１】
またカードＲ／Ｗ制御部２６は、システム管理装置用通信部２６ａを備えている。このシステム管理装置用通信部２６ａは、ハブ，中継器，及び通信ケーブル等を介して、システム管理装置４０のユニット用通信部４１ａに接続され、カードユニット２０とシステム管理装置４０とのデータ通信を実施可能とされている。なおカードＲ／Ｗ制御部２６から送信する情報には、該情報の送信元を特定可能なように、ユニット制御部２２のＥＥＰＲＯＭに記憶されている装置ＩＤが含まれる。
【０１０２】
ここでシステム管理装置用通信部２６ａは、カードＲ／Ｗ２５により第１会員カード４から第１会員カードＩＤ及びカード残額が読み取られたときに、後述する図１５に示すように、該読み取った第１会員カードＩＤ及びカード残額を含む使用許諾要求を、システム管理装置４０に対して送信し（Ｓ３２）、該システム管理装置４０から、第１会員カードＩＤとカード残額の照合結果を受信するものである。
【０１０３】
またシステム管理装置用通信部２６ａは、ユニット制御部２２によりビジタ玉貸処理が行われたときに、図示しないが、該ビジタ玉貸処理に使用された金額（即ちここでは入金金額）を、システム管理装置４０に対して送信するものである。ここで送信された金額（ビジタ玉貸処理に使用された金額）は、各装置ＩＤと対応付けてシステム管理装置４０で管理される。
【０１０４】
またシステム管理装置用通信部２６ａは、ユニット制御部２２により会員カード玉貸処理が行われたときに、後述する図１５に示すように、前記読み取った第１会員カードＩＤと該会員カード玉貸処理に使用されたカード残額である使用金額を、システム管理装置４０に対して送信するものである（Ｓ５２）。
【０１０５】
またシステム管理装置用通信部２６ａは、ユニット制御部２２により入金処理が行われたときに、後述する図１４に示すように、前記読み取った第１会員カードＩＤと該入金処理に供された入金金額を、システム管理装置４０に対して送信するものである（Ｓ１２）。
【０１０６】
タッチパネル式のディスプレイ２７は、カードユニット２０の前面から突設されており、対応するパチンコ機１０で遊技をする遊技者に向くように、各種の情報を表示するメッセージ表示領域２７ａと、各種の入力を受け付ける操作キーを操作する操作キー表示領域２７ｂとを備えている。このディスプレイ２７のメッセージ表示領域２７ａでは、図示しないが、カードＲ／Ｗ２５が第１会員カード４を受け付けている状態で、該第１会員カード４の第１会員ＩＤに対応付けて第１会員管理装置１００で管理されている遊技情報（個人遊技情報）を閲覧可能であると共に、カードＲ／Ｗ２５が第１会員カード４を受け付けていない状態であっても、個人遊技情報以外の遊技情報やテレビ画像を閲覧可能である。
【０１０７】
ここで前記ユニット制御部２２の機能について説明する。まずユニット制御部２２は、前記入金金額を使用したビジタ玉貸処理を行うものである。具体的には、カードＲ／Ｗ２５により第１会員カード４が受け付けられていない状態で紙幣識別機２３又は硬貨識別機２４により紙幣２又は硬貨３が受け付けられて、該受け付けられて識別された貨幣の金額が所定額（ここでは１０００円とする）以下であれば、該入金金額が入金残額としてユニット制御部２２のＲＡＭに記憶されて、パチンコ機１０との間でパチンコ玉の貸出に関する信号のやり取りを行って、該入金残額に相当する度数分のパチンコ玉をパチンコ機１０から払い出す処理を行う。これにより、第１会員カード４を所有しないビジタ遊技者であっても、パチンコ玉の貸出を受けてパチンコ機１０による遊技をすることができる。
【０１０８】
またユニット制御部２２は、前記カード残額を使用した会員カード玉貸処理を行うものである。具体的には、会員カード使用許諾情報を受信したことにより会員カード玉貸可能状態となり、玉貸ボタン１５が操作されて貸出入力信号が入力されたときに、第１会員カード４に記録されたカード残額と予め設定された玉貸設定金額（例えば５００円）とを比較して、カード残額≧玉貸設定金額であれば該玉貸設定金額に相当する度数のパチンコ玉の払出を払出制御基板１２に対して指示し、払出制御基板１２が指示された度数分のパチンコ玉の払出を玉払出装置１３により行う。一方、カード残額＜玉貸設定金額であれば該カード残額に相当する度数のパチンコ玉の払出を払出制御基板１２に対して指示し、払出制御基板１２が該指示された度数分のパチンコ玉の払出を玉払出装置１３により行う。
【０１０９】
またユニット制御部２２は、第１会員カード４に対する入金処理を行うものである。具体的には、カードＲ／Ｗ２５によりカード残額が零である第１会員カード４が受け付けられている状態で紙幣識別機２３又は硬貨識別機２４により紙幣２又は硬貨３が受け付けられたときに、該受け付けられて識別された貨幣の金額をカード残額としてカードＲ／Ｗ制御部２６及びカードＲ／Ｗ２５により第１会員カード４に記録する処理を行う。
【０１１０】
さらにユニット制御部２２は、当該カードユニット２０のカードＲ／Ｗ制御部２６，及びシステム管理装置用通信部２６ａと、システム管理装置４０の後述するユニット用通信部４１ａ，制御部４２，及び外部通信部４１ｄと、インターネットを介して（以下単に「インターネットを介して」と称する。）、ポイント管理装置５０に対して、各種の要求や情報を送信する送信手段として機能するものである。ここで図９〜図１１を参照して、該送信手段として機能するユニット制御部２２から送信される各種の要求や情報について説明する。この図９〜図１１に示す各画面は、Ｄ２０１を除き、ポイント管理装置５０から配信されてきて、ディスプレイ２７のメニュー表示領域２７ａに表示される（以下単に「ディスプレイに表示される」と称する。）画面である。
【０１１１】
まずカードユニット２０のディスプレイ２７では、該カードユニット２０で予め記憶されている、図９のＤ２０１に示す初期画面が表示されている。このＤ２０１では、新規登録を希望する会員，及びポイント会員に対して会員カードの挿入を促す旨が表示されると共に、メニューを選択するためのボタンとして、「お知らせ」ボタン，「サイト案内」ボタン，及び「会員カードＩＤ手入力」ボタンが表示される。
【０１１２】
このＤ２０１に示す「お知らせ」ボタンは、前記図３のＤ１０４に示す同ボタンと同様に機能するものであり、該「お知らせ」ボタンを操作すると、該操作が行われた旨が、インターネットを介して、ポイント管理装置５０に対して送信され、該ポイント管理装置５０から当該カードユニット２０に対して、前記お知らせ画面（図示外）が配信されて、ディスプレイに表示される。またＤ２０１に示す「サイト案内」ボタンも、前記図３のＤ１０４に示す同ボタンと同様に機能するものであり、該「サイト案内」ボタンを操作すると、該操作が行われた旨が、インターネットを介して、ポイント管理装置５０に対して送信され、該ポイント管理装置５０から当該カードユニット２０に対して、前記サイト案内画面（図示外）が配信されて、ディスプレイに表示される。
【０１１３】
このＤ２０１で、会員が操作キー表示領域２７ｂに表示される操作キーを操作して（以下単に「操作キーを操作して」と称する。）、「会員カードＩＤ手入力」ボタンを操作すると、該操作が行われた旨が、インターネットを介して、ポイント管理装置５０に対して送信され、該ポイント管理装置５０から当該カードユニット２０に対して、Ｄ２０２に示す画面が配信されて、ディスプレイに表示される。このＤ２０２では、会員カードＩＤの入力欄が表示される。
【０１１４】
このＤ２０２で、会員カード（ここでは第１会員カード４）を所有している会員が操作キーを操作して、該会員カードの表示領域に表示されている第２会員特定情報である会員カードＩＤ（ここでは第１会員カードＩＤ）を入力して「送信」ボタンを操作すると、該入力された会員カードＩＤを含む登録確認要求が、インターネットを介して、ポイント管理装置５０に対して送信される。一方、Ｄ２０２の画面が表示されている状態で、会員がカードＲ／Ｗ２５に会員カードを挿入すると、該会員カードのＩＣチップから読み取った第１会員特定情報である会員カードＩＤ（ここでは第１会員カードＩＤ）を含む登録確認要求が、インターネットを介して、ポイント管理装置５０に対して送信される。
【０１１５】
該登録確認要求を受信したポイント管理装置５０では、該登録確認要求に含まれる会員カードＩＤが後述する図２３（ａ）に示すポイント会員情報ＤＢで登録されているか否か（即ち左１列に示す会員カードＩＤの記憶欄で記憶されているか否か）の判定が行われ、登録されていないと判定された場合には図１０のＤ２１０に示す画面，登録されていると判定された場合には図９のＤ２５０に示すログイン画面が、ポイント管理装置５０から当該カードユニット２０に対して配信されて、ディスプレイに表示される。
【０１１６】
Ｄ２１０では、前記登録確認要求に含まれる未登録の会員カードＩＤが表示されると共に、「新規登録」ボタン，及び「カードの引き継ぎ」ボタンが表示される。
【０１１７】
このＤ２１０で、会員が操作キーを操作して、「新規登録」ボタンを操作すると、表示されている未登録の会員カードＩＤが一時的に記憶されると共に、該操作が行われた旨が、インターネットを介して、ポイント管理装置５０に対して送信され、該ポイント管理装置５０から第１遊技場に設置される当該カードユニット２０に対して、Ｄ２１１に示す画面が配信されて、ディスプレイに表示される。このＤ２１１では、前記記憶している会員カードＩＤ（即ち第１会員カードＩＤ）が表示されると共に、初期暗証番号の入力欄が表示される。
【０１１８】
このＤ２１１で、会員が操作キーを操作して、初期暗証番号を入力して「登録」ボタンを操作すると、表示されている第１会員カードＩＤと、入力された初期暗証番号とを含む第１登録要求Ａが、インターネットを介して、ポイント管理装置５０に対して送信され、該ポイント管理装置５０から当該カードユニット２０に対して、Ｄ２１２〜Ｄ２１３に示す画面が配信されて一時的に記憶され、まずＤ２１２の画面がディスプレイに表示される。
【０１１９】
このＤ２１２では、前記記憶している第１会員カードＩＤが表示されると共に、登録を希望する暗証番号（初期暗証番号と異なっていても良い），及び属性情報である生年月日と性別の入力欄が表示され、かつ電子メールアドレスを入力するか又は省略するかを選択するためのボタンとして、「入力する」ボタンと「省略する」ボタンが表示される。
【０１２０】
このＤ２１２で、会員が操作キーを操作して、登録を希望する暗証番号と、属性情報である生年月日と性別とを入力して「省略する」ボタンを操作すると、表示されている第１会員カードＩＤと、入力された暗証番号及び属性情報とを含む第１登録要求Ｂが、インターネットを介して、ポイント管理装置５０に対して送信される。
【０１２１】
一方、Ｄ２１２で、会員が操作キーを操作して、登録を希望する暗証番号と、属性情報である生年月日と性別とを入力して「入力する」ボタンを操作すると、前記記憶しているＤ２１３の画面がディスプレイに表示される。このＤ２１３では、前記記憶している第１会員カードＩＤと、Ｄ２１２で入力された登録を希望する暗証番号，及び属性情報である生年月日と性別とが表示されると共に、電子メールアドレスの入力欄が表示される。
【０１２２】
またＤ２１３では、前記記憶している第１会員カードＩＤから特定される店舗（ここではＡ店）がグループに属する（即ち当該店舗の店舗ＩＤが図２４（ｂ）に示すグループＤＢで登録されている）場合には、当該店舗の店舗名と、該グループ（ここでは◎◎グループ）に属する他のグループ店であって当該店舗と同一地域（例えば東京都）に所在する店舗（ここではＢ店）の店舗名とが、店舗情報（ここではイベント情報を含む電子メール）の提供を希望する店舗の選択を受け付けるために表示される。なお図示しないが、前記記憶している第１会員カードＩＤから特定される店舗がグループに属さない（即ち当該店舗の店舗ＩＤが図２４（ｃ）に示す店舗ＤＢで登録されている）場合には、当該店舗の店舗名のみが、店舗情報の提供を希望する店舗の選択を受け付けるために表示される。
【０１２３】
このＤ２１３で、会員が操作キーを操作して、電子メールアドレスを入力し、かつ表示されている店舗名のうち、店舗情報の提供を希望する店舗名に対応するチェックボックスをチェックして、「登録」ボタンを操作すると、表示されている第１会員カードＩＤ，暗証番号，及び属性情報と、入力された電子メールアドレスと、チェックされたチェックボックスに対応する店舗の店舗ＩＤ（即ち店舗情報の提供を希望する店舗の店舗ＩＤ）とを含む第１登録要求Ｂが、インターネットを介して、ポイント管理装置５０に対して送信される。ここで第１登録要求Ｂは、店舗情報の提供を希望する店舗を特定可能な情報（店舗ＩＤ）を含む返信情報でもある。
【０１２４】
即ち第１登録要求Ｂは、第１会員特定情報（会員カードＩＤ），登録する暗証番号，及び会員の属性情報（性別及び生年月日）を少なくとも含み，会員により選択された場合には電子メールアドレス，及び店舗情報の提供を希望する店舗の店舗ＩＤをさらに含むものである。以下においては、前記第１登録要求Ａと当該第１登録要求Ｂとを併せたものを、単に「第１登録要求」と称する。ここで第１登録要求は、店舗を特定可能な店舗特定情報（ここでは会員カードＩＤ）を含む店舗情報要求であり、また会員の電子メールアドレスと、店舗特定情報として会員識別情報（会員カードＩＤ）を含む店舗情報要求である。
【０１２５】
このカードユニット２０から送信される第１登録要求Ａ，Ｂには、カードＲ／Ｗ２５が読み取った第１会員特定情報が含まれる。また第１登録要求Ｂに含まれる属性情報は、前記第２登録要求Ｂに含まれる属性情報と同様に、氏名等のような、個人を特定可能な個人情報ではなく、個人を特定できない属性情報とされており、ここでは性別及び生年月日である。従って、ユニット制御部２２は、カードＲ／Ｗ２５により読み取った第１会員特定情報（ここでは会員カードＩＤ）を含む第１登録要求をポイント管理装置５０に対して送信する第１登録要求送信手段として機能するものである。
【０１２６】
またＤ２１０で、会員が操作キーを操作して、「カードの引き継ぎ」ボタンを操作すると、表示されている未登録の会員カードＩＤが一時的に記憶されると共に、該操作が行われた旨が、インターネットを介して、ポイント管理装置５０に対して送信され、該ポイント管理装置５０から第１遊技場に設置される当該カードユニット２０に対して、Ｄ２２１に示す引き継ぎ画面が配信されて、ディスプレイに表示される。このＤ２２１では、ポイントの引き継ぎ元である既登録の旧会員カードＩＤ（即ち紛失又は破損した会員カードである旧会員カードに記録されている会員カードＩＤ），及び登録済の暗証番号の入力欄が表示されると共に、前記記憶している会員カードＩＤが、ポイントの引き継ぎ先である未登録の新会員カードＩＤ（即ち再発行された新会員カードに記録されている会員カードＩＤ）として表示され、かつ初期暗証番号の入力欄が表示される。
【０１２７】
このＤ２２１で、会員が操作キーを操作して、新会員カードの再発行の際に遊技場の店員から手渡された紙片に記載されている旧会員カードＩＤと、登録済の暗証番号と、初期暗証番号とを入力して「引き継ぎ」ボタンを操作すると、該Ｄ２２１で表示及び入力された内容（即ち登録済の旧会員カードＩＤ及び登録済の暗証番号と、未登録の新会員カードＩＤ及び初期暗証番号）を含む引き継ぎ要求が、インターネットを介して、ポイント管理装置５０に対して送信される。即ちカードユニット２０からは、既登録会員識別情報である旧会員カードＩＤ（引き継ぎ元ＩＤ）と共に新会員識別情報である新会員カードＩＤ（引き継ぎ先ＩＤ）を含む引き継ぎ要求が、インターネットを介して、ポイント管理装置５０に対して送信される。
【０１２８】
図９に戻り、Ｄ２５０に示すログイン画面では、前記登録確認要求に含まれる既登録の会員カードＩＤが表示されると共に、該会員カードＩＤに対応付けて登録済の暗証番号の入力欄が表示される。このＤ２５０で、ポイント会員が操作キーを操作して、登録済の暗証番号を入力して「ログイン」ボタンを操作すると、前記表示されている会員カードＩＤ及び該入力された暗証番号が一時的に記憶されると共に、該会員カードＩＤ及び暗証番号を含むログイン要求が、インターネットを介して、ポイント管理装置５０に対して送信される。このログイン要求は、ＰＣ６又は携帯電話７から送信される前記ログイン要求と同様のものである。
【０１２９】
前記ログイン要求を受信したポイント管理装置５０からは、当該カードユニット２０に対して、Ｄ２５１に示す会員専用ページが配信されて、ディスプレイに表示される。このＤ２５１では、ログインＩＤ，及び後述する図２３（ａ）に示すポイント会員情報ＤＢで該ログインＩＤに対応付けられているポイントが表示されると共に、「ポイント使用」ボタン，「登録情報の更新」ボタン，「グループ店一覧」ボタン，及び「統合登録」ボタンが表示され、かつグループ店追加情報表示領域，アンケート表示領域，イベント情報表示領域，及び当選情報表示領域が表示される。ここで各表示領域の表示内容については、図３６及び図４４を参照して後述する。
【０１３０】
このＤ２５１で、ポイント会員が操作キーを操作して、「ポイント使用」ボタンを操作するとポイント使用要求が、また「登録情報の更新」ボタンを操作すると登録情報の更新要求が、また「グループ店一覧」ボタンを操作するとグループ店一覧要求が、それぞれインターネットを介して、ポイント管理装置５０に対して送信される。これらの要求に応じてポイント管理装置５０から送信されてきて表示される内容については、図４０〜４３を参照して後述する。
【０１３１】
またＤ２５１で、ポイント会員が操作キーを操作して、「統合登録」ボタンを操作すると、統合登録処理要求が、インターネットを介して、ポイント管理装置５０に対して送信され、該ポイント管理装置５０から当該カードユニット２０に対して、図１１のＤ２６０〜Ｄ２６１に示す統合受付ページが配信されて一時的に記憶され、まずＤ２６０の統合受付ページがディスプレイに表示される。
【０１３２】
このＤ２６０では、前記ログインＩＤから特定される店舗ＩＤの店舗が属するグループのグループ名が表示されると共に、該グループのグループ店のうち、前記統合済店舗が、「既にポイントを統合している店舗」として表示され、かつ前記未統合店舗の各々を示すボタン（ここでは「Ｂ」ボタン，及び「Ｃ」ボタン）が表示される。これにより、ポイント会員は、統合が完了している統合済店舗と、統合が完了していない未統合店舗とを一見して把握可能であるため、統合を行う際の判断材料となる。なおログインＩＤに対応付けてすべてのグループ店の会員カードＩＤが登録されている場合には、未統合店舗を示すボタンは表示されず、「統合できる店舗はすべて統合済です」というメッセージが表示される。
【０１３３】
このＤ２６０で、ポイント会員が操作キーを操作して、未統合店舗を示すボタンのいずれか（例えば「Ｂ」ボタン）を操作すると、前記一時的に記憶しているＤ２６１の統合受付ページがディスプレイに表示される。このＤ２６１では、操作されたボタンが示す未統合店舗（ここではＢ店）について、ポイント会員として登録済の会員カードＩＤ，及び暗証番号の入力欄が表示される。このＤ２６１で、会員が操作キーを操作して、当該未統合店舗について、ポイント会員として登録済の会員カードの表示領域に表示されている該登録済の会員カードＩＤ，（ここではＢ００２２２），及び暗証番号を入力して「統合」ボタンを操作すると、該入力された会員カードＩＤ及び暗証番号，並びにＤ２６０で操作されたボタンが示す未統合店舗（ここではＢ店）の店舗ＩＤを含む統合ＩＤ情報が、インターネットを介して、ポイント管理装置５０に対して送信される。
【０１３４】
なおＤ２６１で、会員カードＩＤ及び暗証番号の入力後に、「統合」ボタンでなく「別のカード」ボタンを操作すると、再びＤ２６０の統合受付ページがディスプレイに表示される。このＤ２６０では、前記未統合店舗のうち、最初のＤ２６０で選択された未統合店舗（ここではＢ店）を除く未統合店舗を示すボタン（ここでは「Ｃ」ボタン）が表示される。このＤ２６０で、未統合店舗を示すボタンを操作すると、再びＤ２６１の統合受付ページがディスプレイに表示され、このＤ２６１で、会員カードＩＤ及び暗証番号の入力後に、「統合」ボタンを操作すると、前回のＤ２６１で入力された会員カードＩＤ及び暗証番号，並びに前回のＤ２６０で操作されたボタンが示す未統合店舗（ここではＢ店）の店舗ＩＤと、今回のＤ２６１で入力された会員カードＩＤ及び暗証番号，並びに今回のＤ２６０で操作されたボタンが示す未統合店舗（ここではＣ店）の店舗ＩＤとを含む統合ＩＤ情報が、インターネットを介して、ポイント管理装置５０に対して送信される。
【０１３５】
ここで統合ＩＤ情報に含まれる店舗ＩＤは、統合受付ページにて選択された同一グループ店（即ち未統合店舗）を特定可能な選択情報である。該統合ＩＤ情報を受信したポイント管理装置５０において、後述する会員統合処理（即ち会員識別情報対応付け処理及びポイント合算処理）が行われると、該ポイント管理装置５０から当該カードユニット２０に対して、Ｄ２６２に示す統合登録完了画面が配信されて、ディスプレイに表示される。このＤ２６２では、統合登録が完了した旨，及び統合後のポイントが表示される。
【０１３６】
この第１実施形態では、前述の如く、統合対象となる会員カードＩＤのすべてが既にポイント会員として登録されている既登録会員カードＩＤであることを条件として会員統合処理が行われ、カードユニット２０からは、複数の既登録会員カードＩＤの各々を特定可能な複数の会員特定情報（ここでは当該既登録会員カードＩＤそのもの）を含む会員統合要求が、インターネットを介して、ポイント管理装置５０に対して送信される。本例では、図９のＤ２５０に示す画面で表示されている既登録会員カードＩＤ（即ちログインＩＤ）及び該画面で入力された登録済の暗証番号を含むログイン要求と、図１１のＤ２６１に示す画面で入力された既登録会員カードＩＤ及び登録済の暗証番号，並びに未統合店舗の店舗ＩＤを含む統合ＩＤ情報とを合わせたものが、会員統合要求である。このカードユニット２０から送信される会員統合要求に含まれる会員特定情報は、ログイン要求については、カードＲ／Ｗ２５がＩＣチップから読み取った会員カードＩＤであり、統合ＩＤ情報については、会員が表示領域を目視して入力した第２会員特定情報である。なお会員統合要求は、複数の記録媒体識別情報である会員カードＩＤを含む合算要求でもある。
【０１３７】
次に、第２遊技場に設置されるカードユニット２０について説明する。この第２遊技場に設置されるカードユニット２０は、第１遊技場に設置されるカードユニット２０と同様のものであるが、以下の５点について、第１遊技場に設置されるカードユニット２０と異なる。
【０１３８】
まず１点目として、記録媒体受付手段であるカードＲ／Ｗ２５は、前記第１会員カード４に代えて、記録媒体として自店で発行された第２会員カード５を受け付けて、該受け付けた記録媒体に記録されている第１会員特定情報を読み取るものであり、ここでは図８（ｂ）に示すように、カード挿入口２５ａから挿入された第２会員カード５を受け付けて、該第２会員カード５のＩＣチップ５ｂに記録されている第１会員特定情報である第２会員カードＩＤ及び他システム会員ＩＤと、カード残額とを読み取ると共に、会員カード玉貸処理が行われたことに基づいて、該会員カード玉貸処理に使用された使用金額を減算した後のカード残額を第２会員カード５に記録する（書き込む）ものである。
【０１３９】
また２点目として、会員管理装置用通信部２１ａからは、中継器に対して、カードＲ／Ｗ２５により読み取った他システム会員ＩＤが送信され、該他システム会員ＩＤと対応付けて、パチンコ機１０から該中継器に対して送信された遊技情報（大当り信号，スタート信号等）が第２会員管理装置２００に対して送信されることで、後述する図１３（ｃ）に示すように、第２会員管理装置２００において、他システム会員ＩＤに対応付けて、各第２会員遊技者の大当り回数やスタート回数等の遊技情報を管理することができる。
【０１４０】
また３点目として、ディスプレイ２７のメッセージ表示領域２７ａでは、図示しないが、カードＲ／Ｗ２５が第２会員カード５を受け付けている状態で、該第２会員カード５の他システム会員ＩＤに対応付けて第２会員管理装置２００で管理されている遊技情報（個人遊技情報）を閲覧可能であると共に、カードＲ／Ｗ２５が第２会員カード５を受け付けていない状態であっても、個人遊技情報以外の遊技情報やテレビ画像を閲覧可能である。
【０１４１】
また４点目として、前記送信手段として機能するユニット制御部２２は、登録確認要求（図９のＤ２０１），ログイン要求（同Ｄ２５０），及び引き継ぎ要求（図１０のＤ２２１）に、前記第１会員カードＩＤに代えて、カードＲ／Ｗ２５に挿入された第２会員カード５のＩＣチップ５ｂから読み取った第２会員カードＩＤを含めて送信する。
【０１４２】
さらに５点目として、前記第１登録要求送信手段として機能するユニット制御部２２は、第１会員特定情報（第２会員カードＩＤ），及び他システム会員ＩＤの下４桁を含む第１登録要求Ａと、第１会員特定情報（第２会員カードＩＤ），登録する暗証番号，及び会員の属性情報（性別及び生年月日）を少なくとも含み、会員により選択された場合には電子メールアドレス，及び店舗情報の提供を希望する店舗の店舗ＩＤをさらに含む第１登録要求Ｂを、インターネットを介して、ポイント管理装置５０に対して送信するものである。ここで第１登録要求は、店舗を特定可能な店舗特定情報（ここでは第２会員カードＩＤ）を含む店舗情報要求であり、また会員の電子メールアドレスと、店舗特定情報として会員識別情報（ここでは第２会員カードＩＤ）を含む店舗情報要求である。
【０１４３】
具体的には、前記図１０のＤ２１０で、会員が操作キーを操作して、「新規登録」ボタンを操作すると、表示されている未登録の会員カードＩＤが一時的に記憶されると共に、該操作が行われた旨が、インターネットを介して、ポイント管理装置５０に対して送信され、該ポイント管理装置５０から第２遊技場に設置される当該カードユニット２０に対して、Ｄ２１４に示す画面が配信されて、ディスプレイに表示される。このＤ２１４では、前記記憶している会員カードＩＤ（即ち第２会員カードＩＤ）が表示されると共に、他システム会員ＩＤの下４桁の入力欄が表示される。
【０１４４】
このＤ２１４で、会員が操作キーを操作して、第２会員カード５の表示領域５ａに表示されている他システム会員ＩＤの下４桁を入力して「登録」ボタンを操作すると、表示されている第２会員カードＩＤと、入力された他システム会員ＩＤの下４桁を含む第１登録要求Ａが、インターネットを介して、ポイント管理装置５０に対して送信され、該ポイント管理装置５０から当該カードユニット２０に対して、Ｄ２１５〜Ｄ２１６に示す画面が配信されて一時的に記憶され、まずＤ２１５の画面がディスプレイに表示される。
【０１４５】
このＤ２１５では、前記記憶している第２会員カードＩＤが表示されると共に、登録を希望する暗証番号（第２会員カード５の発行時に登録された暗証番号と異なっていても良い），及び属性情報である生年月日と性別の入力欄が表示され、かつ電子メールアドレスを入力するか又は省略するかを選択するためのボタンとして、「入力する」ボタンと「省略する」ボタンが表示される。
【０１４６】
このＤ２１５で、会員が操作キーを操作して、登録を希望する暗証番号と、属性情報である生年月日と性別とを入力して「省略する」ボタンを操作すると、表示されている第２会員カードＩＤと、入力された暗証番号及び属性情報とを含む第１登録要求Ｂが、インターネットを介して、ポイント管理装置５０に対して送信される。
【０１４７】
一方、Ｄ２１５で、会員が操作キーを操作して、登録を希望する暗証番号と、属性情報である生年月日と性別とを入力して「入力する」ボタンを操作すると、前記記憶しているＤ２１６の画面がディスプレイに表示される。このＤ２１６では、前記記憶している第２会員カードＩＤと、Ｄ２１５で入力された登録を希望する暗証番号，及び属性情報である生年月日と性別とが表示されると共に、電子メールアドレスの入力欄が表示される。
【０１４８】
またＤ２１６では、前記記憶している第２会員カードＩＤから特定される店舗（ここではＸ店）がグループに属する（即ち当該店舗の店舗ＩＤが図２４（ｂ）に示すグループＤＢで登録されている）場合には、当該店舗の店舗名と、該グループ（ここでは◎◎グループ）に属する他のグループ店であって当該店舗と同一地域（例えば神奈川県）に所在する店舗（ここではＣ店）の店舗名とが、店舗情報（ここではイベント情報を含む電子メール）の提供を希望する店舗の選択を受け付けるために表示される。なお図示しないが、前記記憶している第２会員カードＩＤから特定される店舗がグループに属さない（即ち当該店舗の店舗ＩＤが図２４（ｃ）に示す店舗ＤＢで登録されている）場合には、当該店舗の店舗名のみが、店舗情報の提供を希望する店舗の選択を受け付けるために表示される。
【０１４９】
このＤ２１６で、会員が操作キーを操作して、電子メールアドレスを入力し、かつ表示されている店舗名のうち、店舗情報の提供を希望する店舗名に対応するチェックボックスをチェックして、「登録」ボタンを操作すると、表示されている第２会員カードＩＤ，暗証番号，及び属性情報と、入力された電子メールアドレスと、チェックされたチェックボックスに対応する店舗の店舗ＩＤ（即ち店舗情報の提供を希望する店舗の店舗ＩＤ）とを含む第１登録要求Ｂが、インターネットを介して、ポイント管理装置５０に対して送信される。ここで第１登録要求Ｂは、店舗情報の提供を希望する店舗を特定可能な情報（店舗ＩＤ）を含む返信情報でもある。
【０１５０】
次に、第１遊技場及び第２遊技場に設置されるキオスク端末３０について説明する。キオスク端末３０は、会員が操作する操作端末及び店舗（遊技場）内に設置される店舗端末の一例であって、インターネット接続機能を備えるコンピュータである。このキオスク端末３０は、第１遊技場内及び第２遊技場内の所定箇所（例えば景品交換カウンタの近傍等）に設けられ、図１２（ａ）に示すように、Ｌ字型の筐体を有するものであり、該筐体の垂直部の前面にディスプレイ３４を備え、該筐体の水平部の上面に操作キー３５，前面にカード挿入口３３ａを備え、その内部に外部通信部３１，制御部３２，及びカードＲ／Ｗ１４３を備えており、これらの各構成要素は図１２（ｂ）に示すように接続されている。
【０１５１】
外部通信部３１は、図１及び図１２（ｂ）に示すように、インターネットと通信可能に接続されており、キオスク端末３０とインターネットを介して接続されるポイント管理装置５０との間における通信を司るものである。制御部３２は、ＣＰＵ，ＲＡＭ，ＲＯＭ等を備えており、ＲＯＭに記憶されている処理プログラムがＲＡＭを作業領域としてＣＰＵで実行されることにより、キオスク端末３０に備えられる各構成要素の動作を制御して各種の処理を行うものであるが、その機能については後述する。
【０１５２】
カードリーダ３３は記録媒体受付手段の一例であって、記録媒体（ここでは第１会員カード４及び第２会員カード５）を受け付けて、該受け付けた記録媒体に記録されている第１会員特定情報を読み取るものであり、ここではカード挿入口３３ａから挿入された第１会員カード４を受け付けて、該第１会員カード４の磁気ストライプ４ｃに記録されている第１会員特定情報である第１会員ＩＤを読み取ると共に、カード挿入口３３ａから挿入された第２会員カード５を受け付けて、該第２会員カード５の磁気ストライプ５ｃに記録されている第１会員特定情報である他システム会員ＩＤを読み取るものである。このカードリーダ３３では、自店の会員カードであっても他店の会員カードであっても受付可能である。
【０１５３】
ディスプレイ３４は各種の情報を表示するもの（例えば液晶ディスプレイ）であり、操作キー３５は各種の入力を受け付けるものである。このディスプレイ３４では、カードユニット２０について説明したのと同様の図９〜図１１に示す各画面（Ｄ２０１の画面を除く）が、ポイント管理装置５０から配信されてきて、表示される。なおＤ２０１の画面は、キオスク端末３０で予め記憶されている画面である。
【０１５４】
前記制御部３２は、インターネットを介して、ポイント管理装置５０に対して、各種の要求や情報を送信する送信手段，及びカードリーダ３３により読み取った第１会員特定情報（ここでは第１会員ＩＤ又は他システム会員ＩＤ）を含む第１登録要求を送信する第１登録要求送信手段として機能するものである。この制御部３２からは、カードユニット２０について説明したのと同様の要求及び情報が送信される。ただし前記Ｄ２０２の画面が表示されている状態で、会員がカードリーダ３３に会員カードを挿入すると、該会員カードの磁気ストライプから読み取った第１会員特定情報である会員ＩＤ（第１会員ＩＤ又は他システム会員ＩＤ）を含む登録確認要求が、インターネットを介して、ポイント管理装置５０に対して送信される。
【０１５５】
該登録確認要求を受信したポイント管理装置５０では、制御部５２の制御により、後述する図２４（ａ）に示すエンコード情報ＤＢの記憶内容に基づいて、該送信されてきた登録確認要求に含まれる会員ＩＤ（第１会員ＩＤ又は他システム会員ＩＤ）に対応する会員カードＩＤ（第１会員カードＩＤ又は第２会員カードＩＤ）を特定し、該特定した会員カードＩＤをキオスク端末３０に対して返信する、会員カードＩＤ特定処理が行われる。
【０１５６】
そしてポイント管理装置５０では、該会員カードＩＤ特定処理により特定された会員カードＩＤが後述する図２３（ａ）に示すポイント会員情報ＤＢで登録されているか否か（即ち左１列に示す会員カードＩＤの記憶欄で記憶されているか否か）の判定が行われ、登録されていないと判定された場合には図１０のＤ２１０に示す画面，登録されていると判定された場合には図９のＤ２５０に示すログイン画面が、ポイント管理装置５０から当該キオスク端末３０に対して配信されて、ディスプレイ３４に表示される。そして該Ｄ２１０以降又はＤ２５０以降の各画面において、前記カードユニット２０では、カードＲ／Ｗ２５に挿入されている会員カードのＩＣチップから読み取った会員カードＩＤが表示されていたのに代えて、当該キオスク端末３０では、ポイント管理装置５０から返信されてきた会員カードＩＤ（即ち会員特定情報である会員ＩＤから前記会員カードＩＤ特定処理により特定された会員カードＩＤ）が表示される。
【０１５７】
次に、第１遊技場及び第２遊技場に設置されるシステム管理装置４０について説明する。システム管理装置４０は遊技場内の所定箇所（例えば管理事務所等）に設けられるものであり、図６及び図７に示すように接続されるユニット用通信部４１ａ，会員管理装置用通信部４１ｂ，場外通信部４１ｃ，外部通信部４１ｄ，制御部４２，ハードディスク４３，ディスプレイ４４，及び入力装置４５等を備えているコンピュータである。
【０１５８】
ユニット用通信部４１ａは、前述の如くカードユニット２０のシステム管理装置用通信部２６ａと通信可能に接続されており、システム管理装置４０とカードユニット２０との間における通信を司るものである。
【０１５９】
会員管理装置用通信部４１ｂは、第１遊技場においては、第１会員管理装置１００のシステム管理装置用通信部１０１ｂと通信可能に接続されており、システム管理装置４０と第１会員管理装置１００との間における通信を司るものである。ただし会員管理装置用通信部４１ｂは、第２遊技場においては、第２会員管理装置２００とは接続されていない。
【０１６０】
場外通信部４１ｃは、専用線を通じて遊技場外の通信機器とのデータ通信を可能とするためのデジタルサービスユニット（ＤＳＵ）等を備え、管理センタに設けられた転送装置７０と通信可能に接続されており、システム管理装置４０と転送装置７０との間における通信を司るものである。
【０１６１】
この場外通信部４１ｃからは、後述する図１７のＤ４０に示すように、定型レポート送信要求，イベント情報送信要求，アンケート結果送信要求，及びポイント状況送信要求が、転送装置７０を介して、ポイント管理装置５０に対して送信される。
【０１６２】
また場外通信部４１ｃからは、後述する図２２（ａ）に示すように、遊技場の営業終了後において（即ち１日１回）、システム管理装置４０にて管理されている残額管理ＤＢ（図１３（ａ））の記憶内容が、転送装置７０を介して、ポイント管理装置５０に対して送信される。
【０１６３】
外部通信部４１ｄは、インターネットと通信可能に接続されており、遊技場内に設置される各カードユニット２０と、インターネットを介して接続されるポイント管理装置５０との間における通信を中継するルータとして機能するものである。
【０１６４】
制御部４２は、ＣＰＵ，ＲＡＭ，ＲＯＭ等を備えており、ハードディスク４３に記憶されている処理プログラムがＲＡＭを作業領域としてＣＰＵで実行されることにより、システム管理装置４０に備えられる各構成要素の動作を制御して各種の処理を行うものである。
【０１６５】
記憶装置であるハードディスク４３は、図１３（ａ）に示す残額管理ＤＢを記憶している。この残額管理ＤＢでは、当該遊技場で発行された会員カードの会員カードＩＤと対応付けて、遊技用有価価値の大きさであるカード残額と、該会員カードＩＤの会員遊技者の本日（当該遊技場の営業当日）の使用有価価値の大きさである本日使用金額を記憶している。この本日使用金額は、会員識別情報（会員カードＩＤ）が記録されている記録媒体（会員カード）を使用した店舗での取引処理（玉貸処理）により発生するポイント付与対象情報である。この残額管理ＤＢでは、各カードユニット２０から、会員カードＩＤと使用金額が送信されてくると、制御部４２の制御により、該送信されてきた会員カードＩＤに対応付けて記憶している本日使用金額に、該送信されてきた使用金額が加算更新される。この残額管理ＤＢの記憶内容である会員カードＩＤ，カード残額，及び本日使用金額（即ちポイント付与対象情報）は、遊技場の営業終了後に転送装置７０に対して送信される。
【０１６６】
ディスプレイ４４は、各種の情報を表示するための表示デバイスであり、例えば液晶ディスプレイである。入力装置４５は、各種の情報を入力するためのデバイスであり、例えばキーボードやマウスである。
【０１６７】
ここで図１４〜図２０を参照して、システム管理装置４０の作用について説明する。図１４〜図１６は、カードユニット２０との間における作用の一例を表す図である。
【０１６８】
まず図１４を参照して、カードユニット２０への入金に際しての処理について説明する。第１遊技場又は第２遊技場の営業中に、カードユニット２０への貨幣の入金が行われると、該入金された貨幣が紙幣識別機２３又は硬貨識別機２４によって受け付けられて、貨幣の識別が行われる（Ｓ０１）。その結果、正規の貨幣であると識別されると、次いで会員カード（第１会員カード４又は第２会員カード５）を受け付けているか否かの判定が実施される（Ｓ０１２）。該Ｓ０２で会員カードを受付中である（Ｙ）と判定されると、次いで該受け付けている会員カードにカード残額が残存しているか否かの判定が実施される（Ｓ１０）。該Ｓ１０でカード残額が残存している（Ｙ）と判定されると、受け付けられた貨幣が返却される（Ｓ００）。一方、Ｓ１０でカード残額が残存していない（Ｎ）と判定されると、Ｓ１１〜Ｓ１５の入金処理が実施される。
【０１６９】
この入金処理では、まず前記識別された貨幣の金額である入金金額を受付中の会員カードにカード残額として記録して（Ｓ１１）、該入金金額と、会員カードから読み取られる会員カードＩＤ（第１会員カードＩＤ又は第２会員カードＩＤ）とを、当該カードユニット２０の装置ＩＤと共にシステム管理装置４０に対して送信する（Ｓ１２）。該Ｓ１２で送信された情報を受信したシステム管理装置４０においては、受信した入金金額をカード残額として、受信した会員カードＩＤと対応付けて残額管理ＤＢに記憶する（Ｓ１３）。次いで、前記装置ＩＤの送信元であるカードユニット２０に対してカード残額の記憶がなされた旨を示す入金処理終了通知を送信する（Ｓ１４）。該入金処理終了通知を受信したカードユニット２０では、会員カードのカード残額に相当する度数を残度数として残度数表示器１４に表示して、玉貸ボタン１５の操作により会員カード玉貸処理を行う状態（以下「会員カード玉貸可能状態」と呼ぶ）となる（Ｓ１５）。
【０１７０】
ここでＳ０２に戻り、該Ｓ０２で会員カードを受付中でない（Ｎ）と判定されると、入金金額が入金残額としてユニット制御部２２のＲＡＭに記憶されると共に、該入金残額が所定額（ここでは１０００円とする）以下であるか否かの判定が実施される（Ｓ２０）。該Ｓ２０の判定で、所定額以下であると判定されると（Ｙ）、入金残額分のビジタ玉貸処理が実施される（Ｓ２１）。一方、Ｓ２０の判定で所定額以下でない（１０００円より大きい金額）と判定されると（Ｎ）、入金された貨幣が返却される（Ｓ００）。
【０１７１】
次に図１５を参照して、会員カードの挿入時の処理，玉貸ボタン操作時の処理、及び会員カード玉貸処理について説明する。遊技場の営業中に、カードユニット２０に会員カードが挿入されると（Ｓ３０）、カードＲ／Ｗ２５により該受け付けた会員カードから記録情報である会員カードＩＤ（第１会員カードＩＤ又は第２会員カードＩＤ），会員ＩＤ（第１会員ＩＤ又は他システム会員ＩＤ），及びカード残額を読み取って（Ｓ３１）、該読み取った会員カードＩＤ及びカード残額を含む使用許諾要求を当該カードユニット２０の装置ＩＤと共にシステム管理装置４０に対して送信する（Ｓ３２）。使用許諾要求を受信したシステム管理装置４０では、該受信したカード残額が、該受信した会員カードＩＤに対応付けて残額管理ＤＢに記憶しているカード残額以下であるか否か（受信したカード残額≦受信した会員カードＩＤに対応付けて残額管理ＤＢに記憶しているカード残額？）の照合を実施する（Ｓ３３）。
【０１７２】
このＳ３３の照合が照合ＯＫ（即ち、受信したカード残額≦受信した会員カードＩＤに対応付けて残額管理ＤＢに記憶しているカード残額）である場合には、該照合ＯＫの旨を示す会員カード使用許諾情報を前記Ｓ３２で送信されてきた装置ＩＤのカードユニット２０に対して送信する（Ｓ３４）。なお、カードユニット２０とシステム管理装置４０との間の通信状態がオフラインであるときに、カードユニット２０にてカード残額が使用されると、受信したカード残額＜受信した会員カードＩＤに対応付けて残額管理ＤＢに記憶しているカード残額となるが、この場合には、受信した会員カードＩＤに対応付けて残額管理ＤＢに記憶しているカード残額を、受信したカード残額に更新しておく。会員カード使用許諾情報を受信したカードユニット２０では、受け付けた会員カードのカード残額が残存しているか否かの判定を実施する（Ｓ３６）。このＳ３６の判定で残額有りと判定された場合には（Ｙ）、会員カードのカード残額に相当する度数を残度数として残度数表示器１４に表示して、会員カード玉貸可能状態となる（Ｓ３７）。一方、Ｓ３６の判定で残額無しと判定された場合には（Ｎ）、該会員カードのカード残額に相当する度数（０度数）を残度数として残度数表示器１４に表示して、会員カード玉貸可能状態とはならない（Ｓ３８）。
【０１７３】
ここでＳ３３に戻り、該Ｓ３３で照合ＮＧ（即ち、受信したカード残額＞受信した会員カードＩＤに対応付けて残額管理ＤＢに記憶しているカード残額）である場合には、該照合ＮＧの旨を示す会員カード使用不可情報を前記Ｓ３２で送信されてきた装置ＩＤのカードユニット２０に対して送信する（Ｓ３５）。会員カード使用不可情報を受信したカードユニット２０では、受け付けた会員カードを返却する。
【０１７４】
次に玉貸ボタン１５が操作される場合の処理について説明する。玉貸ボタン１５が操作されると（Ｓ４０）、該操作を検出したユニット制御部２２によって、会員カード玉貸可能状態であるか否かの判定が実施される（Ｓ４１）。Ｓ４１の判定で、会員カード玉貸可能状態でないと判定された場合には（Ｎ）、処理を終了する。一方、Ｓ４１の判定で、会員カード玉貸可能状態であると判定された場合には（Ｙ）、Ｓ５０〜に示す会員カード玉貸処理を行う。
【０１７５】
この会員カード玉貸処理では、まず玉貸設定金額（又はカード残額）分の玉貸処理がユニット制御部２２により実施され（Ｓ５０）、受け付けている会員カードのカード残額から該玉貸処理に使用した使用金額を減算すると共に、残度数の表示も更新する（Ｓ５１）。次いで、受け付けている会員カードの会員カードＩＤ，及び前記使用金額を、装置ＩＤと共にシステム管理装置４０に対して送信する（Ｓ５２）。システム管理装置４０では、受信した会員カードＩＤと対応付けて残額管理ＤＢに記憶しているカード残額から、受信した使用金額を減算更新する（Ｓ５３）と共に、受信した会員カードＩＤと対応付けて残額管理ＤＢに記憶している本日使用金額に、受信した使用金額を加算更新する（Ｓ５４）。次いで、カード残額の減算が完了した旨を示す減算完了通知をＳ５２で送信されてきた装置ＩＤのカードユニット２０に対して送信する（Ｓ５５）。Ｓ５５の減算完了通知を受信したカードユニット２０では、会員カードのカード残額が０であるか否かの判定が実施され（Ｓ５６）、カード残額が０でないと判定されると（Ｎ）、会員カード玉貸可能状態が継続する（Ｓ５７）。Ｓ５６の判定でカード残額が０と判定されると（Ｙ）、会員カード玉貸可能状態が解除される（Ｓ５８）。
【０１７６】
次に図１６を参照して、カード返却ボタン１６が操作される場合のカードユニット２０の処理について説明する。カード返却ボタン１６が操作されると（Ｓ６０）、会員カードを受け付けているか否かの判定がカードＲ／Ｗ制御部２６により実施され（Ｓ６１）、受付中でないと判定されると（Ｎ）、処理を終了する。一方、Ｓ６１の判定において受付中と判定されると（Ｙ）、会員カード玉貸可能状態が解除されると共に、残度数の表示が停止する（Ｓ６２）。そして、会員カードが返却される（Ｓ６３）。
【０１７７】
図１７〜図２０は、システム管理装置４０のディスプレイ４４で表示される経営支援画面の一例を表す図である。まず図１７は、システム管理装置４０で表示される定型レポート表示画面の一例を表す図である。ここでＤ４０〜Ｄ４４は、システム管理装置４０が記憶している画面であり、Ｄ４５は、ポイント管理装置５０から送信されてくる画面である。システム管理装置４０において、オペレータが入力装置４５を操作して、経営支援画面表示モードが実行されると、Ｄ４０に示すメニュー画面がディスプレイ４４に表示される。このＤ４０では、「定型レポート」ボタン，「イベント情報」ボタン，「アンケート結果」ボタン，及び「ポイント状況ボタン」が表示される。
【０１７８】
このＤ４０で、オペレータが入力装置４５を操作して、「定型レポート」ボタンを操作すると、Ｄ４１に示す期間選択画面がディスプレイ４４に表示される。このＤ４１では、定型レポートで表示する使用金額の集計期間を選択するためのボタンとして、「月別」ボタン，「週別」ボタン，及び「日別」ボタンが表示される。
【０１７９】
このＤ４１で、オペレータが入力装置４５を操作して、「月別」ボタンを操作すると、Ｄ４２に示す集計月選択画面がディスプレイ４４に表示される。このＤ４２では、定型レポートを作成可能な月が選択可能に表示され、デフォルトでは当年の月が表示されるが、画面右下に表示される「前年」ボタンを操作すると、前年の月が表示され、該前年以前の月が表示されている状態で画面右下に表示される「次年」ボタンを操作すると、次年の月が表示される。このＤ４２で、オペレータが入力装置４５を操作して、定型レポートの送信を希望する月を選択すると、該選択された月の定型レポートの送信を要求する定型レポート送信要求が、場外通信部４１ｃから転送装置７０を介して、ポイント管理装置５０に対して送信される。
【０１８０】
またＤ４１で、オペレータが入力装置４５を操作して、「週別」ボタンを操作すると、Ｄ４３に示す集計週選択画面がディスプレイ４４に表示される。このＤ４３では、定型レポートを作成可能な週が選択可能に表示され、デフォルトでは当年の週が表示されるが、画面右下に表示される「前年」ボタンを操作すると、前年の週が表示され、該前年以前の週が表示されている状態で画面右下に表示される「次年」ボタンを操作すると、次年の週が表示される。このＤ４３で、オペレータが入力装置４５を操作して、定型レポートの送信を希望する週を選択すると、該選択された週の定型レポートの送信を要求する定型レポート送信要求が、場外通信部４１ｃから転送装置７０を介して、ポイント管理装置５０に対して送信される。
【０１８１】
またＤ４１で、オペレータが入力装置４５を操作して、「日別」ボタンを操作すると、Ｄ４４に示す集計日選択画面がディスプレイ４４に表示される。このＤ４４では、定型レポートを作成可能な日が選択可能に表示され、デフォルトでは当月の日が表示されるが、画面右下に表示される「前月」ボタンを操作すると、前月の日が表示され、該前月以前の日が表示されている状態で画面右下に表示される「次月」ボタンを操作すると、次月の日が表示される。このＤ４４で、オペレータが入力装置４５を操作して、定型レポートの送信を希望する日を選択すると、該選択された日の定型レポートの送信を要求する定型レポート送信要求が、場外通信部４１ｃから転送装置７０を介して、ポイント管理装置５０に対して送信される。
【０１８２】
これら定型レポート送信要求に応じて、ポイント管理装置５０からシステム管理装置４０に対して、Ｄ４５に示す定型レポート表示画面が送信されてきてディスプレイ４５に表示されるが、これについては後述する。
【０１８３】
図１７のＤ４０に戻り、オペレータが入力装置４５を操作して、「イベント情報」ボタンを操作すると、メールソフトが起動して、図１８のＤ５０に示すイベント情報送信画面がディスプレイ４４に表示される。このＤ５０では、送信する電子メールのタイトルと、送信内容の入力欄が設けられる他、送信対象となるポイント会員の属性を指定するためのチェックボックスが設けられており、性別，生年月日を属性として、１０代男性，１０代女性，２０代男性，２０代女性，３０代男性，３０代女性，４０代男性，４０代女性，５０代男性，５０代女性，６０代男性，６０代女性，７０代以上男性，７０代以上女性の１４のグループに分類されていて、当該遊技場メールの送信対象とするグループを選択可能である。
【０１８４】
このＤ５０で、オペレータが入力装置４５を操作して、タイトルを入力し（ここでは「レディスデー」）、チェックボックスをチェックすることにより送信対象グループを選択し（ここでは全年代の女性）、送信内容を入力して（ここではＡ店で開催されるイベントであるレディースデーについての告知）、「送信」ボタンを選択すると、該Ｄ５０で入力・選択された内容を含むイベント情報が、場外通信部４１ｃから転送装置７０を介して、ポイント管理装置５０に対して送信される。このイベント情報を受信したポイント管理装置５０は、該イベント情報を記憶し、所定のタイミングで、前記送信対象となるポイント会員の電子メールアドレスに対して、該イベント情報を含む電子メールを送信するが、これについては図３０及び図３１を参照して後述する。
【０１８５】
図１７のＤ４０に戻り、オペレータが入力装置４５を操作して、「アンケート結果」ボタンを操作すると、アンケート結果送信要求が、場外通信部４１ｃから転送装置７０を介して、ポイント管理装置５０に対して送信される。このアンケート結果送信要求に応じて、ポイント管理装置５０からシステム管理装置４０に対して、図１９のＤ６０に示すアンケート結果表示画面が送信されてきてディスプレイ４５に表示されるが、これについては後述する。
【０１８６】
図１７のＤ４０に戻り、オペレータが入力装置４５を操作して、「ポイント状況」ボタンを操作すると、ポイント状況送信要求が、場外通信部４１ｃから転送装置７０を介して、ポイント管理装置５０に対して送信される。このポイント状況送信要求に応じて、ポイント管理装置５０からシステム管理装置４０に対して、図２０のＤ７０又はＤ７１に示すポイント状況表示画面が送信されてきてディスプレイ４５に表示されるが、これについては後述する。
【０１８７】
次に、第１遊技場に設置される第１会員管理装置１００について説明する。第１会員管理装置１００は、第１遊技場内の所定箇所（例えば管理事務所等）に設けられるものであり、図７に示すように接続されるユニット用通信部１０１ａ，システム管理装置用通信部１０１ｂ，制御部１０２，ハードディスク１０３等を備えているコンピュータである。
【０１８８】
ユニット用通信部１０１ａは、前述の如くカードユニット２０の会員管理装置用通信部２１ａと通信可能に接続されており、第１会員管理装置１００とカードユニット２０との間における通信を司るものである。このユニット用通信部１０１ａは、前述の如く、カードユニット２０で読み取られた第１会員ＩＤ，及び該カードユニット２０に対応するパチンコ機１０で発生した遊技情報を受信する。
【０１８９】
システム管理装置用通信部１０１ｂは、システム管理装置４０の会員管理装置用通信部４１ｂと通信可能に接続されており、第１会員管理装置１００とシステム管理装置４０との間における通信を司るものである。このシステム管理装置用通信部１０１ｂは、第１会員情報ＤＢにより管理されている第１会員ＩＤと属性情報（暗証番号，氏名，住所，性別，生年月日，電子メールアドレス）とを送信するものであり、第１会員情報ＤＢへの会員ＩＤと属性情報の登録や登録情報の変更が行われた場合に、更新後の第１会員情報ＤＢの記憶内容を、システム管理装置４０及び転送装置７０を介して、ポイント管理装置５０に対して送信するが、前述の如く、ポイント管理装置５０に対して送信された該属性情報のうち、暗証番号は、第１会員ＩＤ及び第１会員カードＩＤと対応付けて、後述する図２４（ａ）に示すエンコード情報ＤＢで記憶されるが、該暗証番号以外の氏名，住所，性別，生年月日，及び電子メールアドレスは、特に使用されずに破棄される。
【０１９０】
制御部１０２は、ＣＰＵ，ＲＡＭ，ＲＯＭ等を備えており、ハードディスク１０３に記憶されている処理プログラムがＲＡＭを作業領域としてＣＰＵで実行されることにより、第１会員管理装置１００に備えられる各構成要素の動作を制御して各種の処理を行うものである。
【０１９１】
記憶装置であるハードディスク１０３は、図１３（ｂ）に示す第１会員情報ＤＢを記憶している。この第１会員情報ＤＢは属性情報管理手段の一例であって、第１会員ＩＤと対応付けて、当該第１会員ＩＤから特定される第１会員遊技者の属性情報（暗証番号，氏名，住所，性別，生年月日，電子メールアドレス）を管理するものであり、第１遊技場の会員として会員登録を行った第１会員遊技者の「第１会員ＩＤ」に対応付けて、該第１会員遊技者の「暗証番号」と、同「氏名」と、同「住所」と、同「性別」と、同「生年月日」と、同「電子メールアドレス」が記憶されている。この第１会員情報ＤＢへ登録する情報の入力は、第１会員管理装置１００が備える図示しないディスプレイや入力装置を使用して行われる。また第１会員ＩＤに対応付けて、パチンコ機１０から送信されてきた遊技情報を集計してなる、大当り回数等の遊技情報も記憶されている。
【０１９２】
ここで前記制御部１０２は、後述する図２３（ａ）に示すポイント会員情報ＤＢにおいて第１会員カードＩＤに対応する属性情報（氏名，住所，電子メールアドレス）の更新が行われたポイント管理装置５０から、該第１会員カードＩＤと更新後の属性情報とを受信したことに基づいて、該受信した第１会員カードＩＤに対応付けて第１会員情報ＤＢで記憶している属性情報を、該受信した更新後の属性情報に更新する処理を行う。
【０１９３】
次に、第２遊技場に設置される第２会員管理装置２００について説明する。この第２会員管理装置２００は、前述の如く、第１会員管理装置１００を設置・管理するカード会社とは異なる他社が設置・管理するものである。この第２会員管理装置２００は第２遊技場内の所定箇所（例えば管理事務所等）に設けられるものであり、図７に示すように接続されるユニット用通信部２０１ａ，制御部２０２，ハードディスク２０３等を備えているコンピュータである。
【０１９４】
ユニット用通信部２０１ａは、前述の如くカードユニット２０の会員管理装置用通信部２１ａと通信可能に接続されており、第２会員管理装置２００とカードユニット２０との間における通信を司るものである。このユニット用通信部２０１ａは、前述の如く、カードユニット２０で読み取られた他システム会員ＩＤ，及び該カードユニット２０に対応するパチンコ機１０で発生した遊技情報を受信する。
【０１９５】
制御部２０２は、ＣＰＵ，ＲＡＭ，ＲＯＭ等を備えており、ハードディスク２０３に記憶されている処理プログラムがＲＡＭを作業領域としてＣＰＵで実行されることにより、第２会員管理装置２００に備えられる各構成要素の動作を制御して各種の処理を行うものである。
【０１９６】
記憶装置であるハードディスク２０３は、図１３（ｃ）に示す第２会員情報ＤＢを記憶している。この第２会員情報ＤＢでは、第２遊技場の会員として会員登録を行った第２会員遊技者の「他システム会員ＩＤ」に対応付けて、該第２会員遊技者の「暗証番号」と、同「氏名」と、同「住所」と、同「性別」と、同「生年月日」と、同「電子メールアドレス」が記憶されている。この第２会員情報ＤＢへ登録する情報の入力は、第２会員管理装置２００が備える図示しないディスプレイや入力装置を使用して行われる。また他システム会員ＩＤに対応付けて、パチンコ機１０から送信されてきた遊技情報を集計してなる、大当り回数等の遊技情報も記憶されている。
【０１９７】
次に、図２１を参照して、遊技場外の各装置（転送装置７０，エンコード情報管理装置，及びポイント管理装置５０）について説明する。
【０１９８】
まず、エンコード情報管理装置６０について説明する。エンコード情報管理装置６０は、会員カードエンコード機構に設置されるコンピュータであって、図示しないが、エンコード情報ＤＢを記憶している。このエンコード情報ＤＢでは、各第１会員カード４に記録（エンコード）された第１会員ＩＤと第１会員カードＩＤとの対応付け，及び各第２会員カード５に記録（エンコード）された他システム会員ＩＤと第２会員カードＩＤとの対応付けを示すエンコード情報とが記憶されている。またエンコード情報管理装置６０は、カード会社のポイント管理装置５０と通信を行うためのインターフェイス（例えば専用線に接続するための機器等）を備えている。ここでは、ポイント管理装置５０からの要求に応じて、エンコード情報ＤＢの記憶内容を該ポイント管理装置５０に対して送信する。
【０１９９】
次に、転送装置７０について説明する。転送装置７０は、管理センタに設置されるコンピュータであって、カード会社に属するものである。この転送装置７０では、図１３（ａ）に示す残額管理ＤＢを記憶している。この残額管理ＤＢは、前述したように、各遊技場から営業終了後に送信されてきた残額管理ＤＢの記憶内容（即ち会員カードＩＤに対応するカード残額及び本日使用金額）を記憶しているＤＢであり、各遊技場に対応する残額管理ＤＢの記憶内容を管理するＤＢである。なお、各遊技場から送信されてきた情報を、１つのデータテーブルにまとめて記憶しても良く、各遊技場毎に別のデータテーブルに記憶するようにしても良い。
【０２００】
また転送装置７０は、各遊技場のシステム管理装置４０，及びカード会社のポイント管理装置５０と通信を行うためのインターフェイスを備えており、システム管理装置４０とポイント管理装置５０との間における通信，及びシステム管理装置４０とポイント管理装置５０との間における通信を中継する。ここでは、図１３（ａ）に示す残額管理ＤＢの記憶内容が更新されると、該更新後の記憶内容をポイント管理装置５０に対して送信する。
【０２０１】
ここで図２２（ａ）を参照して、遊技場の営業終了後における転送装置７０の作用について説明する。ある営業日（例えば９月１６日）において、各遊技場（第１遊技場，第２遊技場）の営業終了時刻（Ｓ７０）を経過すると、システム管理装置４０は、残額管理ＤＢの記憶内容（図１３（ａ））を、転送装置７０に対して送信する（Ｓ７１）。これを各遊技場から受信した転送装置７０は、残額管理ＤＢの記憶内容（図１３（ａ））を更新し（Ｓ７２）、該更新後の残額管理ＤＢの記憶内容を、ポイント管理装置５０に対して送信する（Ｓ７３）。
【０２０２】
これを受信したポイント管理装置５０は、制御部５２により、後述する図２３（ｃ）に示す使用金額ＤＢの更新（Ｓ７４），図２３（ａ）に示すポイント会員情報ＤＢの更新（Ｓ７５），及び図２４（ｂ）（ｃ）に示すグループＤＢと店舗ＤＢの更新（Ｓ７６）を行う。
【０２０３】
まずＳ７４では、使用金額ＤＢにおいて、会員カードＩＤと対応付けて、受信した各会員カードＩＤに対応する本日使用金額を営業日別使用金額として、当該営業日に対応する記憶領域（ここでは９月１６日に対応する記憶領域）に記憶する。これにより各会員遊技者の使用金額を日単位で管理することができる。次にＳ７５では、後述するポイント付与処理（図２２（ｂ）を参照）及びポイント加算処理を行って、ポイント会員情報ＤＢにおいて、累計使用金額及びポイントを更新する。そしてＳ７６では、グループＤＢ及び店舗ＤＢにおいて、ポイント会員情報ＤＢで加算更新されたポイント数を、各会員カードＩＤに含まれる店舗ＩＤと対応付けて管理されている総獲得ポイント数及び残ポイント数に対して加算更新する。
【０２０４】
次に、ポイント管理装置５０について説明する。ポイント管理装置５０は、図２３（ａ）に示すように、記録媒体識別情報及び会員識別情報である会員カードＩＤを登録すると共に、該登録した会員識別情報に対応付けて、当該記録媒体（第１会員カード４又は第２会員カード５）を使用した店舗での取引処理（即ち遊技場での玉貸処理）に関連して発生する取引関連情報である該記録媒体の所有者（即ち会員）の使用金額及びポイント数を管理するものである。ここでのポイント数は、当該記録媒体の所有者の使用金額に応じて、１日あたり１０ポイントを上限値として付与される点数である。またポイント管理装置５０は、会員の属性情報（性別，生年月日等）を含む登録要求（第１登録要求又は第２登録要求）を受信し、前記登録した会員カードＩＤに対応付けて、該受信した登録要求に含まれる属性情報を管理するものである。
【０２０５】
さらにポイント管理装置５０は店舗情報提供装置の一例であって、会員が操作する操作端末から、店舗を特定可能な店舗特定情報（会員カードＩＤ）を含む店舗情報要求（登録要求Ａ）を受信したことに基づいて、該受信した店舗情報要求に含まれる店舗特定情報から特定される店舗に関する店舗情報（イベント情報）を前記操作端末に対して提供する店舗情報提供手段である制御部５２を有するものである。
【０２０６】
またポイント管理装置５０は、前述した図３〜図５，及び図９〜図１１に示す各画面や、後述する図４２〜図４３に示す各画面を、操作端末（ＰＣ６，携帯電話７，カードユニット２０，キオスク端末３０）に対して配信する、ウェブサーバとして機能するものである。さらにポイント管理装置５０は、システム管理装置４０からの要求に応じて、前述した図１７〜図２０に示す管理画面を送信する、経営支援装置として機能するものである。
【０２０７】
このポイント管理装置５０は、カード会社内の所定箇所（例えば管理事務所等）に設置されるものであり、図２１に示すように接続されるエンコード情報管理装置用通信部５１ａ，転送装置用通信部５１ｂ，外部通信部５１ｃ，制御部５２，ハードディスク５３，ディスプレイ５４，及び入力装置５５等を備えているコンピュータである。このポイント管理装置５０は、インターネット接続機能を備えるものであり、外部通信部５１ｃを介してインターネットに接続されている。
【０２０８】
エンコード情報管理装置用通信部５１ａは、会員カードエンコード機構に設置されるエンコード情報管理装置６０と通信可能に接続されており、ポイント管理装置５０とエンコード情報管理装置６０との間における通信を司るものであり、ここではエンコード情報管理装置６０からエンコード情報ＤＢの記憶内容を受信する。
【０２０９】
転送装置用通信部５１ｂは、管理センタに設置される転送装置７０と通信可能に接続されており、ポイント管理装置５０と転送装置７０との間における通信を司るものである。この転送装置用通信部５１ｂは、前記図１８のＤ５０で、送信内容として入力されたイベントの内容を含むと共に、送信対象として選択されたイベント対象会員の属性情報を含むイベント情報を、システム管理装置４０から転送装置７０を介して受信することにより、会員に対して通知する通知内容（ここではイベントの内容）と、通知対象とする会員の会員カードＩＤを特定可能な情報（ここではイベント対象会員の属性情報）とを設定する通知情報設定手段として機能するものである。
【０２１０】
また転送装置用通信部５１ｂは、会員カードＩＤとポイント付与対象情報（本日使用金額）を所定の収集間隔で収集するポイント付与対象情報収集手段として機能するものであり、ここではシステム管理装置４０から転送装置７０を介して送信されてくる残額管理ＤＢの記憶内容である会員カードＩＤ，カード残額，及び本日使用金額を、遊技場の営業終了時に、１日毎の収集間隔で収集する。
【０２１１】
外部通信部５１ｃは、インターネットと通信可能に接続されており、ポイント管理装置５０とインターネットを介して接続される操作端末（ＰＣ６，携帯電話７，カードユニット２０，キオスク端末３０）との間における通信を司るものである。
【０２１２】
制御部５２は、ＣＰＵ，ＲＡＭ，ＲＯＭ等を備えており、ハードディスク５３に記憶されている処理プログラムがＲＡＭを作業領域としてＣＰＵで実行されることにより、ポイント管理装置５０に備えられる各構成要素の動作を制御して各種の処理を行うものであるが、その機能については後述する。
【０２１３】
記憶装置であるハードディスク５３は、図２３（ａ）に示すように、ポイント会員情報ＤＢを記憶している。このポイント会員情報ＤＢでは、会員カードＩＤに対応付けて、暗証番号，属性情報（氏名，住所，性別，生年月日，電子メールアドレス），メール配信店舗，累計使用金額，ポイント数（累計ポイント，当日ポイント），及び引き継ぎ特定情報（引き継ぎ日付，引き継ぎ元ＩＤ）を記憶（管理）する記憶欄が設けられている。
【０２１４】
ここでポイント会員情報ＤＢは会員管理手段の一例であって、後述する電子メールアドレス取得手段により取得した電子メールアドレスを、前記受信した第２登録要求に含まれる第２会員特定情報から特定される会員カードＩＤに対応付けて管理（記憶）するものである。具体的には、ＰＣ６又は携帯電話７から、第２登録要求Ｂ（図４のＤ１１２又はＤ１１４）を受信したことに基づいて、電子メールアドレス取得手段として機能する制御部５２により、該第２登録要求Ｂに含まれる電子メールアドレスを該ＰＣ６又は携帯電話７から取得し、ポイント会員情報ＤＢにおいて、該電子メールアドレス取得手段により取得した電子メールアドレスを、前記第２登録要求に含まれる第２会員特定情報から特定される会員カードＩＤに対応付けて管理（記憶）するものである。
【０２１５】
また会員管理手段として機能するポイント会員情報ＤＢは、操作端末（ＰＣ６，携帯電話７，カードユニット２０，キオスク端末３０）から、店舗情報要求として、該会員の電子メールアドレスと、店舗特定情報として店舗を特定可能な会員カードＩＤとを受信したことに基づいて、該受信した電子メールアドレスと会員カードＩＤとを対応付けて管理（記憶）するものである。具体的には、ＰＣ６又は携帯電話７から、店舗情報要求として第２登録要求Ｂ（図４のＤ１１２又はＤ１１４）を受信したことに基づいて、該第２登録要求Ｂに含まれる電子メールアドレスと会員カードＩＤとを対応付けて記憶し、またカードユニット２０又はキオスク端末３０から、店舗情報要求として電子メールアドレスを含む第１登録要求Ｂ（図１０のＤ２１３又はＤ２１６）を受信したことに基づいて、該第１登録要求Ｂに含まれる電子メールアドレスと会員カードＩＤとを対応付けて記憶する。なおカードユニット２０又はキオスク端末３０から、店舗情報要求として電子メールアドレスを含まない第１登録要求Ｂ（図１０のＤ２１２又はＤ２１５）を受信した場合には、該第１登録要求Ｂに含まれる会員カードＩＤを記憶する。
【０２１６】
即ちＰＣ６又は携帯電話７から第２登録要求Ｂを受信した場合には、電子メールアドレスが必ず登録されるが、カードユニット２０又はキオスク端末３０から第１登録要求Ｂを受信した場合には、該第１登録要求Ｂに電子メールアドレスが含まれていれば該電子メールアドレスが登録され、該第１登録要求Ｂに電子メールアドレスが含まれていなければ電子メールアドレスは登録されない。
【０２１７】
また会員管理手段として機能するポイント会員情報ＤＢは、操作端末（ＰＣ６，携帯電話７，カードユニット２０，キオスク端末３０）から、店舗情報（イベント情報）の提供を希望する店舗を特定可能な情報（店舗ＩＤ）を含む返信情報を受信したことに基づいて、該受信した返信情報から特定される店舗の店舗ＩＤを会員カードＩＤに対応付けて管理（記憶）するものである。具体的には、ＰＣ６又は携帯電話７から、返信情報として第２登録要求Ｂ（図４のＤ１１２又はＤ１１４）を受信したことに基づいて、該第２登録要求Ｂに含まれる会員カードＩＤに対応付けて、該第２登録要求Ｂに含まれる店舗ＩＤ（Ｄ１１２の場合にはＡ店及びＢ店，Ｄ１１４の場合にはＸ店及びＣ店）をメール配信店舗の記憶欄に記憶し、またカードユニット２０又はキオスク端末３０から、返信情報として店舗ＩＤを含む第１登録要求Ｂ（図１０のＤ２１３又はＤ２１６）を受信したことに基づいて、該第１登録要求Ｂに含まれる会員カードＩＤに対応付けて、該第１登録要求Ｂに含まれる店舗ＩＤ（Ｄ２１３の場合にはＡ店及びＢ店，Ｄ２１６の場合にはＸ店及びＣ店）をメール配信店舗の記憶欄に記憶する。
【０２１８】
またポイント会員情報ＤＢはポイント管理手段の一例であって、会員カードＩＤに対応付けて、当該会員カードＩＤの会員が所有するポイント数を管理（記憶）するものである。
【０２１９】
さらにポイント会員情報ＤＢは、後述する引き継ぎ処理において、既登録会員カードＩＤに対するポイント加算処理の後に当該引き継ぎ処理が行われた旨（即ち前日のポイント加算処理から本日のポイント加算処理までの間に当該既登録会員カードＩＤについて引き継ぎ処理が行われた旨）を特定可能な引き継ぎ特定情報を記憶するものである。具体的には、後述する図３９（ｂ）に示すように、引き継ぎ処理が行われると、引き継ぎ先ＩＤである新会員カードＩＤに対応付けて、当該引き継ぎ処理が行われた日付を引き継ぎ日付として記憶すると共に、既登録会員カードＩＤを引き継ぎ元ＩＤとして記憶する。この第１実施形態では、新会員カードＩＤに対するポイント加算処理が行われた後であっても、引き継ぎ特定情報は消去されずに存置される。
【０２２０】
なお同一の会員について、一の会員カードＩＤ（例えばＡ００００１）と他の会員カードＩＤ（例えばＸ００００３）とを統合する会員統合処理が行われた場合には、ポイント会員情報ＤＢにおいて、当該一の会員カードＩＤと他の会員カードＩＤとを上下に並べることにより両会員カードＩＤが対応付けて登録されると共に、各会員カードＩＤに対応する属性情報，メール配信店舗，累計使用金額，及び累計ポイントの記憶欄が統合される。そして統合された属性情報の記憶欄には、両会員カードＩＤに対応付けられていた属性情報が記憶され、統合されたメール配信店舗の記憶欄には、各会員カードＩＤに対応付けられていたメール配信店舗が統合されて記憶され、統合された累計使用金額の記憶欄には、各会員カードＩＤに対応付けられていた累計使用金額が統合（合算）されて記憶され、統合された累計ポイントの記憶欄には、各会員カードＩＤに対応付けられていた累計ポイントが統合（合算）された合算ポイント数が記憶される。ただし会員統合処理が行われた場合であっても、ポイント会員情報ＤＢにおいて、暗証番号，当日ポイント，及び引き継ぎ特定情報の記憶欄は統合されずに、各会員カードＩＤに対応して存置される。このポイント会員情報ＤＢの各欄の記憶方法及び更新方法については後述する。
【０２２１】
またハードディスク５３は、図２３（ｂ）に示すように、通知情報ＤＢを記憶している。この通知情報ＤＢは、ポイント会員として登録されている会員カードＩＤに対応付けて、当該会員カードＩＤの会員に対して通知する通知情報を記憶するものであり、ここでは該通知情報として、後述するグループ店追加情報，アンケート情報，イベント情報，及び当選情報を記憶するように構成されている。なお同一の会員について、一の会員カードＩＤ（例えばＡ００００１）と他の会員カードＩＤ（例えばＸ００００３）とを統合する会員統合処理が行われた場合には、通知情報ＤＢにおいて、当該一の会員カードＩＤと他の会員カードＩＤとが上下に並べられると共に、各会員カードＩＤに対応するグループ店追加情報，アンケート情報，イベント情報，及び当選情報の記憶欄が統合され、該統合された各記憶欄には、各会員カードＩＤに対応付けられていた記憶内容が統合されて記憶される。この通知情報ＤＢの各欄の記憶方法及び消去方法については後述する。なおアンケート情報は、当該アンケートのアンケート期間が終了すると消去される。
【０２２２】
またハードディスク５３は、図２３（ｃ）に示すように、使用金額ＤＢを記憶している。この使用金額ＤＢでは、ポイント会員として登録されている会員カードＩＤに対応付けて、該会員カードＩＤの会員遊技者が当日の遊技に使用した使用価値の大きさである使用金額を、営業日別使用金額として営業日別に記憶している。この使用金額ＤＢでは、転送装置７０から、遊技場の営業終了後に、図１３（ａ）に示す残額管理ＤＢの記憶内容が送信されてくると、該残額管理ＤＢで各会員カードＩＤと対応付けて記憶されている本日使用金額が、当日の営業日別使用金額の記憶欄に記憶される。なお同一の会員について、一の会員カードＩＤ（例えばＡ００００１）と他の会員カードＩＤ（例えばＸ００００３）とを統合する会員統合処理が行われた場合には、使用金額ＤＢにおいて、当該一の会員カードＩＤと他の会員カードＩＤとが上下に並べられると共に、各会員カードＩＤに対応する営業日別使用金額の記憶欄が統合され、該統合された各記憶欄には、各会員カードＩＤに対応付けられていた記憶内容が統合（合算）されて記憶される。
【０２２３】
またハードディスク５３は、図２４（ａ）に示すように、エンコード情報ＤＢを記憶している。このエンコード情報ＤＢでは、エンコード情報管理装置６０から取得したエンコード情報として、各第１会員カード４に記録された第１会員ＩＤと第１会員カードＩＤとの対応付け，及び各第２会員カード５に記録された他システム会員ＩＤと第２会員カードＩＤとの対応付けが記憶されると共に、第１会員管理装置１００から、店舗会員として登録した第１会員ＩＤ，暗証番号（即ち第１会員カード４の発行時に登録された暗証番号），及び属性情報が送信されてきたときに、該送信されてきた第１会員ＩＤに対応する暗証番号が記憶される。
【０２２４】
またハードディスク５３は、図２４（ｂ）に示すグループＤＢ，及び図２４（ｃ）に示す店舗ＤＢを記憶している。これらグループＤＢ及び店舗ＤＢは店舗管理手段の一例であって、ポイント管理装置５０に登録された店舗を個々に識別可能な店舗ＩＤを管理（記憶）すると共に、該店舗が後述するグループ設定手段により設定されたグループに属するときには、該グループを個々に識別可能なグループ識別情報であるグループ名を対応付けて管理（記憶する）ものである。また店舗管理手段として機能するグループＤＢは、店舗ＩＤに対応付けて、当該店舗ＩＤの店舗の所在地が属する地域を個々に識別可能な地域識別情報である地域名を管理（記憶）するものである。
【０２２５】
ここでグループＤＢは、グループ設定手段によりグループ店として登録された各店舗の店舗名及び店舗ＩＤに対応付けて、各店舗が属するグループのグループ名，及び各店舗の所在地が属する地域の地域名（ここでは都道府県名）を記憶している。また店舗ＤＢは、グループ設定手段によりグループ店として設定可能な各店舗（換言すれば未だいずれのグループ店としても設定されていない店舗）の店舗名及び店舗ＩＤを記憶している。これらグループ名，地域名，店舗名，及び店舗ＩＤの登録については後述する。
【０２２６】
またグループＤＢは、各店舗ＩＤに対応付けて、ポイント会員数を記憶していると共に、グループ名に対応付けて、総獲得ポイント数，残ポイント数，及び当月使用ポイント数（抽選応募使用ポイント数と商品交換使用ポイント数）のグループ合計を記憶している。また店舗ＤＢは、各店舗ＩＤに対応付けて、ポイント会員数，総獲得ポイント数，残ポイント数，及び当月使用ポイント数を記憶している。なお各店舗は、いずれか１つのグループにしか属することができないので、１つの店舗が複数のグループに登録されることはない。
【０２２７】
ここでポイント会員数は、ポイント会員として登録した当該店舗の店舗会員の数（即ちポイント会員情報ＤＢにおいて登録されている当該店舗の会員カードＩＤの数）であり、ポイント会員情報ＤＢにおいてポイント会員の登録が行われると、ポイント会員数が加算更新される。
【０２２８】
また総獲得ポイント数は、各グループ又は各店舗の各ポイント会員に対して付与されたポイント数の合計である。この総獲得ポイント数は、ポイント会員情報ＤＢにおけるポイント数の加算更新に伴って、該加算更新されたポイント数分だけ加算更新され、所定のタイミング（例えば半年毎，一年毎等）でリセットされる。
【０２２９】
また残ポイント数は、前記総獲得ポイント数のうち、各グループ又は各店舗の各ポイント会員が未使用のポイント数の合計である。この残ポイント数は、ポイント会員情報ＤＢにおけるポイント数の加算更新に伴って、該加算更新されたポイント数分だけ加算更新され、ポイント会員情報ＤＢにおけるポイント数の減算更新に伴って、該減算更新されたポイント数分だけ減算更新される。
【０２３０】
さらに当月使用ポイント数は、各グループ又は各店舗の各ポイント会員が今月使用したポイント数の合計であり、抽選への応募に使用されたポイント数（以下「抽選応募使用ポイント数」と称する。）と、商品との交換に使用されたポイント数（以下「商品交換使用ポイント数」と称する。）とが、分けて記憶される。この抽選応募使用ポイント数は、ポイント会員情報ＤＢにおける抽選への応募に使用されたポイント数の減算更新に伴って、該減算更新されたポイント数分だけ加算更新される。また商品交換使用ポイント数は、ポイント会員情報ＤＢにおける商品との交換に使用されたポイント数の減算更新に伴って、該減算更新されたポイント数分だけ加算更新される。
【０２３１】
ここでグループは、商品交換使用ポイント数のグループ合計に応じた対価を負担し、グループに登録されていない各店舗は、当該店舗の商品交換使用ポイント数に応じた対価を負担する。なお抽選応募については、抽選応募使用ポイント数に応じた対価ではなく、各店舗が一律の料金（例えば月額○万円）は負担する。この当月使用ポイント数は、決済期間の１ヶ月が経過するとリセットされる。
【０２３２】
またハードディスク５３は、図２４（ｄ）に示すように、抽選情報ＤＢを記憶している。この抽選情報ＤＢでは、各抽選を識別可能な抽選ＩＤに対応付けて、該抽選の種別（ポイントを使用した抽選であるか、又はアンケートに対応した抽選であるか）と、該抽選への応募を受け付ける期間である応募期間と、該抽選にあたり用意される各賞の賞名と、各賞の当選者数と、各賞に応募するために必要なポイント数である必要ポイントと、各賞の説明と、各賞に応募した会員の会員カードＩＤ（第１会員カードＩＤ，第２会員カードＩＤ）とが記憶される。ここで抽選ＩＤから賞の説明までの各項目は、ポイント管理装置５０において抽選の設定が行われると記憶される。
【０２３３】
また応募者会員カードＩＤの項目は、以下のようにして記憶される。まず操作端末から、後述する図４２のＤ４１０に示すように、当該画面で選択した賞の抽選への応募を示す応募情報を受信すると、当該抽選の抽選ＩＤに対応付けて、該選択した賞に対応する応募者会員カードＩＤの記憶欄に、該応募情報の送信元である操作端末から送信されているログイン要求に含まれる会員カードＩＤ（即ちログインＩＤ）が記憶される。また操作端末から、後述する図４４のＤ４６０に示すように、アンケートへの回答を含む回答情報を受信すると、当該アンケートに対応する抽選の抽選ＩＤに対応する応募者会員カードＩＤの記憶欄に、該回答情報の送信元である操作端末から送信されているログイン要求に含まれる会員カードＩＤ（即ちログインＩＤ）が記憶される。さらにアンケートが配信されたＰＣ６又は携帯電話７から、後述する図２７のＤ２１に示すように、アンケート期間中に前記回答情報と共に会員カードＩＤを受信すると、当該アンケートに対応する抽選の抽選ＩＤに対応する応募者会員カードＩＤの記憶欄に、該回答情報に含まれる会員カードＩＤが記憶される。
【０２３４】
さらにハードディスク５３は、図示しないが、すべての店舗に設けられるすべてのカードユニット２０及びキオスク端末３０のＩＰアドレスを記憶している。これにより制御部５２は、外部通信部５１ｃで外部から情報を受信したことに基づいて、該情報の送信元端末のＩＰアドレスを記憶しているか否かを判定し、記憶していれば、店舗端末（即ちカードユニット２０又はキオスク端末３０）から情報を受信したと判定し、記憶していなければ、情報端末（ＰＣ６又は携帯電話７）から情報を受信したと判定する。
【０２３５】
ディスプレイ５４は各種の情報を表示するもの（例えば液晶ディスプレイ）であり、入力装置５５は各種の入力を受け付けるもの（例えばキーボードやマウス）である。
【０２３６】
これらディスプレイ５４及び入力装置５５はグループ設定手段の一例であって、複数の店舗が属するグループを設定するものである。具体的には、オペレータがポイント管理装置５０を操作してグループ設定モードを実行すると、図２５のＤ０１に示すグループ編集画面がディスプレイ５４に表示される。このＤ０１では、新規店舗の登録を行うための「新規店舗の登録」ボタンと、新たなグループの設定を行うための「新グループの設定」ボタンと、既に登録されているグループに対する新規店舗の追加を行うための「グループ店の追加」ボタンが表示される。
【０２３７】
このＤ０１で、オペレータが入力装置５５を操作して、「新規店舗の登録」ボタンを操作すると、図２５のＤ０２に示す画面がディスプレイ５４に表示される。このＤ０２では、新規店舗の店舗名と店舗ＩＤの入力が求められると共に、店舗名の入力欄と店舗ＩＤの入力欄が表示され、さらに当該店舗の所在地が属する地域名（都道府県名）を選択するためのプルダウンメニューが表示される。このＤ０２で、オペレータが入力装置５５を操作して店舗名と店舗ＩＤを入力し、プルダウンメニューから当該店舗の所在地が属する地域名を選択して「登録」ボタンを操作すると、図２４（ｃ）に示す店舗ＤＢにおいて、該選択された地域名と該入力された店舗名及び店舗ＩＤとが対応付けて記憶される。
【０２３８】
また前記Ｄ０１で、オペレータが入力装置５５を操作して、「新グループの登録」ボタンを操作すると、図２５のＤ０３に示す画面がディスプレイ５４に表示される。このＤ０３では、新グループ名の入力と該グループに登録する店舗の選択が求められると共に、新グループ名の入力欄が表示され、かつ該グループに登録可能な店舗を選択するためのチェックボックスが、当該店舗の店舗ＩＤ又は店舗名（ここでは店舗ＩＤ）と対応付けて複数表示される。ここでグループに登録可能な店舗とは、いずれのグループにも登録されていない店舗であり、具体的には、図２４（ｃ）に示す店舗ＤＢにおいて記憶されている店舗である。
【０２３９】
このＤ０３で、オペレータが入力装置５５を操作して、新グループ名を入力し、グループ店として登録する複数の店舗に対応する各チェックボックスをチェックして選択し、「設定」ボタンを操作すると、該選択された複数の店舗がグループ店として設定され、図２４（ｂ）に示すグループＤＢにおいて、当該複数の店舗の店舗ＩＤとグループ名とが対応付けて記憶される。また該記憶された店舗ＩＤと対応付けて店舗ＤＢで記憶されている地域名，店舗名，ポイント会員数，総獲得ポイント数，残ポイント数，及び当月使用ポイント数（抽選応募使用ポイント数と商品交換使用ポイント数）が、当該店舗ＤＢから消去されると共に、グループＤＢに移行されて、地域名，店舗名，及びポイント会員数については、前記記憶された各店舗ＩＤと対応付けられ、総獲得ポイント数，残ポイント数，及び当月使用ポイント数については、各店舗毎の値が合算されたグループ合計が、前記記憶されたグループ名と対応付けられる。
【０２４０】
また前記Ｄ０１で、オペレータが入力装置５５を操作して、「グループ店の追加」ボタンを操作すると、図２５のＤ０４に示す画面がディスプレイ５４に表示される。このＤ０４では、グループ店を追加するグループの選択が求められると共に、該グループを選択するためのプルダウンメニューが表示される。このプルダウンメニューでは、図２４（ｃ）に示すグループＤＢで記憶されているグループ名が表示される。
【０２４１】
このＤ０４で、オペレータが入力装置５５を操作して、プルダウンメニューに表示されるグループの中からグループ店を追加するグループを選択し、「次へ」ボタンを操作すると、図２５のＤ０５に示す画面がディスプレイ５４に表示される。このＤ０５では、図２４（ｂ）に示すグループＤＢの記憶内容に基づいて、Ｄ０４で選択したグループに属する店舗が表示され、該グループに追加する店舗の選択が求められると共に、該グループに登録可能な店舗を選択するためのチェックボックスが、当該店舗の店舗ＩＤ又は店舗名（ここでは店舗ＩＤ）と対応付けて複数表示される。ここでグループに登録可能な店舗とは、いずれのグループにも登録されていない店舗であり、前記と同様に、図２４（ｃ）に示す店舗ＤＢにおいて記憶されている店舗である。
【０２４２】
このＤ０５で、オペレータが入力装置５５を操作して、グループ店として追加する一又は複数の店舗に対応するチェックボックスをチェックして選択し、「設定」ボタンを操作すると、該選択された店舗がグループ店として新たに追加され、図２４（ｂ）に示すグループＤＢにおいて、Ｄ０４で選択されたグループにＤ０５で選択された店舗の店舗ＩＤが追加される。また該追加された店舗ＩＤと対応付けて店舗ＤＢで記憶されている地域名，店舗名，ポイント会員数，総獲得ポイント数，残ポイント数，及び当月使用ポイント数（抽選応募使用ポイント数と商品交換使用ポイント数）が、当該店舗ＤＢから消去されると共に、グループＤＢに移行されて、地域名，店舗名，及びポイント会員数については、前記記憶された各店舗ＩＤと対応付けられ、総獲得ポイント数，残ポイント数，及び当月使用ポイント数については、当該追加された店舗の値がグループ合計に加算される。
【０２４３】
このようにしてグループ設定手段により新たなグループの設定又は既に設定されているグループに対する新規店舗の追加が行われると、会員識別情報抽出手段として機能する制御部５２により、当該ポイント管理装置５０で既に登録されている会員カードＩＤのうち、当該グループに属する各店舗で発行された会員カードの会員カードＩＤが抽出され、店舗通知手段として機能する制御部５２により、該会員識別情報抽出手段により抽出された会員カードＩＤの会員に対して前記グループに属する店舗の一覧又は前記新規店舗を通知するための処理が行われる。
【０２４４】
具体的には、会員識別情報抽出手段として機能する制御部５２は、新たなグループの設定が行われた場合には、図２４（ｂ）に示すグループＤＢから、該新たに設定されたグループに属する各店舗の店舗ＩＤを抽出し、図２３（ａ）に示すポイント会員情報ＤＢから、該抽出された店舗ＩＤを含む会員カードＩＤを抽出する。また新規店舗の追加が行われた場合には、グループＤＢから、該新規店舗の追加が行われたグループに属する各店舗の店舗ＩＤを抽出し、ポイント会員情報ＤＢから、該抽出された店舗ＩＤを含む会員カードＩＤを抽出する。
【０２４５】
そして店舗通知手段として機能する制御部５２は、新たなグループの設定が行われた場合には、前記抽出された会員カードＩＤの会員に対して当該新たなグループに属する店舗の一覧を通知するための処理を行い、新規店舗の追加が行われた場合には、前記抽出された会員カードＩＤの会員に対して当該新規店舗を通知するための処理を行う。
【０２４６】
ここで店舗の一覧又は新規店舗を通知するための処理とは、前記抽出された会員カードＩＤに対応付けてポイント会員情報ＤＢで電子メールアドレスが登録されている会員については、店舗の一覧又は新規店舗を示す内容の電子メールを、当該電子メールアドレスに対して送信する処理である。また前記抽出された会員カードＩＤに対応付けてポイント会員情報ＤＢで電子メールアドレスが登録されていない会員については、図２３（ｂ）に示す通知情報ＤＢにおいて、店舗の一覧又は新規店舗を示すグループ店追加情報を、当該会員カードＩＤに対応付けて記憶する処理であり、当該処理を行うことにより、操作端末から情報公開要求（ログイン要求）を受信したときに、該記憶しているグループ店追加情報（図４４のＤ４５０−２に示す店舗の一覧，又は同Ｄ４５０−１に示す新規店舗）が、図３のＤ１５１又は図９のＤ２５１に示すメニュー画面のグループ店追加情報表示領域に設定され、該メニュー画面が配信されて通知される。
【０２４７】
これによれば、新たなグループの設定又は既に設定されているグループに対する新規店舗の追加が行われた場合に、当該グループに属する各店舗で発行された記録媒体の所有者に対して、グループ店一覧又は新規店舗が通知されるので、会員に新たに統合できる店舗があることを認識させることができる。
【０２４８】
またディスプレイ５４及び入力装置５５はアンケート情報受付手段の一例であって、アンケート内容と、当該アンケートの対象とするポイント会員の属性情報（性別，年代）を受け付けるものである。具体的には、オペレータがポイント管理装置５０を操作してアンケートモードを実行すると、図２６のＤ１０に示すウェブコンテンツ作成画面がディスプレイ５４に表示される。このＤ１０では、「ウェブコンテンツ作成」ボタンと、「アンケートメール送信」ボタンが表示される。
【０２４９】
このＤ１０で、オペレータが入力装置５５を操作して、「ウェブコンテンツ作成」ボタンを操作すると、ウェブコンテンツ作成ソフトが起動して、図２６のＤ１１に示す画面がディスプレイ５４に表示される。このＤ１１では、ｈｔｍｌ形式でウェブに公開するアンケートを作成するための編集画面によって、アンケート内容を作成することができる。
【０２５０】
このＤ１１で、オペレータが入力装置５５を操作して、アンケートを作成し、「公開」ボタンを操作すると、ハードディスク５３において、該作成されたアンケートのデータがＵＲＬと対応付けて記憶され、該アンケートがウェブ上に公開されて、操作端末のブラウザで閲覧可能となる。
【０２５１】
一方、前記Ｄ１０で、オペレータが入力装置５５を操作して、「アンケートメール送信」ボタンを操作すると、メールソフトが起動して、図２６のＤ１２に示すアンケートメール送信画面がディスプレイ５４に表示される。このＤ１２では、送信する電子メールのタイトルと、送信内容（通知内容）の入力欄が設けられる他、送信対象（通知対象）となるポイント会員の属性を指定するためのチェックボックスが設けられており、性別，生年月日を属性として、１０代男性，１０代女性，２０代男性，２０代女性，３０代男性，３０代女性，４０代男性，４０代女性，５０代男性，５０代女性，６０代男性，６０代女性，７０代以上男性，７０代以上女性の１４のグループに分類されていて、前記アンケートのＵＲＬの送信対象（即ちアンケートの対象）とするグループを選択可能である。
【０２５２】
このＤ１２で、オペレータが入力装置５５を操作して、タイトルを入力し（ここでは「懸賞アンケート」）、チェックボックスをチェックすることにより送信対象グループを選択し（ここでは「３０代男性」）、送信内容を入力して（ここでは上記アンケートのＵＲＬ及び回答者に抽選でデジタルカメラが当たる旨）、「送信」ボタンを選択すると、該選択・入力された内容が設定される。即ちディスプレイ５４及び入力装置５５は、会員に対して通知する通知内容（ここでは送信内容として入力されたアンケートの内容）と、通知対象とする会員の会員カードＩＤを特定可能な情報（ここではアンケート対象会員の属性情報）とを設定する通知情報設定手段として機能するものである。
【０２５３】
また制御部５２は、該通知情報設定手段により設定された情報から特定される前記通知対象の会員カードＩＤに対応付けてポイント会員情報ＤＢで管理されている電子メールアドレスを抽出する電子メールアドレス抽出手段として機能するものであり、ここではＤ１２で選択されたグループの属性（ここでは３０代男性）に合致するポイント会員をポイント会員情報ＤＢで管理されている性別及び生年月日から特定し、該特定したポイント会員の会員カードＩＤを抽出すると共に、該会員カードＩＤに対応付けられている電子メールアドレスを抽出する。
【０２５４】
また制御部５２は、前記通知情報設定手段により設定された通知内容を提供するための通知情報を含む電子メールを該電子メールアドレス抽出手段により抽出された電子メールアドレス宛に送信する電子メール送信手段として機能するものであり、ここでは前記アンケートのＵＲＬを通知情報として含む電子メールを、外部通信部５１ｃからインターネットを介して当該電子メールアドレスに対して送信する処理を行う。
【０２５５】
この電子メールを受信したＰＣ６又は携帯電話７では、図２７のＤ２０のように、アンケートのＵＲＬが表示される。ポイント会員は、該ＵＲＬの入力又は選択によってＰＣ６又は携帯電話７が備えるインターネットブラウザ機能を使用し、Ｄ２１に示すように、ウェブ上で公開されているアンケートを閲覧することが可能である。ここでポイント会員がアンケートの内容に応じた選択肢（ここでは好きな景品の選択肢）に対応するチェックボックスをチェックして、画面左下の会員カードＩＤの入力欄に会員カードＩＤ（第１会員カードＩＤ，第２会員カードＩＤ）を入力し、「応募」ボタンを選択することで、チェックされた選択肢（即ちアンケートへの回答）を示す回答情報，及び入力された会員カードＩＤを、ポイント管理装置５０に対して送信する。
【０２５６】
ポイント管理装置５０では、アンケート期間中に前記回答情報と共に会員カードＩＤを受信すると、図２４（ｄ）に示す抽選情報ＤＢにおいて、当該アンケートに対応する抽選の抽選ＩＤ（ここでは４０３５）に対応付けて、該会員カードＩＤが記憶される。またポイント管理装置５０では、制御部５２により、アンケート期間中に受信した回答情報に基づいて、各選択肢の選択数が集計される。このアンケートの集計結果は、ハードディスク５３に記憶され、各遊技場のシステム管理装置４０からの要求に応じて、該システム管理装置４０に対して配信される。なおアンケートの集計結果は、アンケートの依頼元が他の企業であれば、インターネット等を介して当該他の企業に配信され、カード会社独自のアンケートであれば、ディスプレイ５４に表示される。
【０２５７】
このように、ポイント管理装置５０が、アンケートメール送信画面（図２６のＤ１２）にて受け付けた属性情報に合致するポイント会員の電子メールアドレスを、ポイント会員情報ＤＢで記憶されている電子メールアドレスの中から特定し、該特定した電子メールアドレス宛にアンケートのＵＲＬを送信する処理を行うので、ポイント管理装置５０で管理されているポイント会員の属性情報を、遊技場や他の企業から依頼されたアンケート調査に利用することができる。
【０２５８】
なお制御部５２は、図２３（ｂ）に示す通知情報ＤＢにおいて、前記アンケートの内容を示すアンケート情報を通知情報として、前記通知対象の各会員カードＩＤに対応付けて記憶する処理を行う。
【０２５９】
また制御部５２は、図２８に示すように、図２４（ｄ）に示す抽選情報ＤＢに記憶されている各抽選ＩＤから特定される抽選の応募期間の終了に伴って抽選処理を開始し（Ｓ８１）、まず抽選を行う（Ｓ８２）。この抽選方法としては、当該抽選の抽選ＩＤと対応付けて記憶されている会員カードＩＤから当選者数分の会員カードＩＤをランダムに抽出する（例えば乱数を発生させて該乱数に応じて会員カードＩＤを抽出する）方法により行われる。
【０２６０】
そして制御部５２は、会員に対して通知する通知内容（ここでは抽選に当選した旨）と、通知対象とする会員の会員カードＩＤを特定可能な情報（ここでは当選会員の会員カードＩＤ）とを設定する通知情報設定手段として機能し、図２３（ｂ）に示す通知情報ＤＢにおいて、当選会員の会員カードＩＤに対応付けて、抽選に当選した旨を示す当選情報を記憶する（Ｓ８３）。また前記電子メールアドレス抽出手段として機能する制御部５２は、該通知情報設定手段により設定された情報から特定される前記通知対象の会員カードＩＤに対応付けてポイント会員情報ＤＢで管理されている電子メールアドレスを抽出し、ここでは図２３（ａ）に示すポイント会員情報ＤＢの記憶内容に基づいて、当選会員の会員カードＩＤに対応付けられている電子メールアドレスを抽出する（Ｓ８４）。そして該電子メールアドレスが登録されているか否かを判定する（Ｓ８５）。このＳ８５で登録されていない（ＮＯ）と判定された場合には、処理を終了する（Ｓ８９）。この状態で、操作端末から情報公開要求（ログイン要求）を受信すると、前記Ｓ８３で記憶した当選情報（図４４のＤ４８０−１，Ｄ４８０−２）が、図３のＤ１５１又は図９のＤ２５１に示すメニュー画面の当選情報表示領域に設定され、該メニュー画面が配信されて通知される。
【０２６１】
一方、Ｓ８５で登録されている（ＹＥＳ）と判定された場合には、ポイント会員情報ＤＢにおいて、当選会員の会員カードＩＤに対応付けて氏名及び住所が登録されているか否かを判定する（Ｓ８６）。このＳ８６で登録されている（ＹＥＳ）と判定された場合には、再度氏名及び住所の登録は求めず、前記電子メール送信手段として機能する制御部５２により、図２９のＤ３０に示す当選情報を通知情報として含む電子メールを、当該電子メールアドレスに対して送信して（Ｓ８７）、処理を終了する（Ｓ８９）。一方、Ｓ８６で登録されていない（ＮＯ）と判定された場合には、氏名及び住所の登録を求め、前記電子メール送信手段として機能する制御部５２により、図２９のＤ３１に示す当選情報を通知情報として含む電子メールを、当該電子メールアドレスに対して送信して（Ｓ８８）、処理を終了する（Ｓ８９）。この状態で、操作端末から情報公開要求（ログイン要求）を受信しても、後述する電子メールアドレス管理判定手段により電子メールアドレスを管理していると判定されるので、当選情報は配信されない。
【０２６２】
図２９のＤ３０に示す電子メールでは、抽選に当選した旨のみが表示されている。ポイント管理装置５０が設置されるカード会社からは、該電子メールを送信した後に、登録されている氏名及び住所を宛先として、当選した賞品が発送される。一方、図２９のＤ３１に示す電子メールでは、抽選に当選した旨が表示されていると共に、氏名及び住所の入力が求められており、氏名及び住所の入力欄が表示されている。ここで会員が氏名及び住所を入力して「登録」ボタンを操作すると、該入力された氏名及び住所を含む電子メールがポイント管理装置５０に対して返信され、図２３（ａ）に示すポイント会員情報ＤＢにおいて、該電子メールに含まれる氏名及び住所が、該電子メールの送信元である電子メールアドレスに対応付けて登録される。そして該ポイント管理装置５０においては、ハードディスク５３で記憶している発送情報ＤＢ（図示外）で、当選したポイント会員の氏名及び住所に対応付けて、当選した賞品が登録され、カード会社からは、該登録された氏名及び住所を宛先として、当選した賞品が発送される。
【０２６３】
また制御部５２は、各店舗のシステム管理装置から転送装置７０を介してイベント情報（図１８のＤ５０）を受信すると、該イベント情報をハードディスク５３で記憶し、所定のタイミングで、図３０に示すイベント情報配信処理を行う。
【０２６４】
ここで前記通知情報設定手段として機能する転送装置用通信部５１ｂは、会員に対して通知する通知内容（ここでは送信内容として入力されたイベントの内容）と、通知対象とする会員の会員カードＩＤを特定可能な情報（ここでは送信対象として選択されたイベント対象会員の属性情報）とを設定する。
【０２６５】
また前記電子メールアドレス抽出手段として機能する制御部５２は、該通知情報設定手段により設定された情報から特定される前記通知対象の会員カードＩＤに対応付けてポイント会員情報ＤＢで管理されている電子メールアドレスを抽出し、ここでは図２３（ａ）に示すポイント会員情報ＤＢの記憶内容に基づいて、前記イベント情報の送信元の店舗（ここではＡ店）のポイント会員の中から、該イベント情報に含まれる送信対象の属性に合致するポイント会員を特定し、該特定されたポイント会員の会員カードＩＤを通知対象として抽出すると共に、前記イベント情報の送信元の店舗（ここではＡ店）の店舗ＩＤがメール配信店舗の記憶欄に記憶されているポイント会員の中から、該イベント情報に含まれる送信対象の属性に合致するポイント会員を特定し、該特定されたポイント会員の会員カードＩＤ及び電子メールアドレスを送信対象として抽出する（図３０のＳ９１）。
【０２６６】
そして前記電子メール送信手段として機能する制御部５２は、前記通知情報設定手段により設定された通知内容を提供するための通知情報を含む電子メールを該電子メールアドレス抽出手段により抽出された電子メールアドレス宛に送信し、ここでは前記送信内容を通知情報として含む電子メールを、外部通信部５１ｃからインターネットを介して当該電子メールアドレスに対して送信する処理を行う。換言すれば、前記店舗情報提供手段として機能する制御部５２は、ポイント会員情報ＤＢで会員カードＩＤに対応付けてメール配信店舗の記憶欄で管理（記憶）している店舗ＩＤの店舗の店舗情報（イベント情報）を含む電子メールを当該会員カードＩＤに対応付けて管理している電子メールアドレスに対して送信する処理を行う（図３０のＳ９４又はＳ９５）。
【０２６７】
さらに制御部５２は、図２３（ｂ）に示す通知情報ＤＢにおいて、前記イベントの内容を示すイベント情報を通知情報として、前記通知対象の各会員カードＩＤに対応付けて記憶する処理を行う（図３０のＳ９６）。
【０２６８】
この制御部５２は、図３０に示すように、所定のタイミングで、その時点でハードディスク５３に記憶されている各店舗のイベント情報のうち、ある店舗（例えばＡ店：以下「配信対象店舗」と称する。）のイベント情報を配信するためのイベント情報配信処理を開始するが、このイベント情報配信処理では、メール配信店舗として該配信対象店舗以外の他の店舗の店舗ＩＤが記憶されている場合には、当該他の店舗のイベント情報を含む電子メールが送信されるようになっている。
【０２６９】
具体的には、まず制御部５２は、前記電子メールアドレス抽出手段として機能することにより、前記通知対象の会員カードＩＤを抽出すると共に、前記送信対象の会員カードＩＤ及び電子メールアドレスを抽出する（Ｓ９１）。ここでは図１８に示すように、イベント対象会員がＡ店の女性会員なので、該Ａ店の女性会員の会員カードＩＤを通知対象として抽出すると共に、メール配信店舗としてＡ店が記憶されている女性会員の会員カードＩＤ及び電子メールアドレスを送信対象として抽出する。次に制御部５２は、該送信対象として抽出した各会員カードＩＤに対応付けて、メール配信店舗として当該配信対象店舗以外の他の店舗の店舗ＩＤが記憶されているか否かを判定する（Ｓ９２）。
【０２７０】
このＳ９２で他のメール配信店舗の店舗ＩＤが記憶されていない（ＮＯ）と判定された場合には、前記電子メール送信手段として機能する制御部５２により、図３１のＤ３６に示すように、配信対象店舗（ここではＡ店）のイベント情報のみを含む電子メールを、前記送信対象として抽出した電子メールアドレスに対して送信する（Ｓ９５）。
【０２７１】
一方、Ｓ９２で他のメール配信店舗（例えばＢ店）の店舗ＩＤが記憶されている（ＹＥＳ）と判定された場合には、制御部５２により、当該他のメール配信店舗のイベント情報をハードディスク５３で記憶しているか否かを判定する（Ｓ９３）。このＳ９３でイベント情報を記憶していない（ＮＯ）と判定された場合には、前記Ｓ９５に進む。
【０２７２】
一方、Ｓ９３でイベント情報を記憶している（ＹＥＳ）と判定された場合には、前記電子メール送信手段として機能する制御部５２により、図３１のＤ３５に示すように、配信対象店舗（ここではＡ店）のイベント情報と他のメール配信店舗（ここではＢ店）のイベント情報とを含む電子メールを、前記送信対象として抽出した電子メールアドレスに対して送信する（Ｓ９４）。このように、メール配信店舗として配信対象店舗以外の他の店舗の店舗ＩＤが記憶されている場合には、当該他の店舗のイベント情報を含む電子メールが送信されことにより、複数のメール配信店舗が記憶されている場合であっても、メール配信店舗毎のイベント情報を含む複数の電子メールではなく、当該複数のメール配信店舗のイベント情報を含む１通の電子メールが配信されるので、会員にとっては複数の電子メールを受信して確認する手間が省ける。
【０２７３】
またＳ９４又はＳ９５に示すように、会員が会員登録した店舗のグループに属する他のグループ店のうち、該会員が希望する店舗の店舗情報を含む電子メールが、該会員の電子メールアドレスに対して送信されるので、会員の利便性が向上する。
【０２７４】
これらＳ９４又はＳ９５で電子メールを配信した制御部５２は、通知情報ＤＢにおいて、前記イベントの内容を示すイベント情報を通知情報として、前記通知対象の各会員カードＩＤに対応付けて記憶して（Ｓ９６）、処理を終了する。
【０２７５】
ここで制御部５２のその他の機能について説明する。制御部５２は、前述の如き各ＤＢの更新や管理等の他に、［１］システム管理装置４０から転送装置７０を介して送信されてくる会員カードＩＤ及びポイント付与対象情報（本日使用金額）の受信に基づくポイント加算処理，［２］システム管理装置４０からの要求に基づく経営支援画面送信処理，［３］操作端末からの登録要求Ａ（第１登録要求Ａ又は第２登録要求Ａ）の受信に基づくグループ店情報提供処理，［４］操作端末からの登録要求の受信に基づくポイント会員登録処理，［５］操作端末からの会員統合要求の受信に基づく会員統合処理，［６］操作端末からのグループ店一覧要求の受信に基づく店舗一覧返信処理，［７］操作端末からの引き継ぎ要求の受信に基づく引き継ぎ処理，並びに［８］操作端末からの情報公開要求の受信に基づく会員専用ページ送信処理等を行うものである。
【０２７６】
まず［１］システム管理装置４０から転送装置７０を介して送信されてくる会員カードＩＤ及びポイント付与対象情報（本日使用金額）の受信に基づくポイント加算処理に関し、制御部５２は、前記ポイント付与対象情報収集手段（転送装置用通信部５１ｂ）により収集した会員カードＩＤに対応付けられたポイント数に対して、前記収集したポイント付与対象情報である本日使用金額に応じたポイント数を加算するポイント加算処理を行うポイント加算処理手段として機能し、ここでは前記新会員カードＩＤに対応付けて引き継ぎ特定情報（引き継ぎ日付及び引き継ぎ元ＩＤ）が記憶されていること（後述する図２２（ｂ）のＳａ１９及びＳａ２１でＹＥＳ）を条件として、該新会員カードＩＤに対応付けられたポイント数に対して、前記既登録会員カードＩＤに対応する本日使用金額に応じたポイント数と当該新会員カードＩＤに対応する本日使用金額に応じたポイント数とを加算する引き継ぎ時ポイント加算処理を行う一方、引き継ぎ特定情報が記憶されていないこと（同Ｓａ２１でＮＯ）を条件として、前記新会員カードＩＤに対応付けられたポイント数に対して、前記既登録会員カードＩＤに対応する本日使用金額に応じたポイント数を加算しない。
【０２７７】
また制御部５２は、ポイント加算処理手段によるポイント加算処理において、会員カードＩＤに対応付けられたポイントに対して加算するポイント数の上限値を設定する上限値設定手段として機能するものであり、ここでは該上限値として、１日あたり１０ポイントが設定される。そしてポイント加算処理手段として機能する制御部５２は、前記引き継ぎ時ポイント加算処理を行う際に、前記既登録会員カードＩＤに対応する本日使用金額に応じたポイント数と前記新会員カードＩＤに対応する本日使用金額に応じたポイント数との合算値が上限値設定手段により設定した上限値を超えていること（後述する図２２（ｂ）のＳａ１５又はＳａ２５でＮＯ）を条件として、当該上限値のポイント数を加算する処理を行う。
【０２７８】
本例では、ポイント加算処理手段として機能する制御部５２は、まず本日使用金額に応じた当日ポイントを付与するポイント付与処理を行い、次に該ポイント付与処理により付与した当日ポイントを会員カードＩＤに対応付けられた累計ポイントに対して加算するポイント加算処理を行う。
【０２７９】
具体的には、まずポイント加算処理手段として機能する制御部５２は、転送装置７０から残額管理ＤＢの記憶内容である会員カードＩＤ，カード残額，及び本日使用金額（図１３（ａ））を受信すると、該受信した各会員カードＩＤ（以下「受信ＩＤ」と称する。）のすべてについて、図２２（ｂ）に示すポイント付与処理を行う。
【０２８０】
即ち該制御部５２は、まず受信ＩＤが図２３（ａ）に示すポイント会員情報ＤＢにおいてポイント会員として登録されているか否か、即ち該受信ＩＤが図２３（ａ）の左１列に示す会員カードＩＤの記憶欄で記憶されているか否かを判定する（Ｓａ１１）。このＳａ１１で受信ＩＤが登録されている（ＹＥＳ）と判定された場合には、該受信ＩＤに対応する前記受信した本日使用金額を、ポイント会員情報ＤＢにおいて、該受信ＩＤに対応付けて記憶されている累計使用金額に対して加算更新し（Ｓａ１２）、該本日使用金額に応じてポイントを付与する（Ｓａ１３）。このＳａ１３では、１日あたり１０ポイントを上限値として、本日使用金額（即ち使用金額ＤＢに営業日別使用金額として記憶される金額）１０００円毎に１ポイントが付与される。
【０２８１】
次に制御部５２は、ポイント会員情報ＤＢにおいて、当該受信ＩＤに対応する当日ポイントの記憶欄にポイントが記憶されているか否かを判定する（Ｓａ１４）。このＳａ１４で当日ポイントが記憶されていない（ＮＯ）と判定された場合には、当該受信ＩＤに対応付けて前記Ｓａ１３で付与されたポイントを当日ポイントとして記憶して（Ｓａ１７）、処理を終了する。
【０２８２】
一方、Ｓａ１４で当日ポイントが記憶されている（ＹＥＳ）、即ち後述する引き継ぎ処理が行われたことにより受信ＩＤに対応付けて引き継ぎ元ＩＤが記憶されており、Ｓａ２６，Ｓａ２７，又はＳａ２８のいずれかで当日ポイントが記憶されたと判定された場合には、該記憶されている当日ポイントと前記Ｓａ１３で付与されたポイントとの合算値が前記上限値である１０ポイントを超えているか否かを判定する（Ｓａ１５）。このＳａ１５で合算値が上限値を超えていない（ＮＯ）と判定された場合には、前記受信ＩＤに対応付けて該合算値を当日ポイントとして記憶して（Ｓａ１８）、処理を終了する。
【０２８３】
一方、Ｓａ１５で合算値が上限値を超えている（ＹＥＳ）と判定された場合には、前記受信ＩＤに対応付けて該上限値である１０ポイントを当日ポイントとして記憶して（Ｓａ１６）、処理を終了する。即ち、引き継ぎ元ＩＤに対して付与されたポイントと引き継ぎ先ＩＤに対して付与されたポイントとの合算値が上限値を超えている場合であっても、引き継ぎを行った会員に該上限値を超えたポイントが付与されることがなく、公平にポイントを付与することができる。
【０２８４】
前記Ｓａ１１で受信ＩＤが登録されていない（ＮＯ）と判定された場合には、ポイント会員情報ＤＢにおいて、該受信ＩＤが引き継ぎ元ＩＤとして記憶されているか否かを判定する（Ｓａ１９）。このＳａ１９で受信ＩＤが引き継ぎ元ＩＤとして記憶されていない（ＮＯ）と判定された場合には、ポイントを付与せずに（Ｓａ２０）、処理を終了する。
【０２８５】
一方、Ｓａ１９で受信ＩＤが引き継ぎ元ＩＤとして記憶されている（ＹＥＳ）と判定された場合には、ポイント会員情報ＤＢにおいて、該引き継ぎ元ＩＤに対応する引き継ぎ日付が本日であるか否かを判定する（Ｓａ２０）。このＳａ２０で引き継ぎ元ＩＤ（例えばＸ０１４３９の会員カードＩＤの引き継ぎ元ＩＤであるＸ００００２）に対応する引き継ぎ日付が本日でない（ＮＯ）と判定された場合には、ポイントを付与せずに（Ｓａ２０）、処理を終了する。一方、Ｓａ２１で引き継ぎ元ＩＤ（例えばＡ０１２３４の引き継ぎ元ＩＤであるＡ００００７）に対応する引き継ぎ日付が本日である（ＹＥＳ）と判定された場合には、該引き継ぎ元ＩＤに対応する前記受信した本日使用金額を、ポイント会員情報ＤＢにおいて、該引き継ぎ元ＩＤが対応付けられている引き継ぎ先ＩＤ（ここではＡ０１２３４）に対応付けて記憶されている累計使用金額に対して加算更新し（Ｓａ２２）、前記Ｓａ１３と同様にして、該本日使用金額に応じてポイントを付与する（Ｓａ２３）。
【０２８６】
即ち制御部５２は、引き継ぎ元ＩＤが記憶されており（Ｓａ１９でＹＥＳ）、かつ引き継ぎ日付が本日である（Ｓａ２１でＹＥＳ）場合には、引き継ぎ特定情報が記憶されているという条件が満たされたものとして、引き継ぎ元ＩＤに対応する本日使用金額に応じたポイントを付与し、後述するＳａ２６，Ｓａ２７，又はＳａ２８に示すように、該付与したポイントを含むポイントを、引き継ぎ先ＩＤである新会員カードＩＤの当日ポイントの記憶欄に記憶する、前記引き継ぎ用情報ポイント加算処理を行う。一方、制御部５２は、引き継ぎ日付及び引き継ぎ元ＩＤが記憶されていても、該引き継ぎ日付が本日でない（Ｓａ２１でＮＯ）場合には、引き継ぎ特定情報が記憶されていないという条件が満たされたものとして、引き継ぎ元ＩＤに対応する本日使用金額に応じたポイントを付与しない。
【０２８７】
換言すれば、引き継ぎ特定情報の記憶欄に引き継ぎ日付及び引き継ぎ元ＩＤが記憶されていたとしても、該引き継ぎ日付が本日（例えば９月１６日）でない場合には、当該記憶されている情報は、引き継ぎ元ＩＤに対するポイント加算処理の後に引き継ぎ処理が行われた旨（即ち前日のポイント加算処理から本日のポイント加算処理までの間に当該引き継ぎ元ＩＤについて引き継ぎ処理が行われた旨）を特定可能な情報ではなく、該引き継ぎ日付の日において既に引き継ぎ時ポイント加算処理が行われた旨が特定されるため、この場合には、引き継ぎ元ＩＤに対応する本日使用金額に応じたポイントを付与しない。つまり引き継ぎ特定情報は、ポイント加算処理が行われる当日の引き継ぎ日付である。
【０２８８】
次に制御部５２は、ポイント会員情報ＤＢにおいて、前記引き継ぎ先ＩＤに対応する当日ポイントの記憶欄にポイントが記憶されているか否かを判定する（Ｓａ２４）。このＳａ２４で当日ポイントが記憶されていない（ＮＯ）と判定された場合には、当該引き継ぎ先ＩＤに対応付けて前記Ｓａ２３で付与されたポイントを当日ポイントとして記憶して（Ｓａ２７）、処理を終了する。
【０２８９】
一方、Ｓａ２４で当日ポイントが記憶されている（ＹＥＳ）、即ち後述する引き継ぎ処理が行われたことにより、前述したＳａ１６，Ｓａ１７，又はＳａ１８のいずれかで当日ポイントが記憶されたと判定された場合には、該記憶されている当日ポイントと前記Ｓａ２３で付与されたポイントとの合算値が前記上限値である１０ポイントを超えているか否かを判定する（Ｓａ２５）。このＳａ２５で合算値が上限値を超えていない（ＮＯ）と判定された場合には、前記引き継ぎ先ＩＤに対応付けて該合算値を当日ポイントとして記憶して（Ｓａ２８）、処理を終了する。
【０２９０】
一方、Ｓａ２５で合算値が上限値を超えている（ＹＥＳ）と判定された場合には、前記引き継ぎ先ＩＤに対応付けて該上限値である１０ポイントを当日ポイントとして記憶して（Ｓａ２６）、処理を終了する。即ち、引き継ぎ元ＩＤに対して付与されたポイントと引き継ぎ先ＩＤに対して付与されたポイントとの合算値が上限値を超えている場合であっても、引き継ぎを行った会員に該上限値を超えたポイントが付与されることがなく、公平にポイントを付与することができる。
【０２９１】
なお１日あたりに付与されるポイントの上限値は、任意に設定変更可能であり、またポイント付与レート（ここでは１０００円で１ポイント）も、任意に設定変更可能である。
【０２９２】
次にポイント加算処理手段として機能する制御部５２は、前記ポイント付与処理を行った後に、ポイント会員情報ＤＢにおいて記憶されている各会員カードＩＤのすべてについて、当日ポイントの記憶欄に記憶されているポイントを累計ポイントの記憶欄に記憶されているポイントに対して加算更新して、当日ポイントの記憶欄に記憶されているポイントを０にする、ポイント加算処理を行う。
【０２９３】
次に［２］システム管理装置４０からの要求に基づく経営支援画面送信処理に関し、制御部５２は、前記定型レポート送信要求（図１７を参照）を受信すると、該定型レポート送信要求に含まれる期間について、属性情報別（性別，年代別）に使用価値の大きさの平均値（平均使用金額）を算出する平均使用価値算出処理を行う。具体的には、ポイント会員情報ＤＢにて管理されるポイント会員の性別，生年月日と、使用金額ＤＢにて管理される営業日別のポイント会員の使用金額に基づいて、性別，年代別の平均使用金額を算出する処理を行う。ここではポイント会員情報ＤＢにて管理されるポイント会員を、１０代男性，１０代女性，２０代男性，２０代女性，３０代男性，３０代女性，４０代男性，４０代女性，５０代男性，５０代女性，６０代男性，６０代女性，７０代以上男性，７０代以上女性の１４のグループに分類し、それぞれのグループにおける１日あたりの平均使用金額を、１日分のデータ，１週間分のデータ，１ヶ月分のデータに基づいて各々算出する。そして制御部５２は、該算出されたデータに基づいて、図１７のＤ４５に示すように、各属性情報別（性別，年代別）の平均使用金額を棒グラフ形式で表した定型レポートを、転送装置用通信部５１ｂから転送装置７０を介して、前記定型レポート送信要求の送信元のシステム管理装置４０に対して送信する処理を行う。そして定型レポートを受信したシステム管理装置４０では、該Ｄ４５に示す定型レポート表示画面がディスプレイ４４に表示される。
【０２９４】
このように、ポイント管理装置５０が、属性情報別（ここでは性別，年代別）に平均使用金額を算出して、各遊技場に配信するので、遊技場では顧客の属性に応じた平均使用金額を把握して、各属性の顧客に対しての集客活動を検討することができる。例えば、Ｄ４５の平均使用金額のグラフを参照して、３０代男性の平均使用金額が大きいこと（つまり、優良顧客であること）を把握し、３０代男性の電子メールアドレスに対して好きな景品のアンケートを行って、３０代男性に人気の高い景品（例えばタバコ）の種類を増やす等の集客活動を行ったり、設定の甘い遊技機の情報提供等の優遇サービスを行うことができる。また、女性の平均使用金額が小さいことを把握して、女性会員専用の推奨台で遊技可能なイベント等の優遇策を実施し、売上げ増加を見込むといった営業活動を行うことができる。
【０２９５】
また制御部５２は、前記アンケート結果送信要求を受信すると、図１９のＤ６０に示すように、ハードディスク５３で記憶しているアンケート結果の各選択肢の選択数を棒グラフ形式で表したレポートを作成し、該作成したレポートを、転送装置用通信部５１ｂから転送装置７０を介して、前記アンケート結果送信要求の送信元のシステム管理装置に対して送信する処理を行う。このレポートを受信したシステム管理装置４０では、Ｄ６０に示すアンケート結果表示画面がディスプレイ４４に表示される。
【０２９６】
このように、システム管理装置４０において、ポイント管理装置５０からアンケート結果を受信し、ポイント会員を対象としたアンケートついての結果を得ることができるので、各属性の顧客に対しての集客活動を検討することができる。例えば、各属性の顧客の好きな景品を把握して、ターゲットとなる客層に応じた景品を揃えることで、集客を図ることができる。
【０２９７】
さらに制御部５２は、前記ポイント状況送信要求を受信すると、図２４（ｂ）に示すグループＤＢ及び同（ｃ）に示す店舗ＤＢの記憶内容に基づいて、当該ポイント状況送信要求の送信元のシステム管理装置４０が設置されている店舗が、いずかのグループに属するか（即ち当該店舗の店舗ＩＤがグループＤＢで記憶されているか），又はいずれのグループにも属さないか（即ち当該店舗の店舗ＩＤが店舗ＤＢで記憶されているか）を判定する。そして制御部５２は、当該店舗（例えばＡ店）がグループに属すると判定された場合には、図２０のＤ７０に示すように、該グループに関するグループＤＢの記憶内容を、転送装置用通信部５１ｂから転送装置７０を介して、当該店舗のシステム管理装置４０に対して送信する処理を行う。一方、制御部５２は、当該店舗（例えばＰ店）がグループに属さないと判定された場合には、同Ｄ７１に示すように、当該店舗に関する店舗ＤＢの記憶内容を、転送装置用通信部５１ｂから転送装置７０を介して、当該店舗のシステム管理装置４０に対して送信する処理を行う。
【０２９８】
このように、システム管理装置４０において、ポイント管理装置５０から、当該店舗が属するグループのポイント状況又は当該店舗のポイント状況を受信し、該ポイント状況に含まれる商品交換使用ポイント数を参照することにより、当該グループ又は店舗が当月に対価を負担しなければならない商品交換使用ポイント数を把握することができるので、該対価の決済の目安にすることができる。なお前述の如く、抽選応募については、抽選応募使用ポイント数に応じた対価ではなく、各店舗が一律の料金（例えば月額○万円）は負担する。
【０２９９】
次に［３］操作端末からの登録要求Ａ（第１登録要求Ａ又は第２登録要求Ａ）の受信に基づくグループ店情報提供処理に関し、制御部５２は、操作端末（ＰＣ６，携帯電話７，カードユニット２０，キオスク端末３０）から店舗情報要求（ここでは該店舗特定情報である会員カードＩＤを含む第１登録要求Ａ又は第２登録要求Ａ）を受信したことに基づいて、店舗管理手段（グループＤＢ及び店舗ＤＢ）において該受信した店舗情報要求に含まれる店舗特定情報から特定される店舗の店舗ＩＤにグループ識別情報（グループ名）が対応付けられているか否かを判定する第１の判定を行うグループ識別情報判定手段として機能するものである。
【０３００】
具体的には、制御部５２は、例えばＡ店の会員カードＩＤを含む登録要求Ａ（第１登録要求Ａ又は第２登録要求Ａ）を受信した場合には、該Ａ店の店舗ＩＤが図２４（ｂ）に示すグループＤＢに記憶されており、該Ａ店の店舗ＩＤにグループ名（ここでは◎◎グループ）が対応付けられていると判定する。また制御部５２は、例えばＰ店の会員カードＩＤを含む登録要求Ａ（第１登録要求Ａ又は第２登録要求Ａ）を受信した場合には、該Ｐ店の店舗ＩＤが、図２４（ｃ）に示す店舗ＤＢに記憶されており、該Ｐ店の店舗ＩＤにグループ名が対応付けられていないと判定する。
【０３０１】
また制御部５２は、該グループ識別情報判定手段によりグループ識別情報（グループ名）が対応付けられていると判定されたことを条件として、店舗管理手段（グループＤＢ）において当該グループ識別情報に対応付けられている他の店舗ＩＤの店舗を認識可能なグループ店情報を操作端末に対して提供するグループ店情報提供手段として機能するものであり、ここでは店舗管理手段において前記受信した店舗情報要求に含まれる店舗特定情報（即ち第１登録要求Ａ又は第２登録要求Ａに含まれる会員カードＩＤ）から特定される店舗の店舗ＩＤに対応付けて管理している地域識別情報（地域名）と同一の地域識別情報に対応付けられている他の店舗ＩＤの店舗を認識可能なグループ店情報を前記操作端末に対して提供する。
【０３０２】
具体的には、制御部５２は、例えばＡ店の会員カードＩＤを含む登録要求Ａ（第１登録要求Ａ又は第２登録要求Ａ）を受信し、前記グループ識別情報判定手段により、該Ａ店の店舗ＩＤが図２４（ｂ）に示すグループＤＢに記憶されており、該Ａ店の店舗ＩＤにグループ名（ここでは◎◎グループ）が対応付けられていると判定された場合には、該Ａ店の店舗ＩＤに対応付けて管理している地域名である「東京都」に対応付けられているＢ店を認識可能なグループ店情報を提供する。また制御部５２は、例えばＸ店の会員カードＩＤを含む登録要求Ａ（第１登録要求Ａ又は第２登録要求Ａ）を受信し、前記グループ識別情報判定手段により、該Ｘ店の店舗ＩＤが図２４（ｂ）に示すグループＤＢに記憶されており、該Ｘ店の店舗ＩＤにグループ名（ここでは◎◎グループ）が対応付けられていると判定された場合には、該Ｘ店の店舗ＩＤに対応付けて管理している地域名である「神奈川県」に対応付けられているＣ店を認識可能なグループ店情報を提供する。
【０３０３】
そしてグループ店情報提供手段として機能する制御部５２は、前記グループ識別情報判定手段により前記受信した店舗情報要求に含まれる店舗特定情報（即ち第１登録要求Ａ又は第２登録要求Ａに含まれる会員カードＩＤ）から特定される店舗の店舗ＩＤにグループ識別情報が対応付けられていると判定されたことを条件として、当該グループ識別情報に対応付けられている他の店舗識別情報の店舗の店舗情報（イベント情報）の提供を希望するか否かを確認する確認情報を前記グループ店情報として前記操作端末に対して提供するものであり、ここでの確認情報は、前記特定された店舗の店舗情報の提供を希望するか否かを確認するものでもある。
【０３０４】
具体的には、制御部５２は、例えばＡ店の会員カードＩＤを含む登録要求Ａ（第１登録要求Ａ又は第２登録要求Ａ）を受信し、前述の如く、他のＢ店を認識可能なグループ店情報を提供する場合には、図４のＤ１１２又は図９のＤ２１３に示すように、前記Ａ店と該Ｂ店とを認識可能であり、Ａ店のイベント情報の提供を希望するか否か，及びＢ店のイベント情報の提供を希望するか否かを確認する確認情報を提供する。また制御部５２は、例えばＸ店の会員カードＩＤを含む登録要求Ａ（第１登録要求Ａ又は第２登録要求Ａ）を受信し、前述の如く、他のＣ店を認識可能なグループ店情報を提供する場合には、図４のＤ１１４又は図９のＤ２１６に示すように、前記Ｘ店と該Ｃ店とを認識可能であり、Ｘ店のイベント情報の提供を希望するか否か，及びＣ店のイベント情報の提供を希望するか否かを確認する確認情報を提供する。これら確認情報において、店舗の表示順序は、まず受信した登録要求に含まれる会員カードＩＤから特定される店舗が表示され、次に同一グループの同一地域に属する他の店舗が表示される。
【０３０５】
次に［４］操作端末からの登録要求の受信に基づくポイント会員登録処理に関し、制御部５２は、操作端末（ＰＣ６，携帯電話７，カードユニット２０，キオスク端末３０）から第１会員カードＩＤと初期暗証番号とを含む登録要求Ａ（第１登録要求Ａ又は第２登録要求Ａ）を受信したときに、図２４（ａ）に示すエンコード情報ＤＢの記憶内容に基づいて、該受信した登録要求Ａに含まれる第１会員カードＩＤに対応付けて記憶されている暗証番号が、該受信した登録要求Ａに含まれる初期暗証番号と一致するか否かを判定するエンコード情報照合処理を行う。該判定を行わずに第１会員カードＩＤの登録を行うと、仮にＰＣ６又は携帯電話７において第１会員カードＩＤが間違って入力された場合であっても誤って登録されてしまうことから、暗証番号の一致も判定することとしたものである。なおカードユニット２０又はキオスク端末３０から第１登録要求Ａを受信した場合には、該第１登録要求Ａに含まれる第１会員カードＩＤは、ＩＣチップから読み取ったもの又は磁気ストライプから読み取った第１会員ＩＤから前記会員カードＩＤ特定処理により特定されたものであるため間違っていることは無く、必ずしもエンコード情報照合処理を行う必要はないが、ＰＣ６又は携帯電話７から第２登録要求Ａを受信した場合と同様に処理するために、該エンコード情報照合処理を行う。
【０３０６】
同様に、制御部５２は、操作端末（ＰＣ６，携帯電話７，カードユニット２０，キオスク端末３０）から第２会員カードＩＤと他システム会員ＩＤの下４桁とを含む登録要求Ａ（第１登録要求Ａ又は第２登録要求Ａ）を受信したときに、図２４（ａ）に示すエンコード情報ＤＢの記憶内容に基づいて、該受信した登録要求Ａに含まれる第２会員カードＩＤに対応付けて記憶されている他システム会員ＩＤの下４桁が、該受信した登録要求Ａに含まれる他システム会員ＩＤの下４桁と一致するか否かを判定するエンコード情報照合処理を行う。該判定を行わずに第２会員カードＩＤの登録を行うと、仮にＰＣ６又は携帯電話７において第２会員カードＩＤが間違って入力された場合であっても誤って登録されてしまうことから、他システム会員ＩＤの一致も判定することとしたものである。なおカードユニット２０又はキオスク端末３０から第１登録要求Ａを受信した場合には、該第１登録要求Ａに含まれる第２会員カードＩＤは、ＩＣチップから読み取ったもの又は磁気ストライプから読み取った他システム会員ＩＤから前記会員カードＩＤ特定処理により特定されたものであるため間違っていることは無く、必ずしもエンコード情報照合処理を行う必要はないが、ＰＣ６又は携帯電話７から第２登録要求Ａを受信した場合と同様に処理するために、該エンコード情報照合処理を行う。
【０３０７】
また制御部５２は、操作端末（ＰＣ６，携帯電話７，カードユニット２０，キオスク端末３０）から、前記登録要求Ｂ（第１登録要求Ｂ又は第２登録要求Ｂ）を受信したことに基づいて、該受信した登録要求Ｂに含まれる属性情報（性別，生年月日）が既に管理されているか否かを判定する属性情報判定手段として機能するものである。具体的には、登録要求Ｂに含まれる性別及び生年月日が、図２３（ａ）に示すポイント会員情報ＤＢで既に登録されているか否かを判定する。
【０３０８】
ここで既に登録されている場合とは、第１には、ポイント会員として既に登録している当該店舗の会員が当該店舗の他の会員の会員カードを拾って、該拾った会員カードの会員カードＩＤと当該会員の性別及び生年月日とを含む登録要求Ｂが送信されてきた場合であり、第２には、ポイント会員として既に登録している当該店舗の会員の、別の店舗の会員カードの会員カードＩＤと当該会員の性別及び生年月日とを含む登録要求Ｂが送信されてきた場合であり、第３には、当該店舗の当該会員の性別及び生年月日と同じ性別及び生年月日が当該店舗の他の会員の属性情報として偶然に登録されている場合である。ここで第１の場合はポイント会員として登録すべきでない場合であり、第２の場合と第３の場合はポイント会員として登録すべき場合である。
【０３０９】
また制御部５２は、該属性情報判定手段により管理されていると判定されたことを条件として、前記登録要求Ｂ（第１登録要求Ｂ又は第２登録要求Ｂ）に含まれる会員特定情報（第１会員特定情報又は第２会員特定情報）から特定される会員カードＩＤ（即ち登録要求Ｂに含まれる会員カードＩＤ）に対応する店舗の店舗ＩＤと、前記既に管理されている属性情報に対応付けて既に登録されている会員カードＩＤに対応する店舗の店舗ＩＤとを特定する店舗特定手段として機能するものである。具体的には、会員カードＩＤの所定箇所（ここでは先頭１文字）には店舗ＩＤが含まれているという情報を記憶しているので、該情報に基づいて会員カードＩＤから店舗ＩＤを抽出することにより、店舗ＩＤを特定する。
【０３１０】
また制御部５２は、該店舗特定手段により特定された前記登録要求Ｂ（第１登録要求Ｂ又は第２登録要求Ｂ）に含まれる会員特定情報（第１会員特定情報又は第２会員特定情報）から特定される会員カードＩＤ（即ち登録要求Ｂに含まれる会員カードＩＤ）に対応する店舗の店舗ＩＤと、前記既に登録されている会員カードＩＤに対応する店舗の店舗ＩＤとが一致するか否かを判定する店舗一致判定手段として機能するものである。ここで一致する場合には、前記第１の場合と第３の場合とが含まれる。
【０３１１】
さらに制御部５２は、該店舗一致判定手段により一致すると判定されたことを条件として、前記登録要求Ｂ（第１登録要求Ｂ又は第２登録要求Ｂ）に含まれる会員特定情報（第１会員特定情報又は第２会員特定情報）から特定される会員カードＩＤ（即ち登録要求Ｂに含まれる会員カードＩＤ）と前記既に管理されている会員カードＩＤとを抽出する会員識別情報抽出手段として機能するものである。これにより、前記第１の場合と第３の場合に、対象となる会員カードＩＤが抽出される。
【０３１２】
また制御部５２は、店舗端末（カードユニット２０又はキオスク端末３０）から第１登録要求Ｂを受信したことに基づいて、該受信した第１登録要求Ｂに含まれる第１会員特定情報から特定される会員カードＩＤをポイント会員情報ＤＢに登録する登録手段として機能するものであり、具体的には、カードユニット２０から受信した第１登録要求Ｂに含まれる会員カードＩＤ（即ち第１会員特定情報であると共に会員識別情報である会員カードＩＤ）を登録し、またキオスク端末３０から受信した第１登録要求Ｂに含まれる会員カードＩＤ（即ち第１会員特定情報である会員ＩＤから特定された会員カードＩＤ）を登録する。
【０３１３】
また登録手段として機能する制御部５２は、情報端末（ＰＣ６又は携帯電話７）から第２登録要求Ｂを受信したことに基づいて、該受信した第２登録要求Ｂに含まれる第２会員特定情報から特定される会員カードＩＤをポイント会員情報ＤＢに登録するものであり、具体的には、情報端末から受信した第２登録要求Ｂに含まれる会員カードＩＤ（即ち第２会員特定情報であると共に会員識別情報である会員カードＩＤ）を登録する。
【０３１４】
ここで登録手段として機能する制御部５２は、前記エンコード情報照合処理で照合ＯＫと判定され、かつ前記属性情報判定手段により属性情報が登録されていないと判定されるか、又は該属性情報が登録されていると判定されても、前記店舗一致判定手段により店舗ＩＤが一致しないと判定されたことを条件として、会員カードＩＤの登録を行う。
【０３１５】
次に［５］操作端末からの会員統合要求（ログイン要求及び統合ＩＤ情報）の受信に基づく会員統合処理に関し、前記グループ識別情報判定手段として機能する制御部５２は、操作端末（ＰＣ６，携帯電話７，カードユニット２０，キオスク端末３０）から会員特定情報（第１会員特定情報若しくは第２会員特定情報），又は会員カードＩＤを受信したことに基づいて、該受信した会員特定情報から特定される会員カードＩＤ，又は該受信した会員カードＩＤである統合元会員識別情報（統合元会員カードＩＤ）に対応する店舗の店舗ＩＤに前記グループ識別情報（グループ名）が対応付けられているか否かを判定する第２の判定を行う。なお、この第２の判定を行うグループ識別情報判定手段は、前記統合元会員カードＩＤに対応する店舗の店舗ＩＤが、前記グループ設定手段により設定されたグループに属する店舗の店舗ＩＤであるか否かを判定するグループ該当店舗判定手段でもある。
【０３１６】
具体的には、会員統合処理要求を受信したことに基づいて、該操作端末から既に受信しているログイン要求に含まれる前記会員カードＩＤであるログインＩＤから店舗ＩＤを特定（抽出）し、該店舗ＩＤにグループ名が対応付けられているか否か、即ち該店舗ＩＤが図２４（ｂ）に示すグループＤＢで記憶されているグループに属する店舗の店舗ＩＤであるか否かを判定する。
【０３１７】
また制御部５２は、該グループ該当店舗判定手段により店舗ＩＤにグループ名が対応付けられている、即ちグループに属する店舗の店舗ＩＤであると判定されたことを条件として、前記統合元会員カードＩＤに統合を希望する他の会員カードＩＤである統合対象会員識別情報（統合対象会員カードＩＤ），又は該統合対象会員カードＩＤを特定可能な会員特定情報（第１会員特定情報若しくは第２会員特定情報）の入力を受け付けるための統合受付ページを前記操作端末（ＰＣ６，携帯電話７，カードユニット２０，キオスク端末３０）に対して送信する統合受付ページ送信手段として機能するものである。
【０３１８】
また制御部５２は、操作端末から統合元会員カードＩＤ，又は該統合元会員カードＩＤを特定可能な会員特定情報（第１会員特定情報若しくは第２会員特定情報）を受信したことに基づいて、該受信した会員特定情報から特定される統合元会員カードＩＤ，又は該受信した統合元会員カードＩＤに対応する店舗のグループに属する同一グループ店を特定する同一グループ店特定手段として機能するものである。また統合受付ページ送信手段として機能する制御部５２は、該同一グループ店特定手段により特定された同一グループ店を認識可能な情報を含む前記統合受付ページを前記操作端末に対して送信すると共に、該同一グループ店特定手段により特定された同一グループ店のうち、統合を希望する店舗の選択を受付可能であると共に、該選択された同一グループ店における統合対象会員カードＩＤ，又は該統合対象会員カードＩＤを特定可能な会員特定情報（第１会員特定情報若しくは第２会員特定情報）の入力を受け付けるための前記統合受付ページを前記操作端末に対して送信する。
【０３１９】
具体的には、まず同一グループ店特定手段として機能する制御部５２は、前記ログインＩＤから特定される店舗ＩＤの店舗のグループに属する同一グループ店を特定する。即ち図２４（ｂ）に示すグループＤＢの記憶内容に基づいて、例えば前記特定された店舗ＩＤがＡ店の店舗ＩＤである場合には、該Ａ店が属する◎◎グループのグループ店として登録されているＡ店，Ｂ店，Ｃ店，及びＸ店を特定する。次に制御部５２は、該特定された同一グループ店のうち、前記ログインＩＤから特定される店舗ＩＤの店舗と当該ログインＩＤに対応付けて登録されている他の既登録会員カードＩＤから特定される店舗ＩＤの店舗を統合済店舗として特定すると共に、当該ログインＩＤに対応付けて登録されていない店舗を未統合店舗として特定する。そして統合受付ページ送信手段として機能する制御部５２は、該特定された統合済店舗及び未統合店舗を示す前記統合受付ページ（図５のＤ１６０及びＤ１６１，又は図１１のＤ２６０及びＤ２６１）を前記操作端末に対して送信する。
【０３２０】
また制御部５２は、操作端末（ＰＣ６，携帯電話７，カードユニット２０，キオスク端末３０）から前記統合受付ページにて入力された統合対象会員カードＩＤ，又は該統合対象会員カードＩＤを特定可能な会員特定情報（第１会員特定情報若しくは第２会員特定情報）を受信したことに基づいて、該受信した統合対象会員カードＩＤ，又は該受信した会員特定情報から特定される統合対象会員カードＩＤに対応する店舗の店舗ＩＤが、前記統合元会員カードＩＤに対応する店舗のグループに属する同一グループ店の店舗ＩＤであるか否かを判定する同一グループ店判定手段として機能するものであり、ここでは操作端末から、前記統合受付ページにて入力された統合対象会員カードＩＤ，又は該統合対象会員カードＩＤを特定可能な会員特定情報（第１会員特定情報若しくは第２会員特定情報）と共に、該統合受付ページにて選択された同一グループ店を特定可能な選択情報（即ち図５のＤ１６１で会員カードＩＤが入力された未統合店舗の店舗ＩＤ，又は図１０のＤ２６０で操作されたボタンに対応する未統合店舗の店舗ＩＤ）を受信したことに基づいて、該受信した統合対象会員カードＩＤ，又は該受信した会員特定情報から特定される統合対象会員カードＩＤに対応する店舗の店舗ＩＤが、該受信した選択情報から特定される同一グループ店の店舗ＩＤであるか否かを判定することにより、統合対象会員カードＩＤに対応する店舗の店舗ＩＤが、前記統合元会員カードＩＤに対応する店舗のグループに属する同一グループ店の店舗ＩＤであるか否かを判定する。
【０３２１】
また制御部５２は、該同一グループ店判定手段により同一グループ店の店舗ＩＤであると判定されたことを条件として、統合元会員カードＩＤと統合対象会員カードＩＤとを対応付けるための会員識別情報対応付け処理を行う会員識別情報対応付け処理手段として機能するものであり、ここでは統合元会員カードＩＤに対応する店舗の店舗ＩＤと統合対象会員カードＩＤに対応する店舗の店舗ＩＤとが一致しないことを条件として、前記会員識別情報対応付け処理を行う。
【０３２２】
また会員識別情報対応付け処理手段として機能する制御部５２は、統合受付ページにて入力された複数の統合対象会員カードＩＤ，又は該複数の統合対象会員カードＩＤを特定可能な複数の会員特定情報（第１会員特定情報若しくは第２会員特定情報）を受信したときに、該受信した複数の統合対象会員カードＩＤ，又は該受信した複数の会員特定情報から特定される複数の統合対象会員カードＩＤに対応する店舗の店舗ＩＤが同一でないことを条件として、これら複数の統合対象会員カードＩＤと統合元会員カードＩＤとを対応付けるための会員識別情報対応付け処理を行う。
【０３２３】
具体的には、統合受付ページにて入力された一の会員カードＩＤ（第２会員特定情報）と、該会員カードＩＤが入力された未統合店舗の店舗ＩＤとを含む統合ＩＤ情報を受信したことに基づいて、該統合ＩＤ情報に含まれる会員カードＩＤがポイント会員として登録済であり、かつ、該会員カードＩＤから特定される店舗ＩＤと統合ＩＤ情報に含まれる未統合店舗の店舗ＩＤとが一致する（即ち、ある未統合店舗についての入力欄に入力された会員カードＩＤが当該未統合店舗の会員カードＩＤである）場合に、統合元会員カードＩＤが記録された会員カードの発行店舗と統合対象会員カードＩＤが記録された会員カードの発行店舗とが異なり、かつ各会員カードの発行店舗が同一グループに属すると判定して、会員識別情報対応付け処理を行う。即ち、統合受付ページにおいて、未統合店舗であるＢ店の入力欄にＢ店の会員カードＩＤが入力された場合には、会員識別情報対応付け処理が行われる一方、未統合店舗であるＣ店の入力欄にＢ店の会員カードＩＤが入力された場合には、会員識別情報対応付け処理が行われない。
【０３２４】
また、統合受付ページにて入力された複数の会員カードＩＤ（第２会員特定情報）と、該会員カードＩＤが入力された複数の未統合店舗の店舗ＩＤとを含む統合ＩＤ情報を受信したことに基づいて、該統合ＩＤ情報に含まれる会員カードＩＤがポイント会員として登録済であり、かつ、該会員カードＩＤから特定される店舗ＩＤと統合ＩＤ情報に含まれる未統合店舗の店舗ＩＤとが一致する（即ち、ある未統合店舗についての入力欄に入力された会員カードＩＤが当該未統合店舗の会員カードＩＤである）場合に、統合元会員カードＩＤが記録された会員カードの発行店舗と統合対象会員カードＩＤが記録された会員カードの発行店舗とが異なり、複数の統合対象会員カードＩＤが記録された各会員カードの発行店舗が異なり、かつ各会員カードの発行店舗が同一グループに属すると判定して、会員識別情報対応付け処理を行う。即ち、統合受付ページにおいて、未統合店舗であるＢ店の入力欄にＢ店の会員カードＩＤが入力されると共に、未統合店舗であるＣ店の入力欄にＣ店の会員カードＩＤが入力された場合には、会員識別情報対応付け処理が行われる一方、未統合店舗であるＢ店の入力欄にＢ店の会員カードＩＤが入力されると共に、未統合店舗であるＣ店の入力欄にＢ店の会員カードＩＤが入力された場合には、会員識別情報対応付け処理が行われない。
【０３２５】
そして制御部５２は、前記会員識別情報対応付け処理により対応付けられた各会員識別情報に対応するポイント数を合算するポイント合算手段として機能するものである。以上に説明した会員識別情報対応付け処理手段による会員識別情報対応付け処理と、ポイント合算手段によるポイント合算処理の詳細については、会員統合処理として、図３７を参照して後述する。
【０３２６】
なお制御部５２は、複数の各会員カードＩＤに対応するポイント数を合算（統合）するための合算条件設定手段として機能するものであり、ここでは受信した合算要求である会員統合要求（即ちログイン要求及び統合ＩＤ情報）に含まれる各会員カードＩＤが記録された各会員カードの発行店舗が異なること，及び受信した合算要求である会員統合要求に含まれる各会員カードＩＤが記録された各会員カードの発行店舗が前記グループ設定手段により設定された同一グループに属することを、合算条件として設定する。
【０３２７】
そして制御部５２は、前記操作端末から、複数の会員カードＩＤを含む合算要求である会員統合要求（即ちログイン要求及び統合ＩＤ情報）を受信したことに基づいて、該受信した合算要求に含まれる複数の会員カードＩＤが前記合算条件設定手段により設定した合算条件を満たすか否かを判定する合算条件判定手段として機能するものであり、ここでは統合ＩＤ情報に含まれる会員カードＩＤがポイント会員として登録済であり、かつ、統合ＩＤ情報に含まれる未統合店舗の店舗ＩＤと該統合ＩＤ情報に含まれる会員カードＩＤから特定される店舗ＩＤとが一致する（即ちある未統合店舗についての入力欄に入力された会員カードＩＤが当該未統合店舗の会員カードＩＤである）場合に、会員統合要求に含まれる各会員カードＩＤが記録された各会員カードの発行店舗が異なり、かつ会員統合要求に含まれる各会員カードＩＤが記録された各会員カードの発行店舗が同一グループに属するという合算条件を満たすと判定される。この合算条件判定手段は、前記同一グループ店判定手段に相当する。
【０３２８】
次に［６］操作端末からのグループ店一覧要求の受信に基づく店舗一覧返信処理に関し、前記店舗特定手段として機能する制御部５２は、操作端末（ＰＣ６，携帯電話７，カードユニット２０，キオスク端末３０）からグループ店一覧要求を受信したことに基づいて、該操作端末から既に受信しているログイン要求に含まれるログインＩＤから店舗ＩＤを特定（抽出）する。また前記グループ店特定手段として機能する制御部５２は、該店舗特定手段により特定された店舗ＩＤの店舗が属するグループのグループ店として前記グループ設定手段（ディスプレイ５４及び入力装置５５）により設定されている各店舗を特定する。
【０３２９】
さらに制御部５２は、該グループ店特定手段により特定された店舗の一覧を前記操作端末に対して配信する店舗一覧返信手段として機能するものである。具体的には、後述する図４３のＤ４４０に示すように、店舗の一覧を含む画面を、外部通信部５１ｃからインターネットを介して、前記グループ店一覧要求の送信元の操作端末に対して返信する。
【０３３０】
次に［７］操作端末からの引き継ぎ要求の受信に基づく引き継ぎ処理に関し、制御部５２は、既に登録されている既登録会員カードＩＤが記録された会員カードに代えて新たな会員カードの再発行が行われた場合に、当該既登録会員カードＩＤに対応付けられたポイント数と当該新たな会員カードに記録された新会員カードＩＤとを対応付ける引き継ぎ処理を行う引き継ぎ処理手段として機能するものであり、ここでは操作端末から引き継ぎ要求を受信したことに基づいて、引き継ぎ処理を行うものである。
【０３３１】
また制御部５２は、操作端末から引き継ぎ要求を受信したことに基づいて、該受信した引き継ぎ要求に含まれる既登録会員カードＩＤと新会員カードＩＤが同一店舗で発行された会員カードの会員カードＩＤであるか否かを判定する同一店舗判定手段として機能するものである。具体的には、制御部５２は、前記店舗特定手段として機能することにより、操作端末（ＰＣ６，携帯電話７，カードユニット２０，キオスク端末３０）から、前記引き継ぎ要求を受信したことに基づいて、該引き継ぎ要求に含まれる既登録会員カードＩＤ（旧会員カードＩＤ）及び新会員カードＩＤに対応する各店舗の店舗ＩＤを特定し、前記店舗一致判定手段として機能することにより、該店舗特定手段により特定された各店舗ＩＤが一致するか否かを判定する。この店舗特定手段及び店舗一致判定手段が、前記同一店舗判定手段に相当する。
【０３３２】
また制御部５２は、前記受信した引き継ぎ要求に含まれる新会員カードＩＤが、図２３（ａ）に示すポイント会員情報ＤＢで登録されているか否かを判定する登録判定手段として機能するものである。
【０３３３】
そして引き継ぎ処理手段として機能する制御部５２は、前記同一店舗判定手段により同一店舗で発行された会員カードの会員カードＩＤであると判定され、かつ前記登録判定手段により登録されていないと判定されたことを条件として、引き継ぎ処理を行う。
【０３３４】
また制御部５２は、引き継ぎ要求を受信したことに基づいて、該受信した引き継ぎ要求に含まれる既登録会員カードＩＤに対応付けて登録されている他の既登録会員カードＩＤがあるか否かを判定する対応付け判定手段として機能するものであり、具体的には、前記受信した引き継ぎ要求に含まれる既登録会員カードＩＤに対応付けて、図２３（ａ）に示すポイント会員情報ＤＢで登録されている他の会員カードＩＤがあるか否かを判定する。例えば既登録会員カードＩＤがＡ００００１である場合には、対応付けて登録されている他の会員カードＩＤ（ここではＸ００００３）があると判定され、既登録会員カードＩＤがＡ００００４である場合には、対応付けて登録されている他の会員カードＩＤがないと判定される。
【０３３５】
そして制御部５２は、引き継ぎ処理手段として機能することにより、該対応付け判定手段によりあると判定されたことを条件として、前記引き継ぎ処理を行うと共に、登録手段として機能することにより、前記引き継ぎ要求に含まれる新会員カードＩＤを前記他の既登録会員カードＩＤに対応付けて登録する。以上に説明した引き継ぎ処理の詳細については、図３８及び図３９を参照して後述する。
【０３３６】
最後に［８］操作端末からの情報公開要求の受信に基づく会員専用ページ配信処理に関し、制御部５２は、ログイン画面配信要求の受信に応じてログイン画面を操作端末に対して配信する処理を行う。
【０３３７】
また制御部５２は、操作端末（ＰＣ６，携帯電話７，カードユニット２０，キオスク端末３０）から会員カードＩＤ，又は会員特定情報（第１会員特定情報若しくは第２会員特定情報）を含む情報公開要求（ここではログイン要求）を受信したことに基づいて、該受信した情報公開要求に含まれる会員カードＩＤ，又は該受信した情報公開要求に含まれる会員特定情報から特定される会員カードＩＤであるログイン会員識別情報（ログインＩＤ）に対応付けられている会員カードＩＤがあるか否かを判定する同一会員判定手段として機能するものである。
【０３３８】
また制御部５２は、該同一会員判定手段により無いと判定されたことを条件として、ログインＩＤに対応するポイント数を少なくとも含む当該会員専用の会員専用ページを操作端末に対して送信し、前記同一会員判定手段により有ると判定されたことを条件として、ポイント合算手段により合算された合算ポイント数を少なくとも含む会員専用ページを操作端末に対して送信する会員専用ページ送信手段として機能するものである。
【０３３９】
即ち前記情報公開要求の一部であるログイン要求には、ポイント会員として登録されている会員カードの会員カードＩＤ（即ちログインＩＤ）と暗証番号とが含まれるが、ここで含まれるログインＩＤが、ポイント会員として対応付けて登録されているいずれの会員カードＩＤであっても、即ち該ログインＩＤが図２３（ａ）の左１列に示す会員カードＩＤの記憶欄で記憶されていれば、該ログインＩＤに関連する情報として、該ログインＩＤに対応付けて、図２３（ａ）に示すポイント会員情報ＤＢにおいて記憶されているポイントや、図２３（ｂ）に示す通知情報ＤＢで記憶されているグループ店追加情報，アンケート，イベント情報，及び当選情報等を表示した、単一の会員専用ページ（いわゆるマイページ）が配信される。なおログインＩＤが図２３（ａ）の右１列に示す引き継ぎ元ＩＤの欄で記憶されていても、ログインは行われず、会員専用ページは配信されない。
【０３４０】
ここで制御部５２は、前記ポイント合算手段により合算された合算ポイント数を会員が所定のサービスを享受するために使用させるための処理を行うポイント使用処理手段として機能するものである。ここでは情報公開要求の一部であるポイント使用要求を受信したことに基づいて、該ポイント使用処理手段として機能する。
【０３４１】
ここで「所定のサービス」とは、ポイントを使用した抽選への応募であり、該「所定のサービスを享受するために使用させるための処理」とは、後述する図４２のＤ４１０に示すように、抽選情報ＤＢから抽出した応募期間中である抽選の内容と、ポイント会員情報ＤＢから抽出した該抽選への応募に使用可能なポイント数とを表示したポイント使用画面を、外部通信部５１ｃからインターネットを介して、前記ログイン要求の送信元の操作端末に対して配信し、該操作端末から、前記ポイント使用画面で選択した賞の抽選への応募を示す応募情報を受信して、抽選情報ＤＢにおいて、前記ログイン要求に含まれる会員カードＩＤを、前記選択した賞に対応する応募者会員カードＩＤの記憶欄に記憶し、ポイント会員情報ＤＢにおいて、該会員カードＩＤに対応付けて記憶しているポイント数から、前記選択した賞に応募するために必要なポイント数を減算する処理である。
【０３４２】
また「所定のサービス」とは、ポイントを使用した商品との交換であり、「所定のサービスを享受するために使用させるための処理」とは、後述する図４２のＤ４１２に示すように、予め設定されている交換可能な商品の内容と、ポイント会員情報ＤＢから抽出した該商品との交換に使用可能なポイント数とを表示したポイント使用画面を、外部通信部５１ｃからインターネットを介して、前記ログイン要求の送信元の操作端末に対して配信し、該操作端末から、前記ポイント使用画面で選択した商品との交換を示す交換情報を受信して、ポイント会員情報ＤＢにおいて、該会員カードＩＤに対応付けて記憶しているポイント数から、前記商品と交換するために必要なポイント数を減算する処理である。
【０３４３】
また制御部５２は、店舗端末（カードユニット２０又はキオスク端末３０）から第１会員特定情報（ここでは会員カードＩＤ）を含む確認要求（ここではログイン要求）を受信したことに基づいて、該受信した確認要求に含まれる第１会員特定情報から特定される会員カードＩＤが前記通知情報設定手段により設定された情報から特定される前記通知対象の会員カードＩＤであるか否かを判定する通知対象判定手段として機能すると共に、該通知対象判定手段により通知対象の会員カードＩＤであると判定されたことを条件として、前記通知情報を前記店舗端末に対して返信する通知情報返信手段として機能するものである。
【０３４４】
なお確認要求は、店舗端末（カードユニット２０又はキオスク端末３０）から送信されてくるもののみならず、情報端末（ＰＣ６又は携帯電話７）から送信されてくるものも含む。従って、通知対象判定手段として機能する制御部５２は、情報端末から確認要求を受信した場合にも前記判定を行い、通知情報返信手段として機能する制御部５２は、該通知対象判定手段により通知対象の会員カードＩＤであると判定されたことを条件として、前記通知情報を前記情報端末に対して返信する。
【０３４５】
また制御部５２は、前記確認要求に含まれる第１会員特定情報から特定される会員カードＩＤに対応付けてポイント会員情報ＤＢで電子メールアドレスを管理しているか否かを判定する電子メールアドレス管理判定手段として機能するものであり、前記通知情報返信手段として機能する制御部５２は、該電子メールアドレス管理判定手段により電子メールアドレスを管理していると判定されたことを条件として、前記通知情報を前記店舗端末（ここでは操作端末）に対して返信しない。
【０３４６】
これら通知対象判定手段，通知情報返信手段，及び電子メールアドレス管理判定手段の機能の詳細については、図３６（ｂ），（ｃ），（ｄ）を参照して後述する。
【０３４７】
以下、図３２〜図４１を参照して、ポイント管理装置５０が行う処理について説明する。ポイント管理装置５０は、外部からのアクセスを待機しており（Ｓ０００）、外部からのアクセスにより情報を受信すると、該受信した情報が、情報端末（ＰＣ６，携帯電話７）から送信されたものであるか、又は店舗端末（カードユニット２０，キオスク端末３０）から送信されたものであるか、具体的には、当該情報の送信元端末のＩＰアドレスをハードディスク５３で記憶しているか否かを判定する（Ｓ１００）。このＳ１００で前記受信した情報が店舗端末から送信されたものである（ＹＥＳ）、即ち当該情報の送信元端末のＩＰアドレスを記憶していると判定された場合には、図３３のＳＨ１００に進む。
【０３４８】
一方、前記受信した情報が情報端末から送信されたものである（ＮＯ）、即ち当該情報の送信元端末のＩＰアドレスを記憶していないと判定された場合には、当該情報が、図３のＤ１０２に示すようにして情報端末から送信されてきた空メールか（Ｓ１０１）、同Ｄ１０３に示す画面でＵＲＬがクリックされることにより情報端末から送信されてきた初期画面アクセス要求か（Ｓ１０２）、又はブックマークされている同Ｄ１５０に示すログイン画面で「ログイン」ボタンが操作されることにより情報端末から送信されてきたログイン画面アクセス要求か（Ｓ１０３）を判定する。なお当該情報が、Ｓ１０１〜Ｓ１０３のいずれの情報にも該当しなければ（Ｓ１０３でＮＯ）、再び外部からのアクセスを待機する状態（Ｓ０００）に戻る。
【０３４９】
このＳ１０１で空メールの受信有り（ＹＥＳ）と判定された場合には、図３のＤ１０３に示すように、初期画面へのアクセス用のＵＲＬを含む電子メールを、空メールの送信元である情報端末に対して返信して（Ｓ１０４）、Ｓ０００に戻る。またＳ１０２で初期画面アクセス要求の受信有り（ＹＥＳ）と判定された場合には、図３のＤ１０４に示す初期画面を、初期画面アクセス要求の送信元である情報端末に対して配信して（Ｓ１０５）、Ｓ１０６に進む。またＳ１０３でログイン画面アクセス要求の受信有り（ＹＥＳ）と判定された場合には、図３のＤ１５０に示すログイン画面を、ログイン画面アクセス要求の送信元の情報端末に対して配信して（Ｓ１５０）、図３５のＳ２００に進む。
【０３５０】
Ｓ１０５で初期画面を情報端末に対して配信したポイント管理装置５０は、該初期画面で、「新規登録」ボタンが操作されたか（Ｓ１０６）、「会員」ボタンが操作されたか（Ｓ１０７）、「お知らせ」ボタンが操作されたか（Ｓ１０８）、又は「サイト案内」ボタンが操作されたか（Ｓ１０９）を判定する。
【０３５１】
このＳ１０７で「会員」ボタンが操作された旨の受信有り（ＹＥＳ）と判定された場合には、図３のＤ１５０に示すログイン画面を情報端末に対して配信して（Ｓ１５０）、図３５のＳ２００に進む。またＳ１０８で「お知らせ」ボタンが操作された旨の受信有り（ＹＥＳ）と判定された場合には、前記お知らせ画面を情報端末に対して配信して（Ｓ１６０）、初期画面アクセス要求の受信を待機し（Ｓ１７１）、該Ｓ１７１で初期画面アクセス要求の受信有り（ＹＥＳ）と判定された場合には、前記Ｄ１０５に戻って、前記初期画面を再び配信する。またＳ１０９で「サイト案内」ボタンが操作された旨の受信有り（ＹＥＳ）と判定された場合には、前記サイト案内画面を情報端末に対して配信して（Ｓ１７０）、前記Ｓ１７１に進む。
【０３５２】
またＳ１０６で「新規登録」ボタンが操作された旨の受信有り（ＹＥＳ）と判定された場合には、図４のＤ１１０に示す画面を情報端末に対して配信して（Ｓ１１０）、該Ｄ１１０に示す画面で、「第１会員カード」ボタンが操作されたか（Ｓ１１１）、又は「第２会員カード」ボタンが操作されたか（Ｓ１１２）を判定する。このＳ１１１又はＳ１１２で所定時間内にいずれの操作も無い場合には、タイムアウトである旨を示す画面（図示外）を情報端末に対して配信して、Ｓ１０５に戻る。このＳ１１１で「第１会員カード」ボタンが操作された旨の受信有り（ＹＥＳ）と判定された場合には、図４のＤ１１１に示す第１会員カード用の登録画面を情報端末に対して配信して（Ｓ１１３）、Ｓ１１５に進む。またＳ１１２で「第２会員カード」ボタンが操作された旨の受信有り（ＹＥＳ）と判定された場合には、図４のＤ１１３に示す第２会員カード用の登録画面を情報端末に対して配信して（Ｓ１１４）、Ｓ１１５に進む。
【０３５３】
Ｓ１１５では、情報端末から送信されてくる第２登録要求Ａの受信を待機する。このＳ１１５で所定時間内に第２登録要求Ａの受信が無い場合には、タイムアウトである旨を示す画面（図示外）を情報端末に対して配信して、Ｓ１０５に戻る。このＳ１１５で第２登録要求Ａの受信有り（ＹＥＳ）と判定された場合には、前記エンコード情報照合処理を行う（Ｓ１１６）。このＳ１１６で照合ＮＧ（ＮＯ）と判定された場合には、入力が間違っている旨を示す画面を情報端末に対して配信して（Ｓ１１７）、Ｓ１１３又はＳ１１４に戻り、再入力を受け付ける。一方、Ｓ１１６で照合ＯＫ（ＹＥＳ）と判定された場合には、店舗特定手段により、前記受信した第２登録要求Ａに含まれる会員カードＩＤ（第１会員カードＩＤ又は第２会員カードＩＤ）から店舗ＩＤを抽出して（Ｓ１１８）、グループ識別情報判定手段により、店舗管理手段（グループＤＢ及び店舗ＤＢ）において当該店舗ＩＤにグループ識別情報（グループ名）が対応付けられているか否か、即ち当該店舗ＩＤの店舗がいずれかのグループに属しているか否かを判定する（Ｓ１１９）。
【０３５４】
このＳ１１９で第２登録要求Ａに含まれる会員カードＩＤから抽出した店舗ＩＤにグループ識別情報が対応付けられている（ＹＥＳ）、即ち当該店舗ＩＤの店舗がグループＤＢに記憶されており、グループに属していると判定された場合には、当該店舗ＩＤに対応付けて管理している地域識別情報（地域名）と同一の地域識別情報に対応付けられている他の店舗ＩＤがあるか否かを判定する（Ｓ１２０）。
【０３５５】
このＳ１２０で同一の地域名に対応付けられている他の店舗ＩＤがある（ＹＥＳ）と判定された場合には、Ｓ１２１に進んで、図４のＤ１１２又はＤ１１４に示すように、グループ店情報提供手段により、第２登録要求Ａに含まれる会員カードＩＤから抽出した店舗ＩＤの店舗を筆頭に、当該店舗ＩＤと同一の地域名に対応付けられている他の店舗ＩＤの店舗を認識可能な画面を情報端末に対して配信して、Ｓ１２３に進む。
【０３５６】
これによれば、会員が操作する情報端末（ＰＣ６，携帯電話７）から受信した第２登録要求Ａに含まれる会員カードＩＤから特定される店舗ＩＤの店舗がグループに属する場合には、グループ店情報が情報端末に対して提供されるので、当該グループに属する他のグループ店の存在を会員に認識させることができる。
【０３５７】
また、グループに属する店舗が多い場合（例えば大型グループの場合）であっても、会員が操作する情報端末（ＰＣ６，携帯電話７）から受信した第２登録要求Ａに含まれる会員カードＩＤから特定される店舗ＩＤの店舗と同一地域に所在するグループ店（即ち会員が来店する可能性が高い店舗）を認識可能なグループ店情報が情報端末に対して提供されるので、会員の利便性が向上する。
【０３５８】
なお、前記Ｓ１１９で当該店舗ＩＤにグループ識別情報が対応付けられていない（ＮＯ）、即ち当該店舗ＩＤの店舗がいずれのグループにも属しておらず、店舗ＤＢに記憶されていると判定された場合と、前記Ｓ１２０で同一の地域名に対応付けられている他の店舗ＩＤがない（ＮＯ）と判定された場合には、Ｓ１２２に進んで、図４のＤ１１２又はＤ１１４において、グループ店情報提供手段により、第２登録要求Ａに含まれる会員カードＩＤから抽出した店舗ＩＤの店舗のみを認識可能な画面を情報端末に対して配信して、Ｓ１２３に進む。
【０３５９】
Ｓ１２３では、情報端末から送信されてくる第２登録要求Ｂの受信を待機する。このＳ１２３で所定時間内に第２登録要求Ｂの受信が無い場合には、タイムアウトである旨を示す画面（図示外）を情報端末に対して配信して、Ｓ１０５に戻る。このＳ１２３で第２登録要求Ｂの受信有り（ＹＥＳ）と判定された場合には、図３４のＳ１３０に進む。
【０３６０】
前記Ｓ１００で店舗端末（カードユニット２０又はキオスク端末３０）から情報を受信したポイント管理装置５０は、図３３に進み、該店舗端末から会員カードＩＤ又は会員ＩＤを含む登録確認要求を受信したか（ＳＨ１００）、該店舗端末で予め記憶されていて表示されている初期画面（図９のＤ２０１）で、「会員カードＩＤ手入力」ボタンが操作されたか（ＳＨ１０１）、「お知らせ」ボタンが操作されたか（ＳＨ１０２）、又は「サイト案内」ボタンが操作されたかを判定する。
【０３６１】
このＳＨ１０１で「会員カードＩＤ手入力」ボタンが操作された旨の受信有り（ＹＥＳ）と判定された場合には、図９のＤ２０２に示す画面を店舗端末に対して配信して（ＳＨ１５５）、前記Ｓ０００に戻る。このＤ２０２に示す画面で、会員カードＩＤが入力されて「送信」ボタンが操作されると、該入力された会員カードＩＤを含む登録確認要求が、当該店舗端末からポイント管理装置５０に対して送信され、Ｓ０００，Ｓ１００，及びＳＨ１００でＹＥＳと判定される。またＳＨ１０２で「お知らせ」ボタンが操作された旨の受信有り（ＹＥＳ）と判定された場合には、前記お知らせ画面を店舗端末に対して配信して（ＳＨ１６０）、前記Ｓ０００に戻る。一方、ＳＨ１０２でＮＯと判定された場合には、「サイト案内」ボタンが操作された旨の受信有りと判定し、前記サイト案内画面を情報端末に対して配信して（ＳＨ１７０）、前記Ｓ０００に戻る。
【０３６２】
またＳＨ１００で登録確認要求の受信有り（ＹＥＳ）と判定された場合には、該登録確認要求に会員ＩＤが含まれるか否かを判定する。このＳＨ１０４で登録確認要求に会員ＩＤが含まれる（ＹＥＳ）と判定された場合には、該登録確認要求が、キオスク端末３０から送信されてきて、カードリーダ３３により会員カードの磁気ストライプから読み取った会員ＩＤを会員特定情報として含むものであるため、該会員ＩＤに対応する会員カードＩＤを特定する前記会員カードＩＤ特定処理を行って（ＳＨ１０５）、ＳＨ１０６に進む。一方、ＳＨ１０４で登録確認要求に会員ＩＤが含まれない（ＮＯ）と判定された場合には、該登録確認要求が、カードユニット２０から送信されてきて、カードＲ／Ｗ２５により会員カードのＩＣチップから読み取った会員カードＩＤを会員特定情報として含むものであるか、又はカードユニット２０若しくはキオスク端末３０から送信されてきて、会員が会員カードの表示領域を目視して手入力した会員カードＩＤを会員特定情報として含むものであり、前記会員カードＩＤ特定処理を行う必要がないため、そのままＳＨ１０６に進む。
【０３６３】
ＳＨ１０６では、前記受信した登録確認要求に含まれる会員カードＩＤ又はＳＨ１０５で特定された会員カードＩＤがポイント会員として登録されているか否か、即ち図２３（ａ）の左１列に示す会員カードＩＤの記憶欄で記憶されているか否かを判定する。このＳＨ１０６で会員カードＩＤがポイント会員として登録されている（ＹＥＳ）と判定された場合には、図９のＤ２５０に示すログイン画面を店舗端末に対して配信して（ＳＨ１５０）、図３５のＳ２００に進む。一方、ＳＨ１０６で会員カードＩＤがポイント会員として登録されていない（ＮＯ）と判定された場合には、図１０のＤ２１０に示す画面を店舗端末に対して配信する（ＳＨ１０７）。
【０３６４】
ＳＨ１０７でＤ２１０に示す画面を配信したポイント管理装置５０は、該Ｄ２１０に示す画面で、「新規登録」ボタンが操作されたか（ＳＨ１０８）、又は「カードの引き継ぎ」ボタンが操作されたか（ＳＨ１０９）を判定する。このＳＨ１０９で「カードの引き継ぎ」ボタンが操作された旨の受信有り（ＹＥＳ）と判定された場合には、図１０のＤ２２１に示す引き継ぎ画面を店舗端末に対して配信して（ＳＨ１１０）、図３８のＳ４００に進む。またＳＨ１０８で「新規登録」ボタンが操作された旨の受信有り（ＹＥＳ）と判定された場合には、ＳＨ１１１に進む。
【０３６５】
ＳＨ１１１では、前記受信した登録確認要求に含まれる会員カードＩＤ又はＳＨ１０５で特定された会員カードＩＤが第１会員カードＩＤであるか否かを判定する。このＳＨ１１１で会員カードＩＤが第１会員カードＩＤである（ＹＥＳ）と判定された場合には、図１０のＤ２１１に示す第１会員カード用の登録画面を店舗端末に対して配信して（ＳＨ１１３）、ＳＨ１１５に進む。一方、ＳＨ１１１で会員カードＩＤが第１会員カードＩＤでない（ＮＯ）、即ち該会員カードＩＤが第２会員カードＩＤであると判定された場合には、図１０のＤ２１４に示す第２会員カード用の登録画面を店舗端末に対して配信して（ＳＨ１１４）、ＳＨ１１５に進む。
【０３６６】
ＳＨ１１５では、店舗端末から送信されてくる第１登録要求Ａの受信を待機する。このＳＨ１１５で所定時間内に第１登録要求Ａの受信が無い場合には、タイムアウトである旨を示す画面（図示外）を店舗端末に対して配信して、ＳＨ１０７に戻る。このＳＨ１１５で第１登録要求Ａの受信有り（ＹＥＳ）と判定された場合には、前記エンコード情報照合処理を行う（ＳＨ１１６）。このＳＨ１１６で照合ＮＧ（ＮＯ）と判定された場合には、入力が間違っている旨を示す画面を店舗端末に対して配信して（ＳＨ１１７）、ＳＨ１１３又はＳＨ１１４に戻り、再入力を受け付ける。一方、ＳＨ１１６で照合ＯＫ（ＹＥＳ）と判定された場合には、店舗特定手段により、前記受信した第１登録要求Ａに含まれる会員カードＩＤ（第１会員カードＩＤ又は第２会員カードＩＤ）から店舗ＩＤを抽出して（ＳＨ１１８）、グループ識別情報判定手段により、店舗管理手段（グループＤＢ及び店舗ＤＢ）において当該店舗ＩＤにグループ識別情報（グループ名）が対応付けられているか否か、即ち当該店舗ＩＤの店舗がいずれかのグループに属しているか否かを判定する（ＳＨ１１９）。
【０３６７】
このＳＨ１１９で第１登録要求Ａに含まれる会員カードＩＤから抽出した店舗ＩＤにグループ識別情報が対応付けられている（ＹＥＳ）、即ち当該店舗ＩＤの店舗がグループＤＢに記憶されており、グループに属していると判定された場合には、当該店舗ＩＤに対応付けて管理している地域識別情報（地域名）と同一の地域識別情報に対応付けられている他の店舗ＩＤがあるか否かを判定する（ＳＨ１２０）。
【０３６８】
このＳＨ１２０で同一の地域名に対応付けられている他の店舗ＩＤがある（ＹＥＳ）と判定された場合には、ＳＨ１２１に進んで、図１０のＤ２１１及びＤ２１３，又はＤ２１５及びＤ２１６に示すように、グループ店情報提供手段により、第１登録要求Ａに含まれる会員カードＩＤから抽出した店舗ＩＤの店舗を筆頭に、当該店舗ＩＤと同一の地域名に対応付けられている他の店舗ＩＤの店舗を認識可能な画面を情報端末に対して配信して、ＳＨ１２３に進む。
【０３６９】
これによれば、会員が操作する店舗端末（カードユニット２０，キオスク端末３０）から受信した第１登録要求Ａに含まれる会員カードＩＤから特定される店舗ＩＤの店舗がグループに属する場合には、グループ店情報が店舗端末に対して提供されるので、当該グループに属する他のグループ店の存在を会員に認識させることができる。
【０３７０】
また、グループに属する店舗が多い場合（例えば大型グループの場合）であっても、会員が操作する店舗端末（カードユニット２０，キオスク端末３０）から受信した第１登録要求Ａに含まれる会員カードＩＤから特定される店舗ＩＤの店舗と同一地域に所在するグループ店（即ち会員が来店する可能性が高い店舗）を認識可能なグループ店情報が店舗端末に対して提供されるので、会員の利便性が向上する。
【０３７１】
なお、前記ＳＨ１１９で当該店舗ＩＤにグループ識別情報が対応付けられていない（ＮＯ）、即ち当該店舗ＩＤの店舗がいずれのグループにも属しておらず、店舗ＤＢに記憶されていると判定された場合と、前記ＳＨ１２０で同一の地域名に対応付けられている他の店舗ＩＤがない（ＮＯ）と判定された場合には、ＳＨ１２２に進んで、図１０のＤ２１１及びＤ２１３，又はＤ２１５及びＤ２１６において、グループ店情報提供手段により、第１登録要求Ａに含まれる会員カードＩＤから抽出した店舗ＩＤの店舗のみを認識可能な画面を店舗端末に対して配信して、ＳＨ１２３に進む。
【０３７２】
ＳＨ１２３では、店舗端末から送信されてくる第１登録要求Ｂの受信を待機する。このＳＨ１２３で所定時間内に第１登録要求Ｂの受信が無い場合には、タイムアウトである旨を示す画面（図示外）を店舗端末に対して配信して、ＳＨ１０７に戻る。このＳＨ１２３で第１登録要求Ｂの受信有り（ＹＥＳ）と判定された場合には、図３４のＳ１３０に進む。
【０３７３】
図３４に進み、前記Ｓ１２３又はＳＨ１２３で操作端末（情報端末であるＰＣ６又は携帯電話７，店舗端末であるカードユニット２０又はキオスク端末３０）から登録要求Ｂ（第１登録要求Ｂ又は第２登録要求Ｂ）を受信したポイント管理装置５０は、属性情報判定手段により、該受信した登録要求Ｂに含まれる属性情報（性別，生年月日）が既に管理（登録）されているか否かを判定する（Ｓ１３０）。このＳ１３０で属性情報が登録されていない（ＮＯ）と判定された場合には、ポイント会員として初めての登録であるため、ポイント会員情報ＤＢにおいて、前記受信した登録要求に含まれる会員カードＩＤに対応付けて暗証番号及び属性情報を登録し（Ｓ１４１）、該登録要求Ｂに電子メールアドレスが含まれる場合（Ｓ１４２でＹＥＳ）には、会員カードＩＤに対応付けて該電子メールアドレスも登録し（Ｓ１４３）、さらに該登録要求Ｂにメール配信店舗の店舗ＩＤが含まれる場合（Ｓ１４４でＹＥＳ）には、会員カードＩＤに対応付けて当該店舗ＩＤをメール配信店舗の記憶欄に記憶する（Ｓ１４５）。そして該登録が完了した旨を示す登録完了画面（図示外）を操作端末に配信して（Ｓ１４６）、該操作端末が情報端末である場合にはＳ１７１に進み、店舗端末である場合にはＳ０００に進む。
【０３７４】
これによれば、ポイント管理装置５０において、会員の所持する情報端末（ＰＣ６，携帯電話７）から第２登録要求Ｂが送信されてくると会員カードＩＤの登録が行われると共に、店舗に設置される店舗端末（カードユニット２０，キオスク端末３０）から第１登録要求Ｂが送信されてきても会員識別情報の登録が行われるので、情報端末を所有していない店舗会員や情報端末の操作が不得意な店舗会員であってもポイント会員として会員識別情報の登録が可能となり、すべての店舗会員に公平にポイント会員としての利益を享受する機会を与えることができる。
【０３７５】
一方、前記Ｓ１３０で属性情報が登録されている（ＹＥＳ）と判定された場合には、店舗特定手段により、前記登録要求Ｂに含まれる会員カードＩＤから店舗ＩＤを抽出すると共に、前記登録されている属性情報に対応付けて既に管理されている会員カードＩＤから店舗ＩＤを抽出し（Ｓ１３１）、店舗一致判定手段により、Ｓ１３１で抽出された店舗ＩＤが一致するか否かを判定する（Ｓ１３２）。このＳ１３２で店舗ＩＤが一致しない（ＮＯ）と判定された場合には、同一会員による異なる店舗の会員カードの登録であり、ポイント会員として登録すべきであるため、Ｓ１４１以下に進む。
【０３７６】
一方、Ｓ１３２で店舗ＩＤが一致する（ＹＥＳ）と判定された場合とは、ある店舗の会員カードをポイント会員として既に登録している会員が、当該店舗の他の会員の会員カードを拾って、該拾った会員カードを自分の会員カードとは別に登録しようとしている場合か、又は当該会員の性別及び生年月日と同じ性別及び生年月日が当該店舗の他の会員の属性情報として偶然に登録されている場合であるため、会員識別情報抽出手段により、前記登録要求Ｂに含まれる会員カードＩＤと前記既に管理されている会員カードＩＤとを抽出して（Ｓ１３３）、Ｓ１３４に進む。
【０３７７】
これによれば、登録要求Ｂに含まれる属性情報が既に管理されており、該管理されている属性情報に対応付けて既に登録されている会員カードＩＤに対応する店舗と、登録要求に含まれる会員カードＩＤに対応する店舗とが一致する場合には、該登録要求Ｂに含まれる会員カードＩＤと前記既に登録されている会員カードＩＤとが抽出されるので、他の会員の記録媒体を拾った会員が当該他の会員の記録媒体を自分の記録媒体とは別に登録しようとしている可能性を特定することができる。
【０３７８】
Ｓ１３４では、Ｓ１３３で抽出した会員カードＩＤの両方が第１会員カードＩＤであるか否かを判定する。このＳ１３４で両方が第１会員カードＩＤである（ＹＥＳ）と判定された場合には、該第１会員カードＩＤが記録された記録媒体の発行店舗に設置されている第１会員管理装置１００に対して、各第１会員カードＩＤに対応付けて管理されている氏名及び住所の送信を要求して（Ｓ１３５）、氏名及び住所の受信を待機する（Ｓ１３７）。このＳ１３７で氏名及び住所の受信が有る（ＹＥＳ）と判定された場合には、該受信した各々の氏名及び住所が一致するか否かを判定する（Ｓ１３８）。
【０３７９】
このＳ１３８で一致しない（ＮＯ）と判定された場合とは、当該会員の性別及び生年月日と同じ性別及び生年月日が当該店舗の他の会員の属性情報として偶然に登録されている場合であり、ポイント会員として登録すべきであるため、Ｓ１４１以下に進む。一方、Ｓ１３８で一致する（ＹＥＳ）と判定された場合とは、ある店舗の会員カードをポイント会員として既に登録している会員が、当該店舗の他の会員の会員カードを拾って、該拾った会員カードを自分の会員カードとは別に登録しようとしている場合であり、ポイント会員として登録すべきでないため、前記Ｓ１３３で抽出した会員カードＩＤをディスプレイ５４に表示し（Ｓ１３９）、会員カードＩＤの登録が行われなかった旨を示すエラー画面（図示外）を操作端末に対して配信して（Ｓ１４０）、該操作端末が情報端末である場合にはＳ１７１に進み、店舗端末である場合はＳ０００に進む。
【０３８０】
前記Ｓ１３４で両方が第１会員カードＩＤでない（ＮＯ），即ちＳ１３３で抽出した会員カードＩＤの両方が第２会員カードＩＤであると判定された場合には、該会員カードＩＤをディスプレイ５４に表示し（Ｓ１３５）、該第２会員カードＩＤをポイント会員として登録するために、Ｓ１４１以下に進む。Ｓ１３５で表示された第２会員カードＩＤを見たオペレータは、該第２会員カードＩＤが記録された記録媒体の発行店舗に対して、該第２会員カードＩＤに対応付けて第２会員管理装置２００で管理されている氏名及び住所を電話等で問い合わせて、該氏名及び住所を取得する。そしてオペレータは、該取得した各々の氏名及び住所が一致すると判断した場合には、入力装置５５を操作して、Ｓ１４１，Ｓ１４３，及びＳ１４５の登録を消去する処理を行う。
【０３８１】
図３５に進み、前記Ｓ１５０又はＳＨ１５０で操作端末（情報端末であるＰＣ６又は携帯電話７，店舗端末であるカードユニット２０又はキオスク端末３０）に対してログイン画面を配信したポイント管理装置５０は、該操作端末から送信されてくるログイン要求の受信を待機する（Ｓ２００）。
【０３８２】
具体的には、ＰＣ６又は携帯電話７に対しては、図３のＤ１５０に示すように、登録済の会員カードＩＤ及び暗証番号の入力欄が表示されているログイン画面が配信されて、ディスプレイに表示される。このログイン画面で、ポイント会員が操作キーを操作し、会員カードＩＤ及び暗証番号を入力して「ログイン」ボタンを操作すると、該入力された会員カードＩＤ及び暗証番号が一時的に記憶されると共に、該会員カードＩＤ及び暗証番号を含むログイン要求が、インターネットを介して、ポイント管理装置５０に対して送信される。
【０３８３】
なお前述の如く、ＰＣ６又は携帯電話７において、図３のＤ１５０に示すログイン画面に会員カードＩＤ及び暗証番号が入力された状態で、該画面（ＵＲＬ）をブックマーク（お気に入り）に登録しておくと、該入力された会員カードＩＤ及び暗証番号がクッキーに記憶される。そして該登録されているブックマークを選択すると、クッキーに記憶されている会員カードＩＤ及び暗証番号が入力された状態でＤ１５０のログイン画面が表示され、「ログイン」ボタンを操作すると、該ログイン画面に表示されている登録済の会員カードＩＤ（即ちログインＩＤ）と暗証番号とを含むログイン要求が、インターネットを介して、ポイント管理装置５０に対して送信される。
【０３８４】
またカードユニット２０及びキオスク端末３０に対しては、図９のＤ２５０に示すように、登録済の暗証番号の入力欄が表示されているログイン画面が配信されて、ディスプレイに表示される。このログイン画面では、カードユニット２０においては、挿入されている登録済の会員カードのＩＣチップからカードＲ／Ｗ２５により読み取った会員カードＩＤが表示され、キオスク端末３０においては、挿入されている登録済の会員カードの磁気ストライプからカードリーダ３３により読み取った会員カードＩＤに基づいて前記会員カードＩＤ特定処理により特定された会員カードＩＤが表示され、カードユニット２０又はキオスク端末３０において会員カードＩＤが手入力された場合には、該手入力された会員カードＩＤが表示される。このログイン画面で、ポイント会員が操作キーを操作し、暗証番号を入力して「ログイン」ボタンを操作すると、前記表示されている会員カードＩＤ及び該入力された暗証番号が一時的に記憶されると共に、該会員カードＩＤ及び暗証番号を含むログイン要求が、インターネットを介して、ポイント管理装置５０に対して送信される。
【０３８５】
このＳ２００で情報端末から所定時間内にログイン要求の受信が無い場合には、タイムアウトである旨を示す画面（図示外）を該情報端末に対して配信して、Ｓ１０５に戻る。このＳ２００でログイン要求の受信が有る（ＹＥＳ）と判定された場合には、該ログイン要求に含まれる会員カードＩＤ及び暗証番号とポイント会員情報ＤＢで記憶している会員カードＩＤ及び暗証番号との照合を行い、該照合がＯＫであるか否かを判定する（Ｓ２０１）。このＳ２０１で照合ＮＧ（ＮＯ）と判定された場合には、照合ＮＧである旨を示すエラー画面を配信して（Ｓ２０２）、操作端末が情報端末である場合にはＳ１７１に進み、店舗端末である場合にはＳ０００に進む。一方、Ｓ２０１で照合ＯＫ（ＹＥＳ）と判定された場合には、受信したログイン要求に含まれる会員カードＩＤ（即ちログインＩＤ）を特定し（Ｓ２０３）、該特定したログインＩＤを、前記ログイン要求の送信元である操作端末（以下「送信元端末」と称する。）のＩＰアドレスに対応付けて記憶して（Ｓ２０４）、Ｓ２０５に進む。
【０３８６】
このように、ログインＩＤがＩＰアドレスに対応付けて記憶されることにより、送信元端末から送信されてくる、会員統合処理要求（Ｓ２６０），引き継ぎ処理要求（Ｓ２６２），登録情報の更新要求（Ｓ２６４），グループ店一覧要求（Ｓ２６５），ポイント使用要求（Ｓ２６６），アンケートの回答情報（Ｓ２７０），当選時の氏名・住所の登録情報（Ｓ２８０），及び統合ＩＤ情報（図３７のＳ３０７）にログインＩＤが含まれていなくても、該送信元端末のＩＰアドレスに対応付けて記憶しているログインＩＤを特定することができる。従って、該ログインＩＤを含むログイン要求と、登録情報の更新要求（Ｓ２６４），グループ店一覧要求（Ｓ２６５），又はポイント使用要求（Ｓ２６６）とを合わせたものが、会員カードＩＤを含む情報公開要求であり、またログインＩＤを含むログイン要求と、統合ＩＤ情報（図３７のＳ３０７）とを合わせたものが、複数の会員カードＩＤを含む会員統合要求である。
【０３８７】
Ｓ２０５では、前記ログインＩＤに対応付けてポイント会員情報ＤＢで記憶しているポイントを特定し、Ｓ２０６で、該特定したポイントをメニュー画面（送信元端末が情報端末である場合には図３のＤ１５１に示すメニュー画面，送信元端末が店舗端末である場合には図９のＳ２５１に示すメニュー画面）の所定領域に設定し、さらに当該メニュー画面について、グループ店追加情報設定処理（Ｓ２１０），アンケート設定処理（Ｓ２２０），イベント情報設定処理（Ｓ２３０），及び当選情報設定処理（Ｓ２４０）を行う。
【０３８８】
具体的には、Ｓ２１０のグループ店追加情報設定処理では、図３６（ａ）に示すように、ログインＩＤに対応付けて、通知情報ＤＢでグループ店追加情報が記憶されているか否かを判定する（Ｓ２１１）。このＳ２１１でグループ店追加情報の記憶が無い（ＮＯ）と判定された場合には、追加グループ店がない旨を、メニュー画面のグループ店追加情報表示領域に設定して（Ｓ２１３）、Ｓ２２０に進む。
【０３８９】
一方、Ｓ２１１でグループ店追加情報の記憶が有る（ＹＥＳ）と判定された場合には、該記憶されているグループ店追加情報の内容に応じて、図４４のＤ４５０−１又はＤ４５０−２に示す情報（即ち新規店舗の追加情報又は新グループのグループ店一覧情報）を、メニュー画面のグループ店追加情報表示領域に設定して（Ｓ２１２）、Ｓ２２０に進む。
【０３９０】
ここでＤ４５０−１は、ログイン要求に含まれる会員カードＩＤ（例えばＤ１５０やＤ２５０に示すＡ店の会員カードＩＤ）から抽出した店舗ＩＤの店舗が属するグループに新規店舗の追加が行われた旨を、該会員カードＩＤの会員に対して示す画面であり、該追加された新規店舗（ここではＺ店）が表示される。またＤ４５０−２は、ログイン要求に含まれる会員カードＩＤ（例えば図示しないがＰ店の会員カードＩＤ）から抽出した店舗ＩＤの店舗について新たなグループが設定された旨を、該会員カードＩＤの会員に対して示す画面であり、該設定された新グループ（ここでは□□グループ）に属するグループ店（ここではＰ店，Ｑ店，Ｒ店）の一覧が表示される。
【０３９１】
これによれば、新たなグループの設定又は既に設定されているグループに対する新規店舗の追加が行われた場合に、当該グループに属する各店舗で発行された会員カードの所有者に対して、グループ店一覧又は新規店舗が通知されるので、会員に新たに統合できる店舗があることを認識させることができる。
【０３９２】
またＳ２２０のアンケート設定処理では、図３６（ｂ）に示すように、通知対象判定手段により、ログインＩＤに対応付けて、通知情報ＤＢでアンケートが記憶されているか否かを判定する（Ｓ２２１）。このＳ２２１でアンケートが記憶されていない（ＮＯ）と判定された場合には、アンケートが無い旨を、メニュー画面のアンケート表示領域に設定して（Ｓ２２４）、Ｓ２３０に進む。
【０３９３】
一方、Ｓ２２１でアンケートが記憶されている（ＹＥＳ）と判定された場合には、電子メールアドレス管理判定手段により、前記記憶しているログインＩＤに対応付けてポイント会員情報ＤＢで電子メールアドレスが登録されているか否かを判定する（Ｓ２２２）。このＳ２２２で電子メールアドレスが登録されている（ＹＥＳ）と判定された場合には、通知情報返信手段により、通知情報であるアンケート情報を設定せず、該アンケート情報を電子メールで配信済みである旨を、メニュー画面のアンケート表示領域に設定して（Ｓ２２５）、Ｓ２３０に進む。
【０３９４】
前記Ｓ２２２で電子メールアドレスが登録されていない（ＮＯ）と判定された場合には、通知情報返信手段により、アンケートを表示した図４４のＤ４６０に示す情報を、メニュー画面のアンケート表示領域に設定して（Ｓ２２３）、Ｓ２３０に進む。なおＤ４６０で、ポイント会員が操作キーを操作して、アンケートの内容に応じた選択肢（ここでは好きな景品の選択肢）に対応するチェックボックスをチェックして、「応募」ボタンを選択することで、チェックされた選択肢（即ちアンケートへの回答）を示す回答情報が、インターネットを介してポイント管理装置５０に対して送信される。
【０３９５】
またＳ２３０のイベント情報設定処理では、図３６（ｃ）に示すように、通知対象判定手段により、ログインＩＤに対応付けて、通知情報ＤＢでイベント情報が記憶されているか否かを判定する。このＳ２３１でイベント情報が記憶されていない（ＮＯ）と判定された場合には、イベント情報が無い旨を、メニュー画面のイベント情報表示領域に設定して（Ｓ２３４）、Ｓ２４０に進む。
【０３９６】
一方、Ｓ２３１でイベント情報が記憶されている（ＹＥＳ）と判定された場合には、Ｓ２２２と同様に、電子メールアドレス管理判定手段により、前記ログインＩＤに対応付けてポイント会員情報ＤＢで電子メールアドレスが登録されているか否かを判定する（Ｓ２３２）。このＳ２３２で電子メールアドレスが登録されている（ＹＥＳ）と判定された場合には、通知情報返信手段により、通知情報であるイベント情報を設定せず、該イベント情報を電子メールで配信済みである旨を、メニュー画面のイベント情報表示領域に設定して（Ｓ２３５）、Ｓ２４０に進む。
【０３９７】
前記Ｓ２３２で電子メールアドレスが登録されていない（ＮＯ）と判定された場合には、通知情報返信手段により、イベント情報を表示した図４４のＤ４７０に示す情報を、メニュー画面のイベント情報表示領域に設定して（Ｓ２３３）、Ｓ２４０に進む。このＤ４７０では、前記図１８のＤ５０で入力されたイベント情報が表示される。
【０３９８】
これによれば、ある店舗のイベント情報を、当該店舗の会員であって、電子メールアドレスを登録していない会員に対しても提供することができる。なお電子メールアドレスを登録しており、当該店舗の店舗ＩＤをメール配信店舗として登録している会員に対しては、当該店舗のイベント情報は、前記図３０のＳ９４又はＳ９５に示すように、電子メールに含まれて該電子メールアドレスに対して送信される。
【０３９９】
またＳ２４０の当選情報設定処理では、図３６（ｄ）に示すように、通知対象判定手段により、ログインＩＤに対応付けて、通知情報ＤＢで当選情報が記憶されているか否かを判定する（Ｓ２４１）。このＳ２４１で当選情報が記憶されていない（ＮＯ）と判定された場合には、当選情報が無い旨を、メニュー画面の当選情報表示領域に設定して（Ｓ２４５）、Ｓ２５０に進む。
【０４００】
一方、Ｓ２４１で当選情報が記憶されている（ＹＥＳ）と判定された場合には、Ｓ２２２と同様に、電子メールアドレス管理判定手段により、前記ログインＩＤに対応付けてポイント会員情報ＤＢで電子メールアドレスが登録されているか否かを判定する（Ｓ２４２）。このＳ２４２で電子メールアドレスが登録されている（ＹＥＳ）と判定された場合には、通知情報返信手段により、通知情報である当選情報を設定せず、該当選情報を電子メールで配信済みである旨を、メニュー画面の当選情報表示領域に設定して（Ｓ２４６）、Ｓ２５０に進む。
【０４０１】
前記Ｓ２４２で電子メールアドレスが登録されていない（ＮＯ）と判定された場合には、前記ログインＩＤに対応付けてポイント会員情報ＤＢで氏名及び住所が登録されているか否かを判定する（Ｓ２４３）。
【０４０２】
このＳ２４３で氏名及び住所が登録されている（ＹＥＳ）と判定された場合には、通知情報返信手段により、当選情報を表示した図４４のＤ４８０−１に示す情報を、メニュー画面の当選情報表示領域に設定して（Ｓ２４７）、Ｓ２５０に進む。このＤ４８０−１では、前記図２９のＤ３０と同様に、抽選に当選した旨が表示される。
【０４０３】
一方、Ｓ２４３で氏名及び住所が登録されていない（ＮＯ）と判定された場合には、当選情報と氏名及び住所の入力要求とを表示した図４４のＤ４８０−２に示す情報を、メニュー画面の当選情報表示領域に設定して（Ｓ２４４）、Ｓ２５０に進む。このＤ４８０−２では、前記図３２のＤ３１と同様に、抽選に当選した旨が表示されると共に、氏名及び住所の入力が求められ、氏名及び住所の入力欄が表示される。なお図４４のＤ４８０−２で、ポイント会員が操作キーを操作して、氏名及び住所を入力欄に入力して、「登録」ボタンを操作すると、該入力された氏名及び住所を含む登録情報が、インターネットを介してポイント管理装置５０に対して送信される。
【０４０４】
これらグループ店追加情報設定処理，アンケート設定処理，イベント情報設定処理，及び当選情報設定処理によれば、店舗端末（カードユニット２０，キオスク端末３０）から登録を行い電子メールアドレスが登録されていないポイント会員に対しても、通知情報を店舗端末に返信して通知することができる。また情報端末（ＰＣ６，携帯電話７）から登録を行ったポイント会員に対しては、通知情報が電子メールで迅速に通知される一方、該ポイント会員に対しては、確認要求を受信しても通知情報が返信されないので、通知情報を既に電子メールで受け取っているポイント会員に対する該通知情報の無駄な重複送信が防止される。
【０４０５】
図３５に戻り、Ｓ２１０，Ｓ２２０，Ｓ２３０，及びＳ２４０の各処理を行ったポイント管理装置５０は、ログインＩＤに対応付けて通知情報ＤＢで記憶されているグループ店追加情報，アンケート情報，イベント情報，及び当選情報を消去して（Ｓ２５０）、設定されたメニュー画面を記憶し（Ｓ２５１）、会員専用ページ送信手段により、送信元端末が情報端末（ＰＣ６，携帯電話７）である場合には図３のＤ１５１に示すメニュー画面，送信元端末が店舗端末（カードユニット２０，キオスク端末３０）である場合には図９のＤ２５１に示すメニュー画面を、会員専用ページとして配信する（Ｓ２５２）。
【０４０６】
このＳ２５２でメニュー画面を配信したポイント管理装置５０は、該メニュー画面でのボタン操作や入力に応じて操作端末から送信されてくる、会員統合処理要求（Ｓ２６０），引き継ぎ処理要求（Ｓ２６２），登録情報の更新要求（Ｓ２６４），グループ店一覧要求（Ｓ２６５），ポイント使用要求（Ｓ２６６），アンケートの回答情報（Ｓ２７０），当選時の氏名・住所の登録情報（Ｓ２８０），及びログアウト要求（Ｓ２９０）の受信を待機する状態となる。
【０４０７】
このＳ２６０で会員統合処理要求の受信有り（ＹＥＳ）と判定された場合には、図３７に進み、グループ該当店舗判定手段により、該会員統合処理要求の送信元端末のＩＰアドレスに対応付けて記憶しているログインＩＤから店舗ＩＤを抽出して（Ｓ３００）、該店舗ＩＤにグループ名が対応付けられているか否か（即ち該店舗ＩＤが図２４（ｂ）に示すグループＤＢで記憶されているグループに属する店舗の店舗ＩＤであるか否か）を判定する（Ｓ３０１）。
【０４０８】
このＳ３０１で店舗ＩＤにグループ名が対応付けられていない（即ちグループに属する店舗の店舗ＩＤでない）と判定された場合には、「グループ店でないので統合できません」というメッセージを表示したエラー画面を操作端末に対して配信して（Ｓ３０２）、Ｓ３１６に進む。一方、Ｓ３０１で店舗ＩＤにグループ名が対応付けられている（即ちグループに属する店舗の店舗ＩＤである）と判定された場合には、同一グループ店判定手段により、Ｓ３００で抽出した店舗ＩＤの店舗（例えばＡ店）と同一のグループ（ここでは◎◎グループ）に属するグループ店（ここではＡ店，Ｂ店，Ｃ店，及びＸ店）を特定し（Ｓ３０３）、該グループ店のうち、当該ログインＩＤの店舗（ここではＡ店）と当該ログインＩＤに対応付けて登録されている他の会員カードＩＤの店舗（ここではＸ店）とを統合済店舗として特定すると共に（Ｓ３０４）、当該ログインＩＤに対応付けて登録されていない店舗（ここではＢ店，及びＣ店）を未統合店舗として特定して（Ｓ３０５）、Ｓ３０６に進む。なおログインＩＤに対応付けてすべてのグループ店の会員カードＩＤが登録されている場合には、未統合店舗は特定されず、該未統合店舗は統合受付ページには表示されない。
【０４０９】
Ｓ３０６では、統合受付ページ送信手段により、送信元端末が情報端末である場合には、前記特定したグループ名，統合済店舗，及び未統合店舗を表示した図５のＤ１６０及びＤ１６１に示す統合受付ページを、当該情報端末に対して配信し、送信元端末が店舗端末である場合には、前記特定したグループ名，統合済店舗，及び未統合店舗を表示した図１１のＤ２６０及びＤ２６１の統合受付ページを、当該店舗端末に対して配信して、Ｓ３０７に進む。
【０４１０】
Ｓ３０７では、送信元端末から送信されてくる統合ＩＤ情報の受信を待機する。このＳ３０７で所定時間内に統合ＩＤ情報の受信が無い場合には、タイムアウトである旨を示す画面（図示外）を該送信元端末に対して配信して、Ｓ２５２に戻る。このＳ３０７で統合ＩＤ情報の受信有り（ＹＥＳ）と判定された場合には、同一グループ店判定手段により、Ｓ３０８及びＳ３１０の判定を行う。
【０４１１】
まずＳ３０８では、Ｓ３０７で受信した統合ＩＤ情報に含まれる会員カードＩＤ（第１会員カードＩＤ又は第２会員カードＩＤ）がポイント会員として登録済であるか否か、具体的には、該統合ＩＤ情報に含まれる会員カードＩＤが図２３（ａ）の左１列に示す会員カードＩＤの記憶欄で記憶されており、かつ該会員カードＩＤに対応付けられている暗証番号と前記統合ＩＤ情報に含まれる暗証番号とが一致するか否かを判定する。このＳ３０８でポイント会員として登録されていない（ＮＯ）と判定された場合には、「ポイント会員登録を行って下さい」というメッセージを表示したエラー画面を操作端末に対して配信して（Ｓ３０９）、Ｓ３１６に進む。一方、Ｓ３０８でポイント会員として登録済である（ＹＥＳ）と判定された場合には、Ｓ３１０に進む。
【０４１２】
Ｓ３１０では、Ｓ３０７で受信した統合ＩＤ情報に含まれる未統合店舗の店舗ＩＤと該統合ＩＤ情報に含まれる会員カードＩＤから特定される店舗ＩＤとが一致するか否か、即ち統合ＩＤ情報に含まれる会員カードＩＤについて、ある未統合店舗（例えばＢ店）についての入力欄に入力された該会員カードＩＤが当該未統合店舗の会員カードＩＤであるか否かを判定する。このＳ３１０で店舗ＩＤが一致しない（ＮＯ）と判定された場合、例えばＢ店の会員カードＩＤがＣ店の入力欄に入力されている場合には、会員統合処理が行われず、「Ｃ店の会員カードＩＤではありません」というメッセージを表示したエラー画面を操作端末に対して配信して（Ｓ３１１）、Ｓ３１６に進む。一方、Ｓ３１０で店舗ＩＤが一致する（ＹＥＳ）と判定された場合、即ちＢ店の会員カードＩＤがＢ店の入力欄に入力されている場合には、Ｓ３１２に進む。
【０４１３】
Ｓ３１２では、会員統合処理として、会員識別情報対応付け処理手段により会員識別情報対応付け処理を行うと共に、ポイント合算手段によりポイント合算処理を行う。具体的には、ログインＩＤ（例えばＡ００００１）と未統合店舗の会員カードＩＤ（ここではＢ００７７７）とを統合する会員統合処理が行われた場合には、ポイント会員情報ＤＢにおいて、Ａ００００１とＢ００７７７とを上下に並べることにより両会員カードＩＤが対応付けて登録されると共に、各会員カードＩＤに対応する属性情報，メール配信店舗，累計使用金額，及び累計ポイントの記憶欄が統合される。そして統合された属性情報の記憶欄には、両会員カードＩＤに対応付けられていた属性情報が記憶され、統合されたメール配信店舗の記憶欄には、各会員カードＩＤに対応付けられていたメール配信店舗が統合されて記憶され、統合された累計使用金額の記憶欄には、各会員カードＩＤに対応付けられていた累計使用金額が統合（合算）されて記憶され、統合された累計ポイントの記憶欄には、各会員カードＩＤに対応付けられていた累計ポイントが統合（合算）された合算ポイント数が記憶される。ただし会員統合処理が行われた場合であっても、ポイント会員情報ＤＢにおいて、暗証番号，当日ポイント，及び引き継ぎ特定情報の記憶欄は統合されずに、各会員カードＩＤに対応して存置される。
【０４１４】
即ち、この第１実施形態では、Ｓ３０８に示すように、統合対象となるすべての会員カードＩＤが既にポイント会員として登録されている場合に限って、会員統合処理が行われる。また第１実施形態では、Ｓ３０９に示すように、統合ＩＤ情報に含まれる会員カードＩＤが未統合店舗の会員カードＩＤである場合，つまり統合対象となる会員カードＩＤの店舗が同一でなく、かつ該店舗が同一のグループに属するグループ店である場合に限って、会員統合処理が行われる。
【０４１５】
従って、ポイント管理手段であるポイント会員情報ＤＢは、前記操作端末から、該ポイント会員情報ＤＢで既に登録している統合元会員カードＩＤ（ここではＡ店，Ｘ店の会員カードＩＤ）に対して、該統合元会員カードＩＤから特定される店舗と異なる店舗の会員カードＩＤであって、該ポイント会員情報ＤＢで既に登録している統合対象会員カードＩＤ（ここではＢ店の会員カードＩＤ）を統合する旨の会員統合要求を受信したこと（即ち同一店舗でないこと）を条件として、当該統合元会員カードＩＤと統合対象会員カードＩＤとを対応付けて登録するものである。
【０４１６】
またポイント管理手段であるポイント会員情報ＤＢは、前記操作端末から、該ポイント会員情報ＤＢで既に登録している統合元会員カードＩＤ（ここではＡ店，Ｘ店の会員カードＩＤ）に対して、該統合元会員カードＩＤから特定される店舗と同一のグループに属する店舗の会員カードＩＤであって、該ポイント会員情報ＤＢで既に登録している統合対象会員カードＩＤ（ここではＢ店の会員カードＩＤ）を統合する旨の会員統合要求を受信したこと（即ち同一グループであること）を条件として、当該統合元会員カードＩＤと統合対象会員カードＩＤとを対応付けて登録するものである。
【０４１７】
換言すれば、この第１実施形態では、同一店舗でないこと，及び同一グループであることという条件に加えて、Ｓ３１０でＹＥＳと判定されることを統合の条件としている。つまり第１実施形態では、Ｓ３０３〜Ｓ３０５において、店舗が同一ではなく、かつ同一グループに属する店舗が、未統合店舗として操作端末に対して返信されるので、Ｓ３１０でＹＥＳと判定されると、結果として、同一店舗でなく、かつ同一グループであることを条件として、会員統合処理が行われることとなる。
【０４１８】
Ｓ３１２で会員統合処理を行ったポイント管理装置５０は、Ｓ３１３で、統合後のポイントを特定し、Ｓ３１４で、送信元端末が情報端末である場合には、図５のＤ１６２に示す統合登録完了画面を、当該情報端末に対して配信し、送信元端末が店舗端末である場合には、図１１のＤ２６２に示す統合登録完了画面を、当該店舗端末に対して配信して、Ｓ３１５に進む。このＤ１６２又はＤ２６２では、統合された店舗と統合後のポイントが表示される。
【０４１９】
Ｓ３１５では、前記Ｓ２５１で記憶したメニュー画面で設定されているポイントを、Ｓ３１３で特定した統合後のポイントに更新して、Ｓ３１６で、メニュー画面アクセス要求の受信を待機する（Ｓ３１６）。このＳ３１６でメニュー画面アクセス要求の受信有り（ＹＥＳ）と判定された場合には、前記Ｓ２５２に戻って、Ｓ３１５で更新したメニュー画面を配信する。
【０４２０】
以上に説明したように、統合元会員カードＩＤと統合対象会員カードＩＤとを統合する旨の会員統合要求を受信した際に、該統合元会員カードＩＤから特定される店舗と統合対象会員カードＩＤから特定される店舗とがグループ店である場合に限って統合可能となるので、当該各会員カードＩＤに対応するポイントを合算して使用でき、グループ店での集客の向上に利用することができる。
【０４２１】
また、統合元会員カードＩＤと統合対象会員カードＩＤとを統合する旨の会員統合要求を受信した際に、該統合元会員カードＩＤから特定される店舗と統合対象会員カードＩＤから特定される店舗とが異なっている場合に限って統合が行われるので、会員カードＩＤが記録された会員カードを紛失した会員のポイントが、該会員カードを拾った他の会員のポイントと統合されてしまうおそれが低減し、該会員カードを紛失した会員が不利益を被るおそれを低減することができる。即ち、店舗が一致しても統合が行われてしまうと、会員カードを拾った会員は、該会員カードを紛失した会員のポイントも使用することができ、該会員カードを紛失した会員は勝手にポイントを使用されてしまうことにより不利益を被るが、これによれば、店舗が一致すると統合が行われないので、かかる不利益を被ることがない。
【０４２２】
さらに、会員が１つの店舗で２枚の会員カードを所持すると、１日あたりで付与されるポイントに上限値（例えば１０ポイント）がある場合であっても、２枚の会員カードを所持することによりそれぞれの会員カードで１０ポイントを獲得でき、当該２枚の会員カードを統合すると２倍のポイントを獲得して使用できてしまうという不都合があるが、これによれば、店舗が一致する場合には統合が行われないので、かかる不都合がない。
【０４２３】
なお、統合元会員カードＩＤと統合対象会員カードＩＤに対応する各店舗が一致しない場合には統合されることから、例えばＡ店の会員が、当該Ａ店で他人のＡ店の会員カードを拾い、該拾った他人のＡ店の会員カードと自分のＢ店の会員カードとを統合しようとする場合には統合が行われてしまうが、該拾った他人のＡ店の会員カードを統合しようとする会員は、自身もＡ店の会員カードを所持しており、既にポイント会員として登録しているか，又は登録しようとする自分のＡ店の会員カードと統合しようとするのが通常であるため、多くの場合には統合を防止することができる。
【０４２４】
図３５のＤ２６２で引き継ぎ処理要求の受信有り（ＹＥＳ）、即ち情報端末（ＰＣ６，携帯電話７）から引き継ぎ処理要求を受信したと判定された場合には、図５のＤ１７０に示す引き継ぎ画面を、当該情報端末に対して配信して（Ｓ２６３）、図３８のＳ４００に進む。
【０４２５】
Ｓ４００では、操作端末から送信されてくる引き継ぎ要求の受信を待機する。このＳ４００で所定時間内に引き継ぎ要求の受信が無い場合には、タイムアウトである旨を示す画面（図示外）を該操作端末に対して配信して、該操作端末が情報端末であればＳ２５２，該操作端末が店舗端末であればＳＨ１０７に戻る。このＳ４００で引き継ぎ要求の受信有り（ＹＥＳ）と判定された場合には、登録判定手段により、該引き継ぎ要求に含まれる新会員カードＩＤがポイント会員情報ＤＢで登録済であるか否か、即ち図２３（ａ）の左１列に示す会員カードＩＤの記憶欄で記憶されているか否かを判定する（Ｓ４０１）。このＳ４０１で登録済である（ＹＥＳ）と判定された場合には、引き継ぎができない旨を示すエラー画面を操作端末に対して配信して（Ｓ４０２）、メニュー画面アクセス要求の受信を待機する（Ｓ４０３）。このＳ４０３でメニュー画面アクセス要求の受信有り（ＹＥＳ）と判定された場合には、前記Ｓ２５２に戻って、前記Ｓ２５１で記憶しているメニュー画面を配信する。一方、Ｓ４０１で登録済でない（ＮＯ）と判定された場合には、Ｓ４０５以下に進んで引き継ぎ処理を行う。このＳ４０１の判定を行うのは、既登録の新会員カードＩＤに対する引き継ぎ処理を認めると、以下の問題が生ずるからである。
【０４２６】
具体的には、既登録の新会員カードＩＤに対する引き継ぎ処理が認められ、該引き継ぎ処理に伴って新会員カードＩＤに対応するポイントが無効とされる場合において、前記引き継ぎ要求を送信する前に、新会員カードＩＤが登録されて新たな会員カードが使用され、該新会員カードＩＤに対してポイントが付与された後に引き継ぎ要求を送信すると、当該新会員カードＩＤに対応付けられているポイントが無効になってしまうという問題が生ずる。
【０４２７】
また既登録の新会員カードＩＤに対する引き継ぎ処理が認められ、該引き継ぎ処理に伴って新会員カードＩＤに対応するポイントが無効とされずに既登録会員カードＩＤに対応するポイントと合算される場合において、ある既登録の会員カードの所有者が他人の既登録の会員カードを拾って、該他人の既登録会員カードＩＤを含むと共に自己の既登録会員カードＩＤを新会員カードＩＤとして含む引き継ぎ要求を送信すると、該他人の既登録会員カードＩＤに対応するポイントが新会員カードＩＤに対応するポイントと合算されてしまうという問題が生ずる。
【０４２８】
そこで第１実施形態では、前記Ｓ４０１の判定を行い、新会員カードＩＤが登録されていないことを条件として引き継ぎ処理を行うこととしたので、これらの問題が生じない。即ち、既登録の新会員カードＩＤに対応付けられているポイント数が無効になってしまうということがなく、また既登録の新会員カードＩＤに対応付けられているポイント数に他人の既登録会員カードＩＤに対応付けられているポイント数が合算されて当該他人が損をしてしまうということがない。
【０４２９】
Ｓ４０５では、前記引き継ぎ要求に含まれる未登録の新会員カードＩＤについて、前記エンコード情報照合処理を行う。このＳ４０５で照合ＮＧ（ＮＯ）と判定された場合には、入力が間違っている旨を示す画面を操作端末に対して配信して（Ｓ４０７）、Ｓ４０３に進む。一方、Ｓ４０５で照合ＯＫ（ＹＥＳ）と判定された場合には、前記引き継ぎ要求に含まれる既登録会員カードＩＤについて、前記ポイント会員情報照合処理を行う（Ｓ４０６）。このＳ４０６で照合ＮＧ（ＮＯ）と判定された場合には、Ｓ４０７に進む。
【０４３０】
一方、Ｓ４０６で照合ＯＫ（ＹＥＳ）と判定された場合には、店舗特定手段により、前記引き継ぎ要求に含まれる既登録会員カードＩＤ及び新会員カードＩＤから各々店舗ＩＤを抽出し（Ｓ４０８）、店舗一致判定手段（同一店舗判定手段）により、Ｓ４０８で抽出した各店舗ＩＤが一致するか否かを判定する（Ｓ４０９）。このＳ４０９で店舗ＩＤが一致しない（ＮＯ）と判定された場合には、引き継ぎができない旨を示すエラー画面を操作端末に対して配信して（Ｓ４１０）、Ｓ４０３に進む。一方、Ｓ４０９で店舗ＩＤが一致する（ＹＥＳ）と判定された場合には、Ｓ４１２以下の引き継ぎ処理を行う。これによれば、同一店舗で発行された会員カードの会員カードＩＤに対して引き継ぎ処理が行われるので、他の店舗で発行された会員カードの会員カードＩＤに対して引き継ぎ処理が行われてしまうおそれがない。
【０４３１】
Ｓ４１２では、ポイント会員情報ＤＢにおいて、引き継ぎ処理手段により、前記引き継ぎ要求に含まれる既登録会員カードＩＤに代えて新会員カードＩＤを登録することにより、前記引き継ぎ処理を行い、Ｓ４１３で、該新会員カードＩＤに対応付けて、引き継ぎ日付を記憶すると共に、前記既登録会員カードＩＤを引き継ぎ元ＩＤとして記憶し、Ｓ４１４で、引き継ぎが完了した旨を示す引き継ぎ完了画面を操作端末に対して配信して、Ｓ４０３に進む。
【０４３２】
なお該引き継ぎ完了画面を受信した情報端末（ＰＣ６，携帯電話７）では、クッキーに記憶されている会員カードＩＤ及び暗証番号が、図５のＤ１７０に示す画面で入力された新会員カードＩＤ及び登録する暗証番号に書き換えられて、該書換後の新会員カードＩＤ及び暗証番号でポイント会員専用ホームページにログインしている状態となり、該書換以降は、書換前の会員カードＩＤ及び暗証番号ではログインできないようになる。
【０４３３】
以上に説明したように、会員カードの所有者が操作する操作端末から引き継ぎ要求を受信したことに基づいて引き継ぎ処理が行われるので、該ポイント管理装置５０及び店舗に設けられる会員管理装置（第１会員管理装置１００，第２会員管理装置２００）において引き継ぎ要求の送受信に伴うプログラムを組んだり、該送受信を行うための装置を設けたりする必要がなく、引き継ぎ処理のためのコストが低減される。また該ポイント管理装置５０を含むポイント管理システム１において、引き継ぎ要求を送信するための会員管理装置を店舗に設ける必要が無くなる。
【０４３４】
ここで図３９を参照して、制御部５２が行う引き継ぎ処理について説明する。まず図３９（ａ）に示すように、ポイント会員情報ＤＢにおいて、Ａ００００９とＢ００２４６の会員カードＩＤが対応付けて登録されている状態で、既登録会員カードＩＤ（旧会員カードＩＤ）であるＡ００００９と未登録の新会員カードＩＤであるＡ０１１１１とを含む引き継ぎ要求を受信すると、同一店舗判定手段により既登録会員カードＩＤと新会員カードＩＤが同一店舗（ここではＡ店）で発行された会員カードの会員カードＩＤであると判定され、かつ登録判定手段により新会員カードＩＤがポイント会員情報ＤＢで登録されていないと判定されるので、前記引き継ぎ処理が行われて、図３９（ｂ）に示すようになる。
【０４３５】
具体的には、まず引き継ぎ処理手段により、図３８に示すＳ４１２の処理が行われて、Ａ００００９に代えてＡ０１１１１が登録される引き継ぎ処理が行われる。これにより、新会員カードＩＤであるＡ０１１１１が、既登録会員カードＩＤであるＡ００００９に対応付けて登録されている他の既登録会員カードＩＤであるＢ００２４６に対応付けて登録されたことになる。次に同Ｓ４１３の処理が行われて、Ａ０１１１１に対応付けて、引き継ぎ日付（ここでは９月１６日）が記憶されると共に、Ａ００００９が引き継ぎ元ＩＤとして記憶される。
【０４３６】
次に当日の遊技場の営業終了後において、残額管理ＤＢの記憶内容（図１３（ａ））を受信すると、前記受信ＩＤが小さい順に、前記図２２（ｂ）に示すポイント付与処理が行われて、図３９（ｃ）に示すようになる。具体的には、Ｂ００２４６の会員カードＩＤについては、図示しないが、本日使用金額として該２２０００円が使用されているので、１日あたりに付与されるポイントの上限値である１０ポイントが付与されて、当日ポイントの記憶欄に記憶される。
【０４３７】
またＡ０１１１１の会員カードＩＤについては、本日に引き継ぎ処理が行われているので、以下のようにしてポイント付与処理が行われる。まず引き継ぎ元ＩＤであるＡ００００９に対応する本日使用金額（例えば９０００円）に応じて９ポイントが付与されて、引き継ぎ先ＩＤであるＡ０１１１１に対応する当日ポイントの記憶欄に該９ポイントが記憶される。次に引き継ぎ先であるＡ０１１１１に対応する本日使用金額（例えば３０００円）に応じて３ポイントが付与されるが、前記記憶されている９ポイントと該付与された３ポイントとの合算値が１日あたりに付与されるポイントの上限値である１０ポイントを超えているので、該１０ポイントが当日ポイントの記憶欄に記憶される。なお合算値が上限値を超えていなければ、該合算値が当日ポイントの記憶欄に記憶される。
【０４３８】
このポイント付与処理が行われた後に、ポイント加算処理が行われて、図３９（ｄ）に示すようになる。具体的には、Ａ０１１１１の会員カードＩＤについて当日ポイントの記憶欄に記憶されている１０ポイントと、Ｂ００２４６の会員カードＩＤについて当日ポイントの記憶欄に記憶されている１０ポイントが、両会員カードＩＤについて累計ポイントの記憶欄に記憶されている３７４ポイントに対して加算更新されて３９４ポイントとされると共に、両会員カードＩＤについて当日ポイントの記憶欄に記憶されている１０ポイントが０にされる。なおＡ０１１１１に対応付けて登録されている引き継ぎ特定情報である引き継ぎ日付及び引き継ぎ元ＩＤは、これらポイント付与処理及びポイント加算処理が行われた後であっても、消去されずに存置される。
【０４３９】
この例では、図２２（ａ）に示す如く、ポイント付与対象情報である本日使用金額が遊技場の営業終了時に送信されてくるので、該ポイント付与対象情報の収集間隔は１日毎であり、該ポイント付与対象情報が送信されてくるとポイント付与処理が行われるので、ポイント付与間隔も１日毎であるが、仮にポイント付与対象情報の収集間隔がポイント付与間隔よりも短い（例えば６時間毎の）場合には、該ポイント付与対象情報が収集される前に引き継ぎ要求を受信して引き継ぎ処理を完了すると、収集されるはずのポイント付与対象情報に応じたポイントが付与されず、会員にとって不利益になるという問題がある。具体的には、例えば１０時に営業を開始して２２時に営業を終了する遊技場から、６時間毎、即ち営業中の１６時と営業終了後の２２時にポイント付与対象情報が送信されてくる場合において、１５時に引き継ぎ要求を受信して引き継ぎ処理を完了すると、該１５時までの間に玉貸を行っていたとしても、その玉貸に使用された使用金額は１６時まで収集されないので、該使用金額に応じたポイントが付与されない。
【０４４０】
そこで本発明では、引き継ぎ処理を行うときに、引き継ぎ特定情報として引き継ぎ日付及び引き継ぎ元ＩＤを記憶することにより、前日のポイント付与から本日のポイント付与までの間に引き継ぎ要求が行われた旨を特定可能に管理しておくようにした。そしてポイント付与処理及びポイント加算処理を行う際に、ポイント付与間隔（ここでは当日）中に引き継ぎ処理が行われた旨が管理されていれば、既登録会員カードＩＤに対応するポイント付与対象情報に応じた当日ポイント及び新会員カードＩＤに対応するポイント付与対象情報に応じた当日ポイントを、新会員カードＩＤに対応する累計ポイントに合算するようにしたのである。これによれば、ポイント付与対象情報の収集間隔に依らずに、既登録会員カードＩＤに対応するポイント付与対象情報のうち、新会員カードＩＤに対応付けられたポイントに加算すべきポイントを確実に加算することができる。
【０４４１】
また本発明では、既登録会員カードＩＤに対応する本日使用金額に応じた当日ポイントと新会員カードＩＤに対応する本日使用金額に応じた当日ポイントとの合算値が１日あたりに付与されるポイントの上限値を超えている場合には、該新会員カードＩＤに対応付けられている累計ポイントに対して、当該上限値のポイントが加算されるので、引き継ぎを行った会員に当該上限値を超えたポイントが付与されることがなく、公平にポイントを付与することができる。
【０４４２】
図３５のＳ２６４で登録情報の更新要求の受信有り（ＹＥＳ）と判定された場合には、図４０（ａ）に進み、登録情報の更新要求の送信元端末のＩＰアドレスに対応付けて記憶しているログインＩＤに対応付けて、ポイント会員情報ＤＢで氏名及び住所が登録されているか否かを判定する。このＳ５００で氏名及び住所が登録されていない（ＮＯ）と判定された場合には、更新すべき登録情報の登録がない旨を表示した画面（図示外）を送信元端末に対して配信して（Ｓ５０７）、メニュー画面アクセス要求の受信を待機する（Ｓ５０８）。このＳ５０８でメニュー画面アクセス要求の受信有り（ＹＥＳ）と判定された場合には、前記Ｓ２５２に戻って、前記Ｓ２５１で記憶しているメニュー画面を配信する。一方、Ｓ５００で氏名及び住所が登録されている（ＹＥＳ）と判定された場合には、ポイント会員情報ＤＢから、ログインＩＤに対応付けて登録されている氏名，住所，及び電子メールアドレスも登録されている場合には該電子メールアドレスを抽出し（Ｓ５０１）、該抽出した氏名，住所，及び電子メールアドレスを現在の登録情報として表示した図４３のＤ４３０に示す登録情報表示画面を送信元端末に対して配信して（Ｓ５０２）、更新情報の受信を待機する（Ｓ５０３）。
【０４４３】
このＤ４３０では、現在の登録情報として、氏名，住所，及び電子メールアドレスが表示されると共に、更新後の登録情報として、氏名，住所，及び電子メールアドレスの入力欄が表示される。このＤ４３０で、ポイント会員が操作キーを操作して、更新する氏名，住所，及び／又は電子メールアドレスを入力欄に入力して（更新しない情報の入力欄は空欄のままにして）、「更新」ボタンを操作すると、該入力された情報を含む更新情報が、インターネットを介してポイント管理装置５０に対して送信される。
【０４４４】
ポイント管理装置５０において、Ｓ５０３で送信元端末から更新情報の受信が有る（ＹＥＳ）と判定された場合には、ログインＩＤに対応付けてポイント会員情報ＤＢで記憶している氏名，住所，及び電子メールアドレスを、該受信した更新情報に含まれる氏名，住所，及び電子メールアドレスに更新して（Ｓ５０４）、Ｓ５０５に進む。
【０４４５】
このように、制御部５２が、操作端末から受け付けた会員カードＩＤ（ここでは受信済のログイン要求に含まれる会員カードＩＤ）と更新情報とに基づいて、該会員カードＩＤと対応付けてポイント会員情報ＤＢで管理されている属性情報を更新するので、ポイント管理装置５０にて管理されているポイント会員の属性情報の変更や修正に対応して、最新の属性情報を管理することができる。
【０４４６】
Ｓ５０５では、記憶しているログインＩＤ及び該ログインＩＤに対応付けて登録されている他の会員カードＩＤに第１会員カードＩＤが含まれるか否かを判定する。このＳ５０５で第１会員カードＩＤが含まれない（ＮＯ）と判定された場合には、更新が完了した旨の更新完了画面を、送信元端末に対して配信して（Ｓ５１０）、前記Ｓ５０８に進む。一方、Ｓ５０５で第１会員カードＩＤが含まれる（ＹＥＳ）と判定された場合には、該第１会員カードＩＤと前記更新情報とを、該第１会員カードＩＤに含まれる店舗ＩＤから特定される店舗の第１会員管理装置１００に対して送信して（Ｓ５０６）、前記Ｓ５１０に進む。このＳ５０６の更新情報と第１会員カードＩＤとを受信した第１会員管理装置１００は、第１会員情報ＤＢ（図１３（ｂ））において、該第１会員カードＩＤに対応付けて記憶している氏名，住所，及び電子メールアドレスを該受信した更新情報に更新する。
【０４４７】
このように、第１会員管理装置１００において、ポイント管理装置５０から送信されてきた第１会員カードＩＤと対応付けて第１会員情報ＤＢにより管理している属性情報（ここでは氏名，住所，電子メールアドレス）を、該ポイント管理装置５０から送信されてきた更新後の属性情報に更新するので、第１遊技場においても、変更作業の手間なく、最新の属性情報を管理することができる。
【０４４８】
図３５のＳ２６６でグループ店一覧要求の受信有り（ＹＥＳ）と判定された場合には、図４０（ｂ）に進み、店舗特定手段により、該グループ店一覧要求の送信元端末のＩＰアドレスに対応付けて記憶しているログインＩＤから店舗ＩＤを抽出し、グループ店特定手段により、該抽出した店舗ＩＤの店舗が属するグループのグループ店として図２４（ｂ）に示すグループＤＢで記憶されている各店舗を特定して（Ｓ６００）、Ｓ６０１に進む。
【０４４９】
Ｓ６０１では、Ｓ６００で特定されたグループ店が有るか否かを判定する。このＳ６０１でグループ店が無い（ＮＯ）と判定された場合には、グループ店が無い旨を表示した画面（図示外）を送信元端末に配信して（Ｓ６０３）、メニュー画面アクセス要求の受信を待機する（Ｓ６０４）。このＳ６０４でメニュー画面アクセス要求の受信有り（ＹＥＳ）と判定された場合には、前記Ｓ２５２に戻って、前記Ｓ２５１で記憶しているメニュー画面を配信する。一方、Ｓ６０１でグループ店が有る（ＹＥＳ）と判定された場合には、図４３のＤ４４０に示すように、グループ店一覧を表示した画面を、送信元端末に配信して（Ｓ６０２）、Ｓ６０４に進む。
【０４５０】
これによれば、会員が操作する操作端末から受信したグループ店一覧要求の送信元端末のＩＰアドレスに対応付けて記憶しているログインＩＤに対応する店舗が特定され、該特定された店舗が属するグループのグループ店一覧が返信されるので、会員にグループ店を認識させることができる。
【０４５１】
図３５のＳ２６５でポイント使用要求の受信有り（ＹＥＳ）と判定された場合には、図４１に進み、抽選情報ＤＢで記憶している抽選情報を抽出し（Ｓ７００）、前記メニュー画面に設定されているポイント（現在のポイント数），及び抽出した抽選情報を表示した図４２のＤ４１０に示す画面を送信元端末に対して配信して（Ｓ７０２）、応募情報の受信（Ｓ７０４），又は「商品交換」ボタンの操作（Ｓ７１１）を待機する。このＳ７０４又はＳ７１１で所定時間内に応募情報の受信又は「商品交換」ボタンの操作が無い場合には、タイムアウトである旨を示す画面（図示外）を該操作端末に対して配信して、Ｓ２５２に戻る。
【０４５２】
Ｄ４１０では、前記ログイン要求に含まれる会員カードＩＤに対応するポイント数が現在のポイント数として表示されると共に、抽選情報ＤＢから抽出した抽選の内容（賞名，賞の説明，必要ポイント，及び当選者数）が、「応募」ボタン及び「商品交換」ボタンと共に表示される。このＤ４１０で、ポイント会員が操作キーを操作して、現在のポイント数の範囲内で応募可能な賞を選択（ここでは当該賞に対応するチェックボックスをチェック）して、「応募」ボタンを操作すると、該選択した賞（ここではＢ賞）の抽選への応募を示す応募情報が、インターネットを介してポイント管理装置５０に対して送信される。
【０４５３】
前記Ｓ７０４で送信元端末から応募情報の受信が有る（ＹＥＳ）と判定された場合には、抽選情報ＤＢにおいて、前記抽出した抽選情報の抽選ＩＤの、該応募情報で示される賞に対応する応募者会員カードＩＤの記憶欄に、前記ログインＩＤを記憶し（Ｓ７０５）、抽選への応募に使用されたポイントを、該ログインＩＤに含まれる店舗ＩＤに対応付けてグループＤＢ又は店舗ＤＢで記憶されている残ポイント数から減算更新すると共に、抽選応募使用ポイント数に加算更新し（Ｓ７０６）、抽選への応募に使用されたポイントを、該ログインＩＤに対応付けてポイント会員情報ＤＢで記憶されているポイント数から減算更新すると共に、記憶しているメニュー画面で設定されているポイントも減算更新し（Ｓ７０７）、該減算更新後のポイントを表示した図４２のＤ４１１に示す画面を操作端末に対して配信して（Ｓ７０８）、メニュー画面アクセス要求の受信を待機する（Ｓ７０９）。このＳ７０９でメニュー画面アクセス要求の受信有り（ＹＥＳ）と判定された場合には、前記Ｓ２５２に戻って、Ｓ７０７で更新したメニュー画面を配信する。Ｄ４１１では、賞への応募に使用されたポイント数を減算した後の現在のポイント数と、応募した賞（ここではＢ賞）と、賞への応募に使用されたポイント数（ここでは４０Ｐ）とが表示される。
【０４５４】
前記Ｓ７１１で「商品交換」ボタンの操作が有る（ＹＥＳ）と判定された場合には、前記メニュー画面に設定されているポイント（現在のポイント数），及び商品情報を表示した図４２のＤ４１２に示す画面を送信元端末に対して配信して（Ｓ７１２）、交換情報の受信（Ｓ７１３），又は「抽選応募」ボタンの操作（Ｓ７１６）を待機する。このＳ７１３又はＳ７１６で所定時間内に交換情報の受信又は「抽選応募」ボタンの操作が無い場合には、タイムアウトである旨を示す画面（図示外）を該操作端末に対して配信して、Ｓ２５２に戻る。Ｓ７１６で「抽選応募」ボタンの操作が有る（ＹＥＳ）と判定された場合には、Ｓ７０２に戻る。
【０４５５】
Ｄ４１２では、前記ログイン要求に含まれる会員カードＩＤに対応するポイント数が現在のポイント数として表示されると共に、予め設定されている交換可能な商品の内容（商品名，及び必要ポイント）が、「交換」ボタン及び「抽選応募」ボタンと共に表示される。このＤ４１２で、ポイント会員が操作キーを操作して、現在のポイント数の範囲内で交換可能な商品を選択（ここでは当該商品に対応するチェックボックスをチェック）して、「交換」ボタンを操作すると、該選択した商品（ここでは携帯ストラップ）との交換を示す交換情報が、インターネットを介してポイント管理装置５０に対して送信される。
【０４５６】
前記Ｓ７１３で送信元端末から交換情報の受信が有る（ＹＥＳ）と判定された場合には、商品との交換に使用されたポイントを、前記記憶しているログインＩＤに含まれる店舗ＩＤに対応付けてグループＤＢ又は店舗ＤＢで記憶されている残ポイント数から減算更新すると共に、商品交換使用ポイント数に加算更新し（Ｓ７１４）、商品との交換に使用されたポイントを、該ログインＩＤに対応付けてポイント会員情報ＤＢで記憶されているポイント数から減算更新すると共に、記憶しているメニュー画面で設定されているポイントも減算更新して（Ｓ７１５）、Ｓ７４０に進む。
【０４５７】
Ｓ７４０では、ログインＩＤに対応付けてポイント会員情報ＤＢで氏名及び住所が登録されているか否かを判定する。このＳ７４０で氏名及び住所が登録されている（ＹＥＳ）と判定された場合には、図４２のＤ４１３−１に示す画面を送信元端末に対して配信し、Ｓ７０９に進む。このＤ４１３−１では、商品を発送する旨が表示される。一方、Ｓ７４０で氏名及び住所が登録されていない（ＮＯ）と判定された場合には、氏名及び住所の入力要求を表示した図４２のＤ４１３−２に示す画面を送信元端末に対して配信して（Ｓ７４２）、該送信元端末から氏名及び住所を含む登録情報の受信を待機する（Ｓ７４３）。このＤ４１３−２では、商品を発送する旨が表示されると共に、氏名及び住所の入力が求められ、氏名及び住所の入力欄が表示される。このＤ４１３−２で、ポイント会員が操作キーを操作して、氏名及び住所を入力欄に入力して、「登録」ボタンを操作すると、該入力された氏名及び住所を含む登録情報が、インターネットを介してポイント管理装置５０に対して送信される。
【０４５８】
このＳ７４３で登録情報の受信が有る（ＹＥＳ）と判定された場合には、ポイント会員情報ＤＢにおいて、該受信した登録情報に含まれる氏名及び住所を前記ログインＩＤに対応付けて登録して（Ｓ７４４）、Ｓ７０９に進む。その後、ハードディスク５３で記憶している発送情報ＤＢ（図示外）において、ポイント会員の氏名及び住所に対応付けて、交換した商品が登録され、カード会社からは、該登録された氏名及び住所を宛先として、交換した商品が発送される。
【０４５９】
図３５のＳ２７０で回答情報の受信有り（ＹＥＳ）と判定された場合には、抽選情報ＤＢにおいて、該アンケートに対応する抽選の抽選ＩＤの応募者会員カードＩＤの記憶欄に、前記ログインＩＤを記憶して（Ｓ２７１）、Ｓ２８５に進む。具体的には、ポイント管理装置５０では、該回答情報を受信すると、図２４（ｄ）に示す抽選情報ＤＢにおいて、当該アンケートに対応する抽選の抽選ＩＤ（ここでは４０３５）に対応付けて、前記ログイン要求に含まれる会員カードＩＤが記憶される。またポイント管理装置５０では、制御部５２により、アンケート期間中に受信した回答情報に基づいて、各選択肢の選択数が集計される。Ｓ２８５では、メニュー画面アクセス要求の受信を待機する。このＳ２８５でメニュー画面アクセス要求の受信有り（ＹＥＳ）と判定された場合には、前記Ｓ２５２に戻って、前記Ｓ２５１で記憶しているメニュー画面を配信する。
【０４６０】
図３５のＳ２８０で登録情報の受信有り（ＹＥＳ）と判定された場合には、ポイント会員情報ＤＢにおいて、該受信した登録情報に含まれる氏名及び住所を前記ログインＩＤに対応付けて登録して（Ｓ２８１）、Ｓ２８５に進む。その後、ハードディスク５３で記憶している発送情報ＤＢ（図示外）において、当選したポイント会員の氏名及び住所に対応付けて、当選した賞品が登録され、カード会社からは、該登録された氏名及び住所を宛先として、当選した賞品が発送される。
【０４６１】
図３５のＳ２９０でログアウト要求の受信有り（ＹＥＳ）と判定された場合には、前記Ｓ２５１で記憶しているメニュー画面の設定内容を消去して（Ｓ２９１）、処理を終了する。
【０４６２】
［１’．第１実施形態の変形例］
第１実施形態の変形例に係るポイント管理システム１は、第１実施形態に係るポイント管理システム１と同様の構成を備えるが、上記の第１実施形態では、ポイント管理装置５０において、店舗管理手段であるグループＤＢ及び店舗ＤＢが、店舗ＩＤに対応付けて、当該店舗ＩＤの店舗の所在地が属する地域を個々に識別可能な地域識別情報（地域名）を管理し、操作端末から登録要求Ａを受信すると、グループ店情報提供手段である制御部５２が、図４のＤ１１２又はＤ１１４や、図１０のＤ２１３又はＤ２１６に示すように、グループＤＢにおいて前記受信した登録要求Ａに含まれる店舗特定情報である会員カードＩＤから特定される店舗の店舗ＩＤに対応付けて管理している地域識別情報（地域名）と同一の地域名に対応付けられている他の店舗ＩＤの店舗を認識可能なグループ店情報を操作端末に対して返信したのに対し、この変形例では、店舗管理手段であるグループＤＢ及び店舗ＤＢが、店舗ＩＤに対応付けて、当該店舗ＩＤの店舗の所在地を特定可能な情報（ここでは郵便番号）を管理し、操作端末から登録要求Ａを受信すると、グループ店情報提供手段である制御部５２が、グループＤＢにおいてグループ識別情報（グループ名）に対応付けられている他の店舗ＩＤの店舗を、前記受信した登録要求Ａに含まれる店舗特定情報である会員カードＩＤから特定される店舗の所在地から近い場所に所在する順で認識可能なグループ店情報を操作端末に対して返信する点が異なり、その他の点は同様である。
【０４６３】
即ち、この変形例では、ポイント管理装置５０のハードディスク５３は、前記図２４（ｂ）（ｃ）に示すグループＤＢ及び店舗ＤＢに代えて、図４６（ｂ’）（ｃ’）に示すグループＤＢ及び店舗ＤＢを記憶しており、これらグループＤＢ及び店舗ＤＢでは、店舗ＩＤに対応付けて、前記地域名に代えて、当該店舗ＩＤの店舗の所在地を特定可能な情報として郵便番号を管理（記憶）している。
【０４６４】
また前記グループ設定手段として機能するディスプレイ５４及び入力装置５５においては、図４５に示すように、前記図２５と同様のＤ０１で、オペレータが入力装置５５を操作して、「新規店舗の登録」ボタンを操作すると、Ｄ０２’に示す画面がディスプレイ５４に表示される。このＤ０２’では、新規店舗の店舗名と店舗ＩＤの入力が求められると共に、店舗名の入力欄と店舗ＩＤの入力欄が表示され、さらに当該店舗の郵便番号を選択するためのプルダウンメニューが表示される。このＤ０２’で、オペレータが入力装置５５を操作して店舗名と店舗ＩＤを入力し、プルダウンメニューから当該店舗の郵便番号を選択して「登録」ボタンを操作すると、図４６（ｃ’）に示す店舗ＤＢにおいて、該選択された郵便番号と該入力された店舗名及び店舗ＩＤとが対応付けて記憶される。
【０４６５】
また前記図２５と同様のＤ０３で、新グループの設定が行われると、図４６（ｂ’）に示すグループＤＢにおいて、グループ店として設定された複数の店舗の店舗ＩＤとグループ名とが対応付けて記憶されると共に、該記憶された店舗ＩＤと対応付けて店舗ＤＢで記憶されている郵便番号，店舗名，ポイント会員数，総獲得ポイント数，残ポイント数，及び当月使用ポイント数（抽選応募使用ポイント数と商品交換使用ポイント数）が、当該店舗ＤＢから消去されると共に、グループＤＢに移行されて、前記記憶された店舗ＩＤと対応付けられる。
【０４６６】
また前記図２５と同様のＤ０４及びＤ０５で、グループ店の追加が行われると、図４６（ｂ’）に示すグループＤＢにおいて、Ｄ０４で選択されたグループにＤ０５で選択された店舗の店舗ＩＤが追加されると共に、該追加された店舗ＩＤと対応付けて店舗ＤＢで記憶されている郵便番号，店舗名，ポイント会員数，総獲得ポイント数，残ポイント数，及び当月使用ポイント数（抽選応募使用ポイント数と商品交換使用ポイント数）が、当該店舗ＤＢから消去されると共に、グループＤＢに移行されて、前記追加された店舗ＩＤと対応付けられる。
【０４６７】
また制御部５２は、前記図３２に示すＳ１１８又は図３３に示すＳＨ１１８の処理に代えて、図示しないが、受信した登録要求Ａに含まれる会員カードＩＤから特定される店舗ＩＤに対応付けられているグループ識別情報（グループ名）に対応付けられている他の店舗ＩＤの店舗（即ち同一グループに属する店舗）を、当該会員カードＩＤから特定される店舗（以下「特定店舗」と称する。）の所在地から近い場所に所在する順に抽出する処理を行う。具体的には、特定店舗の郵便番号と他の店舗の郵便番号との差の絶対値が小さい順に他の店舗を抽出する。例えば図４６（ｂ’）に示すグループＤＢで管理されている◎◎グループについては、Ａ店が特定店舗である場合には、郵便番号の差の絶対値が小さい順に、Ｂ店，Ｃ店，及びＸ店の順で、他の店舗を抽出する。またＸ店が特定店舗である場合には、郵便番号の差の絶対値が小さい順に、Ｃ店，Ａ店，及びＢ店の順で、他の店舗を抽出する。
【０４６８】
そして前記グループ店情報提供手段として機能する制御部５２は、特定店舗を筆頭に、前記抽出された順で他の店舗を認識可能な画面を、操作端末に対して送信する処理を行う。
【０４６９】
具体的には、ＰＣ６又は携帯電話７から、Ａ店の会員カードＩＤを含む第２登録要求Ａを受信した場合には、前記図４のＤ１１２に代えて、図４７のＤ１１２’に示すように、特定店舗であるＡ店を筆頭に、前記抽出されたＢ店，Ｃ店，及びＸ店の順で他の店舗を認識可能な画面を、ＰＣ６又は携帯電話７に対して送信する。またＰＣ６又は携帯電話７から、Ｘ店の会員カードＩＤを含む第２登録要求Ａを受信した場合には、前記図４のＤ１１４に代えて、図４７のＤ１１４’に示すように、特定店舗であるＸ店を筆頭に、前記抽出されたＣ店，Ａ店，及びＢ店の順で他の店舗を認識可能な画面を、ＰＣ６又は携帯電話７に対して送信する。
【０４７０】
またカードユニット２０又はキオスク端末３０から、Ａ店の会員カードＩＤを含む第１登録要求Ａを受信した場合には、前記図１０のＤ２１３に代えて、図示しないが、特定店舗であるＡ店を筆頭に、前記抽出されたＢ店，Ｃ店，及びＸ店の順で他の店舗を認識可能な画面を、カードユニット２０又はキオスク端末３０に対して送信する。さらにカードユニット２０又はキオスク端末３０から、Ｘ店の会員カードＩＤを含む第１登録要求Ａを受信した場合には、前記図１０のＤ２１６に代えて、図示しないが、特定店舗であるＸ店を筆頭に、前記抽出されたＣ店，Ａ店，及びＢ店の順で他の店舗を認識可能な画面を、カードユニット２０又はキオスク端末３０に対して送信する。
【０４７１】
これによれば、グループに属する店舗が多い場合（例えば大型グループである場合）であっても、会員が操作する操作端末から受信した会員カードＩＤから特定される店舗の所在地から近い場所に所在する順に（即ち会員が来店する可能性が高い順に）グループ店を認識可能なグループ店情報が操作端末に対して提供されるので、会員の利便性が向上する。
【０４７２】
［２．第２実施形態に係るポイント管理装置５０を含むポイント管理システム１］
第２実施形態に係るポイント管理システム１は、第１実施形態に係るポイント管理システム１と同様の構成を備えるが、該第１実施形態と比較して、第１に、ポイント会員情報ＤＢ，通知情報ＤＢ，及び使用金額ＤＢのデータ記憶形式が相違し、第２に、会員統合処理が相違し、第３に、引き継ぎ処理が相違する。
【０４７３】
まず第１の相違点（ＤＢのデータ記憶形式）に関し、第１実施形態のポイント会員情報ＤＢでは、図２３（ａ）に示すように、統合されている各会員カードＩＤが、上下に並べて登録されるが、第２実施形態のポイント会員情報ＤＢでは、図４８（ａ）に示すように、各会員カードＩＤに対応付けて、他の会員カードＩＤの記憶欄が設けられており、統合されている各会員カードＩＤは、当該他の会員カードＩＤの記憶欄で互いに登録される。具体的には、Ａ００００１の会員カードＩＤに対応付けて、他の会員カードＩＤとしてＸ００００３が登録されていると共に、該Ｘ００００３の会員カードＩＤに対応付けて、他の会員カードＩＤとしてＡ００００１が登録されている。
【０４７４】
また第１実施形態のポイント会員情報ＤＢでは、図２３（ａ）に示すように、統合されている各会員カードＩＤについて、属性情報，メール配信店舗，累計使用金額，及び累計ポイントの記憶欄が統合されているが、第２実施形態のポイント会員情報ＤＢでは、図４８（ａ）に示すように、統合されている各会員カードＩＤであっても、これら属性情報，メール配信店舗，累計使用金額，及び累計ポイントの記憶欄は統合されずに独立しており、各会員カードＩＤに対応付けて、各記憶欄が設けられている。
【０４７５】
従って、前記ポイント合算手段は、第１実施形態では、会員統合処理が行われたときにポイント合算処理を行っているが、第２実施形態では、ログイン要求を受信したときにポイント合算処理を行う。また操作端末から応募情報又は交換情報を受信した際には、図４１のＳ７０７及びＳ７１５に示すように、各会員カードＩＤに対応付けて記憶しているポイント数から、前記選択した賞に応募するために必要なポイント数又は前記選択した商品と交換するために必要なポイント数を減算するが、ここでは前記ログイン要求に含まれる会員カードＩＤに対応するポイントから優先して減算され、該ポイントが不足するようであれば、不足分が当該会員カードＩＤに対応付けて登録されている他の会員カードＩＤに対応するポイントから減算される。
【０４７６】
このポイント会員情報ＤＢと同様に、第２実施形態の通知情報ＤＢでは、図４８（ｂ）に示すように、統合されている各会員カードＩＤであっても、各記憶欄は統合されずに独立しており、また第２実施形態の使用金額ＤＢでは、図４８（ｃ）に示すように、統合されている各会員カードＩＤであっても、各記憶欄は統合されずに独立している。
【０４７７】
また第２の相違点（会員統合処理）に関し、第１実施形態では、統合対象となる会員カードＩＤのすべてが既にポイント会員として登録されていることを条件として会員統合処理が行われるが、第２実施形態では、統合対象となる会員カードＩＤのいずれかが既にポイント会員として登録されていることを条件として会員統合処理が行われる。即ち第２実施形態では、統合対象となる会員カードＩＤのいずれかがポイント会員として未登録であっても、会員統合処理が行われる。
【０４７８】
ここで第２実施形態のＰＣ６及び携帯電話７では、図３のＤ１５１に示すメニュー画面において、「統合登録」ボタンが表示されない一方、同Ｄ１０４に示す初期画面に変えて表示される図４９のＤ１０４’に示す初期画面において、「統合登録」ボタンが表示される。
【０４７９】
このＤ１０４’で、会員が操作キーを操作して、「統合登録」ボタンを操作すると、該統合登録が選択された旨が、インターネットを介して、ポイント管理装置５０に対して送信され、該ポイント管理装置５０からＰＣ６又は携帯電話７に対して、Ｄ１２１’〜Ｄ１２５’に示す画面が配信されて一時的に記憶され、まずＤ１２１’の画面がディスプレイに表示される。このＤ１２１’では、既登録の会員カードについて会員カードＩＤ（第１会員カードＩＤ又は第２会員カードＩＤ）及び登録済の暗証番号の入力が求められると共に、該会員カードＩＤと暗証番号の入力欄が表示される。
【０４８０】
このＤ１２１’で、会員が操作キーを操作して、会員カードの表示領域に表示されている会員カードＩＤと、登録済の暗証番号とを入力して「登録」ボタンを操作すると、該入力内容が一時的に記憶されると共に、前記記憶しているＤ１２２’の画面がディスプレイに表示される。このＤ１２２’では、統合する会員カードの種類を選択するためのボタンとして、「未登録の第１会員カード」ボタン，「未登録の第２会員カード」ボタン，及び「登録済」ボタンが表示される。
【０４８１】
このＤ１２２’で、会員が操作キーを操作して、「未登録の第１会員カード」ボタンを操作すると、前記記憶しているＤ１２３’の画面がディスプレイに表示される。このＤ１２３’では、第１会員カードＩＤ及び初期暗証番号の入力欄が表示される。このＤ１２３’で、未登録の第１会員カード４を所有している会員が操作キーを操作して、当該第１会員カード４の表示領域４ａに表示されている第１会員カードＩＤと、初期暗証番号とを入力して「登録」ボタンを操作すると、Ｄ１２１’で入力されて記憶している内容（即ち既登録の会員カードの会員カードＩＤ及び登録済の暗証番号）と、Ｄ１２３’で入力された内容（即ち未登録の第１会員カード４の会員カードＩＤ及び初期暗証番号）とを含む第１の会員統合要求が、インターネットを介して、ポイント管理装置５０に対して送信される。
【０４８２】
またＤ１２２’で、会員が操作キーを操作して、「未登録の第２会員カード」ボタンを操作すると、前記記憶しているＤ１２４’の画面がディスプレイに表示される。このＤ１２４’では、第２会員カードＩＤ及び他システム会員ＩＤの下４桁の入力欄が表示される。このＤ１２４’で、未登録の第２会員カード５を所有している会員が操作キーを操作して、当該第２会員カード５の表示領域５ａに表示されている第２会員カードＩＤ及び他システム会員ＩＤの下４桁を入力して「登録」ボタンを操作すると、Ｄ１２１’で入力されて記憶している内容（即ち既登録の会員カードの会員カードＩＤ及び登録済の暗証番号）と、Ｄ１２４’で入力された内容（即ち未登録の第２会員カード５の会員カードＩＤ及び他システム会員ＩＤの下４桁）とを含む第１の会員統合要求が、インターネットを介して、ポイント管理装置５０に対して送信される。
【０４８３】
ここで第１の会員統合要求とは、ポイント会員としてポイント管理装置５０に新たに登録する（未登録の）会員カードＩＤを特定可能な会員特定情報（ここでは当該会員カードＩＤそのもの）と該ポイント管理装置５０に既に登録されている（既登録の）会員カードＩＤを特定可能な会員特定情報（ここでは当該会員カードＩＤそのもの）とを含むものである。
【０４８４】
一方、Ｄ１２２’で、会員が操作キーを操作して、「登録済」ボタンを操作すると、前記記憶しているＤ１２５’の画面がディスプレイに表示される。このＤ１２５’では、会員カードＩＤ及び登録済の暗証番号の入力欄が表示される。このＤ１２５’で、登録済の会員カードを所有している会員が操作キーを操作して、当該会員カードの表示領域に表示されている会員カードＩＤと、登録済の暗証番号とを入力して「登録」ボタンを操作すると、Ｄ１２１’で入力されて記憶している内容（即ち既登録の会員カードの会員カードＩＤ及び登録済の暗証番号）と、Ｄ１２５’で入力された内容（即ち既登録の会員カードの会員カードＩＤ及び登録済の暗証番号）とを含む第２の会員統合要求が、インターネットを介して、ポイント管理装置５０に対して送信される。ここで第２の会員統合要求とは、ポイント会員としてポイント管理装置５０に既に登録されている複数の（既登録の）会員カードＩＤを特定可能な複数の会員特定情報（ここでは当該会員カードＩＤそのもの）を含むものである。
【０４８５】
また第２実施形態のカードユニット２０及びキオスク端末３０では、ＰＣ６及び携帯電話７では、図９のＤ２５１に示すメニュー画面において、「統合登録」ボタンが表示されない一方、同Ｄ２０１に示す初期画面に変えて表示される図５０のＤ２０１’に示す初期画面において、「統合登録」ボタンが表示されると共に、統合登録の場合には会員カードを挿入せずに該「統合登録」ボタンの操作を促す旨が表示される。
【０４８６】
このＤ２０１’で、会員が操作キーを操作して、「統合登録」ボタンを操作すると、該統合登録が選択された旨が、インターネットを介して、ポイント管理装置５０に対して送信され、該ポイント管理装置５０からカードユニット２０又はキオスク端末３０に対して、Ｄ２２０’〜Ｄ２２５’に示す画面が配信されて一時的に記憶され、まずＤ２２０’の画面がディスプレイに表示される。このＤ２２０’では、登録済の会員カードの挿入を促す旨が表示される。
【０４８７】
このＤ２２０’が表示されているカードユニット２０で、会員が登録済の会員カードをカードＲ／Ｗ２５に挿入すると、該会員カードのＩＣチップから会員カードＩＤが読み取られて、前記記憶しているＤ２２１’の画面がディスプレイに表示される。このＤ２２１’では、前記読み取った登録済の会員カードＩＤが表示されると共に、登録済の暗証番号の入力欄が表示される。
【０４８８】
またＤ２２０’が表示されているキオスク端末３０で、会員が登録済の会員カードをカードリーダ３３に挿入すると、該会員カードの磁気ストライプから会員ＩＤが読み取られて、該会員ＩＤがポイント管理装置５０に対して送信され、該ポイント管理装置５０において前記会員カードＩＤ特定処理が行われて、該ポイント管理装置５０から会員カードＩＤ特定処理により特定された会員カードＩＤが返信されてきて、前記記憶しているＤ２２１’の画面がディスプレイに表示される。このＤ２２１’では、ポイント管理装置５０から返信されてきた会員カードＩＤが表示されると共に、登録済の暗証番号の入力欄が表示される。
【０４８９】
これらカードユニット２０又はキオスク端末３０で表示されるＤ２２１’で、会員が操作キーを操作して、登録済の暗証番号を入力して「登録」ボタンを操作すると、該Ｄ２２１’で表示されている会員カードＩＤ及び該Ｄ２２１’で入力された暗証番号が一時的に記憶されると共に、前記記憶しているＤ２２２’の画面がディスプレイに表示される。このＤ２２２’では、統合する会員カードの種類を選択するためのボタンとして、「未登録の第１会員カード」ボタン，「未登録の第２会員カード」ボタン，及び「登録済」ボタンが表示される。
【０４９０】
このＤ２２２’で、会員が操作キーを操作して、「未登録の第１会員カード」ボタンを操作すると、前記記憶しているＤ２２３’の画面がディスプレイに表示される。このＤ２２３’では、第１会員カードＩＤ及び初期暗証番号の入力欄が表示される。このＤ２２３’で、未登録の第１会員カード４を所有している会員が操作キーを操作して、当該第１会員カード４の表示領域４ａに表示されている第１会員カードＩＤと、初期暗証番号とを入力して「登録」ボタンを操作すると、Ｄ２２１’で表示・入力されて記憶している内容（即ち既登録の会員カードの会員カードＩＤ及び登録済の暗証番号）と、Ｄ２２３’で入力された内容（即ち未登録の第１会員カード４の会員カードＩＤ及び初期暗証番号）とを含む第１の会員統合要求が、インターネットを介して、ポイント管理装置５０に対して送信される。
【０４９１】
またＤ２２２’で、会員が操作キーを操作して、「未登録の第２会員カード」ボタンを操作すると、前記記憶しているＤ２２４’の画面がディスプレイに表示される。このＤ２２４’では、第２会員カードＩＤ及び他システム会員ＩＤの下４桁の入力欄が表示される。このＤ２２４’で、未登録の第２会員カード５を所有している会員が操作キーを操作して、当該第２会員カード５の表示領域５ａに表示されている第２会員カードＩＤ及び他システム会員ＩＤの下４桁を入力して「登録」ボタンを操作すると、Ｄ２２１’で表示・入力されて記憶している内容（即ち既登録の会員カードの会員カードＩＤ及び登録済の暗証番号）と、Ｄ２２４’で入力された内容（即ち未登録の第２会員カード５の会員カードＩＤ及び他システム会員ＩＤの下４桁）とを含む第１の会員統合要求が、インターネットを介して、ポイント管理装置５０に対して送信される。
【０４９２】
一方、Ｄ２２２’で、会員が操作キーを操作して、「登録済」ボタンを操作すると、前記記憶しているＤ２２５’の画面がディスプレイに表示される。このＤ２２５’では、会員カードＩＤ及び登録済の暗証番号の入力欄が表示される。このＤ２２５’で、登録済の会員カードを所有している会員が操作キーを操作して、当該会員カードの表示領域に表示されている会員カードＩＤと、登録済の暗証番号とを入力して「登録」ボタンを操作すると、Ｄ２２１’で表示・入力されて記憶している内容（即ち既登録の会員カードの会員カードＩＤ及び登録済の暗証番号）と、Ｄ２２５’で入力された内容（即ち既登録の会員カードの会員カードＩＤ及び登録済の暗証番号）とを含む第２の会員統合要求が、インターネットを介して、ポイント管理装置５０に対して送信される。
【０４９３】
ここで操作端末からの会員統合要求（第１の会員統合要求又は第２の会員統合要求）の受信に基づく会員統合処理に関し、制御部５２は、操作端末（ＰＣ６，携帯電話７，カードユニット２０，キオスク端末３０）から、未登録の第１会員カードＩＤと初期暗証番号とを含む会員統合要求，又は未登録の第２会員カードＩＤと他システム会員ＩＤの下４桁とを含む会員統合要求（即ち第１の会員統合要求）を受信したときに、前記エンコード情報照合処理を行う。
【０４９４】
また制御部５２は、操作端末（ＰＣ６，携帯電話７，カードユニット２０，キオスク端末３０）から、会員統合要求（第１の会員統合要求又は第２の会員統合要求）を受信したときに、図２３（ａ）に示すポイント会員情報ＤＢの記憶内容に基づいて、該受信した会員統合要求に含まれる既登録の会員カードＩＤ及び登録済の暗証番号を照合するポイント会員情報照合処理を行う。
【０４９５】
また制御部５２は、前記店舗特定手段として機能することにより、操作端末（ＰＣ６，携帯電話７，カードユニット２０，キオスク端末３０）から、前記会員統合要求（第１の会員統合要求又は第２の会員統合要求）を受信したことに基づいて、該会員統合要求に含まれる複数の会員特定情報（第１会員特定情報，第２会員特定情報）から特定される複数の会員カードＩＤ（第１会員カードＩＤ，第２会員カードＩＤ）に対応する各店舗の店舗ＩＤを特定し、前記店舗一致判定手段として機能することにより、該店舗特定手段により特定された各店舗ＩＤが一致するか否かを判定する。この店舗特定手段及び店舗一致判定手段が、前記合算条件判定手段に相当する。そして前記登録手段として機能する制御部５２は、該店舗一致判定手段により一致しない（即ち受信した会員統合要求に含まれる各会員カードＩＤが記録された各会員カードの発行店舗が異なるという合算条件を満たす）と判定されたことを条件として、前記複数の会員識別情報を対応付けて登録する一方、前記店舗一致判定手段により一致すると判定されたことを条件として、前記複数の会員識別情報を登録しない。
【０４９６】
ここで会員統合要求が前記第１の会員統合要求である場合には、前記店舗特定手段として機能する制御部５２は、店舗端末（カードユニット２０又はキオスク端末３０）から、当該ポイント管理装置５０に新たに登録する会員カードＩＤ（第１会員カードＩＤ，第２会員カードＩＤ）を特定可能な第１会員特定情報又は第２会員特定情報と当該ポイント管理装置５０に既に登録されている会員カードＩＤを特定可能な第１会員特定情報又は第２会員特定情報とを含む第１の会員統合要求を受信したことに基づいて、該受信した第１の会員統合要求に含まれる第１会員特定情報及び／又は第２会員特定情報から特定される各会員カードＩＤ（即ち第１の会員統合要求に含まれる各会員カードＩＤ）に対応する各店舗の店舗ＩＤを特定すると共に、情報端末（ＰＣ６又は携帯電話７）から、当該ポイント管理装置５０に新たに登録する会員カードＩＤ（第１会員カードＩＤ，第２会員カードＩＤ）を特定可能な第１会員特定情報と当該ポイント管理装置５０に既に登録されている会員カードＩＤを特定可能な第２会員特定情報とを含む第１の会員統合要求を受信したことに基づいて、該受信した第１の会員統合要求に含まれる各第２会員特定情報から特定される各会員カードＩＤ（即ち第１の会員統合要求に含まれる各会員カードＩＤ）に対応する各店舗の店舗ＩＤを特定する。
【０４９７】
次に前記店舗一致判定手段として機能する制御部５２は、該店舗特定手段により特定された、前記新たに登録する会員識別情報に対応する店舗の店舗ＩＤと、前記既に登録されている会員識別情報に対応する店舗の店舗ＩＤとが一致するか否かを判定する。そして前記登録手段として機能する制御部５２は、該店舗一致判定手段により一致しないと判定されたことを条件として、前記新たに登録する複数の会員識別情報を前記既に登録されている会員識別情報に対応付けて登録する一方、前記店舗一致判定手段により一致すると判定されたことを条件として、前記新たに登録する複数の会員識別情報を登録しない。
【０４９８】
具体的には、図５１（ａ）に示すように、ある会員が自分のＡ店の会員カードの会員カードＩＤをポイント会員として登録済である場合において、図５１（ａ−１）に示すように、当該会員が操作する操作端末から、自分の既登録のＡ店の会員カードの会員カードＩＤ及び暗証番号と、自分の未登録のＢ店の会員カードの会員カードＩＤ及び暗証番号とを含む第１の会員統合要求を受信すると、前記エンコード情報照合処理及び前記ポイント会員情報照合処理で照合ＯＫであると判定された後、店舗特定手段として機能する制御部５２は、該第１の会員統合要求に含まれる会員カードＩＤからＡ店の店舗ＩＤとＢ店の店舗ＩＤとを抽出し（Ｓ１）、店舗一致判定手段として機能する制御部５２は、該Ｓ１で抽出されたＡ店の店舗ＩＤとＢ店の店舗ＩＤとが不一致であると判定し（Ｓ２）、登録手段として機能する制御部５２は、Ｂ店の会員カードＩＤに対応付けて、第１の会員統合要求に含まれる暗証番号，及び既登録の性別と生年月日を登録し、かつＡ店の会員カードＩＤを他の会員カードＩＤとして登録すると共に（Ｓ３）、該Ｂ店の会員カードＩＤを、Ａ店の会員カードＩＤに対応付けて、他の会員カードＩＤとして登録する（Ｓ４）。
【０４９９】
一方、図５１（ａ−２）に示すように、当該会員が操作する操作端末から、自分の既登録のＡ店の会員カードの会員カードＩＤ及び暗証番号と、他人の未登録のＡ店の会員カードの会員カードＩＤ及び暗証番号とを含む第１の会員統合要求を受信すると、前記エンコード情報照合処理及び前記ポイント会員情報照合処理で照合ＯＫであると判定された後、店舗特定手段として機能する制御部５２は、該第１の会員統合要求に含まれる会員カードＩＤからＡ店の店舗ＩＤとＡ店の店舗ＩＤとを抽出し（Ｓ１）、店舗一致判定手段として機能する制御部５２は、該Ｓ１で抽出されたＡ店の店舗ＩＤとＡ店の店舗ＩＤとが一致であると判定し（Ｓ２）、登録手段として機能する制御部５２は、他人のＡ店の会員カードＩＤを登録しない（Ｓ３）。
【０５００】
ここで制御部５２は、第１の会員統合要求を受信したことに基づいて、該受信した第１の会員統合要求に含まれる会員特定情報（第１会員特定情報又は第２会員特定情報）から特定される既に登録されている会員カードＩＤ（即ち第１の会員統合要求に含まれる各会員カードＩＤ）に対応付けて登録されている会員カードＩＤが有るか否かを判定する同一会員判定手段として機能し、前記店舗特定手段として機能する制御部５２は、該同一会員判定手段により有ると判定されたことを条件として、前記対応付けて登録されている会員カードＩＤに対応する店舗の店舗ＩＤをさらに特定し、前記店舗一致判定手段として機能する制御部５２は、該店舗特定手段により特定された、前記対応付けて登録されている会員カードＩＤに対応する店舗の店舗ＩＤと、前記会員統合要求に含まれる会員特定情報から特定される新たに登録する会員カードＩＤに対応する店舗の店舗ＩＤとが一致するか否かを判定する。
【０５０１】
具体的には、図５１（ａ’）に示すように、ある会員が自分のＡ店の会員カードの会員カードＩＤと、自分のＢ店の会員カードの会員カードＩＤとを対応付けてポイント会員として登録済である場合において、図５１（ａ−１’）に示すように、当該会員が操作する操作端末から、自分の既登録のＡ店の会員カードの会員カードＩＤ及び暗証番号と、自分の未登録のＣ店の会員カードの会員カードＩＤ及び暗証番号とを含む第１の会員統合要求を受信すると、前記エンコード情報照合処理及び前記ポイント会員情報照合処理で照合ＯＫであると判定された後、店舗特定手段として機能する制御部５２は、該第１の会員統合要求に含まれる会員カードＩＤからＡ店の店舗ＩＤとＣ店の店舗ＩＤとを抽出し（Ｓ１）、店舗一致判定手段として機能する制御部５２は、該Ｓ１で抽出されたＡ店の店舗ＩＤとＣ店の店舗ＩＤとが不一致であると判定し（Ｓ２）、同一会員判定手段として機能する制御部５２は、該第１の会員統合要求に含まれる既登録のＡ店の会員カードＩＤに対応付けて登録されているＢ店の会員カードＩＤがあると判定し（Ｓ３）、店舗特定手段として機能する制御部５２は、該既登録のＢ店の会員カードＩＤからＢ店の店舗ＩＤを抽出し（Ｓ４）、店舗一致判定手段として機能する制御部５２は、前記Ｓ１で抽出されたＣ店の店舗ＩＤと該Ｓ４で抽出されたＢ店の店舗ＩＤとが不一致であると判定し（Ｓ５）、登録手段として機能する制御部５２は、Ｃ店の会員カードＩＤに対応付けて、第１の会員統合要求に含まれる暗証番号，及び既登録の性別と生年月日を登録し、かつＡ店の会員カードＩＤ，及びＢ店の会員カードＩＤを他の会員カードＩＤとして登録すると共に（Ｓ６）、該Ｃ店の会員カードＩＤを、Ａ店の会員カードＩＤに対応付けて、他の会員カードＩＤとして登録し、かつＢ店の会員カードＩＤに対応付けて、他の会員カードＩＤとして登録する（Ｓ７）。
【０５０２】
一方、図５１（ａ−２’）に示すように、当該会員が操作する操作端末から、自分の既登録のＡ店の会員カードの会員カードＩＤ及び暗証番号と、他人の未登録のＢ店の会員カードの会員カードＩＤ及び暗証番号とを含む第１の会員統合要求を受信すると、前記エンコード情報照合処理及び前記ポイント会員情報照合処理で照合ＯＫであると判定された後、店舗特定手段として機能する制御部５２は、該第１の会員統合要求に含まれる会員カードＩＤからＡ店の店舗ＩＤとＢ店の店舗ＩＤとを抽出し（Ｓ１）、店舗一致判定手段として機能する制御部５２は、該Ｓ１で抽出されたＡ店の店舗ＩＤとＢ店の店舗ＩＤとが不一致であると判定し（Ｓ２）、同一会員判定手段として機能する制御部５２は、該第１の会員統合要求に含まれる既登録のＡ店の会員カードＩＤに対応付けて登録されているＢ店の会員カードＩＤがあると判定し（Ｓ３）、店舗特定手段として機能する制御部５２は、該既登録のＢ店の会員カードＩＤからＢ店の店舗ＩＤを抽出し（Ｓ４）、店舗一致判定手段として機能する制御部５２は、前記Ｓ１で抽出されたＢ店の店舗ＩＤと該Ｓ４で抽出されたＢ店の店舗ＩＤとが一致であると判定し（Ｓ５）、登録手段として機能する制御部５２は、他人のＢ店の会員カードＩＤを登録しない（Ｓ６）。
【０５０３】
また会員統合要求が前記第２の会員統合要求である場合には、前記店舗特定手段として機能する制御部５２は、店舗端末（カードユニット２０又はキオスク端末３０）から、当該ポイント管理装置５０に既に登録されている複数の会員カードＩＤ（第１会員カードＩＤ，第２会員カードＩＤ）のそれぞれを特定可能な第１会員特定情報及び／又は第２会員特定情報を複数含む第２の会員統合要求を受信したことに基づいて、当該複数の第１会員特定情報及び／又は第２会員特定情報から特定される各会員カードＩＤ（即ち第２の会員統合要求に含まれる各会員カードＩＤ）に対応する各店舗の店舗ＩＤを特定すると共に、情報端末（ＰＣ６又は携帯電話７）から、当該ポイント管理装置５０に既に登録されている複数の会員カードＩＤ（第１会員カードＩＤ，第２会員カードＩＤ）のそれぞれを特定可能な複数の第２会員特定情報を含む第２の会員統合要求を受信したことに基づいて、当該複数の第２会員特定情報から特定される各会員カードＩＤ（即ち第２の会員統合要求に含まれる各会員カードＩＤ）に対応する各店舗の店舗ＩＤを特定する。
【０５０４】
次に前記店舗一致判定手段として機能する制御部５２は、該店舗特定手段により特定された各店舗ＩＤが一致するか否かを判定する。そして前記登録手段として機能する制御部５２は、該店舗一致判定手段により一致しないと判定されたことを条件として、前記既に登録されている複数の会員識別情報を対応付けて登録する一方、前記店舗一致判定手段により一致すると判定されたことを条件として、前記既に登録されている複数の会員識別情報を対応付けて登録しない。
【０５０５】
具体的には、図５２（ｂ）に示すように、ある会員が自分のＡ店の会員カードの会員カードＩＤと自分のＢ店の会員カードの会員カードＩＤとを各々ポイント会員として登録済である場合において、図５２（ｂ−１）に示すように、当該会員が操作する操作端末から、自分の既登録のＡ店の会員カードの会員カードＩＤ及び暗証番号と、自分の既登録のＢ店の会員カードの会員カードＩＤ及び暗証番号とを含む第２の会員統合要求を受信すると、前記ポイント会員情報照合処理で照合ＯＫであると判定された後、店舗特定手段として機能する制御部５２は、該第２の会員統合要求に含まれる会員カードＩＤからＡ店の店舗ＩＤとＢ店の店舗ＩＤとを抽出し（Ｓ１）、店舗一致判定手段として機能する制御部５２は、該Ｓ１で抽出されたＡ店の店舗ＩＤとＢ店の店舗ＩＤとが不一致であると判定し（Ｓ２）、登録手段として機能する制御部５２は、Ａ店の会員カードＩＤに対応付けてＢ店の会員カードＩＤを他の会員カードＩＤとして登録し、かつＢ店の会員カードＩＤに対応付けてＡ店の会員カードＩＤを他の会員カードＩＤとして登録する（Ｓ３）。
【０５０６】
即ちポイント管理手段であるポイント会員情報ＤＢは、前記操作端末から、該ポイント会員情報ＤＢで既に登録している統合元会員カードＩＤ（ここではＡ店の会員カードＩＤ）に対して、該統合元会員カードＩＤから特定される店舗と異なる店舗の会員カードＩＤであって、該ポイント会員情報ＤＢで既に登録している統合対象会員カードＩＤ（ここではＢ店の会員カードＩＤ）を統合する旨の会員統合要求（第２の会員統合要求）を受信したことを条件として、当該統合元会員カードＩＤと統合対象会員カードＩＤとを対応付けて登録する。
【０５０７】
一方、図５２（ｂ−２）に示すように、当該会員が操作する操作端末から、自分の既登録のＡ店の会員カードの会員カードＩＤ及び暗証番号と他人の既登録のＡ店の会員カードの会員カードＩＤ及び暗証番号とを含む第２の会員統合要求を受信すると、前記ポイント会員情報照合処理で照合ＯＫである（即ち他人の既登録のＡ店の会員カードＩＤについては、第２の会員統合要求に含まれる暗証番号が、該会員カードＩＤに対応付けてポイント会員情報ＤＢに登録されている暗証番号と偶然に一致した）と判定された後、店舗特定手段として機能する制御部５２は、該第２の会員統合要求に含まれる会員カードＩＤからＡ店の店舗ＩＤとＡ店の店舗ＩＤとを抽出し（Ｓ１）、店舗一致判定手段として機能する制御部５２は、該Ｓ１で抽出されたＡ店の店舗ＩＤとＡ店の店舗ＩＤとが一致であると判定し（Ｓ２）、登録手段として機能する制御部５２は、第２の会員統合要求に含まれる会員カードＩＤの対応付けを行わない（Ｓ３）。
【０５０８】
ここで前記同一会員判定手段として機能する制御部５２は、第２の会員統合要求を受信したことに基づいて、該受信した第２の会員統合要求に含まれる会員特定情報（第１会員特定情報，第２会員特定情報）から特定される複数の会員カードＩＤ（即ち第２の会員統合要求に含まれる各会員カードＩＤ）のいずれかに対応付けて登録されている会員カードＩＤが有るか否かを判定し、前記店舗特定手段として機能する制御部５２は、該同一会員判定手段により有ると判定されたことを条件として、前記対応付けて登録されている会員カードＩＤに対応する店舗の店舗ＩＤをさらに特定し、前記店舗一致判定手段として機能する制御部５２は、該店舗特定手段により特定された、前記対応付けて登録されている会員カードＩＤに対応する店舗の店舗ＩＤと、前記会員統合要求に含まれる会員特定情報から特定される残りの会員カードＩＤに対応する店舗の店舗ＩＤとが一致するか否かを判定する。
【０５０９】
具体的には、図５２（ｂ’）に示すように、ある会員が自分のＡ店の会員カードの会員カードＩＤと自分のＢ店の会員カードの会員カードＩＤとを対応付けてポイント会員として登録済であり、かつ自分のＣ店の会員カードの会員カードＩＤをポイント会員として別個に登録済である場合において、図５２（ｂ−１’）に示すように、当該会員が操作する操作端末から、自分の既登録のＡ店の会員カードの会員カードＩＤ及び暗証番号と、自分の既登録のＣ店の会員カードの会員カードＩＤ及び暗証番号とを含む第２の会員統合要求を受信すると、前記ポイント会員情報照合処理で照合ＯＫであると判定された後、店舗特定手段として機能する制御部５２は、該第２の会員統合要求に含まれる会員カードＩＤからＡ店の店舗ＩＤとＣ店の店舗ＩＤとを抽出し（Ｓ１）、店舗一致判定手段として機能する制御部５２は、該Ｓ１で抽出されたＡ店の店舗ＩＤとＣ店の店舗ＩＤとが不一致であると判定し（Ｓ２）、同一会員判定手段として機能する制御部５２は、該会員統合要求に含まれる既登録のＡ店の会員カードＩＤに対応付けて登録されているＢ店の会員カードＩＤがあると判定し（Ｓ３）、店舗特定手段として機能する制御部５２は、該登録されているＢ店の会員カードＩＤからＢ店の店舗ＩＤを抽出し（Ｓ４）、店舗一致判定手段として機能する制御部５２は、前記Ｓ１で抽出されたＣ店の店舗ＩＤと該Ｓ４で抽出されたＢ店の店舗ＩＤとが不一致であると判定し（Ｓ５）、登録手段として機能する制御部５２は、Ｃ店の会員カードＩＤに対応付けて、Ａ店の会員カードＩＤ及びＢ店の会員カードＩＤを他の会員カードＩＤとして登録すると共に（Ｓ６）、該Ｃ店の会員カードＩＤを、Ａ店の会員カードＩＤに対応付けて、他の会員カードＩＤとして登録し、かつＢ店の会員カードＩＤに対応付けて、他の会員カードＩＤとして登録する（Ｓ７）。
【０５１０】
一方、図５２（ｂ−２’）に示すように、当該会員が操作する操作端末から、自分の既登録のＡ店の会員カードの会員カードＩＤ及び暗証番号と、他人の既登録のＢ店の会員カードの会員カードＩＤ及び暗証番号とを含む第２の会員統合要求を受信すると、前記ポイント会員情報照合処理で照合ＯＫである（即ち他人の既登録のＡ店の会員カードＩＤについては、第２の会員統合要求に含まれる暗証番号が、該会員カードＩＤに対応付けてポイント会員情報ＤＢに登録されている暗証番号と偶然に一致した）と判定された後、店舗特定手段として機能する制御部５２は、該第２の会員統合要求に含まれる会員カードＩＤからＡ店の店舗ＩＤとＢ店の店舗ＩＤとを抽出し（Ｓ１）、店舗一致判定手段として機能する制御部５２は、該Ｓ１で抽出されたＡ店の店舗ＩＤとＢ店の店舗ＩＤとが不一致であると判定し（Ｓ２）、同一会員判定手段として機能する制御部５２は、該会員統合要求に含まれる既登録のＡ店の会員カードＩＤに対応付けて登録されているＢ店の会員カードＩＤがあると判定し（Ｓ３）、店舗特定手段として機能する制御部５２は、該登録されているＢ店の会員カードＩＤからＢ店の店舗ＩＤを抽出し（Ｓ４）、店舗一致判定手段として機能する制御部５２は、前記Ｓ１で抽出されたＢ店の店舗ＩＤと該Ｓ４で抽出されたＢ店の店舗ＩＤとが一致であると判定し（Ｓ５）、登録手段として機能する制御部５２は、他人のＢ店の会員カードＩＤとの対応付けを行わない（Ｓ６）。
【０５１１】
また制御部５２は、前記店舗特定手段により特定された各店舗ＩＤが前記グループ設定手段（ディスプレイ５４及び入力装置５５）により設定されたグループに属する店舗の店舗ＩＤであるか否かを判定するグループ判定手段として機能する。この店舗特定手段及びグループ判定手段が、前記合算条件判定手段に相当する。そして前記登録手段として機能する制御部５２は、該グループ判定手段によりグループに属する店舗の店舗ＩＤである（即ち受信した会員統合要求に含まれる各会員カードＩＤが記録された各会員カードの発行店舗がグループ設定手段により設定された同一グループに属するという合算条件を満たす）と判定されたことを条件として、前記複数の会員識別情報を対応付けて登録する。
【０５１２】
ここで会員統合要求が前記第１の会員統合要求である場合には、前記登録手段として機能する制御部５２は、前記グループ判定手段によりグループに属する店舗の店舗ＩＤであると判定されたことを条件として、前記新たに登録する会員カードＩＤを前記既に登録されている会員カードＩＤに対応付けて登録する一方、前記グループ判定手段によりグループに属する店舗の店舗ＩＤでないと判定されたことを条件として、前記新たに登録する会員カードＩＤを前記既に登録されている会員カードＩＤに対応付けずに登録する。
【０５１３】
具体的には、前記図５１（ａ−１）に示す例では、店舗特定手段として機能する制御部５２は、前記第１の会員統合要求に含まれる会員カードＩＤからＡ店の店舗ＩＤとＢ店の店舗ＩＤとを抽出しているので（Ｓ１）、グループ判定手段として機能する制御部５２は、図２４（ｂ）に示すグループＤＢの記憶内容に基づいて、該Ｓ１で抽出された店舗ＩＤが同一の◎◎グループに属すると判定し、登録手段として機能する制御部５２は、前記Ｓ３及びＳ４の登録を行う。
【０５１４】
一方、図示しないが、自分の既登録のＡ店の会員カードの会員カードＩＤ及び暗証番号と、自分の未登録のＤ店の会員カードの会員カードＩＤ及び暗証番号とを含む第１の会員統合要求を受信すると、前記エンコード情報照合処理及び前記ポイント会員情報照合処理で照合ＯＫであると判定された後、店舗特定手段として機能する制御部５２は、該第１の会員統合要求に含まれる会員カードＩＤからＡ店の店舗ＩＤとＤ店の店舗ＩＤとを抽出し、グループ判定手段として機能する制御部５２は、図２４（ｂ）に示すグループＤＢの記憶内容に基づいて、該抽出された店舗ＩＤが同一のグループに属さない（即ち抽出された店舗ＩＤがグループに属する店舗の店舗ＩＤでない）と判定し、登録手段として機能する制御部５２は、Ｄ店の会員カードＩＤをＡ店の会員カードＩＤに対応付けないで、該Ｄ店の会員カードＩＤに対応付けて、第１の会員統合要求に含まれる暗証番号，及び既登録の性別と生年月日を登録する。
【０５１５】
また会員統合要求が前記第２の会員統合要求である場合には、前記登録手段として機能する制御部５２は、前記グループ判定手段によりグループに属する店舗の店舗ＩＤであると判定されたことを条件として、前記複数の会員カードＩＤを対応付けて登録する一方、前記グループ判定手段によりグループに属する店舗の店舗ＩＤでないと判定されたことを条件として、前記複数の会員カードＩＤの対応付けを行わない。
【０５１６】
具体的には、前記図５２（ｂ−１）に示す例では、店舗特定手段として機能する制御部５２は、前記第２の会員統合要求に含まれる会員カードＩＤからＡ店の店舗ＩＤとＢ店の店舗ＩＤとを抽出しているので（Ｓ１）、グループ判定手段として機能する制御部５２は、図２４（ｂ）に示すグループＤＢの記憶内容に基づいて、該Ｓ１で抽出された店舗ＩＤが同一の◎◎グループに属すると判定し、登録手段として機能する制御部５２は、前記Ｓ３の登録を行う。
【０５１７】
即ちポイント管理手段であるポイント会員情報ＤＢは、前記操作端末から、該ポイント会員情報ＤＢで既に登録している統合元会員カードＩＤ（ここではＡ店の会員カードＩＤ）に対して、該統合元会員カードＩＤから特定される店舗と同一のグループに属する店舗の会員カードＩＤであって、該ポイント会員情報ＤＢで既に登録している統合対象会員カードＩＤ（ここではＢ店の会員カードＩＤ）を統合する旨の会員統合要求（第２の会員統合要求）を受信したことを条件として、当該統合元会員カードＩＤと統合対象会員カードＩＤとを対応付けて登録する。
【０５１８】
一方、図示しないが、自分の既登録のＡ店の会員カードの会員カードＩＤ及び暗証番号と、自分の既登録のＤ店の会員カードの会員カードＩＤ及び暗証番号とを含む第２の会員統合要求を受信すると、前記前記ポイント会員情報照合処理で照合ＯＫであると判定された後、店舗特定手段として機能する制御部５２は、該第２の会員統合要求に含まれる会員カードＩＤからＡ店の店舗ＩＤとＤ店の店舗ＩＤとを抽出し、グループ判定手段として機能する制御部５２は、図２４（ｂ）に示すグループＤＢの記憶内容に基づいて、該Ｓ１で抽出された店舗ＩＤが同一のグループに属さない（即ち抽出された店舗ＩＤがグループに属する店舗の店舗ＩＤでない）と判定し、登録手段として機能する制御部５２は、Ａ店の会員カードＩＤとＤ店の会員カードＩＤとの対応付けを行わない。
【０５１９】
また第３の相違点（引き継ぎ処理）に関し、第１実施形態では、引き継ぎ先の新会員カードＩＤがポイント会員として登録されていないことを条件として引き継ぎ処理が行われるが、第２実施形態では、引き継ぎ先の新会員カードＩＤがポイント会員として登録されているか否かに拘わらず引き継ぎ処理が行われる。
【０５２０】
即ち第２実施形態では、引き継ぎ処理手段として機能する制御部５２は、登録判定手段による判定結果に依らずに、前記同一店舗判定手段により同一店舗で発行された会員カードの会員カードＩＤであると判定されたことを条件として、引き継ぎ処理を行う。
【０５２１】
また第２実施形態では、引き継ぎ処理手段として機能する制御部５２は、登録判定手段により新会員カードＩＤが登録されていると判定された場合には、引き継ぎ処理として、既登録会員カードＩＤに対応付けられているポイント数を該新会員カードＩＤに対応付けて管理すると共に、該新会員カードＩＤに対応付けられているポイント数と合算する処理を行う。
【０５２２】
さらに第１実施形態では、図３９（ｃ）（ｄ）に示すように、ポイント付与処理が行われた後であっても、引き継ぎ特定情報が消去されずに存置されるが、第２実施形態では、図５５（ｃ）（ｄ）に示すように、ポイント付与処理が行われた後に、引き継ぎ特定情報が消去される。従って、前記ポイント加算処理手段は、引き継ぎ特定情報が記憶されていることを条件として、前記引き継ぎ時ポイント加算処理を行う一方、引き継ぎ特定情報が記憶されていないことを条件として、引き継ぎ先ＩＤである新会員カードＩＤに対応付けられたポイントに対して、引き継ぎ元ＩＤである既登録会員カードＩＤに対応する本日使用金額に応じたポイントを加算しない。
【０５２３】
以下、第２実施形態に係るポイント管理装置５０が行う処理について、第１実施形態に係るポイント管理装置５０が行う処理と異なる点についてのみ説明する。
【０５２４】
まず図２２（ａ）に示すポイント付与処理において、Ｓａ２６，Ｓａ２７，又はＳａ２８の処理が行われた後に、引き継ぎ特定情報（引き継ぎ日付，引き継ぎ元ＩＤ）を消去する処理を行う（Ｓａ２９’）。このように、ポイント付与処理が行われた後に、引き継ぎ特定情報が消去されるので、Ｓａ２１の処理を行う必要がなくなり、Ｓａ１９でＹＥＳと判定された場合には、該Ｓａ２１の処理を行わずに、Ｓａ２２に進む。
【０５２５】
また図３５に示す処理において、Ｓ２０３の処理が行われた後には、ログイン要求に含まれる会員カードＩＤ（ログインＩＤ）に対応付けて登録されている他の会員カードＩＤ（以下「対応ＩＤ」と称する。）が有るか否かを判定する（Ｓ２０３−１’）。このＳ２０３−１’で対応ＩＤが無い（ＮＯ）と判定された場合には、Ｓ２０３で特定したログインＩＤを送信元端末のＩＰアドレスに対応付けて記憶し（Ｓ２０４’）、Ｓ２０４’で記憶したログインＩＤに対応付けてポイント会員情報ＤＢで記憶しているポイントを特定し（Ｓ２０５’）、該特定したポイントをメニュー画面（送信元端末が情報端末である場合には図３のＤ１５１に示すメニュー画面，送信元端末が店舗端末である場合には図９のＳ２５１に示すメニュー画面）の所定領域に設定して（Ｓ２０６’）、Ｓ２１０に進む。
【０５２６】
一方、Ｓ２０３−１’で対応ＩＤが有る（ＹＥＳ）と判定された場合には、該対応ＩＤを特定し（Ｓ２０３−２’）、Ｓ２０３で特定したログインＩＤ及びＳ２０３−２’で特定した対応ＩＤを送信元端末のＩＰアドレスに対応付けて記憶し（Ｓ２０４−１’）、該記憶したログインＩＤ及び対応ＩＤに対応付けてポイント会員情報ＤＢで記憶している各ポイントを特定し（Ｓ２０５−１’）、ポイント合算手段により、該特定した各ポイントを合算し（Ｓ２０５−２’）、該合算したポイントをメニュー画面（送信元端末が情報端末である場合には図３のＤ１５１に示すメニュー画面，送信元端末が店舗端末である場合には図９のＳ２５１に示すメニュー画面）の所定領域に設定して（Ｓ２０６−１’）、Ｓ２１０に進む。
【０５２７】
Ｓ２１０〜Ｓ２５２の処理が行われた後には、操作端末から送信されてくる会員統合要求（第１会員統合要求又は第２会員統合要求）の受信を待機する（Ｓ２６０’）。このＳ２６０’で会員統合要求の受信無し（ＮＯ）と判定された場合には、Ｓ２６２に進む。一方、Ｓ２６０’で会員統合要求の受信有り（ＹＥＳ）と判定された場合には、図５３に進んで、受信した会員統合要求に未登録の会員カードＩＤが含まれるか否かを判定する（Ｓ３００’）。
【０５２８】
このＳ３００’で未登録の会員カードＩＤが含まれる（ＹＥＳ）と判定された場合には、受信した会員統合要求が第１の会員統合要求なので、該第１の会員統合要求に含まれる未登録の会員カードＩＤについて、前記エンコード情報照合処理を行う（Ｓ３３０’）。このＳ３３０’で照合ＮＧ（ＮＯ）と判定された場合には、入力が間違っている旨を示す画面を操作端末に対して配信して（Ｓ３３１’）、メニュー画面アクセス要求の受信を待機する（Ｓ３４５’）。このＳ３４５’でメニュー画面アクセス要求の受信有り（ＹＥＳ）と判定された場合には、前記Ｓ２５２に戻り、前記Ｓ２５１で記憶しているメニュー画面を配信する。一方、Ｓ３３０’で照合ＯＫ（ＹＥＳ）と判定された場合には、第１の会員統合要求に含まれる既登録の会員カードＩＤについて、前記ポイント会員情報照合処理を行う（Ｓ３３２’）。このＳ３３２’で照合ＮＧ（ＮＯ）と判定された場合には、Ｓ３３１’に進む。
【０５２９】
一方、Ｓ３３２’で照合ＯＫ（ＹＥＳ）と判定された場合には、店舗特定手段により、前記第１の会員統合要求に含まれる複数の会員カードＩＤから各々店舗ＩＤを抽出し（Ｓ３３３’）、グループ判定手段により、該抽出した店舗ＩＤのすべてが図２４（ｂ）に示すグループＤＢで記憶されている同一のグループに属するか否かを判定する（Ｓ３３４’）。このＳ３３４’で同一のグループに属する（ＹＥＳ）と判定された場合には、Ｓ３３７’以下に進み、Ｓ３４２’及びＳ３４３’で、登録手段により、前記登録要求に含まれる複数の会員カードＩＤが対応付けて登録される。
【０５３０】
これによれば、統合元会員カードＩＤと統合対象会員カードＩＤとを統合する旨の会員統合要求を受信した際に、該統合元会員カードＩＤから特定される店舗と統合対象会員カードＩＤから特定される店舗とがグループ店である場合に限って統合が行われるので、当該各会員カードＩＤに対応するポイントを合算して使用でき、グループ店での集客の向上に利用することができる。
【０５３１】
一方、Ｓ３３４’で同一のグループに属さない（ＮＯ）と判定された場合には、前記登録手段は、各未登録の会員カードＩＤに対応付けて既登録の属性情報を登録し（Ｓ３３５’）、グループ店でないために統合はできなかったが単独で登録した旨を示す個別登録完了画面（図示外）を操作端末に対して配信して（Ｓ３３６’）、Ｓ３４５’に進む。
【０５３２】
これによれば、会員統合要求に含まれる各会員カードＩＤに対応する各店舗がグループ店でない場合には、会員統合要求に含まれる新たに登録する会員カードＩＤが対応付けられずに登録されるので、登録操作を再度やり直す必要が無く、会員の利便性が向上する。
【０５３３】
Ｓ３３７’では、店舗一致判定手段により、Ｓ３３３’で抽出した各店舗ＩＤが一致するか否かを判定する。このＳ３３７’で店舗ＩＤが一致する（ＹＥＳ）と判定された場合とは、ある店舗の他の会員の会員カードを拾った会員が、当該店舗の自分の会員カードと統合しようとしている場合であるため、統合ができない旨を示すエラー画面を操作端末に対して配信して（Ｓ３３８’）、Ｓ３４５’に進む。
【０５３４】
これによれば、統合元会員カードＩＤと統合対象会員カードＩＤとを統合する旨の会員統合要求を受信した際に、該統合元会員カードＩＤから特定される店舗と統合対象会員カードＩＤから特定される店舗とが異なっている場合に限って統合が行われるので、会員カードＩＤが記録された会員カードを紛失した会員のポイントが、該会員カードを拾った他の会員のポイントと統合されてしまうおそれが低減し、該会員カードを紛失した会員が不利益を被るおそれを低減することができる。即ち、店舗が一致しても統合が行われてしまうと、会員カードを拾った会員は、該会員カードを紛失した会員のポイントも使用することができ、該会員カードを紛失した会員は勝手にポイントを使用されてしまうことにより不利益を被るが、これによれば、店舗が一致すると統合が行われないので、かかる不利益を被ることがない。
【０５３５】
さらに、会員が１つの店舗で２枚の会員カードを所持すると、１日あたりで付与されるポイントに上限値（例えば１０ポイント）がある場合であっても、２枚の会員カードを所持することによりそれぞれの会員カードで１０ポイントを獲得でき、当該２枚の会員カードを統合すると２倍のポイントを獲得して使用できてしまうという不都合があるが、これによれば、店舗が一致する場合には統合が行われないので、かかる不都合がない。
【０５３６】
なお、会員統合要求に含まれる複数の会員カードＩＤに対応する各店舗が一致しない場合には統合されることから、例えばＡ店の会員が、当該Ａ店で他人のＡ店の会員カードを拾い、該拾った他人のＡ店の会員カードと自分のＢ店の会員カードとを統合しようとする場合には統合が行われてしまうが、該拾った他人のＡ店の会員カードを統合しようとする会員は、自身もＡ店の会員カードを所持しており、既にポイント会員として登録しているか，又は登録しようとする自分のＡ店の会員カードと統合しようとするのが通常であるため、多くの場合には統合を防止することができる。
【０５３７】
一方、Ｓ３３７’で店舗ＩＤが一致しない（ＮＯ）と判定された場合には、同一会員判定手段により、前記第１の会員統合要求に含まれる既登録の会員カードＩＤに対応付けてポイント会員情報ＤＢで登録されている他の会員カードＩＤ（対応ＩＤ）が有るか否かを判定する（Ｓ３３９’）。このＳ３３９’で対応ＩＤが無い（ＮＯ）と判定された場合には、登録手段により、未登録の会員カードＩＤに対応付けて、会員統合要求に含まれる暗証番号，及び既登録の属性情報を登録し、かつ既登録の会員カードＩＤを登録すると共に（Ｓ３４２’）、該登録された会員カードＩＤを既登録の会員カードに対応付けて登録，即ち統合して（Ｓ３４３’）、該統合が完了した旨を示す統合登録完了画面（図示外）を操作端末に対して配信して（Ｓ３４４’）、Ｓ３４５’に進む。
【０５３８】
一方、Ｓ３３９’で対応ＩＤが有る（ＹＥＳ）と判定された場合には、店舗特定手段により、当該対応ＩＤから店舗ＩＤを抽出し（Ｓ３４０’）、店舗一致判定手段により、Ｓ３４０’で抽出した店舗ＩＤと、前記第１の会員統合要求に含まれる未登録の会員カードＩＤから前記Ｓ３３３’で抽出した店舗ＩＤとが一致するか否かを判定する（Ｓ３４１’）。このＳ３４１’で一致しない（ＮＯ）と判定された場合には、Ｓ３４２’に進む。一方、Ｓ３４１’で一致する（ＹＥＳ）と判定された場合には、登録手段による未登録会員カードＩＤの登録及び会員カードＩＤの対応付けの登録が行われず、Ｓ３３８’の後、Ｓ３４５’に進む。
【０５３９】
これによれば、第１の会員統合要求に含まれる既に登録されている会員カードＩＤに対応付けて登録されている他の会員カードＩＤに対応する店舗と、新たに登録する会員カードＩＤに対応する店舗とが一致する場合にも、当該新たに登録する会員カードＩＤが登録されないので、会員カードを紛失した会員が不利益を被るおそれをさらに低減することができる。
【０５４０】
前記Ｓ３０３’で未登録の会員カードＩＤが含まれない（ＮＯ）と判定された場合には、受信した会員統合要求が第２の会員統合要求なので、該第２の会員統合要求に含まれるすべての会員カードＩＤ（即ち既登録の会員カードＩＤ）について、前記ポイント会員情報照合処理を行う（Ｓ３５１’）。このＳ３５１’で照合ＮＧ（ＮＯ）と判定された場合には、入力が間違っている旨を示す画面を操作端末に対して配信して（Ｓ３５２’）、Ｓ３４５’に進む。
【０５４１】
一方、Ｓ３５１’で照合ＯＫ（ＹＥＳ）と判定された場合には、店舗特定手段により、前記第２の会員統合要求に含まれる複数の会員カードＩＤから各々店舗ＩＤを抽出し（Ｓ３５３’）、グループ判定手段により、該抽出した店舗ＩＤのすべてが図２４（ｂ）に示すグループＤＢで記憶されている同一のグループに属するか否かを判定する（Ｓ３５４’）。このＳ３５４’で同一のグループに属する（ＹＥＳ）と判定された場合には、Ｓ３５７’以下に進み、Ｓ３６３’で、登録手段により、前記登録要求に含まれる複数の会員カードＩＤが対応付けて登録される。
【０５４２】
一方、Ｓ３５４’で同一のグループに属さない（ＮＯ）と判定された場合には、前記登録手段は、既登録の各会員カードＩＤを対応付けて登録せず、該対応付けを行わない旨を示す画面（図示外）を操作端末に対して配信して（Ｓ３５５’）、Ｓ３４５’に進む。
【０５４３】
Ｓ３５７’では、店舗一致判定手段により、Ｓ３５３’で抽出した各店舗ＩＤが一致するか否かを判定する。このＳ３５７’で店舗ＩＤが一致する（ＹＥＳ）と判定された場合とは、ある店舗の他の会員の会員カードを拾った会員が、当該店舗の自分の会員カードと統合しようとしている場合であるため、統合ができない旨を示すエラー画面を操作端末に対して配信して（Ｓ３５８’）、Ｓ３４５’に進む。
【０５４４】
一方、Ｓ３５７’で店舗ＩＤが一致しない（ＮＯ）と判定された場合には、同一会員判定手段により、前記第２の会員統合要求に含まれる既登録の会員カードＩＤに対応付けてポイント会員情報ＤＢで登録されている他の会員カードＩＤ（対応ＩＤ）が有るか否かを判定する（Ｓ３５９’）。このＳ３５９’で対応ＩＤが無い（ＮＯ）と判定された場合には、登録手段により、既登録の複数の会員カードＩＤを対応付けて登録，即ち統合して（Ｓ３６３’）、Ｓ３４４’に進む。
【０５４５】
一方、Ｓ３５９’で対応ＩＤが有る（ＹＥＳ）と判定された場合には、店舗特定手段により、当該対応ＩＤから店舗ＩＤを抽出し（Ｓ３６０’）、店舗一致判定手段により、Ｓ３６０’で抽出した店舗ＩＤと、前記第２の会員統合要求に含まれる残りの既登録の会員カードＩＤから前記Ｓ３５３’で抽出した店舗ＩＤとが一致するか否かを判定する（Ｓ３６１’）。このＳ３６１’で一致しない（ＮＯ）と判定された場合には、Ｓ３６３’に進む。一方、Ｓ３６１’で一致する（ＹＥＳ）と判定された場合には、登録手段による会員カードＩＤの対応付けの登録が行われず、Ｓ３５８’の後、Ｓ３４５’に進む。
【０５４６】
これによれば、第２の会員統合要求に含まれる既に登録されている複数の会員カードＩＤのいずれかに対応付けて登録されている会員カードＩＤに対応する店舗と、当該複数の会員カードＩＤのうちの残りの会員カードＩＤに対応する店舗とが一致する場合にも、当該複数の会員カードＩＤの対応付けが行われないので、記録媒体を紛失した会員が不利益を被るおそれをさらに低減することができる。
【０５４７】
また図３８に示す処理において、Ｓ４００で引き継ぎ要求の受信有り（ＹＥＳ）と判定された場合には、図５４に進んで、登録判定手段により、該引き継ぎ要求に含まれる新会員カードＩＤがポイント会員情報ＤＢで登録済であるか否かを判定する（Ｓ４００’）。
【０５４８】
このＳ４００’で登録済でない（ＮＯ）と判定された場合には、前記引き継ぎ要求に含まれる未登録の新会員カードＩＤについて、前記エンコード情報照合処理を行う（Ｓ４３０’）。このＳ４３０’で照合ＮＧ（ＮＯ）と判定された場合には、入力が間違っている旨を示す画面を操作端末に対して配信して（Ｓ４３１’）、メニュー画面アクセス要求の受信を待機する（Ｓ３４５’）。このＳ３４５’でメニュー画面アクセス要求の受信有り（ＹＥＳ）と判定された場合には、前記Ｓ２５２に戻り、前記Ｓ２５１で記憶しているメニュー画面を配信する。一方、Ｓ４３０’で照合ＯＫ（ＹＥＳ）と判定された場合には、前記引き継ぎ要求に含まれる既登録会員カードＩＤについて、前記ポイント会員情報照合処理を行う（Ｓ４３２’）。このＳ４３２’で照合ＮＧ（ＮＯ）と判定された場合には、Ｓ４３１’に進む。
【０５４９】
一方、Ｓ４３２’で照合ＯＫ（ＹＥＳ）と判定された場合には、店舗特定手段により、前記引き継ぎ要求に含まれる既登録会員カードＩＤ及び新会員カードＩＤから各々店舗ＩＤを抽出し（Ｓ４３３’）、店舗一致判定手段（同一店舗判定手段）により、Ｓ４３３’で抽出した各店舗ＩＤが一致するか否かを判定する（Ｓ４３７’）。このＳ４３７’で店舗ＩＤが一致しない（ＮＯ）と判定された場合には、引き継ぎができない旨を示すエラー画面を操作端末に対して配信して（Ｓ４３８’）、Ｓ４４５’に進む。一方、Ｓ４３７’で店舗ＩＤが一致する（ＹＥＳ）と判定された場合には、Ｓ４３９’以下に進んで、Ｓ４４２’で引き継ぎ処理を行う。これによれば、同一店舗で発行された会員カードの会員カードＩＤに対して引き継ぎ処理が行われるので、他の店舗で発行された会員カードの会員カードＩＤに対して引き継ぎ処理が行われてしまうおそれがない。
【０５５０】
Ｓ４３９’では、対応付け判定手段により、前記引き継ぎ要求に含まれる既登録会員カードＩＤに対応付けて登録されている他の既登録会員カードＩＤがあるか否かを判定する。このＳ４３９’で他の既登録会員カードＩＤがない（ＮＯ）と判定された場合には、Ｓ４４２’に進む。一方、Ｓ４３９’で他の既登録会員カードＩＤがある（ＹＥＳ）と判定された場合には、登録手段により、前記引き継ぎ要求に含まれる新会員カードＩＤを当該他の既登録会員カードＩＤに対応付けて登録すると共に、当該他の既登録会員カードＩＤに対応する前記引き継ぎ要求に含まれる既登録会員カードＩＤを消去して（Ｓ４４０’）、Ｓ４４２’に進む。これによれば、引き継ぎ要求に含まれる既登録会員カードＩＤに対応付けて登録されている他の既登録会員カードＩＤがあれば、引き継ぎ要求に含まれる新会員カードＩＤが当該他の既登録会員カードＩＤに対応付けて登録されるので、当該他の既登録会員カードＩＤと新会員カードＩＤとを含む合算要求（会員統合要求）を送信する必要が無く、それら会員カードＩＤが記録された複数の会員カードを所有する所有者の利便性が向上する。
【０５５１】
Ｓ４４２’では、ポイント会員情報ＤＢにおいて、引き継ぎ処理手段により、前記引き継ぎ要求に含まれる既登録会員カードＩＤに代えて新会員カードＩＤを登録し、登録済の暗証番号に代えて引き継ぎ要求に含まれる登録する暗証番号を登録することにより、前記引き継ぎ処理を行い、Ｓ４４３’で、引き継ぎ特定情報管理手段により、該新会員カードＩＤに対応付けて、引き継ぎ日付を記憶（登録）すると共に、前記既登録会員カードＩＤを引き継ぎ元ＩＤとして記憶（登録）し、Ｓ４４４’で、引き継ぎが完了した旨を示す引き継ぎ完了画面を操作端末に対して配信して、Ｓ４４５’に進む。
【０５５２】
前記Ｓ４００’で登録済である（ＹＥＳ）と判定された場合には、前記引き継ぎ要求に含まれる既登録会員カードＩＤ（旧会員カードＩＤ）及び既登録の新会員カードＩＤについて、前記ポイント会員情報照合処理を行う（４５１’）。このＳ４５１’で照合ＮＧ（ＮＯ）と判定された場合には、入力が間違っている旨を示す画面を操作端末に対して配信して（Ｓ４５２’）、Ｓ４４５’に進む。
【０５５３】
一方、Ｓ４５１’で照合ＯＫ（ＹＥＳ）と判定された場合には、店舗特定手段により、前記引き継ぎ要求に含まれる既登録会員カードＩＤ及び新会員カードＩＤから各々店舗ＩＤを抽出し（Ｓ４５３’）、店舗一致判定手段（同一店舗判定手段）により、Ｓ４５３’で抽出した各店舗ＩＤが一致するか否かを判定する（Ｓ４５７’）。このＳ４５７’で店舗ＩＤが一致しない（ＮＯ）と判定された場合には、引き継ぎができない旨を示すエラー画面を操作端末に対して配信して（Ｓ４５８’）、Ｓ４４５’に進む。一方、Ｓ４５７’で店舗ＩＤが一致する（ＹＥＳ）と判定された場合には、Ｓ４５９’以下に進んで、Ｓ４６２’で引き継ぎ処理を行う。これによれば、同一店舗で発行された会員カードの会員カードＩＤに対して引き継ぎ処理が行われるので、他の店舗で発行された会員カードの会員カードＩＤに対して引き継ぎ処理が行われてしまうおそれがない。
【０５５４】
Ｓ４５９’では、対応付け判定手段により、前記引き継ぎ要求に含まれる既登録会員カードＩＤに対応付けて登録されている他の既登録会員カードＩＤがあるか否かを判定する。このＳ４５９’で他の既登録会員カードＩＤがない（ＮＯ）と判定された場合には、Ｓ４６２’に進む。一方、Ｓ４５９’で他の既登録会員カードＩＤがある（ＹＥＳ）と判定された場合には、登録手段により、前記引き継ぎ要求に含まれる新会員カードＩＤを当該他の既登録会員カードＩＤに対応付けて登録すると共に、当該他の既登録会員カードＩＤに対応する前記引き継ぎ要求に含まれる既登録会員カードＩＤを消去して（Ｓ４６０’）、Ｓ４６３’に進む。これによれば、引き継ぎ要求に含まれる既登録会員カードＩＤに対応付けて登録されている他の既登録会員カードＩＤがあれば、引き継ぎ要求に含まれる新会員カードＩＤが当該他の既登録会員カードＩＤに対応付けて登録されるので、当該他の既登録会員カードＩＤと新会員カードＩＤとを含む合算要求（会員統合要求）を送信する必要が無く、それら会員カードＩＤが記録された複数の会員カードを所有する所有者の利便性が向上する。
【０５５５】
Ｓ４６２’では、ポイント会員情報ＤＢにおいて、引き継ぎ処理手段により、前記引き継ぎ要求に含まれる既登録会員カードＩＤに代えて新会員カードＩＤを登録し、登録済の暗証番号に代えて引き継ぎ要求に含まれる登録する暗証番号を登録すると共に、既登録会員カードＩＤに対応付けられている累計使用金額及び累計ポイントを新会員カードＩＤに対応付けられている累計使用金額及び累計ポイントと合算することにより、前記引き継ぎ処理を行い、Ｓ４６３’で、引き継ぎ特定情報管理手段により、該新会員カードＩＤに対応付けて、引き継ぎ日付を記憶（登録）すると共に、前記既登録会員カードＩＤを引き継ぎ元ＩＤとして記憶（登録）し、Ｓ４４４’で、引き継ぎが完了した旨を示す引き継ぎ完了画面を操作端末に対して配信して、Ｓ４４５’に進む。
【０５５６】
これによれば、新会員カードＩＤに対応付けてポイント数が管理されている場合であっても、既登録会員カードＩＤに対応付けられているポイント数と該新会員カードＩＤに対応付けられているポイント数とが合算されるので、それら会員カードＩＤが記録された複数の会員カードを所有する所有者の利便性が向上する。
【０５５７】
なお前記引き継ぎ完了画面を受信した情報端末（ＰＣ６，携帯電話７）では、クッキーに記憶されている会員カードＩＤ及び暗証番号が、図４５のＤ４０５に示す画面で入力された新会員カードＩＤ及び登録する暗証番号に書き換えられて、該書換後の新会員カードＩＤ及び暗証番号でポイント会員専用ホームページにログインしている状態となり、該書換以降は、書換前の会員カードＩＤ及び暗証番号ではログインできないようになる。
【０５５８】
以上に説明したように、会員カードの所有者が操作する操作端末から引き継ぎ要求を受信したことに基づいて引き継ぎ処理が行われるので、該ポイント管理装置５０及び店舗に設けられる会員管理装置（第１会員管理装置１００，第２会員管理装置２００）において引き継ぎ要求の送受信に伴うプログラムを組んだり、該送受信を行うための装置を設けたりする必要がなく、引き継ぎ処理のためのコストが低減される。また該ポイント管理装置５０を含むポイント管理システム１において、引き継ぎ要求を送信するための会員管理装置を店舗に設ける必要が無くなる。
【０５５９】
ここで図５５を参照して、制御部５２が行う引き継ぎ処理について説明する。まず図５５の（ａ）（ｂ）（ｃ）（ｄ）を参照して、新会員カードＩＤが未登録である場合において制御部５２が行う引き継ぎ処理について説明する。図５５（ａ）に示すように、ポイント会員情報ＤＢにおいて、Ａ００００９とＢ００２４６の会員カードＩＤが対応付けて登録されている状態で、既登録会員カードＩＤ（旧会員カードＩＤ）であるＡ００００９と未登録の新会員カードＩＤであるＡ０１１１１とを含む引き継ぎ要求を受信すると、同一店舗判定手段により既登録会員カードＩＤと新会員カードＩＤが同一店舗（ここではＡ店）で発行された会員カードの会員カードＩＤであると判定され、かつ登録判定手段により新会員カードＩＤがポイント会員情報ＤＢで登録されていないと判定されるので、前記引き継ぎ処理が行われて、図５５（ｂ）に示すようになる。
【０５６０】
具体的には、まず登録手段により、前記図５４に示すＳ４４０’の処理が行われて、新会員カードＩＤであるＡ０１１１１が、既登録会員カードＩＤであるＡ００００９に対応付けて登録されている他の既登録会員カードＩＤであるＢ００２４６に対応付けて登録されると共に、Ｂ００２４６に対応付けて登録されているＡ００００９が消去される。次に引き継ぎ処理手段により、同Ｓ４４２’の処理が行われて、Ａ００００９に代えてＡ０１１１１が登録される引き継ぎ処理が行われ、さらに引き継ぎ特定情報管理手段により、同Ｓ４４３’の処理が行われて、Ａ０１１１１に対応付けて、引き継ぎ日付（ここでは９月１６日）が登録されると共に、Ａ００００９が引き継ぎ元ＩＤとして登録される。
【０５６１】
次に当日の遊技場の営業終了後において、残額管理ＤＢの記憶内容（図１６（ａ））を受信すると、前記受信ＩＤが小さい順に、前記図２２（ｂ）に示すポイント付与処理が行われて、図５５（ｃ）に示すようになる。具体的には、Ｂ００２４６の会員カードＩＤについては、累積使用金額が２２０００円増加しており、本日使用金額として該２２０００円が使用されているので、１日あたりに付与されるポイントの上限値である１０ポイントが付与されて、当日ポイントの記憶欄に記憶される。
【０５６２】
またＡ０１１１１の会員カードＩＤについては、本日に引き継ぎ処理が行われているので、以下のようにしてポイント付与処理が行われる。まず引き継ぎ元ＩＤであるＡ００００９に対応する本日使用金額（例えば９０００円）に応じて９ポイントが付与されて、引き継ぎ先ＩＤであるＡ０１１１１に対応する当日ポイントの記憶欄に該９ポイントが記憶される。次に引き継ぎ先であるＡ０１１１１に対応する本日使用金額（例えば３０００円）に応じて３ポイントが付与されるが、前記記憶されている９ポイントと該付与された３ポイントとの合算値が１日あたりに付与されるポイントの上限値である１０ポイントを超えているので、該１０ポイントが当日ポイントの記憶欄に記憶される。なお合算値が上限値を超えていなければ、該合算値が当日ポイントの記憶欄に記憶される。そして該Ａ０１１１１に対応付けて登録されている引き継ぎ特定情報である引き継ぎ日付及び引き継ぎ元ＩＤが消去される。
【０５６３】
このポイント付与処理が行われた後に、ポイント加算処理が行われて、図５５（ｄ）に示すようになる。具体的には、Ｂ００２４６の会員カードＩＤについては、当日ポイントの記憶欄に記憶されている１０ポイントが累計ポイントの記憶欄に記憶されている３６９ポイントに対して加算更新されて３７９ポイントとされると共に、当日ポイントの記憶欄に記憶されている１０ポイントが０にされる。またＡ０１１１１の会員カードＩＤについては、当日ポイントの記憶欄に記憶されている１０ポイントが累計ポイントの記憶欄に記憶されている５ポイントに対して加算更新されて１５ポイントとされると共に、当日ポイントの記憶欄に記憶されている１０ポイントが０にされる。
【０５６４】
次に図５５（ａ’）（ｂ’）を参照して、新会員カードＩＤが既登録である場合において制御部５２が行う引き継ぎ処理について説明する。図５５（ａ’）に示すように、ポイント会員情報ＤＢにおいて、Ａ００００９とＢ００２４６の会員カードＩＤが対応付けて登録されており、かつＡ０１１１１の会員カードＩＤが登録されている状態で、既登録会員カードＩＤ（旧会員カードＩＤ）であるＡ００００９と既登録の新会員カードＩＤであるＡ０１１１１とを含む引き継ぎ要求を受信すると、同一店舗判定手段により既登録会員カードＩＤと新会員カードＩＤが同一店舗（ここではＡ店）で発行された会員カードの会員カードＩＤであると判定され、かつ登録判定手段により新会員カードＩＤがポイント会員情報ＤＢで登録されていると判定されるので、前記引き継ぎ処理が行われて、図５５（ｂ’）に示すようになる。
【０５６５】
具体的には、まず登録手段により、前記図５４に示すＳ３６０の処理が行われて、新会員カードＩＤであるＡ０１１１１が、既登録会員カードＩＤであるＡ００００９に対応付けて登録されている他の既登録会員カードＩＤであるＢ００２４６に対応付けて登録されると共に、Ｂ００２４６に対応付けて登録されているＡ００００９が消去される。次に引き継ぎ処理手段により、同Ｓ３６２の処理が行われて、Ａ００００９に代えてＡ０１１１１が登録されると共に、既登録会員カードＩＤに対応付けられている累計使用金額及び累計ポイントが新会員カードＩＤに対応付けられている累計使用金額及び累計ポイントと合算される引き継ぎ処理が行われ、さらに引き継ぎ特定情報管理手段により、同Ｓ３６３の処理が行われて、Ａ０１１１１に対応付けて、引き継ぎ日付（ここでは９月１６日）が登録されると共に、Ａ００００９が引き継ぎ元ＩＤとして登録される。
【０５６６】
なおポイント付与処理は、図５５（ｃ）に示すのと同様にして行われ、ポイント加算処理は、図５５（ｄ）に示すのと同様にして行われる。
【０５６７】
［４．本発明の変形例］
最後に、本発明の変形例について説明する。
【０５６８】
上記の実施形態では、店舗が遊技場であり、取引処理が玉貸処理である例について説明したが、これに限らず、該店舗は、商品やサービスを提供する一般店舗であっても良い。例えば店舗がコンビニエンスストアであり、該コンビニエンスストアの店舗会員がポイント会員として登録した場合に、各コンビニエンスストアで取引処理である買い物が行われた場合に、該買い物金額に応じてポイントを付与し、他のコンビニエンスストアの会員カードと統合することにより、各会員カードに対応するポイントを合算して使用できるようにしても良い。また店舗がゲームセンタであり、各ゲームセンタの店舗会員がポイント会員として登録した場合に、該ゲームセンタに備えられている麻雀ゲーム機で取引処理であるゲームが行われた場合に、該ゲーム結果に応じてポイントを付与し、他のゲームセンタの会員カードと統合することにより、各会員カードに対応するポイントを合算して使用できるようにしても良い。即ち本発明は、各店舗において店舗会員として登録されると共に、ポイント管理装置５０においてポイント会員として登録される形態であれば、いかなる店舗にも適用可能である。
【０５６９】
上記の実施形態では、図１に示すように、店舗端末が、カードユニット２０及びキオスク端末３０である例について説明したが、これに限らず、該店舗端末は、カードユニット２０又はキオスク端末３０のいずれか一方のみであっても良い。
【０５７０】
上記の実施形態では、図１，図６，図７に示すように、カードユニット２０が、システム管理装置４０及びインターネットを介して、ポイント管理装置５０と通信（第１登録要求及び会員統合要求の送信，並びに表示画面の配信）する例について説明したが、これに限らず、該カードユニット２０が、システム管理装置４０及び転送装置７０を介して、ポイント管理装置５０と通信するようにしても良く、またカードユニット２０を直接インターネットに接続可能に構成し、該インターネットを介して、ポイント管理装置５０と通信するようにしても良い。
【０５７１】
上記の実施形態では、カードユニット２０から送信される会員カードＩＤ及び使用金額が、システム管理装置４０，及び転送装置７０を介して、ポイント管理装置５０に送信される例について説明したが、これに限らず、システム管理装置４０，転送装置７０を介さずにポイント管理装置５０に送信されるようにしても良く、いずれか一方のみを介して、ポイント管理装置５０に送信されるようにしても良い。あるいは、カードユニット２０から送信される第１会員カードＩＤ及び使用金額が、一時的に所定の記憶装置に記憶されて、該記憶装置の記憶内容が、インターネットを介して、ポイント管理装置５０に送信されるようにしても良い。
【０５７２】
上記の実施形態では、図１に示すように、システム管理装置４０が残額管理ＤＢを管理し、第１会員管理装置１００が第１会員情報ＤＢを管理する例について説明したが、これに限らず、システム管理装置４０と第１会員管理装置１００の両方の機能を備えるコンピュータで、残額管理ＤＢと第１会員情報ＤＢの両方を管理するようにしても良い。
【０５７３】
上記の実施形態では、ポイント管理装置５０がウェブサーバとして機能する例について説明したが、これに限らず、該ポイント管理装置５０とは別のコンピュータがウェブサーバとして機能するようにしても良い。
【０５７４】
上記の実施形態では、店舗情報提供装置がポイント管理装置５０である例について説明したが、これに限らず、該店舗情報提供装置は、店舗情報を公開するウェブサイトを運営するウェブサーバであっても良い。この場合には、複数の店舗の店舗ＩＤがリンク情報として貼り付けられている各店舗名が表示されているウェブページにおいて、ある店舗名がクリックされると、該クリックされた店舗名のリンク情報である店舗ＩＤが、前記「店舗特定情報を含む店舗情報要求」として、操作端末からウェブサーバに対して送信され、前記グループ店情報提供手段により、グループ店情報が操作端末に対して提供される。ここでグループ店情報提供手段は、前記クリックされた店舗（例えばＡ店）と同一グループ（即ち◎◎グループ）に属するすべての店舗（即ちＡ店，Ｂ店，Ｃ店，及びＸ店）の店舗情報を、グループ店情報として操作端末に対して提供するようにしても良く、またクリックされた店舗の店舗情報と、該クリックされた店舗と同一グループに属する他の店舗（即ちＢ店，Ｃ店，及びＸ店）の店舗ＩＤがリンク情報として貼り付けられている当該各店舗名とが表示されているウェブページを、グループ店情報として操作端末に対して提供するようにしても良い。
【０５７５】
上記の実施形態では、図２に示すように、記録媒体が、カード型の会員カード（第１会員カード４，第２会員カード５）である例について説明したが、これに限らず、該記録媒体は、コイン型であっても良く、また携帯電話であっても良い。
【０５７６】
上記の実施形態では、図２に示すように、会員カード（第１会員カード４，第２会員カード５）において、非接触式のＩＣチップ及び磁気ストライプにより、第１会員特定情報が電気的又は磁気的に記録されている例について説明したが、これに限らず、ＩＣチップ又は磁気ストライプのいずれか一方のみで第１会員特定情報を記録するものであっても良く、またＩＣチップは、非接触式のものではなく、接触式のものであっても良い。
【０５７７】
上記の実施形態では、図２に示すように、会員カード（第１会員カード４，第２会員カード５）において、会員カードＩＤ及び会員ＩＤの番号自体が、第２会員特定情報として目視可能に記録されている例について説明したが、これに限らず、該会員カードＩＤや会員ＩＤを示す二次元コード（例えばバーコードやＱＲコード），三次元コード，又は光干渉コード（例えばホログラム）等が、第２会員特定情報として目視可能に記録されているようにしても良く、この場合には該コードを読み取るリーダ（例えば携帯電話７に設けられたカメラ等）で該コードが読み取られ、該読み取ったコードから特定される会員カードＩＤや会員ＩＤが第２会員特定情報として入力される。即ち第２会員特定情報は、目視可能に記録されているものであれば、該第２会員特定情報を直接的に認識できるもののみならず、リーダにより読み取ることで該第２会員特定情報を間接的に認識できるものであっても良い。
【０５７８】
上記の実施形態では、図２に示すように、記録媒体（会員カード）に会員識別情報（会員カードＩＤ）が記録されている例について説明したが、これに限らず、該記録媒体には、会員識別情報は記録されていなくても良く、第１会員特定情報及び第２会員特定情報が記録されていれば良い。
【０５７９】
上記の実施形態では、図２（ａ）に示すように、第１会員カード４の表示領域４ａに第１会員ＩＤ及び第１会員カードＩＤが目視可能に表示されているが、該第１会員ＩＤは表示しないようにしても良い。
【０５８０】
上記の実施形態では、図３に示すように、貨幣として、紙幣２及び硬貨３の双方を使用可能である例について説明したが、これに限らず、紙幣２又は硬貨３のいずれか一方のみを使用可能としても良い。また使用可能な貨幣の種類は、上記のものには限定されない。また貨幣は、紙幣２や硬貨３のような実物以外にも、例えば電子マネーカードにより使用可能な電子マネー，クレジットカードにより使用可能な与信金額，デビットカードにより使用される預金残高等であっても良い。
【０５８１】
上記の実施形態では、遊技用有価価値の大きさや使用価値の大きさが、カード残額や使用金額自体である例について説明したが、これに限らず、遊技用有価価値の大きさや使用価値の大きさは、金額が所定の比率で換算された残度数や点数等であっても良い。
【０５８２】
上記の実施形態では、遊技用有価価値の大きさを特定可能な有価価値特定情報として、第１記録媒体（第１会員カード４）には第１会員カードＩＤ及びカード残額が記録され、第２記録媒体（第２会員カード５）には第２会員カードＩＤ及びカード残額が記録されている例について説明したが、これに限らず、第１記録媒体には、有価価値特定情報として、第１会員カードＩＤ又はカード残額のいずれか一方のみが記録されるようにしても良く、第２記録媒体には、有価価値特定情報として、第２会員カードＩＤ又はカード残額のいずれか一方のみが記録されるようにしても良い。また、有価価値特定情報は、第１記録媒体及び第２記録媒体への入金処理に伴いシステム管理装置４０において生成される入金ＩＤであっても良く、該入金ＩＤとカード残額とを対応付けて管理することで遊技用有価価値の大きさを特定可能としても良い。さらに第１記録媒体に記録される有価価値特定情報は、第１会員ＩＤであっても良く、システム管理装置４０において、第１会員ＩＤに対応付けてカード残額を記憶しておくことにより、第１会員ＩＤからカード残額を特定可能となり、該第１会員ＩＤが有価価値特定情報として作用する。
【０５８３】
上記の実施形態では、第２会員カード５に第２会員カードＩＤ及びカード残額が記録されており、第２会員カードＩＤが、カード会社において当該第２会員カード５を個々に識別するための情報であると共に、有価価値特定情報である第２記録媒体識別情報として作用するとともに、第２会員カードＩＤ及びカード残額の両情報を含む情報が、前記第２記録媒体識別情報として作用する例について説明したが、これに限らず、第２会員カード５にカード残額を記録することなく、システム管理装置４０において、第２会員カードＩＤと対応付けてカード残額を記憶することで、第２会員カードＩＤからカード残額を特定可能として、第２会員カードＩＤが第２記録媒体識別情報として作用するようにしても良い。また、第２会員カード５に第２会員カードＩＤ及びカード残額を記録し、システム管理装置４０において、第２会員カードＩＤとカード残額が対応付けて記憶されないようにしても良く、この場合には、第２会員カード５に記録されている第２会員カードＩＤが当該第２会員カード５を個々に識別するための情報であり、同記録されているカード残額が有価価値特定情報となる。つまり、これら第２会員カードＩＤ及びカード残額の両情報を含む情報が、第２記録媒体識別情報となる。
【０５８４】
上記の実施形態では、図１に示すように、遊技機がパチンコ機１０である例について説明したが、これに限らず、該遊技機は、例えば遊技媒体としてメダルを使用するスロットマシン，遊技媒体としてパチンコ玉を使用するスロットマシンであるパロット（登録商標），遊技媒体であるパチンコ玉が指触不能に封入された封入式のパチンコ機，パチンコ玉やメダルを用いることなく得点データを使用して遊技可能なパチンコ機やスロットマシン，遊技領域やパチンコ玉が画像にて表示される画像式のパチンコ機，リールが画像にて表示される画像式のスロットマシン等であっても良い。
【０５８５】
上記の実施形態では、貨幣の金額又は遊技用有価価値の大きさを遊技に使用させるための処理が玉貸処理（ビジタ玉貸処理又は会員カード玉貸処理）である例について説明したが、これに限らず、該処理は、前記メダルを貸与するメダル貸出処理や、前記画像式のパチンコ機やスロットマシンにおいて有価価値の大きさを遊技媒体としての得点に変換して遊技に使用させる処理等でも良い。
【０５８６】
上記の実施形態では、玉貸処理が行われた場合に、カードユニット２０とパチンコ機１０との間でパチンコ玉の貸与に関する信号のやり取りが行われて、該パチンコ機１０に設けられた玉払出装置１３からパチンコ玉が払い出されて貸与される例について説明したが、これに限らず、カードユニット２０に設けられた図示しない玉払出装置からパチンコ玉が払い出されて貸与されるようにしても良い。
【０５８７】
上記の実施形態では、カードユニット２０のユニット制御部２２のＲＡＭに入金残額を記憶する例について説明したが、これに限らず、該カードユニット２０は、ユニット制御部がＥＥＰＲＯＭを備えているものであれば、該ＥＥＰＲＯＭに入金残額を記憶するようにしても良い。またカードユニット２０は、ビジタ遊技者用の記録媒体を外部から受け付けるタイプのものであっても良く、封入カードに入金残額を記憶するものであっても良い。
【０５８８】
上記の実施形態では、図２３（ａ）に示すポイント会員情報ＤＢにおいて、属性情報として、ポイント会員に登録するときには性別，生年月日のみの登録を求め、抽選に当選したとき，及び商品との交換をしたときに、氏名と住所の登録を求める例について説明したが、これに限らず、ポイント会員に登録するときにすべての属性情報の登録を求めるようにしても良い。
【０５８９】
上記の実施形態では、図２３（ａ）に示すポイント会員情報ＤＢでポイント会員として登録された後の使用金額に基づいてポイントが付与される例について説明したが、これに限らず、図２３（ｃ）に示す使用金額ＤＢでポイント会員として登録されていない店舗会員の使用金額も記憶しておき、ポイント会員として登録された際に、該記憶されている使用金額に基づいてポイントが付与されるようにしても良い。
【０５９０】
上記の実施形態では、図２３（ａ）に示すポイント会員情報ＤＢで会員カードＩＤに対応付けて電子メールアドレスが登録されている場合にも、図２３（ｂ）に示す通知情報ＤＢで該会員カードＩＤに対応付けて通知情報であるアンケート情報，イベント情報，及び当選情報が記憶される例について説明したが、これに限らず、電子メールアドレスが登録されている会員カードＩＤについては、これら通知情報が記憶されないようにしても良く、この場合には、通知対象判定手段により通知対象でないと判定されるので、通知情報は返信されない。
【０５９１】
上記の第１実施形態では、図２３（ａ）に示すように、会員カードＩＤの対応付けが行われた時点で各会員カードＩＤに対応するポイントを合算して、該合算ポイントを管理する例について説明し、上記の第２実施形態では、図４８（ａ）に示すように、各会員カードＩＤに対応付けて個別にポイントを管理し、図３５のＳ２０５−２’に示すように、メニュー画面を配信する際に、ポイントの合算を行う例について説明したが、これに限らず、第１実施形態で個別ポイントを管理し、第２実施形態で合算ポイントを管理するようにしても良く、また第１実施形態及び／又は第２実施形態で、個別ポイントと合算ポイントの両方を管理するようにしても良く、この場合には、各店舗の個別ポイントから各店舗の個別ポイントからの使用分がそれぞれ減算されると共に、合算ポイントからも使用ポイントが減算される。
【０５９２】
上記の実施形態では、図２４（ａ）に示すように、第１会員カードＩＤと第１会員ＩＤとの対応付け，及び第２会員カードＩＤと他システム会員ＩＤとの対応付けを示す対応情報が、エンコード情報管理装置６０から送信されるエンコード情報ＤＢの記憶内容であり、エンコード情報管理装置用通信部５１ａが、該対応情報を受け付ける対応情報受付手段として機能する例について説明したが、これに限らず、該対応情報受付手段は、メディアに記録された対応情報を読み取る読み取り装置であっても良く、紙に記録された対応情報を読み取るＯＣＲであっても良い。また、ポイント管理装置５０のオペレータが、ディスプレイ５４等に表示される対応情報入力画面によって対応情報を入力するようにしても良く、例えば１０００枚分の第２会員カード５にエンコードされた対応情報を入力する場合には、最初の１枚のカードについてのみ他システム会員ＩＤと第２会員カードＩＤを入力し、その状態でエンコードされた第２会員カードが１０００枚である旨を入力すると、最初に入力された他システム会員ＩＤと第２会員カードＩＤを基準として、その後所定のルールに従って（例えば、他システム会員ＩＤと第２会員カードＩＤをいずれも１ずつ増加させる等）連続的に１０００枚分の対応付けが行われるようにすると良い。
【０５９３】
上記の実施形態では、図２４（ｂ）に示すグループＤＢにおいて、グループについて合算した残ポイント数及び当月使用ポイント数を管理している例について説明したが、これに限らず、各店舗について個別に残ポイント数及び当月使用ポイント数を管理するようにしても良く、合算したものと個別のものとを両方管理するようにしても良い。
【０５９４】
上記の実施形態では、各グループ又は各店舗が、図２４（ｂ）に示すグループＤＢ及び図２４（ｃ）に示す店舗ＤＢで記憶されている商品交換使用ポイント数に応じて対価を負担する例について説明したが、これに限らず、抽選応募使用ポイント数に応じて対価を負担するようにしても良く、また今月使用ポイント数に応じて対価を負担するようにしても良い。
【０５９５】
上記の実施形態では、図２５のＤ０３に示す新グループの設定登録や、同Ｄ０５に示すグループ店の追加設定において、表示された店舗に対応するチェックボックスをチェックすることで店舗が選択されて、該選択された店舗が新グループに登録又はグループに追加される例について説明したが、これに限らず、新グループに登録又はグループに追加する店舗を直接入力し、該入力された店舗が登録又は追加されるようにしても良い。
【０５９６】
上記の実施形態では、図２５又は図４５に示すように、新規店舗をグループ店として登録する場合には、まずＤ０２又はＤ０２’で新規店舗の登録を行ってから、Ｄ０３で新グループの設定，又はＤ０５でグループ店の追加を行う例について説明したが、これに限らず、新規店舗の登録時にグループ店として登録できるようにしても良く、この場合には、例えばＤ０３で新グループの設定を行う際に当該新規店舗もグループ店として登録することができるようにし、またＤ０５でグループ店の追加を行う際に当該新規店舗をグループ店として追加できるようにする。
【０５９７】
上記の実施形態では、図２７のＤ２１に示すように、制御部５２が送信するアンケート情報が、アンケートにアクセスするためのＵＲＬである例について説明したが、これに限らず、アンケート情報がアンケートの内容自体であっても良く、この場合には、インターネットに接続される外部通信部５１ｃから該アンケートの内容自体を含む電子メールが送信される。
【０５９８】
上記の実施形態では、図２２（ａ）に示すように、残額管理ＤＢの記憶内容及び残額管理ＤＢの記憶内容が、遊技場の営業終了後に転送装置７０に送信される例について説明したが、これに限らず、これらの情報は、予め定められた所定時刻又は所定間隔で送信されるようにしても良い。
【０５９９】
上記の実施形態では、第１会員遊技者に対して付与されるポイント及び第２会員遊技者に対して付与されるポイントのいずれもが、使用金額１０００円毎に１ポイント付与される例について説明したが、これに限らず、前者と後者で異なる金額比率でポイントが付与されるようにしても良い。例えば第１会員遊技者には使用金額１０００円につき１ポイント付与し、第２会員遊技者には使用金額２０００円につき１ポイント付与するようにしても良い。
【０６００】
上記の実施形態では、ポイント付与処理において、１日あたりに付与されるポイントに上限値が設けられている例について説明したが、これに限らず、該上限値を設けないようにしても良い。
【０６０１】
上記の実施形態では、ポイント付与処理において、本日使用金額に応じてポイント（使用ポイント）が付与される例について説明したが、これに限らず、来店に応じて（例えば１日あたり１ポイントの）来店ポイントが付与されるようにしても良い。ここで引き継ぎ処理が行われている場合には、引き継ぎ先の会員カードＩＤと引き継ぎ元の会員カードＩＤの各々について各１ポイント（即ち合計２ポイント）の来店ポイントを付与するのではなく、引き継ぎ先の会員カードＩＤについてのみ１ポイントの来店ポイントを付与する。なお前記上限値は、使用ポイントに対してのみ適用されるようにしても良く、使用ポイントと来店ポイントの合算値に対して適用されるようにしても良い。
【０６０２】
上記の実施形態では、ポイント付与処理において、使用価値の大きさ（使用金額）に応じたポイントを付与する例について説明したが、これに限らず、遊技時間に応じたポイントを付与するようにしても良い。この場合には、システム管理装置４０の残額管理ＤＢにおいて、会員カードＩＤに対応付けて、例えば該会員カードＩＤの会員カードがカードユニット２０に挿入されている時間を遊技時間をして記憶しておき、該残額管理ＤＢの記憶内容がポイント管理装置５０に送信されてくると、制御部５２が、該遊技時間に応じたポイントを付与するポイント付与処理を行うようにすれば良い。
【０６０３】
上記の実施形態では、ポイント付与処理において、ポイント付与間隔が１日である例について説明したが、これに限らず、該ポイント付与間隔は、ポイント付与対象情報の収集間隔以上であれば、１日よりも短い間隔（例えば６時間毎）であっても良い。この場合には、ポイント会員情報ＤＢにおいて、引き継ぎ特定情報として、引き継ぎ日付のみならず、引き継ぎ時刻も管理する。
【０６０４】
上記の実施形態では、ポイント付与処理において、受信ＩＤが小さい順にポイント付与処理が行われる例について説明したが、受信ＩＤが大きい順にポイント付与処理が行われるようにしても良く、この場合には、前記図３９（ｃ）に示す例では、まず引き継ぎ先であるＡ０１１１１に対応する本日使用金額（例えば３０００円）に応じて３ポイントが付与されて、該Ａ０１１１１に対応する当日ポイントの記憶欄に該３ポイントが記憶され、次に引き継ぎ元ＩＤであるＡ００００９に対応する本日使用金額（例えば９０００円）に応じて９ポイントが付与されるが、前記記憶されている３ポイントと該付与された９ポイントとの合算値が１日あたりに付与されるポイントの上限値である１０ポイントを超えているので、該１０ポイントが当日ポイントの記憶欄に記憶される。
【０６０５】
上記の第１実施形態では、ポイント付与処理が行われた後であっても、引き継ぎ特定情報（引き継ぎ日付，引き継ぎ元ＩＤ）が消去されずに存置され、上記の第２実施形態では、ポイント付与処理が行われた後に、引き継ぎ特定情報が消去される例について説明したが、これに限らず、第１実施形態で引き継ぎ特定情報を消去し、第２実施形態で引き継ぎ特定情報を存置するようにしても良い。
【０６０６】
上記の第２実施形態では、引き継ぎ特定情報として、引き継ぎ日付及び引き継ぎ元ＩＤが記憶される例について説明したが、これに限らず、ポイント付与処理が行われた後に該引き継ぎ特定情報が消去されるのであれば、引き継ぎ特定情報として、引き継ぎ日付は記憶せずに、引き継ぎ元ＩＤのみを記憶するようにしても良い。
【０６０７】
上記の実施形態では、ポイント管理装置５０において、システム管理装置から定型レポート送信要求が送信されてきたことに基づいて、図１７のＤ４５に示す定型レポートが作成されて、ポイント管理装置５０に対して送信される例について説明したが、これに限らず、予め定型レポートを作成しておき、システム管理装置から定型レポート送信要求が送信されてきたことに基づいて、該作成されている定型レポートをポイント管理装置５０に対して送信するようにしても良い。
【０６０８】
上記の実施形態では、図１９に示すように、制御部５２により集計されたアンケート結果が、転送装置用通信部５１ｂから各遊技場のシステム管理装置に対して配信される例について説明したが、これに限らず、アンケート結果がディスプレイ５４で出力されるようにしても良く、またアンケート結果をウェブ上で閲覧可能なようにしても良い。
【０６０９】
上記の実施形態では、Ｄ２０１の画面を除き、図９〜図１１に示す各画面が、ポイント管理装置５０から店舗端末（カードユニット２０，キオスク端末３０）に対して、インターネットを介して配信される例について説明したが、カードユニット２０については、これらの画面が、システム管理装置４０及び転送装置７０を介して、ポイント管理装置５０から配信されるようにしても良く、またキオスク端末３０についても、システム管理装置４０と通信可能に構成し、これらの画面が、システム管理装置４０及び転送装置７０を介して、ポイント管理装置５０から配信されるようにしても良い。
【０６１０】
上記の実施形態では、Ｄ２０１の画面を除き、図９〜図１１に示す各画面が、ポイント管理装置５０から店舗端末（カードユニット２０，キオスク端末３０）に対して配信されて、該店舗端末で表示される例について説明したが、これに限らず、これらの画面の一部又は全部を表示させるためのプログラムをポイント管理装置５０からダウンロードし、該プログラムの実行により当該画面が表示されるようにしても良い。
【０６１１】
上記の実施形態では、図３〜図５に示す各画面が、ポイント管理装置５０から情報端末（ＰＣ６，携帯電話７）に対して配信されて、該情報端末で表示される例について説明したが、これに限らず、これらの画面の一部又は全部を表示させるためのプログラムをポイント管理装置５０からダウンロードし、該プログラムの実行により当該画面が表示されるようにしても良い。
【０６１２】
上記の実施形態では、図４のＤ１１０に示すように、情報端末（ＰＣ６，携帯電話７）において、ポイント会員として登録する会員カードが第１会員カード４か第２会員カード５かを会員に選択させているが、これに限らず、会員カードＩＤの入力を求め、該入力された会員カードＩＤをポイント管理装置５０に対して送信し、ポイント管理装置５０において、受信した会員カードＩＤが記録されているのが第１会員カード４か第２会員カード５かを特定し、第１会員カード４であればＤ１１１及びＤ１１２に示す画面，第２会員カード５であればＤ１１３及びＤ１１４に示す画面を配信するようにしても良い。
【０６１３】
上記の実施形態では、例えば図４のＤ１１３に示すように、ＰＣ６，携帯電話７，又はカードユニット２０において、第２会員特定情報として他システム会員ＩＤを入力する際に、下４桁の入力が求められる例について説明したが、これに限らず、下４桁以外の桁数（例えば下５桁以上）の入力が求められるようにしても良い。即ち第２会員特定情報として入力される会員ＩＤの桁数は、ポイント管理装置５０で行われるエンコード情報照合処理において、偶然の一致を排除できるに充分な桁数であれば良い。
【０６１４】
上記の実施形態では、カードユニット２０において、該カードユニット２０が設置されている店舗以外の他店で発行された会員カード（第１会員カード４，第２会員カード５）は受付不能である例について説明したが、これに限らず、他店で発行された会員カードも受付可能として、該他店で発行された会員カードについてポイント会員登録ができるようにしても良く、また他店で発行された会員カード同士の統合登録ができるようにしても良い。
【０６１５】
上記の実施形態では、キオスク端末３０において、該キオスク端末３０が設置されている店舗以外の他店で発行された会員カード（第１会員カード４，第２会員カード５）も受付可能である例について説明したが、これに限らず、自店で発行された会員カードのみを受付可能であるようにしても良く、この場合には、他店で発行された会員カードの会員カードＩＤ，会員ＩＤ等の手入力を受け付けることによりポイント会員登録ができるようにしても良く、あるいは他店で発行された会員カードについてはポイント会員登録ができないようにしても良い。
【０６１６】
上記の実施形態では、図７に示すように、カードユニット２０のカードＲ／Ｗ２５が、会員カードの挿入を受け付けて、該会員カードのＩＣチップから会員カードＩＤを読み取る例について説明したが、これに限らず、該カードＲ／Ｗ２５に近接された会員カードのＩＣチップから会員カードＩＤを読み取るものであっても良い。
【０６１７】
上記の実施形態では、図１２に示すように、キオスク端末３０のカードリーダ３３が、会員カードの挿入を受け付けて、該会員カードの磁気ストライプから会員ＩＤを読み取る例について説明したが、これに限らず、該カードリーダ３３にスライドされた会員カードの磁気ストライプから会員ＩＤを読み取るものであっても良い。
【０６１８】
上記の実施形態では、店舗端末（カードユニット２０，キオスク端末３０）において、統合される会員カードの会員カードＩＤが手入力される例について説明したが、これに限らず、カードユニット２０においては、該統合される会員カードの挿入を受け付けて、該会員カードのＩＣチップから会員カードＩＤを読み取るようにしても良く、キオスク端末３０においては、該統合される会員カードの挿入を受け付けて、該会員カードの磁気ストライプから会員ＩＤを読み取ってポイント管理装置５０に対して送信し、ポイント管理装置５０において会員カードＩＤ特定処理が行われることにより該会員ＩＤから特定されたかカードＩＤを受信するようにしても良い。また店舗端末において、例えば先行して挿入された会員カードを内部留保しておいて次に挿入される会員カードを受け付けたり、また複数のカード挿入口を設けたりして、複数枚の会員カードを同時に受け付け可能としても良い。
【０６１９】
上記の実施形態では、キオスク端末３０では、会員カード（第１会員カード４，第２会員カード５）の磁気ストライプ４ｃ，５ｃを読み取り可能である例について説明したが、これに限らず、会員カードのＩＣチップ４ｂ，５ｃを読み取り可能にしても良く、これによれば、該ＩＣチップから会員カードＩＤ（第１会員カードＩＤ，第２会員カードＩＤ）を読み取ることができるため、会員ＩＤ（第１会員ＩＤ，他システム会員ＩＤ）をポイント管理装置５０に対して送信し、該ポイント管理装置５０において特定された会員カードＩＤを取得する工程が不要となる。
【０６２０】
上記の実施形態では、図１０のＤ２１０に示すように、ポイント会員登録を受け付けるキオスク端末３０において、ポイント管理装置から会員カードＩＤ（第１会員カードＩＤ又は第２会員カードＩＤ）を取得して、該取得した会員カードＩＤが表示される例について説明したが、これに限らず、該会員カードＩＤの取得及び表示は行われなくても良い。
【０６２１】
上記の実施形態では、ポイント会員情報ＤＢにおいて氏名及び住所が登録されている場合には、図２９のＤ３０及び図４４のＤ４８０−１に示すように、当選した旨のみを示す電子メール又は画面が配信され、また図４２のＤ４１３−１に示すように、商品を発送した旨のみを示す画面が配信される例について説明したが、これら電子メール又は画面に、前記登録されている氏名及び住所を含めて配信し、該氏名及び住所の確認を求めるようにすると共に、該氏名及び／又は住所が変更されている場合には、変更後の該氏名及び／又は住所の入力を受け付けるようにしても良い。
【０６２２】
上記の実施形態では、グループ設定手段（ディスプレイ５４及び入力装置５５）により新グループの設定が行われた場合には、図４４のＤ４５０−２に示すグループ店一覧が配信され、グループ店の追加が行われた場合には、同Ｄ４５０−１に示す追加店舗が配信される例について説明したが、これに限らず、グループ店の追加が行われた場合にも、グループ店一覧が配信されるようにしても良い。
【０６２３】
上記の実施形態では、図３４に示すように、ポイント管理装置５０において、操作端末（ＰＣ６，携帯電話７，カードユニット２０，キオスク端末３０）から送信されてくる登録要求に基づいてポイント会員登録処理を行う際に、登録要求Ｂを受信してから該処理を行う例について説明したが、これに限らず、登録要求Ａを受信したことに基づいて、該登録要求Ａに含まれる会員カードＩＤを一旦登録し、所定時間内に登録要求Ｂを受信したことに基づいて、前記登録された会員カードＩＤに対応付けて該登録要求Ｂに含まれる属性情報を登録し、所定時間内に登録要求Ｂを受信しなければ、前記会員カードＩＤの登録を消去するようにしても良い。
【０６２４】
上記の実施形態では、図３４のＳ１２３で属性情報が一致する会員カードＩＤが抽出された場合において、第１会員カードＩＤならば、各会員カードＩＤから抽出した店舗ＩＤの遊技場に設置されている第１会員管理装置１００に対して氏名，住所の送信を要求し、第２会員カードＩＤならば、各会員カードＩＤをディスプレイ５４に表示して、オペレータが、各会員カードＩＤから抽出した店舗ＩＤの遊技場に対して、該遊技場に設置されている第２会員管理装置２００で記憶している氏名，住所を問い合わせる例について説明したが、これに限らず、第２会員管理装置２００を管理する他社とその他の構成要素を管理するカード会社とが連携している場合には、ポイント管理装置５０から第２会員管理装置２００に対して氏名，住所の送信を要求するようにしても良い。また第１会員管理装置１００に対しても住所，氏名の送信を要求するのではなく、連携しているか否かに拘わらず、常にオペレータが問い合わせるようにしても良い。
【０６２５】
上記の実施形態では、図３５に示すように、情報公開要求が、会員カードＩＤを含むログイン要求と、該会員カードＩＤを含まないポイント使用要求，及びグループ店一覧要求とを合わせたものである例について説明したが、これに限らず、操作端末（ＰＣ６，携帯電話７，カードユニット２０，キオスク端末３０）において、ログイン要求に含まれる会員カードＩＤを記憶しておき、該記憶している会員カードＩＤを含むポイント使用要求，及びグループ店一覧要求が送信されるようにしても良く、この場合には、ログイン要求は情報公開要求ではなく、会員カードＩＤを含んで送信されるポイント使用要求，及びグループ店一覧要求が単独で情報公開要求となる。
【０６２６】
上記の実施形態では、図４１に示すように、店舗ＤＢ又はグループＤＢ（Ｓ７０６，Ｓ７１４）におけるポイントの更新が行われてから、ポイント会員情報ＤＢ（Ｓ７０７，Ｓ７１５）におけるポイントの更新が行われる例について説明したが、これに限らず、これらポイントの更新が行われる順序は逆であっても良い。
【０６２７】
上記の実施形態では、図３６に示すように、店舗端末（カードユニット２０又はキオスク端末３０）から確認要求（ログイン要求）が送信されてきた場合のみならず、情報端末（ＰＣ６又は携帯電話７）から確認要求が送信されてきた場合にも、前記電子メールアドレス管理判定手段による判定が行われ（Ｓ２２１，Ｓ２３１，Ｓ２４１）、該電子メールアドレス管理判定手段により電子メールアドレスを管理していると判定されると、通知情報（アンケート情報，イベント情報，当選情報）が該情報端末に対して返信されない例について説明したが、これに限らず、情報端末から確認要求が送信されてきた場合には、前記電子メールアドレス管理判定手段による判定を行わず、一律に該通知情報が情報端末に対して返信されるようにしても良い。
【０６２８】
上記の実施形態では、図３６に示すように、電子メールアドレス管理判定手段により電子メールアドレスを管理していると判定された場合には、一律に通知情報（アンケート情報，イベント情報，当選情報）が操作端末に対して返信されない（Ｓ２２５，Ｓ２３５，Ｓ２４６）例について説明したが、これに限らず、常に返信する通知情報を予め設定しておき、電子メールアドレス管理判定手段により電子メールアドレスを管理していると判定された場合であっても、当該常に返信すると設定されている通知情報については返信するようにしても良く、これによれば、例えば当選情報等の比較的重要なものを常に返信する通知情報として設定しておくことにより、電子メールによる該通知情報の通知に加えて、店舗端末でも該通知情報を通知することができる。
【０６２９】
上記の実施形態では、図２４（ｂ）や図４６（ｂ’）に示すように、グループ識別情報がグループ名である例について説明したが、これに限らず、該グループ識別情報は、数字や記号等からなるグループＩＤであっても良い。即ちグループ識別情報は、グループを個々に識別可能な情報であれば良い。
【０６３０】
上記の実施形態では、図２４（ｂ）（ｃ）に示すように、地域識別情報が地域名である例について説明したが、これに限らず、該地域識別情報は、数字や記号等からなる地域ＩＤであっても良い。即ち地域識別情報は、地域を個々に識別可能な情報であれば良い。
【０６３１】
上記の実施形態では、図２４（ｂ）（ｃ）に示すように、地域の単位が都道府県である例について説明したが、これに限らず、該地域の単位は、都道府県よりも広い地域（例えば東北地方，関東地方等や、南関東地方，北関東地方等）でも良く、また都道府県よりも狭い地域（例えば新宿区，渋谷区等や、東京２３区地域，多摩地域等）でも良く、さらには行政区画ではない独自の地域（例えば山の手，下町等）でも良い。
【０６３２】
上記の実施形態では、図２７に示す地域名の登録，又は図４５に示す郵便番号の登録が、新規店舗の登録時（Ｄ２，Ｄ２’）に行われる例について説明したが、これに限らず、これら地域名や郵便番号の登録は、新グループの設定時又はグループ店の追加時に行われるようにしても良く、この場合には、該登録された地域名や郵便番号は、図２４（ｃ）又は図４６（ｃ’）に示す店舗ＤＢでは登録されず、図２４（ｂ）又は図４６（ｂ’）に示すグループＤＢでのみ登録される。
【０６３３】
上記の実施形態では、図４のＤ１１２やＤ１１４，図１０のＤ２１３やＤ２１６に示すように、登録要求Ａに含まれる会員カードＩＤから特定される店舗の所在地が属する地域の他の店舗を認識可能なグループ店情報が操作端末に対して提供される例について説明したが、これに限らず、当該地域（例えば東京都）に属する他の店舗のみならず、当該地域に隣接する地域（例えば神奈川県，千葉県，埼玉県，山梨県）に属する店舗も認識可能なグループ店情報が操作端末に対して提供されるようにしても良い。
【０６３４】
上記の実施形態では、図４のＤ１１２やＤ１１４，図１０のＤ２１３やＤ２１６に示すように、グループ店情報に、他の店舗と共に、受信した店舗情報要求に含まれる店舗特定情報から特定される店舗（ここではＡ店又はＸ店）が含まれる例について説明したが、これに限らず、該グループ店情報には、受信した店舗情報要求に含まれる店舗特定情報から特定される店舗は含まれず、他の店舗のみが含まれるようにしても良い。この場合には、受信した店舗情報要求に含まれる店舗特定情報から特定される店舗の店舗情報を含む電子メールは、会員の希望によらずに強制的に、該会員の電子メールアドレスに対して送信されるようにしても良い。
【０６３５】
上記の実施形態では、店舗に関する店舗情報が、当該店舗のイベント情報である例について説明したが、これに限らず、該店舗情報は、例えば当該店舗の所在地や営業時間等の営業情報であっても良く、またイベント情報や営業情報を示すＵＲＬであっても良い。
【０６３６】
上記の実施形態では、図３０に示すように、配信対象店舗のイベント情報を含む電子メールを配信する際に、メール配信店舗として該配信対象店舗以外の他の店舗の店舗ＩＤが記憶されている場合には、当該他の店舗のイベント情報を含む電子メールが送信される（Ｓ９４）例について説明したが、これに限らず、配信対象店舗毎に、各配信対象店舗のイベント情報を含む電子メールを配信するようにしても良い。
【０６３７】
上記の実施形態では、図３４のＳ１３３に示すように、ポイント管理装置５０において、ＰＣ６又は携帯電話７からポイント会員登録を受け付けた場合にも、カードユニット２０又はキオスク端末３０からポイント会員登録を受け付けた場合と同様に、第２登録要求Ｂに含まれる電子メールアドレスをポイント会員情報ＤＢに登録する例について説明したが、これに限らず、ＰＣ６又は携帯電話７からポイント会員登録を受け付ける場合には、該ＰＣ６又は携帯電話７から空メールを受信したときに、該空メールの送信元である電子メールアドレスをポイント会員情報ＤＢに登録するようにしても良い。
【０６３８】
上記の実施形態では、図１０のＤ２１４に示すように、第２遊技場に設置されるカードユニット２０からポイント管理装置５０に対して送信される第１登録要求Ａに、エンコード情報照合処理（図３２のＳ１１４）を行うための他システム会員ＩＤの下４桁が含まれる例について説明したが、該第１登録要求Ａに含まれる第２会員カードＩＤは、第２会員カード５のＩＣチップ５ｂから読み取ったものであり、間違っているということが無いため、該第１登録要求Ａに他システム会員ＩＤの下４桁を含めず、該第１登録要求を受信してもエンコード情報照合処理を行わないようにしても良い。
【０６３９】
上記の第１実施形態の変形例では、図４６（ｂ’）（ｃ’）に示すように、所在地を特定可能な情報が郵便番号である例について説明したが、これに限らず、該所在地を特定可能な情報は、住所そのものであっても良い。この場合には、例えば該住所を地図上にプロットし、店舗特定情報から特定される店舗の所在地から他の店舗の所在地までの直線距離が短い順に当該他の店舗を抽出するようにしても良く、また各店舗の最寄り駅を特定し、店舗特定情報から特定される店舗の最寄り駅から他の店舗の最寄り駅までの鉄道距離が短い順に当該他の店舗を抽出するようにしても良い。
【０６４０】
また第１実施形態の変形例において、所在地を特定可能な情報は、例えば店舗の所在地に応じて順に（例えば北から南まで順に）付与された店舗番号であっても良い。この場合には、店舗特定情報から特定される店舗の店舗番号と他の店舗の店舗番号との差の絶対値が小さい順に当該他の店舗を抽出する。
【０６４１】
また第１実施形態の変形例において、前記グループ店情報を送信する毎に、これらの抽出を行うのではなく、各店舗毎に、当該店舗から近い順の他の店舗を予め決定しておき、グループ店情報を送信する際には、該決定されている結果を送信するようにしても良い。
【０６４２】
上記の第１実施形態では、既登録の会員カードＩＤ同士の統合のみが行われる例について説明したが、これに限らず、既登録の会員カードＩＤと未登録の会員カードＩＤの統合が行われるようにしても良く、この場合には、図３７に示すＳ３０８の処理は省略される。また、この場合には、操作端末において、メニュー画面（図３のＤ１５１又は図９のＤ２５１）に「統合登録」ボタンを設けるのみならず、該メニュー画面にログインするためのログイン画面（図３のＤ１５０又は図９のＤ２５０）に「統合登録」ボタンを設けるようにしても良く、該ログイン画面において、未登録の会員カードＩＤ（例えばＢ店の会員カードＩＤ）が入力されて「統合登録」ボタンが操作されると、該入力された会員カードＩＤが操作端末からポイント管理装置５０に対して送信され、該会員カードＩＤの店舗と同一グループに属する店舗（即ちＡ店，Ｂ店，及びＸ店）が統合候補店舗としてポイント管理装置５０から操作端末に対して返信され、該統合候補店舗の会員カードＩＤのうちの既登録の会員カードＩＤと登録済の暗証番号とが入力されて会員統合要求が行われると、該会員統合要求に含まれる既登録の会員カードＩＤと前記ログイン要求に含まれる未登録の会員カードＩＤとの統合処理が行われる。
【０６４３】
上記の実施形態では、図５のＤ１７０，及び図１０のＤ２２１に示すように、既登録会員カードＩＤ（旧会員カードＩＤ）と新会員カードＩＤの両方を含む引き継ぎ要求が送信される例について説明したが、これに限らず、既登録会員カードＩＤを含む第１の引き継ぎ要求と、新会員カードＩＤを含む第２の引き継ぎ要求とが、それぞれ別個に送信されるようにしても良く、この場合には、第１の引き継ぎ要求と第２の引き継ぎ要求とを合わせたものが引き継ぎ要求となる。即ち引き継ぎ要求は、既登録会員カードＩＤと共に新会員カードＩＤを含むものであれば、両会員カードＩＤが一緒に送信されるものであっても良く、また両会員カードＩＤが別個に送信されるものであっても良い。
【０６４４】
上記の実施形態では、記録媒体が店舗で発行された会員カードであり、記録媒体識別情報が会員カードＩＤであり、ポイント数の引き継ぎを行う例について説明したが、これに限らず、例えば記録媒体はクレジットカードであり、記録媒体識別情報は該クレジットカードのカード番号であり、該クレジットカードによる決済金額の引き継ぎを行うものであっても良く、この場合における管理装置は、引き継ぎ元である既登録カード番号を含むと共に引き継ぎ先である新カード番号を含む引き継ぎ要求を受信したことに基づいて、既登録カード番号に対応付けられた決済金額と新カード番号とを対応付ける引き継ぎ処理を行う。
【０６４５】
上記の実施形態では、引き継ぎ特定情報が、引き継ぎ日付及び引き継ぎ元ＩＤである例について説明したが、これに限らず、該引き継ぎ特定情報は、引き継ぎ日付のみであっても良い。
【０６４６】
上記の第２実施形態では、図５１〜図５２に示すように、会員識別情報（会員カードＩＤ）に店舗識別情報（店舗ＩＤ）が含まれ、店舗特定手段（制御部５２）は、該会員識別情報から店舗識別情報を抽出することにより店舗識別情報を特定する例について説明したが、これに限らず、例えばポイント管理装置５０において、店舗識別情報を含まない会員識別情報と、当該会員識別情報の記録媒体を発行した店舗の店舗識別情報とを対応付けて記憶しておき、店舗特定手段は、会員識別情報に対応付けて記憶されている店舗識別情報を特定するようにしても良い。なお会員識別情報と店舗識別情報との対応付けは、各会員識別情報毎に店舗識別情報が対応付けられているものでも良く、複数の会員識別情報（例えば何番〜何番）に１つの店舗識別情報が対応付けられているものでも良い。即ち店舗特定手段は、会員識別情報に対応する店舗の店舗識別情報を特定可能なものであれば良い。
【０６４７】
上記の第２実施形態において、図５３のＳ３３４’とＳ３３７’，Ｓ３５４’とＳ３５７’の各処理の順番を逆にしても良い。即ちグループ判定手段による判定と店舗一致判定手段による判定は、いずれが先に行われるようにしても良い。
【０６４８】
上記の第２実施形態では、図５３のＳ３３７’，Ｓ３５７’で店舗ＩＤが一致する（ＹＥＳ）と判定された場合に、一律にエラー画面が配信される例について説明したが、これに限らず、例えば会員統合要求に含まれる会員カードＩＤが３つ以上ある場合には、一律にエラーにするのではなく、店舗ＩＤが一致しない会員カードＩＤのみを対応付けて登録するようにしても良い。
【０６４９】
上記の第２実施形態では、図５３のＳ３６１’で、店舗一致判定手段により、受信した会員統合要求に含まれる複数の会員カードＩＤのいずれかに対応付けて登録されている会員識別情報に対応する店舗の店舗ＩＤ（ここではＳ３６０’で抽出した店舗ＩＤ）と、前記会員統合要求に含まれる残りの会員カードＩＤに対応する店舗の店舗ＩＤ（ここではＳ３５３’で抽出した店舗ＩＤ）とが一致するか否かを判定し、前記登録手段は、該店舗一致判定手段により一致しない（ＮＯ）と判定されたことを条件として、会員カードＩＤを対応付けて登録する一方、一致する（ＹＥＳ）と判定されたことを条件として、会員カードＩＤを対応付けて登録しない例について説明したが、さらに以下のようにしても良い。
【０６５０】
即ち、店舗一致判定手段は、受信した会員統合要求に含まれる複数の会員カードＩＤのいずれかに対応付けて登録されている会員カードＩＤに対応する店舗の店舗ＩＤと、前記会員統合要求に含まれる残りの会員カードＩＤに対応付けて登録されている会員カードＩＤに対応する店舗の店舗ＩＤとが一致するか否かを判定し、前記登録手段は、該店舗一致判定手段により一致しないと判定されたことを条件として、各会員カードＩＤを対応付けて登録する一方、一致すると判定されたことを条件として、各会員カードＩＤを対応付けて登録しないようにしても良い。
【０６５１】
具体的には、図５６に示すように、ポイント管理装置５０のポイント会員情報ＤＢで、ある会員（ここでは甲）について、該会員甲のＡ店の会員カードＩＤとＢ店の会員カードＩＤとが対応付けて登録されていると共に、該会員甲のＣ店の会員カードＩＤとＤ店の会員カードＩＤとが対応付けて登録されている場合において、会員甲の属性情報とＡ店の会員カードＩＤとＣ店の会員カードＩＤとを含む会員統合要求を受信すると、店舗一致判定手段は、該会員統合要求に含まれるＡ店の会員カードＩＤに対応付けて登録されているＢ店の会員カードＩＤと、該会員統合要求に含まれる残りのＣ店の会員カードＩＤに対応付けて登録されているＤ店の会員カードＩＤとが一致するか否かを判定する。この例では一致しないと判定されるので、登録手段は、各会員カードＩＤを対応付けて登録する。
【０６５２】
また店舗一致判定手段は、受信した会員統合要求に含まれる複数の会員カードＩＤの各々に対応する各店舗の店舗ＩＤと、該複数の会員カードＩＤの各々に対応付けて登録されている会員カードＩＤに対応する各店舗の店舗ＩＤのうち、一致するものがあるか否かを判定し、前記登録手段は、該店舗一致判定手段により一致するものがないと判定されたことを条件として、各会員カードＩＤを対応付けて登録する一方、一致するものがあると判定されたことを条件として、各会員カードＩＤを対応付けて登録しないようにしても良い。
【０６５３】
具体的には、前記図５６に示す例では、会員統合要求を受信すると、該会員統合要求に含まれるＡ店の会員カードＩＤ及びＣ店の会員カードＩＤと、該Ａ店の会員カードＩＤに対応付けて登録されているＢ店の会員カードＩＤ及び該Ｃ店の会員カードＩＤに対応付けて登録されているＤ店の会員カードＩＤのうち、一致するものがあるか否かを判定する。この例では一致するものがないと判定されるので、登録手段は、各会員カードＩＤを対応付けて登録する。
【０６５４】
上記の第２実施形態では、図４１に示すように、合算ポイントが使用された場合に、使用ポイント数が、ログインＩＤに対応するポイントから優先して減算され、該ポイントが不足するようであれば不足分が、対応ＩＤに対応するポイントから減算される例について説明したが、これに限らず、該ポイントの減算を、ログインＩＤに対応するポイントから優先して行うか，又は対応ＩＤに対応するポイントから優先して行うかを、ポイント会員が選択できるようにしても良く、また各ポイントから減算するポイントを、ポイント会員が任意に指定できるようにしても良い。
【０６５５】
上記の第２実施形態では、既登録の会員カードＩＤと未登録の会員カードＩＤの統合，及び既登録の会員カードＩＤ同士の統合が行われる例について説明したが、これに限らず、未登録の会員カードＩＤ同士の統合が行われるようにしても良い。この場合には、まず１枚目の未登録の会員カードについて、ポイント会員登録を行う場合の登録要求Ａと同様に、会員カードＩＤと初期暗証番号又は他システム会員ＩＤの下４桁を送信して、前記グループ店情報を受信し、次に登録要求Ｂと同様の内容，及び２枚目の未登録の会員カードの会員カードＩＤと初期暗証番号又は他システム会員ＩＤの下４桁を含む会員統合要求を送信するようにすれば良い。
【０６５６】
上記の第２実施形態では、カードユニット２０又はキオスク端末３０から送信される引き継ぎ要求と同様に処理するために、図５のＤ１７０に示すように、ＰＣ６又は携帯電話７から送信される引き継ぎ要求に、該登録済の暗証番号が含まれ、該引き継ぎ要求を受信したポイント管理装置５０において、図５４のＳ４３２’に示すポイント会員情報照合処理が行われる例について説明したが、これに限らず、ＰＣ６又は携帯電話７から送信される引き継ぎ要求に、該登録済の暗証番号が含まれず、該引き継ぎ要求を受信したポイント管理装置５０において、図５３のＳ４３２’に示すポイント会員情報照合処理が行われないようにしても良い。当該登録済の暗証番号については、図３５のＳ２０１で既に照合ＯＫとされているからである。
【０６５７】
上記の第２実施形態では、図５４に示すように、登録判定手段による判定（Ｓ４００’）を行ってから、同一店舗判定手段による判定（Ｓ４３７’）を行う例について説明したが、これに限らず、同一店舗判定手段による判定を行ってから、登録判定手段による判定を行うようにしても良い。
【０６５８】
上記の第２実施形態では、図５４のＳ４３３’及びＳ４３７’に示すように、同一店舗判定手段が、引き継ぎ要求に含まれる既登録会員カードＩＤ及び新会員カードＩＤから店舗を特定して、該店舗が一致するか否かを判定する例について説明したが、これに限らず、例えばログイン要求の受信に基づいて、該ログイン要求に含まれるログインＩＤ（既登録会員カードＩＤ）から店舗（例えばＡ店）を特定して、該特定した店舗のシステム管理装置４０から店舗会員として登録されている全会員カードＩＤを抽出し、引き継ぎ要求の受信に基づいて、該引き継ぎ要求に含まれる新会員カードＩＤが前記抽出した会員カードＩＤのいずれかであるか否かを判定するようにしても良く、これによれば、新会員カードＩＤから店舗を特定する必要がない。即ち同一店舗判定手段は、引き継ぎ要求に含まれる既登録会員カードＩＤと新会員カードＩＤが同一店舗で発行された会員カードの会員カードＩＤであるか否かを判定するものであれば良い。
【０６５９】
上記の第２実施形態では、図５５に示すように、引き継ぎ特定情報として、引き継ぎ日付及び引き継ぎ元ＩＤを記憶している例について説明したが、これに限らず、該引き継ぎ特定情報として、引き継ぎ日付を記憶せずに引き継ぎ元ＩＤのみを記憶するようにしても良く、また引き継ぎ特定情報として、フラグを記憶するようにしても良い。
【０６６０】
最後に、上記の実施形態に記載した発明に対応する「従来技術」，「発明が解決しようとする課題」，及び「発明の効果」を説明する。
【０６６１】
まず、第１の従来技術として、特開２００６−１０２０７９号公報（図９，段落０１６３，０１９８，及び０２００）を示す。この従来技術１には、会員識別情報である会員ＩＤに対応付けて、当該会員ＩＤが記録された会員カードを所持する会員の属性情報とポイントとを管理する統合管理装置において、会員が操作する情報端末から送信される会員ＩＤと属性情報とを受信してメール会員として登録を行う際に、該受信した属性情報が既に登録されていれば、該既に登録されている属性情報に対応付けられている会員ＩＤと前記受信した会員ＩＤとを対応付けて登録すると共に、各会員ＩＤに対応するポイントを統合する旨が記載されている。
【０６６２】
しかしながら、第１の従来技術に示す統合管理装置では、前記会員ＩＤが記録された記録媒体の一例である会員カードをある会員が紛失し、当該紛失した会員カードを拾った当該会員とは異なる他の会員が、当該拾った会員カードの会員ＩＤと当該他の会員の属性情報とを情報端末から統合管理装置に対して送信した場合に、該統合管理装置において、当該他の会員の属性情報が既に登録されていると、会員カードを紛失した会員のポイントと当該他の会員のポイントが統合されるので、会員カードを紛失した会員が不利益を被るという第１の問題があった。
【０６６３】
そこで、上記の実施形態に記載した第１の発明では、前記第１の問題を解決するために、各店舗において店舗会員として会員登録した会員に対して発行された記録媒体（会員カード）に記録されている当該会員を個々に識別可能な会員識別情報（会員カードＩＤ）を含む登録要求を、前記会員が操作する操作端末（ＰＣ６，携帯電話７，カードユニット２０，キオスク端末３０）から受信し、該受信した登録要求に含まれる会員識別情報を登録する登録手段と（制御部５２）、該登録手段により登録した会員識別情報に対応付けて、当該会員識別情報の会員が所有するポイント数を管理するポイント管理手段（ポイント会員情報ＤＢ）と、を有するポイント管理装置５０であって、前記操作端末から、複数の会員識別情報を含む会員統合要求を受信したことに基づいて、当該複数の会員識別情報に対応する各店舗を個々に識別可能な店舗識別情報（店舗ＩＤ）を特定する店舗特定手段（制御部５２）と、該店舗特定手段により特定された各店舗識別情報が一致するか否かを判定する店舗一致判定手段（制御部５２）と、該店舗一致判定手段により一致しないと判定されたことを条件として、前記複数の会員識別情報を対応付けるための会員識別情報対応付け処理を行う会員識別情報対応付け処理手段（制御部５２）と、を有するポイント管理装置を構成した。これによれば、会員統合要求に含まれる複数の会員特定情報から特定される複数の会員識別情報に対応する各店舗が一致する場合には、当該複数の会員識別情報が対応付けられないので、記録媒体を紛失した会員のポイントが当該記録媒体を拾った他の会員のポイントと統合されてしまうおそれが低減し、該記録媒体を紛失した会員が不利益を被るおそれを低減することができる。
【０６６４】
また前記第１の発明において、前記ポイント管理手段（ポイント会員情報ＤＢ）に既に登録されている会員識別情報（会員カードＩＤ）と新たに登録する（未だ登録されていない）会員識別情報とを含む前記会員統合要求を受信したことに基づいて、該受信した会員統合要求に含まれる前記既に登録されている会員識別情報に対応付けられている会員識別情報が有るか否かを判定する同一会員判定手段（制御部５２）をさらに有し、該同一会員判定手段により有ると判定されたことを条件として、前記対応付けられている会員識別情報に対応する店舗の店舗識別情報（店舗ＩＤ）を前記店舗特定手段（制御部５２）によりさらに特定し、該店舗特定手段により特定された、前記対応付けられている会員識別情報に対応する店舗の店舗識別情報と、前記会員統合要求に含まれる前記新たに登録する会員識別情報に対応する店舗の店舗識別情報とが一致するか否かを前記店舗一致判定手段（制御部５２）により判定することを特徴とするポイント管理装置（５０）としても良い。これによれば、会員統合要求に含まれる既に登録されている会員識別情報に対応付けて登録されている会員識別情報に対応する店舗と、新たに登録する会員識別情報に対応する店舗とが一致する場合にも、当該新たに登録する会員識別情報が対応付けられないので、記録媒体を紛失した会員が不利益を被るおそれをさらに低減することができる。
【０６６５】
また前記第１の発明において、前記ポイント管理手段（ポイント会員情報ＤＢ）に既に登録されている複数の会員識別情報（会員カードＩＤ）を含む前記会員統合要求を受信したことに基づいて、該受信した会員統合要求に含まれる複数の会員識別情報のいずれかに対応付けられている会員識別情報が有るか否かを判定する同一会員判定手段（制御部５２）をさらに有し、該同一会員判定手段により有ると判定されたことを条件として、前記対応付けられている会員識別情報に対応する店舗の店舗識別情報（店舗ＩＤ）を前記店舗特定手段（制御部５２）によりさらに特定し、該店舗特定手段により特定された、前記対応付けられている会員識別情報に対応する店舗の店舗識別情報と、前記会員統合要求に含まれる残りの会員識別情報に対応する店舗の店舗識別情報とが一致するか否かを前記店舗一致判定手段（制御部５２）により判定することを特徴とするポイント管理装置（５０）としても良い。これによれば、会員統合要求に含まれる既に登録されている複数の会員識別情報のいずれかに対応付けられている会員識別情報に対応する店舗と、当該複数の会員識別情報のうちの残りの会員識別情報に対応する店舗とが一致する場合にも、当該複数の会員識別情報が対応付けられないので、記録媒体を紛失した会員が不利益を被るおそれをさらに低減することができる。
【０６６６】
また前記第１の発明において、前記操作端末（ＰＣ６，携帯電話７，カードユニット２０，キオスク端末３０）から前記会員識別情報（会員カードＩＤ）と当該会員の属性情報とを含む前記登録要求を受信したことに基づいて、該受信した登録要求に含まれる会員識別情報に対応付けて、該登録要求に含まれる属性情報を管理する会員管理手段（ポイント会員情報ＤＢ）と、前記操作端末から前記登録要求を受信したことに基づいて、該受信した登録要求に含まれる属性情報が既に管理されているか否かを判定する属性情報判定手段（制御部５２）と、をさらに有し、該属性情報判定手段により管理されていると判定されたことを条件として、前記登録要求に含まれる会員識別情報に対応する店舗の店舗識別情報（店舗ＩＤ）と、前記会員管理手段に既に管理されている属性情報に対応付けて既に登録されている会員識別情報に対応する店舗の店舗識別情報とを前記店舗特定手段（制御部５２）により特定し、該店舗特定手段により特定された、前記登録要求に含まれる会員識別情報に対応する店舗の店舗識別情報と、前記既に登録されている会員識別情報に対応する店舗の店舗識別情報とが一致するか否かを前記店舗一致判定手段（制御部５２）により判定し、該店舗一致判定手段により一致すると判定されたことを条件として、前記登録要求に含まれる会員識別情報と前記既に管理されている会員識別情報とを抽出する会員識別情報抽出手段（制御部５２）をさらに有することを特徴とするポイント管理装置（５０）としても良い。これによれば、登録要求に含まれる属性情報が既に管理されており、該管理されている属性情報に対応付けて既に登録されている会員識別情報に対応する店舗と、登録要求に含まれる会員識別情報に対応する店舗とが一致する場合には、該登録要求に含まれる会員識別情報と前記既に登録されている会員識別情報とが抽出されるので、他の会員の記録媒体を拾った会員が当該他の会員の記録媒体を自分の記録媒体とは別に登録しようとしている可能性を特定することができる。
【０６６７】
また前記第１の発明において、前記会員識別情報対応付け処理により対応付けられた各会員識別情報に対応するポイント数を合算するポイント合算手段（制御部５２）と、該ポイント合算手段により合算された合算ポイント数を前記会員が所定のサービスを享受するために使用させるための処理を行うポイント使用処理手段（制御部５２）と、をさらに有することを特徴とするポイント管理装置（５０）としても良い。これによれば、対応付けて登録された各会員識別情報に対応するポイントを合算して使用できるため、会員の利便性が向上する。
【０６６８】
さらに前記第１の発明において、前記操作端末（ＰＣ６，携帯電話７，カードユニット２０，キオスク端末３０）から前記会員識別情報（会員カードＩＤ）を含む情報公開要求（ログイン要求）を受信したことに基づいて、該受信した会員識別情報であるログイン会員識別情報（ログインＩＤ）に対応付けられている会員識別情報が有るか否かを判定する同一会員判定手段（制御部５２）と、該同一会員判定手段により無いと判定されたことを条件として、前記ログイン会員識別情報に対応するポイント数を少なくとも含む当該会員専用の会員専用ページを前記操作端末に対して送信し、前記同一会員判定手段により有ると判定されたことを条件として、前記ポイント合算手段（制御部５２）により合算された合算ポイント数を少なくとも含む前記会員専用ページを前記操作端末に対して送信する会員専用ページ送信手段（制御部５２）と、をさらに有することを特徴とするポイント管理装置（５０）としても良い。これによれば、受信した情報公開要求に含まれる会員識別情報が、対応付けられている会員識別情報のいずれであっても、当該会員専用の会員専用ページが送信されるので、会員の利便性を向上できる。
【０６６９】
また前記第１の従来技術の図１９，及び段落０１９５〜０１９７には、各店舗において店舗会員として会員登録した会員が、自己の情報端末（ＰＣ又は携帯電話）において、該会員を個々に識別可能な会員識別情報である会員ＩＤ等を入力して登録操作を行うと、該入力された会員ＩＤ等を含む登録要求が統合管理装置に対して送信され、統合管理装置において、該送信されてきた登録要求に含まれる会員ＩＤがメール会員として登録される旨が記載されている。
【０６７０】
しかしながら、第１の従来技術に示す統合管理装置では、情報端末を所有していない店舗会員や情報端末の操作が不得意な店舗会員は、前記登録要求を送信することができないため、ポイント会員の一例である前記メール会員として登録することができず、すべての店舗会員に公平にポイント会員としての利益を享受する機会を与えることができないという第２の問題があった。
【０６７１】
そこで、上記の実施形態に記載した第２の発明では、前記第２の問題を解決するために、各店舗において店舗会員として会員登録した会員に対して発行された記録媒体（会員カード）から特定され、当該会員を個々に識別可能な会員識別情報（会員カードＩＤ）に対応付けて、該会員が所有するポイント数を管理するポイント管理手段（ポイント会員情報ＤＢ）を有するポイント管理装置５０であって、前記記録媒体には、前記会員識別情報を特定可能な第１会員特定情報が磁気的又は電気的に記録されると共に、前記会員識別情報を特定可能な第２会員特定情報が目視可能に記録され、各店舗に設置される店舗端末（カードユニット２０，キオスク端末３０）において前記会員が前記記録媒体の受付を行うことにより該店舗端末から送信されてくる、前記受け付けた記録媒体から読み取った第１会員特定情報を含む第１登録要求を受信したことに基づいて、該受信した第１登録要求に含まれる第１会員特定情報から特定される会員識別情報を前記ポイント管理手段に登録すると共に、会員が所持する情報端末（ＰＣ６，携帯電話７）において当該会員が前記第２会員特定情報を入力して登録操作を行うことにより該情報端末から送信されてくる、該入力された第２会員特定情報を含む第２登録要求を受信したことに基づいて、該受信した第２登録要求に含まれる第２会員特定情報から特定される会員識別情報を前記ポイント管理手段に登録する登録手段（制御部５２）を有するポイント管理装置を構成した。これによれば、ポイント管理装置において、会員の所持する情報端末から第２登録要求が送信されてくると会員カードＩＤの登録が行われると共に、店舗に設置される店舗端末から第１登録要求が送信されてきても会員カードＩＤの登録が行われるので、情報端末を所有していない店舗会員や情報端末の操作が不得意な店舗会員であってもポイント会員として会員カードＩＤの登録が可能となり、すべての店舗会員に公平にポイント会員としての利益を享受する機会を与えることができる。
【０６７２】
また前記第２の発明において、前記第２登録要求に伴って、前記登録操作を行う会員の電子メールアドレスを前記情報端末（ＰＣ６，携帯電話７）から取得する電子メールアドレス取得手段（制御部５２）と、該電子メールアドレス取得手段により取得した電子メールアドレスを、前記受信した第２登録要求に含まれる第２会員特定情報から特定される会員識別情報（会員カードＩＤ）に対応付けて管理する会員管理手段（ポイント会員情報ＤＢ）と、前記会員に対して通知する通知内容（アンケート情報，イベント情報，当選情報）と、通知対象とする会員の会員識別情報を特定可能な情報（アンケート対象会員の属性情報，イベント対象会員の属性情報，当選会員の会員カードＩＤ）とを設定する通知情報設定手段（ディスプレイ５４及び入力装置５５，転送装置用通信部５１ｂ，制御部５２）と、該通知情報設定手段により設定された情報から特定される前記通知対象の会員識別情報に対応付けて前記会員管理手段で管理されている電子メールアドレスを抽出する電子メールアドレス抽出手段（制御部５２）と、前記通知情報設定手段により設定された通知内容を提供するための通知情報を含む電子メールを該電子メールアドレス抽出手段により抽出された電子メールアドレス宛に送信する電子メール送信手段（制御部５２）と、前記店舗端末（カードユニット２０，キオスク端末３０）から前記第１会員特定情報を含む確認要求（ログイン要求）を受信したことに基づいて、該受信した確認要求に含まれる第１会員特定情報から特定される会員識別情報が前記通知情報設定手段により設定された情報から特定される前記通知対象の会員識別情報であるか否かを判定する通知対象判定手段（制御部５２）と、該通知対象判定手段により通知対象の会員識別情報であると判定されたことを条件として、前記通知情報を前記店舗端末に対して返信する通知情報返信手段（制御部５２）と、をさらに有することを特徴とするポイント管理装置（５０）としても良い。これによれば、情報端末から登録を行ったポイント会員に対しては、通知情報を電子メールで迅速に通知することができると共に、店舗端末から登録を行い電子メールアドレスが登録されていないポイント会員に対しても、通知情報を店舗端末に返信して通知することができる。
【０６７３】
また前記第２の発明において、前記店舗端末（カードユニット２０，キオスク端末３０）から前記確認要求（ログイン要求）を受信したことに基づいて、該受信した確認要求に含まれる第１会員特定情報から特定される会員識別情報（会員カードＩＤ）に対応付けて前記会員管理手段（ポイント会員情報ＤＢ）で電子メールアドレスを管理しているか否かを判定する電子メールアドレス管理判定手段（制御部５２）をさらに有し、前記通知情報返信手段（制御部５２）は、該電子メールアドレス管理判定手段により電子メールアドレスを管理していると判定されたことを条件として、前記通知情報を前記店舗端末に対して返信しないことを特徴とするポイント管理装置（５０）としても良い。これによれば、ポイント管理装置において、電子メールアドレスが登録されているポイント会員に対しては、通知情報が店舗端末に返信されないので、通知情報を既に電子メールで受け取っているポイント会員に対する該通知情報の無駄な重複送信が防止される。
【０６７４】
また前記第２の発明において、前記店舗端末（カードユニット２０，キオスク端末３０）から複数の会員識別情報（会員カードＩＤ）のそれぞれを特定可能な第１会員特定情報及び／又は第２会員特定情報を複数含む会員統合要求を受信したことに基づいて、当該複数の第１会員特定情報及び／又は第２会員特定情報から特定される各会員識別情報に対応する各店舗を個々に識別可能な店舗識別情報（店舗ＩＤ）を特定すると共に、前記情報端末（ＰＣ６，携帯電話７）から、複数の会員識別情報のそれぞれを特定可能な複数の第２会員特定情報を含む会員統合要求を受信したことに基づいて、当該複数の第２会員特定情報から特定される各会員識別情報に対応する各店舗の店舗識別情報を特定する店舗特定手段（制御部５２）と、該店舗特定手段により特定された各店舗識別情報が一致するか否かを判定する店舗一致判定手段（制御部５２）と、該店舗一致判定手段により一致しないと判定されたことを条件として、前記複数の会員識別情報を対応付けるための会員識別情報対応付け処理を行う会員識別情報対応付け処理手段（制御部５２）と、をさらに有するポイント管理装置（５０）としても良い。これによれば、会員統合要求に含まれる複数の会員特定情報から特定される複数の会員識別情報に対応する各店舗が一致する場合には、当該複数の会員識別情報が対応付けられないので、記録媒体を紛失した会員のポイントが当該記録媒体を拾った他の会員のポイントと統合されてしまうおそれが低減し、該記録媒体を紛失した会員が不利益を被るおそれを低減することができる。
【０６７５】
また前記第２の発明において、複数の店舗が属するグループを設定するグループ設定手段（ディスプレイ５４及び入力装置５５）と、前記店舗端末（カードユニット２０，キオスク端末３０）から複数の会員識別情報（会員カードＩＤ）のそれぞれを特定可能な第１会員特定情報及び／又は第２会員特定情報を複数を含む会員統合要求を受信したことに基づいて、当該複数の第１会員特定情報及び／又は第２会員特定情報から特定される各会員識別情報に対応する各店舗を個々に識別可能な店舗識別情報（店舗ＩＤ）を特定すると共に、前記情報端末（ＰＣ６，携帯電話７）から、複数の会員識別情報のそれぞれを特定可能な複数の第２会員特定情報を含む会員統合要求を受信したことに基づいて、当該複数の第２会員特定情報から特定される各会員識別情報に対応する各店舗の店舗識別情報を特定する店舗特定手段（制御部５２）と、該店舗特定手段により特定された各店舗識別情報が前記グループ設定手段により設定された同一グループに属する店舗の店舗識別情報であるか否かを判定するグループ判定手段（制御部５２）と、該グループ判定手段により同一グループに属する店舗の店舗識別情報であると判定されたことを条件として、前記複数の会員識別情報を対応付けるための会員識別情報対応付け処理を行う会員識別情報対応付け処理手段（制御部５２）と、前記会員識別情報対応付け処理により対応付けられた各会員識別情報に対応するポイント数を合算するポイント合算手段（制御部５２）と、該ポイント合算手段により合算された合算ポイント数を前記会員が所定のサービスを享受するために使用させるための処理を行うポイント使用処理手段（制御部５２）と、をさらに有することを特徴とするポイント管理装置（５０）としても良い。これによれば、会員統合要求に含まれる複数の会員特定情報から特定される複数の会員識別情報に対応する各店舗が一致する場合には、当該複数の会員識別情報が対応付けられないので、記録媒体を紛失した会員のポイントが当該記録媒体を拾った他の会員のポイントと統合されてしまうおそれが低減し、該記録媒体を紛失した会員が不利益を被るおそれを低減することができる。
【０６７６】
さらに前記第２の発明に係るポイント管理装置（５０）と、前記店舗端末（カードユニット２０，キオスク端末３０）とを備えるポイント管理システム（１）において、該店舗端末は、統合対象とする複数の記録媒体（会員カード）を受け付けて、該受け付けた各記録媒体に記録されている第１会員特定情報を読み取り、該読み取った複数の第１会員特定情報を含む前記会員統合要求を前記ポイント管理装置に対して送信することを特徴とするポイント管理システムとしても良い。これによれば、店舗端末において、統合対象とする会員識別情報を手入力する手間が省ける。
【０６７７】
次に、第２の従来技術として、特開２００５−２９６２３５号公報（図７，段落００６１，００６４）を示す。この第２の従来技術には、各店舗において会員として会員登録した該会員の会員識別情報に対応付けて、当該会員の属性情報を記憶すると共に、各会員が会員となっている各店舗の会員識別情報に対応付けて、当該会員が所有する各店舗のポイントを記憶する管理装置を備える会員サービス提供システムにおいて、新規の会員登録が行われて新たに登録する会員識別情報と当該会員識別情報が記録された会員カードを所持する会員の属性情報とを受信したときに、該属性情報（氏名及び電子メールアドレス）が既に登録されている属性情報と一致するか否かを判定し、一致すれば、該属性情報に対応する会員識別情報と前記受信した新たに登録する会員識別情報とを対応付けて登録して、各店舗のポイントを統合する旨が記載されている。
【０６７８】
しかしながら、第２の従来技術に示す会員サービス提供システムでは、属性情報が一致すればいずれの店舗のポイントであっても統合されてしまうため、該会員サービス提供システムをグループ店間における来店促進に利用したいという店舗の要望に応えることができないという第３の問題があった。
【０６７９】
そこで、上記の実施形態に記載した第３の発明では、前記第３の問題を解決するために、各店舗において店舗会員として会員登録した会員に対して発行された記録媒体（会員カード）に記録されている当該会員を個々に識別可能な会員識別情報（会員カードＩＤ）を含む登録要求を、前記会員が操作する操作端末（ＰＣ６，携帯電話７，カードユニット２０，キオスク端末３０）から受信し、該受信した登録要求に含まれる会員識別情報を登録する登録手段（制御部５２）と、該登録手段により登録した会員識別情報に対応付けて、当該会員識別情報の会員が所有するポイント数を管理するポイント管理手段（ポイント会員情報ＤＢ）と、を有するポイント管理装置５０であって、複数の店舗が属するグループを設定するグループ設定手段（ディスプレイ５４及び入力装置５５）と、前記操作端末から複数の会員識別情報を含む会員統合要求を受信したことに基づいて、該受信した会員統合要求に含まれる複数の会員識別情報に対応する各店舗を個々に識別可能な店舗識別情報（店舗ＩＤ）を特定する店舗特定手段（制御部５２）と、該店舗特定手段により特定された各店舗識別情報が前記グループ設定手段により設定された同一グループに属する店舗の店舗識別情報であるか否かを判定するグループ判定手段（制御部５２）と、該グループ判定手段により同一グループに属する店舗の店舗識別情報であると判定されたことを条件として、前記複数の会員識別情報を対応付けるための会員識別情報対応付け処理を行う会員識別情報対応付け処理手段（制御部５２）と、前記会員識別情報対応付け処理により対応付けられた各会員識別情報に対応するポイント数を合算するポイント合算手段（制御部５２）と、該ポイント合算手段により合算された合算ポイント数を前記会員が所定のサービスを享受するために使用させるための処理を行うポイント使用処理手段（制御部５２）と、を有するポイント管理装置を構成した。これによれば、会員統合要求に含まれる複数の会員特定情報から特定される各会員識別情報に対応する各店舗がグループ店である場合に限って、当該会員統合要求に含まれる複数の会員特定情報から特定される複数の会員識別情報が対応付けて登録され、当該複数の会員識別情報に対応するポイントを合算して使用できるため、グループ店での集客の向上に利用することができる。
【０６８０】
また前記第３の発明において、前記登録手段（制御部５２）は、前記グループ判定手段（制御部５２）により同一グループに属する店舗の店舗識別情報（店舗ＩＤ）でないと判定されたことを条件として、前記ポイント管理手段に新たに登録する（未だ登録されていない）複数の会員識別情報（会員カードＩＤ）を含む前記会員統合要求に含まれる各会員識別情報を対応付けずに登録することを特徴とするポイント管理装置（５０）としても良い。これによれば、会員統合要求に含まれる新たに登録する複数の会員識別情報が対応付けられずに各々登録されるので、登録操作を再度やり直す必要が無く、会員の利便性が向上する。
【０６８１】
また前記第３の発明において、前記登録手段（制御部５２）は、前記グループ判定手段（制御部５２）により同一グループに属する店舗の店舗識別情報（店舗ＩＤ）でないと判定されたことを条件として、前記ポイント管理手段に新たに登録する（未だ登録されていない）会員識別情報（会員カードＩＤ）と既に登録されている会員識別情報とを含む前記会員統合要求に含まれる該新たに登録する会員識別情報を該既に登録されている会員識別情報に対応付けずに登録することを特徴とするポイント管理装置（５０）としても良い。これによれば、会員統合要求に含まれる各会員識別情報に対応する各店舗が同一グループ店でない場合には、会員統合要求に含まれる新たに登録される会員識別情報が既に登録されている会員識別情報に対応付けられずに登録されるので、登録操作を再度やり直す必要が無く、会員の利便性が向上する。
【０６８２】
また前記第３の発明において、前記操作端末（ＰＣ６，携帯電話７，カードユニット２０，キオスク端末３０）から前記会員識別情報（会員カードＩＤ）を含むグループ店一覧要求（ログイン要求及びグループ店一覧要求）を受信したことに基づいて、該受信したグループ店一覧要求に含まれる会員識別情報に対応する店舗の店舗識別情報（店舗ＩＤ）を特定する店舗特定手段（制御部５２）と、該店舗特定手段により特定された店舗識別情報の店舗が属するグループのグループ店として前記グループ設定手段（ディスプレイ５４及び入力装置５５）により設定されている各店舗を特定するグループ店特定手段（制御部５２）と、該グループ店特定手段により特定された店舗の一覧を前記操作端末に対して返信する店舗一覧返信手段（制御部５２）と、をさらに有することを特徴とするポイント管理装置（５０）としても良い。これによれば、会員が操作する操作端末から受信したグループ店一覧要求に含まれる会員識別情報に対応する店舗が特定され、該特定された店舗が属するグループのグループ店一覧が返信されるので、会員にグループ店を認識させることができる。
【０６８３】
さらに前記第３の発明において、前記グループ設定手段（ディスプレイ５４及び入力装置５５）により新たなグループの設定又は既に設定されているグループに対する新規店舗の追加が行われたことに基づいて、当該ポイント管理装置で既に登録されている会員識別情報（会員カードＩＤ）のうち、当該グループに属する各店舗で発行された記録媒体（会員カード）の会員識別情報を抽出する会員識別情報抽出手段（制御部５２）と、該会員識別情報抽出手段により抽出された会員識別情報の会員に対して前記グループに属する店舗の一覧又は前記新規店舗を通知するための処理を行う店舗通知手段（制御部５２）と、をさらに有することを特徴とするポイント管理装置（５０）としても良い。これによれば、新たなグループの設定又は既に設定されているグループに対する新規店舗の追加が行われた場合に、当該グループに属する各店舗で発行された記録媒体の所有者に対して、グループ店一覧又は新規店舗が通知されるので、会員に新たに統合できる店舗があることを認識させることができる。
【０６８４】
また、上記の実施形態に記載した第４の発明では、前記第３の問題を解決するために、各店舗において店舗会員として会員登録した会員に対して発行された記録媒体（会員カード）に記録されている当該会員を個々に識別可能な会員識別情報（会員カードＩＤ）を含む登録要求を、前記会員が操作する操作端末（ＰＣ６，携帯電話７，カードユニット２０，キオスク端末３０）から受信し、該受信した登録要求に含まれる会員識別情報を登録する登録手段（制御部５２）と、該登録手段により登録した会員識別情報に対応付けて、当該会員識別情報の会員が所有するポイント数を管理するポイント管理手段（ポイント会員情報ＤＢ）と、を有するポイント管理装置（５０）であって、複数の店舗が属するグループを設定するグループ設定手段（ディスプレイ５４及び入力装置５５）と、前記操作端末から前記会員識別情報を受信したことに基づいて、該受信した会員識別情報である統合元会員識別情報に対応する店舗を個々に識別可能な店舗識別情報（店舗ＩＤ）が、前記グループ設定手段により設定されたグループに属する店舗の店舗識別情報であるか否かを判定するグループ該当店舗判定手段（制御部５２）と、該グループ該当店舗判定手段によりグループに属する店舗の店舗識別情報であると判定されたことを条件として、前記統合元会員識別情報に統合を希望する他の会員識別情報である統合対象会員識別情報の入力を受け付けるための統合受付ページを前記操作端末に対して送信する統合受付ページ送信手段（制御部５２）と、前記操作端末から前記統合受付ページにて入力された統合対象会員識別情報を受信したことに基づいて、該受信した統合対象会員識別情報に対応する店舗の店舗識別情報が、前記統合元会員識別情報に対応する店舗のグループに属する同一グループ店の店舗識別情報であるか否かを判定する同一グループ店判定手段（制御部５２）と、該同一グループ店判定手段により同一グループ店の店舗識別情報であると判定されたことを条件として、前記統合元会員識別情報と前記統合対象会員識別情報とを対応付けるための会員識別情報対応付け処理を行う会員識別情報対応付け処理手段（制御部５２）と、前記会員識別情報対応付け処理により対応付けられた各会員識別情報に対応するポイント数を合算するポイント合算手段（制御部５２）と、該ポイント合算手段により合算された合算ポイント数を前記会員が所定のサービスを享受するために使用させるための処理を行うポイント使用処理手段（制御部５２）と、をさらに有することを特徴とするポイント管理装置を構成した。これによれば、グループ設定手段によりグループ設定されている同一グループ店に限ってポイント数が合算され、該合算されたポイント数を会員が使用することができるようになるので、該ポイント数の合算を、グループ店での集客の向上に利用することができる。
【０６８５】
また前記第４の発明において、前記会員識別情報対応付け処理手段（制御部５２）は、前記統合元会員識別情報に対応する店舗の店舗識別情報（店舗ＩＤ）と前記統合対象会員識別情報に対応する店舗の店舗識別情報とが一致しないことを条件として、前記会員識別情報対応付け処理を行うことを特徴とするポイント管理装置（５０）としても良い。これによれば、自己が会員登録している店舗において拾った他人の記録媒体を使用して、当該他人が所有するポイント数が不正に合算されてしまうことを防止することができる。
【０６８６】
また前記第４の発明において、前記会員識別情報対応付け処理手段（制御部５２）は、前記統合受付ページにて入力された複数の前記統合対象会員識別情報を受信したときに、該受信した複数の統合対象会員識別情報に対応する各店舗の店舗識別情報（店舗ＩＤ）が同一でないことを条件として、これら複数の統合対象会員識別情報と前記統合元会員識別情報とを対応付けるための前記会員識別情報対応付け処理を行うことを特徴とするポイント管理装置（５０）としても良い。これによれば、統合対象会員識別情報が複数の場合においても、これら複数の統合対象会員識別情報に対応する店舗が同一であるときにはポイント数の合算が行われないので、同一店舗における記録媒体のポイント数が不正に合算されてしまうことを防止することができる。
【０６８７】
また前記第４の発明において、前記グループ該当店舗判定手段によりグループに属する店舗の店舗識別情報であると判定されたことを条件として、前記統合元会員識別情報に対応する店舗のグループに属する同一グループ店を特定する同一グループ店特定手段（制御部５２）をさらに有し、前記統合受付ページ送信手段（制御部５２）は、該同一グループ店特定手段により特定された同一グループ店を認識可能な情報を含む前記統合受付ページを前記操作端末（ＰＣ６，携帯電話７，カードユニット２０，キオスク端末３０）に対して送信することを特徴とするポイント管理装置（５０）としても良い。これによれば、会員が、ポイント数の合算に際して、該合算が可能な店舗を認識することができるようになるので、会員の利便性を向上できる。
【０６８８】
さらに前記第４の発明において、前記統合受付ページ送信手段（制御部５２）は、前記同一グループ店特定手段（制御部５２）により特定された同一グループ店のうち、統合を希望する店舗の選択を受付可能であると共に、該選択された同一グループ店における前記統合対象会員識別情報の入力を受け付けるための前記統合受付ページを前記操作端末（ＰＣ６，携帯電話７，カードユニット２０，キオスク端末３０）に対して送信し、前記同一グループ店判定手段（制御部５２）は、前記操作端末から、前記統合受付ページにて入力された統合対象会員識別情報と共に、該統合受付ページにて選択された同一グループ店を特定可能な選択情報を受信したことに基づいて、該受信した統合対象会員識別情報に対応する店舗の店舗識別情報（店舗ＩＤ）が、該受信した選択情報から特定される同一グループ店の店舗識別情報であるか否かを判定することにより、前記統合対象会員識別情報に対応する店舗の店舗識別情報が、前記統合元会員識別情報に対応する店舗のグループに属する同一グループ店の店舗識別情報であるか否かを判定することを特徴とするポイント管理装置（５０）としても良い。これによれば、受信した会員識別情報が、統合受付ページにて選択された統合可能なグループ関係にある店舗における会員識別情報に該当するか否かという判定を行うことにより、受信した会員識別情報に対応する店舗が同一グループ店であるか否かを判定できる。
【０６８９】
また前記第３の発明又は前記第４の発明において、前記操作端末（ＰＣ６，携帯電話７，カードユニット２０，キオスク端末３０）から前記会員識別情報（会員カードＩＤ）を含む情報公開要求（ログイン要求）を受信したことに基づいて、該受信した会員識別情報であるログイン会員識別情報（ログインＩＤ）に対応付けられている会員識別情報が有るか否かを判定する同一会員判定手段（制御部５２）と、該同一会員判定手段により無いと判定されたことを条件として、前記ログイン会員識別情報に対応するポイント数を少なくとも含む当該会員専用の会員専用ページを前記操作端末に対して送信し、前記同一会員判定手段により有ると判定されたことを条件として、前記ポイント合算手段（制御部５２）により合算された合算ポイント数を少なくとも含む前記会員専用ページを前記操作端末に対して送信する会員専用ページ送信手段（制御部５２）と、をさらに有することを特徴とするポイント管理装置（５０）としても良い。これによれば、受信した情報公開要求に含まれる会員識別情報が、対応付けられている会員識別情報のいずれであっても、当該会員専用の会員専用ページが送信されるので、会員の利便性を向上できる。
【０６９０】
次に、第３の従来技術として、特開２００２−８９０号公報（図６，図９，図１０）を示す。この第３の従来技術には、所定の地域毎に、各地域に属する店舗の店舗名と当該店舗に関する店舗情報（例えばイベント情報等）とを対応付けて記憶しておき、ユーザーが操作する携帯端末装置から、該ユーザーが選択した地域の情報を受信したことに基づいて、当該地域に属する店舗を選択可能に返信し、ユーザーが選択した店舗の店舗情報を返信する遊技場情報配信装置が記載されている。
【０６９１】
しかしながら、第３の従来技術に示す遊技場情報配信装置では、ユーザーが選択した店舗の店舗情報を該ユーザーに認識させることはできるが、該店舗がグループ店である場合に、当該グループに属する他の店舗の存在をユーザーに認識させることができないため、前記遊技場情報配信装置をグループ店での集客の向上に利用したいという店舗の要望に応えることができないという第４の問題があった。
【０６９２】
そこで、上記の実施形態に記載した第５の発明では、前記第４の問題を解決するために、会員が操作する操作端末（ＰＣ６，携帯電話７，カードユニット２０，キオスク端末３０）から、店舗を特定可能な店舗特定情報（会員カードＩＤ）を含む店舗情報要求（登録要求）を受信したことに基づいて、該受信した店舗情報要求に含まれる店舗特定情報から特定される店舗に関する店舗情報（イベント情報）を前記操作端末に対して提供する店舗情報提供手段（制御部５２）を有するポイント管理装置（５０）であって、複数の店舗が属するグループを設定するグループ設定手段（ディスプレイ５４及び入力装置５５）と、当該店舗情報提供装置に登録された店舗を個々に識別可能な店舗識別情報（店舗ＩＤ）を管理すると共に、該店舗が前記グループに属するときには、該グループを個々に識別可能なグループ識別情報（グループ名）を対応付けて管理する店舗管理手段（グループＤＢ，店舗ＤＢ）と、前記店舗情報要求を受信したことに基づいて、前記店舗管理手段において該受信した店舗情報要求に含まれる店舗特定情報から特定される店舗の店舗識別情報に前記グループ識別情報が対応付けられているか否かを判定するグループ識別情報判定手段（制御部５２）と、該グループ識別情報判定手段により前記グループ識別情報が対応付けられていると判定されたことを条件として、前記店舗管理手段において当該グループ識別情報に対応付けられている他の店舗識別情報の店舗を認識可能なグループ店情報を前記操作端末に対して提供するグループ店情報提供手段（制御部５２）と、を有するポイント管理装置を構成した。これによれば、会員が操作する操作端末から受信した店舗情報要求に含まれる店舗特定情報から特定される店舗がグループに属する場合には、グループ店情報が操作端末に対して提供されるので、当該グループに属する他のグループ店の存在を会員に認識させることができ、ポイント管理装置をグループ店での集客の向上に利用したいという店舗の要望に応えることができる。
【０６９３】
また前記第５の発明において、前記操作端末（ＰＣ６，携帯電話７，カードユニット２０，キオスク端末３０）から、前記店舗情報要求（登録要求Ａ及びＢ）として、前記会員の電子メールアドレスと、前記店舗特定情報として店舗を特定可能な前記会員識別情報（会員カードＩＤ）とを受信したことに基づいて、該受信した電子メールアドレスと会員識別情報とを対応付けて管理する会員管理手段（ポイント会員情報ＤＢ）をさらに有し、前記グループ店情報提供手段（制御部５２）は、前記グループ識別情報判定手段により前記グループ識別情報（グループ名）が対応付けられていると判定されたことを条件として、当該グループ識別情報に対応付けられている他の店舗識別情報（店舗ＩＤ）の店舗の店舗情報（イベント情報）の提供を希望するか否かを確認する確認情報を前記グループ店情報として前記操作端末に対して提供し、前記会員管理手段は、該操作端末から、前記店舗情報の提供を希望する店舗を特定可能な情報を含む返信情報（登録要求Ｂ）を受信したことに基づいて、該受信した返信情報から特定される店舗の店舗識別情報を前記会員識別情報に対応付けて管理し、前記店舗情報提供手段（制御部５２）は、該会員管理手段で会員識別情報に対応付けて管理している店舗識別情報の店舗の店舗情報を含む電子メールを当該会員識別情報に対応付けて管理している電子メールアドレスに対して送信することを特徴とするポイント管理装置（５０）としても良い。これによれば、会員が会員登録した店舗のグループに属する他のグループ店のうち、該会員が希望する店舗の店舗情報を含む電子メールが、該会員の電子メールアドレスに対して送信されるので、会員の利便性が向上する。
【０６９４】
また前記第５の発明において、前記店舗管理手段（グループＤＢ，店舗ＤＢ）は、前記店舗識別情報（店舗ＩＤ）に対応付けて、当該店舗識別情報の店舗の所在地が属する地域を個々に識別可能な地域識別情報（地域名）を管理し、前記グループ店情報提供手段（制御部５２）は、前記店舗管理手段において前記受信した店舗情報要求（登録要求Ａ）に含まれる店舗特定情報（会員カードＩＤ）から特定される店舗の店舗識別情報に対応付けて管理している地域識別情報と同一の地域識別情報に対応付けられている他の店舗識別情報の店舗を認識可能な前記グループ店情報を前記操作端末（ＰＣ６，携帯電話７，カードユニット２０，キオスク端末３０）に対して提供することを特徴とするポイント管理装置（５０）としても良い。これによれば、グループに属する店舗が多い場合であっても、会員が操作する操作端末から受信した店舗情報要求に含まれる店舗特定情報から特定される店舗と同一地域に所在するグループ店を認識可能なグループ店情報が操作端末に対して提供されるので、会員の利便性が向上する。
【０６９５】
また前記第５の発明において、前記店舗管理手段（グループＤＢ，店舗ＤＢ）は、前記店舗識別情報（店舗ＩＤ）に対応付けて、当該店舗識別情報の店舗の所在地を特定可能な情報（郵便番号）を管理し、前記グループ店情報提供手段（制御部５２）は、前記店舗管理手段において前記グループ識別情報（グループ名）に対応付けられている他の店舗識別情報の店舗を、前記受信した店舗情報要求（登録要求Ａ）に含まれる店舗特定情報（会員カードＩＤ）から特定される店舗の所在地から近い場所に所在する順で認識可能な前記グループ店情報を前記操作端末（ＰＣ６，携帯電話７，カードユニット２０，キオスク端末３０）に対して提供することを特徴とするポイント管理装置（５０）としても良い。これによれば、グループに属する店舗が多い場合であっても、会員が操作する操作端末から受信した店舗情報要求に含まれる店舗特定情報から特定される店舗の所在地から近い場所に所在する順にグループ店を認識可能なグループ店情報が操作端末に対して提供されるので、会員の利便性が向上する。
【０６９６】
また前記第５の発明において、前記操作端末（ＰＣ６，携帯電話７，カードユニット２０，キオスク端末３０）から、前記ポイント管理手段（ポイント会員情報ＤＢ）で既に登録している会員識別情報（会員カードＩＤ）である統合元会員識別情報に対して、該統合元会員識別情報から特定される店舗と異なる店舗の会員識別情報であって、該ポイント管理手段で既に登録している統合対象会員識別情報を統合する旨の会員統合要求を受信したことに基づいて、当該統合元会員識別情報と統合対象会員識別情報とを対応付けるための会員識別情報対応付け処理を行う会員識別情報対応付け処理手段（制御部５２）をさらに有するポイント管理装置（５０）としても良い。これによれば、統合元会員識別情報と統合対象会員識別情報とを統合する旨の会員統合要求を受信した際に、該統合元会員識別情報から特定される店舗と統合対象会員識別情報から特定される店舗とが異なっている場合に限って統合が行われるので、記録媒体を紛失した会員のポイントが当該記録媒体を拾った他の会員のポイントと統合されてしまうおそれが低減し、該記録媒体を紛失した会員が不利益を被るおそれを低減することができる。
【０６９７】
また前記第５の発明において、前記操作端末（ＰＣ６，携帯電話７，カードユニット２０，キオスク端末３０）から、前記ポイント管理手段（ポイント会員情報ＤＢ）で既に登録している会員識別情報（会員カードＩＤ）である統合元会員識別情報に対して、該統合元会員識別情報から特定される店舗と同一のグループに属する店舗の会員識別情報であって、該ポイント管理手段で既に登録している統合対象会員識別情報を統合する旨の会員統合要求を受信したことを条件として、当該統合元会員識別情報と統合対象会員識別情報とを対応付けるための会員識別情報対応付け処理を行う会員識別情報対応付け処理手段（制御部５２）と、前記会員識別情報対応付け処理により対応付けられた各会員識別情報に対応するポイント数を合算するポイント合算手段（制御部５２）と、該ポイント合算手段により合算された合算ポイント数を前記会員が所定のサービスを享受するために使用させるための処理を行うポイント使用処理手段（制御部５２）と、をさらに有することを特徴とするポイント管理装置（５０）としても良い。これによれば、統合元会員識別情報と統合対象会員識別情報とを統合する旨の会員統合要求を受信した際に、該統合元会員識別情報から特定される店舗と統合対象会員識別情報から特定される店舗とがグループ店である場合に限って統合が行われるので、当該各会員識別情報に対応するポイントを合算して使用でき、グループ店での集客の向上に利用することができる。
【０６９８】
さらに第４の従来技術として、特開２００６−１４１８８２号公報（図１，図１１，図２４，図３７〜図４０，段落０３３８，０３９０）を示す。この第４の従来技術には、店舗（遊技場）において会員登録した会員に対して発行された記録媒体（会員カード）に記録されている記録媒体識別情報（会員ＩＤ）を含む登録要求を、当該会員が操作する情報端末（ＰＣ又は携帯電話）から受信し、該受信した登録要求に含まれる会員ＩＤを登録するメール会員登録処理を行うと共に、該会員ＩＤに対応付けて、会員の属性情報及び累計使用金額を管理し、該累計使用金額に応じたポイントを付与する統合管理装置が記載されている。この統合管理装置では、会員が会員カードを紛失したり破損したりして、該会員カード（旧会員カード）に代えて新たな会員カード（新会員カード）の再発行が行われた場合に、旧会員ＩＤと新会員ＩＤとを含む引き継ぎ要求を、店舗に設けられた会員管理装置から受信すると、旧会員ＩＤに対応付けられた情報を新会員ＩＤに対応付ける引き継ぎ処理が行われる。
【０６９９】
しかしながら、第４の従来技術に示す統合管理装置では、メール会員登録処理については、会員が操作する情報端末から登録要求を受信したことに基づいて処理を行うにも拘わらず、引き継ぎ処理については、店舗に設けられた会員管理装置から引き継ぎ要求を受信したことに基づいて処理を行うので、該引き継ぎ処理を行うために、会員管理装置及び統合管理装置において引き継ぎ要求の送受信に伴うプログラムを組んだり、該送受信のための装置を設けたりする必要があり、そのためのコストがかかって費用対効果が低いという第５の問題があった。
【０７００】
そこで、上記の実施形態に記載した第６の発明では、前記第５の問題を解決するために、各店舗（遊技場）において店舗会員として会員登録した会員に対して発行された記録媒体（会員カード）に記録されている当該会員を個々に識別可能な会員識別情報（会員カードＩＤ）を含む登録要求を、該会員が操作する操作端末から受信し、該受信した登録要求に含まれる会員識別情報を登録する登録手段（制御部５２）と、該登録手段により登録した会員識別情報に対応付けて、当該会員識別情報の会員が所有するポイント数を管理するポイント管理手段（ポイント会員情報ＤＢ）と、既に登録されている会員識別情報である既登録会員識別情報が記録された記録媒体に代えて新たな記録媒体の再発行が行われた場合に、当該既登録会員識別情報に対応付けられたポイント数と当該新たな記録媒体に記録された会員識別情報である新会員識別情報とを対応付ける引き継ぎ処理を行う引き継ぎ処理手段（制御部５２）と、を有するポイント管理装置（５０）であって、前記操作端末から前記既登録会員識別情報と共に前記新会員識別情報を含む引き継ぎ要求を受信したことに基づいて、前記引き継ぎ処理を前記引き継ぎ処理手段により行うことを特徴とするポイント管理装置を構成した。これによれば、会員が操作する操作端末から引き継ぎ要求を受信したことに基づいて引き継ぎ処理が行われるので、該ポイント管理装置及び店舗に設けられる会員管理装置において引き継ぎ要求の送受信に伴うプログラムを組んだり、該送受信を行うための装置を設けたりする必要がなく、引き継ぎ処理を行うためのコストが低減される。
【０７０１】
また前記第６の発明において、前記引き継ぎ処理手段（制御部５２）は、前記引き継ぎ処理として、前記既登録会員識別情報に対応付けられているポイント数を前記新会員識別情報に対応付けて管理すると共に、該新会員識別情報に対応付けられているポイント数と合算する処理を行うことを特徴とするポイント管理装置（５０）としても良い。これによれば、新会員識別情報に対応付けてポイント数が管理されている場合であっても、既登録会員識別情報に対応付けられているポイント数と該新会員識別情報に対応付けられているポイント数とが合算されるので、それら会員識別情報が記録された複数の記録媒体を所有する所有者の利便性が向上する。
【０７０２】
また前記第６の発明において、前記引き継ぎ要求を受信したことに基づいて、該受信した引き継ぎ要求に含まれる既登録会員識別情報と新会員識別情報とが同一店舗で発行された記録媒体（会員カード）に記録されている会員識別情報（会員カードＩＤ）であるか否かを判定する同一店舗判定手段（制御部５２）と、前記受信した引き継ぎ要求に含まれる新会員識別情報が登録されているか否かを判定する登録判定手段（制御部５２）と、をさらに有し、前記引き継ぎ処理手段（制御部５２）は、前記同一店舗判定手段により同一店舗で発行された記録媒体に記録されている会員識別情報であると判定され、かつ前記登録判定手段により登録されていないと判定されたことを条件として、前記引き継ぎ処理を行うことを特徴とするポイント管理装置（５０）としても良い。これによれば、同一店舗で発行された記録媒体の会員識別情報に対して引き継ぎ処理が行われるので、他の店舗で発行された記録媒体の会員識別情報に対して引き継ぎ処理が行われてしまうおそれがない。またポイント管理装置に登録されていない未登録の新会員識別情報に対して引き継ぎ処理が行われるので、既登録の新会員識別情報に対応付けられているポイント数が無効になってしまうということがなく、また既登録の新会員識別情報に対応付けられているポイント数に他人の既登録会員識別情報に対応付けられているポイント数が合算されて当該他人が損をしてしまうということがない。
【０７０３】
また前記第６の発明において、前記会員識別情報（会員カードＩＤ）と、該会員識別情報が記録されている記録媒体（会員カード）を使用した前記店舗での取引処理（玉貸処理）により発生するポイント付与対象情報（使用金額）とを、所定の収集間隔（１日毎）で収集するポイント付与対象情報収集手段（転送装置用通信部５１ｂ）と、該ポイント付与対象情報収集手段により収集した会員識別情報に対応付けられたポイント数に対して、前記収集したポイント付与対象情報に応じたポイントを加算するポイント加算処理を行うポイント加算処理手段（制御部５２）と、をさらに有し、前記引き継ぎ処理において、前記既登録会員識別情報に対応するポイント付与対象情報に応じたポイントを加算するポイント加算処理が行われた後に当該引き継ぎ処理が行われた旨を特定可能な引き継ぎ特定情報（引き継ぎ日付，引き継ぎ元ＩＤ）を記憶し、前記ポイント加算処理手段は、前記新会員識別情報に対応付けて前記引き継ぎ特定情報が記憶されていることを条件として、該新会員識別情報に対応付けられたポイント数に対して、前記既登録会員識別情報に対応するポイント付与対象情報に応じたポイントと当該新会員識別情報に対応するポイント付与対象情報に応じたポイントとを加算する引き継ぎ時ポイント加算処理を行う一方、前記引き継ぎ特定情報が記憶されていないことを条件として、前記新会員識別情報に対応付けられたポイント数に対して、前記既登録会員識別情報に対応するポイント付与対象情報に応じたポイントを加算しないことを特徴とするポイント管理装置（５０）としても良い。これによれば、引き継ぎ特定情報が管理されていることを条件として、引き継ぎ時ポイント加算処理が行われるので、ポイント付与対象情報の収集間隔に依らずに、既登録会員識別情報に対応するポイント付与対象情報のうち、新会員識別情報に対応付けられたポイントに加算すべきポイントを確実に加算することができる。
【０７０４】
また前記第６の発明において、前記ポイント加算処理手段（制御部５２）による前記ポイント加算処理において、前記会員識別情報（会員カードＩＤ）に対応付けられたポイント数に対して加算するポイントの上限値を設定する上限値設定手段（制御部５２）をさらに有し、前記ポイント加算処理手段（制御部５２）は、前記引き継ぎ時ポイント加算処理を行う際に、前記既登録会員識別情報に対応するポイント付与対象情報（使用金額）に応じたポイントと前記新会員識別情報に対応するポイント付与対象情報に応じたポイントとの合算値が前記上限値設定手段により設定した上限値を超えていることを条件として、該新会員識別情報に対応付けられたポイント数に対して、当該上限値のポイントを加算する処理を行うことを特徴とするポイント管理装置（５０）としても良い。これによれば、既登録会員識別情報に対応するポイント付与対象情報に応じたポイントと新会員識別情報に対応するポイント付与対象情報に応じたポイントとの合算値が上限値を超えている場合には、新会員識別情報に対応付けられたポイントに対して、該上限値のポイントが加算されるので、引き継ぎを行った者に当該上限値を超えたポイントが付与されることがなく、公平にポイントを付与することができる。
【０７０５】
また前記第６の発明において、複数の各会員識別情報（会員カードＩＤ）に対応する各ポイント数を合算するための合算条件を設定する合算条件設定手段（制御部５２）と、前記操作端末（ＰＣ６，携帯電話７，カードユニット２０，キオスク端末３０）から、複数の会員識別情報を含む会員統合要求を受信したことに基づいて、該受信した会員統合要求に含まれる複数の会員識別情報が前記合算条件設定手段により設定した合算条件を満たすか否かを判定する合算条件判定手段（制御部５２）と、該合算条件判定手段により合算条件を満たすと判定されたことを条件として、前記受信した会員統合要求に含まれる各会員識別情報を対応付けるための会員識別情報対応付け処理を行う会員識別情報対応付け処理手段（制御部５２）と、前記会員識別情報対応付け処理により対応付けられた各会員識別情報に対応するポイント数を合算するポイント合算手段（制御部５２）と、をさらに有することを特徴とするポイント管理装置（５０）としても良い。これによれば、複数の各会員識別情報が合算条件を満たすことを条件として、当該各会員識別情報に対応する各ポイント数を合算するポイント合算処理が行われるので、当該各会員識別情報が記録された複数の記録媒体を所有する所有者の利便性が向上する。
【０７０６】
また前記第６の発明において、前記合算条件設定手段（制御部５２）は、前記受信した会員統合要求に含まれる各会員識別情報（会員カードＩＤ）が記録された各記録媒体（会員カード）の発行店舗が異なることを前記合算条件として設定することを特徴とするポイント管理装置（５０）としても良い。これによれば、会員統合要求に含まれる各会員識別情報が記録された各記録媒体の発行店舗が異なる場合に限ってポイント合算処理が行われるので、記録媒体を紛失した会員のポイント数が該記録媒体を拾った他の会員のポイント数と合算されてしまうおそれが低減し、該記録媒体を紛失した会員が不利益を被るおそれを低減することができる。
【０７０７】
また前記第６の発明において、複数の店舗が属するグループを設定するグループ設定手段（ディスプレイ５４及び入力装置５５）をさらに有し、前記合算条件設定手段（制御部５２）は、前記受信した会員統合要求に含まれる各会員識別情報（会員カードＩＤ）が記録された各記録媒体（会員カード）の発行店舗が前記グループ設定手段により設定された同一グループに属することを前記合算条件として設定することを特徴とするポイント管理装置（５０）としても良い。これによれば、会員統合要求に含まれる各会員識別情報が記録された各記録媒体の発行店舗が同一グループに属する場合に限ってポイント合算処理が行われるので、当該各会員識別情報に対応するポイント数を合算して使用でき、グループ店での集客の向上に利用することができる。
【０７０８】
さらに前記第６の発明において、前記引き継ぎ要求を受信したことに基づいて、該受信した引き継ぎ要求に含まれる既登録会員識別情報に対応付けて登録されている他の既登録会員識別情報が有るか否かを判定する対応付け判定手段（制御部５２）をさらに有し、該対応付け判定手段により有ると判定されたことを条件として、前記引き継ぎ処理手段（制御部５２）により、前記引き継ぎ処理を行うと共に、前記登録手段（制御部５２）により、前記引き継ぎ要求に含まれる新会員識別情報を前記他の既登録会員識別情報に対応付けて登録することを特徴とするポイント管理装置（５０）としても良い。これによれば、引き継ぎ要求に含まれる既登録会員識別情報に対応付けて登録されている他の既登録会員識別情報があれば、引き継ぎ要求に含まれる新会員識別情報が当該他の既登録会員識別情報に対応付けて登録されるので、当該他の既登録会員識別情報と新会員識別情報とを含む会員統合要求を送信する必要が無く、それら会員識別情報が記録された複数の記録媒体を所有する所有者の利便性が向上する。
【図面の簡単な説明】
【０７０９】
【図１】図１は本発明に係る管理装置であるポイント管理装置を含むポイント管理システムの一例を表す全体図である。
【図２】図２（ａ）は第１会員カードの正面図であり、図２（ｂ）は第２会員カードの正面図である。
【図３】図３はＰＣ及び携帯電話のディスプレイに表示される画面の一例を表す図である。
【図４】図４は図３に続く図である。
【図５】図５は図３に続く図である。
【図６】図６は第１遊技場内に設置される各装置の一例を表す機能ブロック図である。
【図７】図７は第２遊技場内に設置される各装置の一例を表す機能ブロック図である。
【図８】図８（ａ）はカードユニット及びパチンコ機の正面図であり、図８（ｂ）は同カードユニットの断面右側面図である。
【図９】図９はカードユニット及びキオスク端末のディスプレイに表示される画面の一例を表す図である。
【図１０】図１０は図９に続く図である。
【図１１】図１１は図９に続く図である。
【図１２】図１２（ａ）はキオスク端末の一例を表す斜視図であり、図１２（ｂ）は同機能ブロック図である。
【図１３】図１３（ａ）はシステム管理装置及び転送装置が記憶する残額管理ＤＢの記憶内容の一例を表す図であり、図１３（ｂ）は第１会員管理装置が記憶する第１会員情報ＤＢの記憶内容の一例を表す図であり、図１３（ｃ）は第２会員管理装置が記憶する第２会員情報ＤＢの記憶内容の一例を表す図である。
【図１４】図１４はカードユニットにおける入金に際しての処理の一例を表す図である。
【図１５】図１５はカードユニットにおける会員カードを使用した処理の一例を表す図である。
【図１６】図１６はカードユニットにおけるカード返却ボタン操作時の処理の一例を表す図である。
【図１７】図１７はシステム管理装置で表示される定型レポート表示画面の一例を表す図である。
【図１８】図１８は図１７に続く図であり、イベント情報送信画面の一例を表す図である。
【図１９】図１９は図１７に続く図であり、アンケート結果表示画面の一例を表す図である。
【図２０】図２０は図１７に続く図であり、ポイント状況表示画面の一例を表す図である。
【図２１】図２１はポイント管理装置に接続される各装置の一例を表す機能ブロック図である。
【図２２】図２２（ａ）は遊技場の営業終了後における処理の一例を表す図であり、図２２（ｂ）はポイント管理装置が行うポイント付与処理の一例を表すフローチャートである。
【図２３】図２３はポイント管理装置が記憶する各ＤＢの記憶内容の一例を表す図であり、（ａ）はポイント会員情報ＤＢ，（ｂ）は通知情報ＤＢ，（ｃ）は使用金額ＤＢである。
【図２４】図２４はポイント管理装置が記憶する各ＤＢの記憶内容の一例を表す図であり、（ａ）はエンコード情報ＤＢ，（ｂ）はグループＤＢ，（ｃ）は店舗ＤＢ，（ｄ）は抽選情報ＤＢである。
【図２５】図２５はポイント管理装置が行うグループ設定処理の一例を表す図である。
【図２６】図２６はポイント管理装置が行うアンケート処理の一例を表す図である。
【図２７】図２７はＰＣ及び携帯電話のディスプレイに表示されるアンケート画面の一例を表す図である。
【図２８】図２８はポイント管理装置が行う抽選処理の一例を表すフローチャートである。
【図２９】図２９はＰＣ及び携帯電話のディスプレイに表示される当選画面の一例を表す図である。
【図３０】図３０はポイント管理装置が行うイベント情報配信処理の一例を表すフローチャートである。
【図３１】図３１はＰＣ及び携帯電話のディスプレイに表示されるイベント情報メールの一例を表す図である。
【図３２】図３２はポイント管理装置が行う処理の一例を表すフローチャートであり、主に情報端末からのアクセスに応じた処理である。
【図３３】図３３は図３２に続く図であり、主に店舗端末からのアクセスに応じた処理である。
【図３４】図３４は図３２又は図３３に続く図であり、操作端末からの登録要求の受信に応じた処理である。
【図３５】図３５は図３２又は図３３に続く図であり、操作端末からのログイン要求の受信に応じた処理である。
【図３６】図３６はポイント管理装置が行うサブルーチンの一例を表すフローチャートである。
【図３７】図３７は図３５に続く図であり、ポイント管理装置が行う会員統合処理の一例を表すフローチャートである。
【図３８】図３８は図３５に続く図であり、ポイント管理装置が行う引き継ぎ処理の一例を表すフローチャートである。
【図３９】図３９はポイント管理装置が行う引き継ぎ処理の一例を表す図である。
【図４０】図４０は図３５に続く図である。
【図４１】図４１は図３５に続く図である。
【図４２】図４２は操作端末のディスプレイに表示される画面の一例を表す図である。
【図４３】図４３は操作端末のディスプレイに表示される画面の一例を表す図である。
【図４４】図４４は操作端末のディスプレイに表示されるメニュー画面の表示内容の一例を表す図である。
【図４５】図４５は第１実施形態の変形例に係るポイント管理装置が行うグループ設定処理の一例を表す図である。
【図４６】図４６は第１実施形態の変形例に係るポイント管理装置が記憶するグループＤＢ及び店舗ＤＢの記憶内容の一例を表す図である。
【図４７】図４７は第１実施形態の変形例に係るＰＣ及び携帯電話のディスプレイに表示される画面の一例を表す図である。
【図４８】図４８は第２実施形態に係るポイント管理装置が記憶する各ＤＢの記憶内容の一例を表す図であり、（ａ）はポイント会員情報ＤＢ，（ｂ）は通知情報ＤＢ，（ｃ）は使用金額ＤＢである。
【図４９】図４９は第２実施形態に係るＰＣ及び携帯電話で統合登録を受け付ける際に表示される画面の一例を表す図である。
【図５０】図５０は第２実施形態に係るカードユニット及びキオスク端末で統合登録を受け付ける際に表示される画面の一例を表す図である。
【図５１】図５１は第２実施形態に係るポイント管理装置が行う店舗一致判定処理の一例を表す図である。
【図５２】図５２は図５１に続く図である。
【図５３】図５３は図３５に続く図であり、第２実施形態に係るポイント管理装置が行う会員統合処理の一例を表すフローチャートである。
【図５４】図５４は図３５に続く図であり、第２実施形態に係るポイント管理装置が行う引き継ぎ処理の一例を表すフローチャートである。
【図５５】図５５は第２実施形態に係るポイント管理装置が行う引き継ぎ処理の一例を表す図である。
【図５６】図５６はポイント管理装置が行うポイント会員登録処理の変形例を表す図である。
【符号の説明】
【０７１０】
１…ポイント管理システム
４…第１会員カード
４ａ…表示領域
４ｂ…ＩＣチップ（第１会員カードＩＤ，第１会員ＩＤ）
４ｃ…磁気ストライプ（第１会員ＩＤ）
５…第２会員カード
５ａ…表示領域
５ｂ…ＩＣチップ（第２会員カードＩＤ，他システム会員ＩＤ）
５ｃ…磁気ストライプ（他システム会員ＩＤ）
６…ＰＣ
７…携帯電話
２０…カードユニット
２２…制御部
２５…カードＲ／Ｗ
３０…キオスク端末
３２…制御部
３３…カードリーダ
５０…ポイント管理装置
５１ｂ…転送装置用通信部
５２…制御部
５３…ハードディスク
５４…ディスプレイ
５５…入力装置
【図１】
2008113840.tif 000003
【図２】
2008113840.tif 000004
【図３】
2008113840.tif 000005
【図４】
2008113840.tif 000006
【図５】
2008113840.tif 000007
【図６】
2008113840.tif 000008
【図７】
2008113840.tif 000009
【図８】
2008113840.tif 000010
【図９】
2008113840.tif 000011
【図１０】
2008113840.tif 000012
【図１１】
2008113840.tif 000013
【図１２】
2008113840.tif 000014
【図１３】
2008113840.tif 000015
【図１４】
2008113840.tif 000016
【図１５】
2008113840.tif 000017
【図１６】
2008113840.tif 000018
【図１７】
2008113840.tif 000019
【図１８】
2008113840.tif 000020
【図１９】
2008113840.tif 000021
【図２０】
2008113840.tif 000022
【図２１】
2008113840.tif 000023
【図２２】
2008113840.tif 000024
【図２３】
2008113840.tif 000025
【図２４】
2008113840.tif 000026
【図２５】
2008113840.tif 000027
【図２６】
2008113840.tif 000028
【図２７】
2008113840.tif 000029
【図２８】
2008113840.tif 000030
【図２９】
2008113840.tif 000031
【図３０】
2008113840.tif 000032
【図３１】
2008113840.tif 000033
【図３２】
2008113840.tif 000034
【図３３】
2008113840.tif 000035
【図３４】
2008113840.tif 000036
【図３５】
2008113840.tif 000037
【図３６】
2008113840.tif 000038
【図３７】
2008113840.tif 000039
【図３８】
2008113840.tif 000040
【図３９】
2008113840.tif 000041
【図４０】
2008113840.tif 000042
【図４１】
2008113840.tif 000043
【図４２】
2008113840.tif 000044
【図４３】
2008113840.tif 000045
【図４４】
2008113840.tif 000046
【図４５】
2008113840.tif 000047
【図４６】
2008113840.tif 000048
【図４７】
2008113840.tif 000049
【図４８】
2008113840.tif 000050
【図４９】
2008113840.tif 000051
【図５０】
2008113840.tif 000052
【図５１】
2008113840.tif 000053
【図５２】
2008113840.tif 000054
【図５３】
2008113840.tif 000055
【図５４】
2008113840.tif 000056
【図５５】
2008113840.tif 000057
【図５６】
2008113840.tif 000058